(57)【要約】  本願は、通信技術分野に関し、測位支援データ送信プロセスにおける測位精度、スペクトル効率およびリソース利用率を改善するために、測位支援データ送信方法および測位支援データ送信システムならびにデバイスを提供する。具体的な解決手段は、測位サーバが、コアネットワークデバイスにより送信される、ＵＥの識別子およびＵＥのサービングセルの識別子を含む少なくとも１つの測位要求を受信することと、測位サーバが、少なくとも１つの測位要求に基づいて、少なくとも１つの測位支援データを基地局へ送信することと、基地局が、測位サーバにより送信される少なくとも１つの測位支援データを受信することと、基地局が少なくとも１つの測位支援データをブロードキャストすることとを含む。本発明の実施形態において提供される解決手段は、具体的には、測位支援データの送信をユニキャストモードからブロードキャストモードへ切り替える処理に適用される。
2020529006.tif 000002
【特許請求の範囲】
【請求項１】
測位支援データ送信方法であって、
測位サーバが、コアネットワークデバイスにより送信される少なくとも１つの測位要求を受信する段階であって、前記測位要求は、ユーザ機器ＵＥの識別子および前記ＵＥのサービングセルの識別子を含む、段階と、
前記測位サーバが、前記少なくとも１つの測位要求に基づいて、少なくとも１つの測位支援データを基地局へ送信する段階と
を備える方法。
【請求項２】
前記測位サーバが、前記少なくとも１つの測位要求に基づいて、少なくとも１つの測位支援データを基地局へ送信する前記段階の前に、
前記測位サーバが、前記ＵＥにより送信される第１のメッセージを受信する段階であって、前記第１のメッセージは、前記ＵＥの測位性能指示情報、測位精度指示情報および／またはサービスタイプ指示情報のうちの少なくとも１つを含み、前記測位性能指示情報は、前記ＵＥの測位性能を示すために用いられ、前記測位精度指示情報は、前記ＵＥによりサポートされる測位精度を示すために用いられ、前記サービスタイプ指示情報は、前記ＵＥによりサポートされるサービスタイプを示すために用いられる、段階
をさらに備える、請求項１に記載の方法。
【請求項３】
前記ＵＥによりサポートされる前記測位性能は、ダウンリンク観測到達時間差ＯＴＤＯＡ法、リアルタイムキャリア位相ＲＴＫ法、リアルタイムキネマティック疑似距離差ＲＴＤ法、状態空間表現ＳＳＲ法、仮想基準局ＶＲＳ法、マスタ補助コンセプトＭＡＣ法、面補正パラメータＦＫＰ法および精密単独測位ＰＰＰ法のうちの少なくとも１つを含む、
請求項２に記載の方法。
【請求項４】
第１のサービングセルについて、前記測位サーバが、前記少なくとも１つの測位要求に基づいて、少なくとも１つの測位支援データを基地局へ送信する前記段階は、
前記第１のサービングセルに対応する基地局について第１の条件が満たされている場合、前記測位サーバが、前記第１のサービングセルの識別子に基づいて、前記少なくとも１つの測位支援データを前記第１のサービングセルに対応する前記基地局へ送信する段階であって、前記第１の条件は、
前記測位サーバが、前記第１のサービングセル内の測位される必要があるＵＥの数が第１の閾値より大きい、と判断すること、および／または、
前記測位サーバが、前記第１のサービングセル内の測位される必要がある前記ＵＥのうち任意の測位性能を満たすＵＥの数が第２の閾値より大きい、と判断すること、および／または、
前記測位サーバが、前記第１のサービングセル内の測位される必要がある前記ＵＥのうち任意のサポートされる測位精度を満たすＵＥの数が第３の閾値より大きい、と判断すること、および／または、
前記測位サーバが、前記第１のサービングセル内の測位される必要がある前記ＵＥのうち任意の測位サービスタイプを満たすＵＥの数が第４の閾値より大きい、と判断すること、および／または、
前記測位サーバが、前記コアネットワークデバイスにより送信される第１の命令情報であって、前記測位支援データを前記第１のサービングセル内の測位される必要がある前記ＵＥへブロードキャストモードで送信するよう命令するために用いられる、第１の命令情報を受信すること
という条件のいずれか１つである、段階
を有する、
請求項２または３に記載の方法。
【請求項５】
前記測位サーバが、前記第１のサービングセルの識別子に基づいて、前記少なくとも１つの測位支援データを前記第１のサービングセルに対応する前記基地局へ送信する前記段階は、
前記測位サーバが、前記第１のサービングセル内の測位される必要がある前記ＵＥの測位性能および／または測位精度および／または測位サービスタイプに基づいて前記少なくとも１つの測位支援データを分類して、異なるタイプの前記少なくとも１つの測位支援データを取得する段階と、
前記測位サーバが、前記第１のサービングセルの前記識別子に基づいて、前記異なるタイプの前記少なくとも１つの測位支援データを前記第１のサービングセルに対応する前記基地局へ送信する段階と
を含む、
請求項４に記載の方法。
【請求項６】
前記測位サーバが、前記第１のサービングセルの識別子に基づいて、前記少なくとも１つの測位支援データを前記第１のサービングセルに対応する前記基地局へ送信する前記段階の後に、
前記測位サーバが、停止指示メッセージを前記第１のサービングセルに対応する前記基地局へ送信する段階であって、前記停止指示メッセージは、前記第１のサービングセルに対応する前記基地局への前記少なくとも１つの測位支援データの送信が停止されていることを示すために用いられる、段階
をさらに備える、請求項５に記載の方法。
【請求項７】
測位支援データ送信方法であって、
基地局が、測位サーバにより送信される少なくとも１つの測位支援データを受信する段階と、
前記基地局が前記少なくとも１つの測位支援データをブロードキャストする段階と
を備える方法。
【請求項８】
前記基地局が前記少なくとも１つの測位支援データをブロードキャストする前記段階は、
第１のサービングセルに対応する基地局について、前記第１のサービングセルに対応する前記基地局が、異なるタイプの少なくとも１つの測位支援データをブロードキャストする段階
を有する、
請求項７に記載の方法。
【請求項９】
基地局が、測位サーバにより送信される少なくとも１つの測位支援データを受信する前記段階の前に、
前記基地局が、コアネットワークデバイスにより送信される測位通知メッセージを受信する段階であって、前記測位通知メッセージは、測位要求を含む、段階と、
前記基地局が、前記測位通知メッセージを、測位される必要があるＵＥへ送信する段階と
をさらに備える、請求項８に記載の方法。
【請求項１０】
基地局が、測位サーバにより送信される少なくとも１つの測位支援データを受信する前記段階の後に、
前記基地局が第１の変更ページングメッセージを第１のＵＥへ送信する段階であって、前記第１の変更ページングメッセージは、第１の測位支援データに関連するシステムメッセージが変わっていることを示すために用いられる変更指示情報を保持し、前記第１のＵＥは、前記第１のサービングセル内の測位される必要があるＵＥである、段階
をさらに備える、請求項７から９のいずれか一項に記載の方法。
【請求項１１】
測位支援データ送信方法であって、
コアネットワークデバイスが少なくとも１つの測位要求を測位サーバへ送信する段階であって、前記少なくとも１つの測位要求の各々が、ユーザ機器ＵＥの識別子および前記ＵＥのサービングセルの識別子を含む、段階と、
第１の条件が満たされている場合、前記コアネットワークデバイスが第１の命令情報を前記測位サーバへ送信する段階であって、前記第１の命令情報は、測位支援データを前記第１のサービングセル内の測位される必要があるＵＥへブロードキャストモードで送信するよう命令するために用いられ、前記第１の条件は、
前記コアネットワークデバイスが、前記第１のサービングセル内の測位される必要があるＵＥの数が第１の閾値より大きい、と判断すること、および／または、
前記コアネットワークデバイスが、前記第１のサービングセル内の測位される必要がある前記ＵＥのうち任意のＵＥ測位性能を満たすＵＥの数が第２の閾値より大きい、と判断すること、および／または、
前記コアネットワークデバイスが、前記第１のサービングセル内の測位される必要がある前記ＵＥのうち任意のサポートされる測位精度を満たすＵＥの数が第３の閾値より大きい、と判断すること、および／または、
前記コアネットワークデバイスが、前記第１のサービングセル内の測位される必要がある前記ＵＥのうち任意の測位サービスタイプを満たすＵＥの数が第４の閾値より大きい、と判断すること
という条件のいずれか１つである、段階と
を備える方法。
【請求項１２】
前記コアネットワークデバイスが、第１の命令情報を前記測位サーバへ送信する前記段階の後に、
前記コアネットワークデバイスが第２の命令情報を前記測位サーバへ送信する段階であって、前記第２の命令情報は、前記測位支援データを前記第１のサービングセル内の測位される必要がある前記ＵＥへブロードキャストモードで送信することを停止するよう命令するために用いられる、段階
をさらに備える、請求項１１に記載の方法。
【請求項１３】
コアネットワークデバイスが少なくとも１つの測位要求を測位サーバへ送信する前記段階の前に、
前記コアネットワークデバイスが測位通知メッセージを前記基地局へ送信する段階であって、前記測位通知メッセージは、前記測位要求を保持する、段階
をさらに備える、請求項１１または１２に記載の方法。
【請求項１４】
測位支援データ送信方法であって、
第１のユーザ機器ＵＥが、第１のサービングセルに対応する基地局によりブロードキャストされる第１の測位支援データを取得する段階であって、前記第１の測位支援データは、前記第１のＵＥにより計算を通じて正確な位置を取得するために用いられるか、または、前記第１の測位支援データは、前記第１のＵＥにより測位測定を実行するために用いられ、前記第１のＵＥは、前記第１のサービングセル内の測位される必要があるＵＥである、段階
を備える方法。
【請求項１５】
第１のＵＥが、第１のサービングセルに対応する基地局によりブロードキャストされる第１の測位支援データを取得する前記段階の前に、
前記第１のＵＥが前記第１のＵＥの第１のメッセージを測位サーバへ送信する段階であって、前記第１のＵＥの前記第１のメッセージは、前記第１のＵＥの測位性能指示情報、前記第１のＵＥの測位方法指示情報、または前記第１のＵＥのサービスタイプ指示情報のうちの少なくとも１つを含み、前記第１のＵＥの前記測位性能指示情報は、前記第１のＵＥの測位性能を示すために用いられ、前記第１のＵＥの前記測位精度指示情報は、前記第１のＵＥによりサポートされる測位精度を示すために用いられ、前記第１のＵＥの前記サービスタイプ指示情報は、前記第１のＵＥによりサポートされるサービスタイプを示すために用いられる、段階
をさらに備える、請求項１４に記載の方法。
【請求項１６】
第１のＵＥが、第１のサービングセルに対応する基地局によりブロードキャストされる第１の測位支援データを取得する前記段階の前に、
前記第１のＵＥが、前記第１のサービングセルに対応する前記基地局により送信される第１の変更ページングメッセージを受信する段階であって、前記第１の変更ページングメッセージは、前記第１の測位支援データに関連するシステムメッセージが変わっていることを示すために用いられる変更指示情報を保持する、段階
をさらに備える、請求項１５に記載の方法。
【請求項１７】
第１のＵＥが、第１のサービングセルに対応する基地局によりブロードキャストされる第１の測位支援データを取得する前記段階の後に、
前記第１のＵＥが、前記第１のサービングセルに対応する前記基地局により送信される第１の測位ページングメッセージを受信する段階であって、前記第１の測位ページングメッセージは、測位要求指示情報を保持する、段階
をさらに備える、請求項１６に記載の方法。
【請求項１８】
１または複数のプロセッサと、メモリと、通信インタフェースと、バスとを備える測位サーバであって、
前記メモリは、少なくとも１つの命令を格納するように構成され、前記１または複数のプロセッサ、前記メモリおよび前記通信インタフェースは、前記バスを用いて接続され、前記測位サーバが動作した場合、前記１または複数のプロセッサが、前記メモリに格納された前記少なくとも１つの命令を実行することにより、前記測位サーバは、請求項１から６のいずれか一項に記載の測位支援データ送信方法を実行する、
測位サーバ。
【請求項１９】
少なくとも１つの命令を含むコンピュータ記憶媒体であって、
前記少なくとも１つの命令がコンピュータ上で実行された場合、前記コンピュータは、請求項１から６のいずれか一項に記載の測位支援データ送信方法を実行するよう有効化される、
コンピュータ記憶媒体。
【請求項２０】
少なくとも１つの命令を含むコンピュータプログラム製品であって、
前記少なくとも１つの命令がコンピュータ上で実行された場合、前記コンピュータは、請求項１から６のいずれか一項に記載の測位支援データ送信方法を実行するよう有効化される、
コンピュータプログラム製品。
【請求項２１】
１または複数のプロセッサと、メモリと、通信インタフェースと、バスとを備える基地局であって、
前記メモリは、少なくとも１つの命令を格納するように構成され、前記１または複数のプロセッサ、前記メモリおよび前記通信インタフェースは、前記バスを用いて接続され、前記基地局が動作した場合、前記１または複数のプロセッサが、前記メモリに格納された前記少なくとも１つの命令を実行することにより、前記基地局は、請求項７から１０のいずれか一項に記載の測位支援データ送信方法を実行する、
基地局。
【請求項２２】
少なくとも１つの命令を含むコンピュータ記憶媒体であって、
前記少なくとも１つの命令がコンピュータ上で実行された場合、前記コンピュータは、請求項７から１０のいずれか一項に記載の測位支援データ送信方法を実行するよう有効化される、
コンピュータ記憶媒体。
【請求項２３】
少なくとも１つの命令を含むコンピュータプログラム製品であって、
前記少なくとも１つの命令がコンピュータ上で実行された場合、前記コンピュータは、請求項７から１０のいずれか一項に記載の測位支援データ送信方法を実行するよう有効化される、
コンピュータプログラム製品。
【請求項２４】
１または複数のプロセッサと、メモリと、通信インタフェースと、バスとを備えるコアネットワークデバイスであって、
前記メモリは、少なくとも１つの命令を格納するように構成され、前記１または複数のプロセッサ、前記メモリおよび前記通信インタフェースは、前記バスを用いて接続され、前記コアネットワークデバイスが動作した場合、前記１または複数のプロセッサが、前記メモリに格納された前記少なくとも１つの命令を実行することにより、前記コアネットワークデバイスは、請求項１１から１３のいずれか一項に記載の測位支援データ送信方法を実行する、
コアネットワークデバイス。
【請求項２５】
少なくとも１つの命令を含むコンピュータ記憶媒体であって、
前記少なくとも１つの命令がコンピュータ上で実行された場合、前記コンピュータは、請求項１１から１３のいずれか一項に記載の測位支援データ送信方法を実行するよう有効化される、
コンピュータ記憶媒体。
【請求項２６】
少なくとも１つの命令を含むコンピュータプログラム製品であって、
前記少なくとも１つの命令がコンピュータ上で実行された場合、前記コンピュータは、請求項１１から１３のいずれか一項に記載の測位支援データ送信方法を実行するよう有効化される、
コンピュータプログラム製品。
【請求項２７】
１または複数のプロセッサと、メモリと、通信インタフェースと、バスとを備えるＵＥであって、
前記メモリは、少なくとも１つの命令を格納するように構成され、前記１または複数のプロセッサ、前記メモリおよび前記通信インタフェースは、前記バスを用いて接続され、前記ＵＥが動作した場合、前記１または複数のプロセッサが、前記メモリに格納された前記少なくとも１つの命令を実行することにより、前記ＵＥは、請求項１１から１３のいずれか一項に記載の測位支援データ送信方法を実行する、
ＵＥ。
【請求項２８】
少なくとも１つの命令を含むコンピュータ記憶媒体であって、
前記少なくとも１つの命令がコンピュータ上で実行された場合、前記コンピュータは、請求項１１から１３のいずれか一項に記載の測位支援データ送信方法を実行するよう有効化される、
コンピュータ記憶媒体。
【請求項２９】
少なくとも１つの命令を含むコンピュータプログラム製品であって、
前記少なくとも１つの命令がコンピュータ上で実行された場合、前記コンピュータは、請求項１１から１３のいずれか一項に記載の測位支援データ送信方法を実行するよう有効化される、
コンピュータプログラム製品。
【請求項３０】
請求項１８に記載の測位サーバと、
請求項２１に記載の基地局と、
請求項２４に記載のコアネットワークデバイスと、
請求項２７に記載の少なくとも１つのＵＥと
を備える測位支援データ送信システム。
【発明の詳細な説明】
【技術分野】
【０００１】
本発明の実施形態は、通信技術分野に関し、特に、測位支援データ送信方法および測位支援データ送信方法システムならびにデバイスに関する。
【背景技術】
【０００２】
通信技術の発展に伴い、近年、全地球測位システム（Ｇｌｏｂａｌ  Ｐｏｓｉｔｉｏｎｉｎｇ  Ｓｙｓｔｅｍ、ＧＰＳ）がより広く適用されてきた。これに応じて、測位精度についてより高い要件が提起されている。例えば、無人航空機およびインテリジェントドライビングなどの分野における測位精度の要件が、ますます高くなっている。
【０００３】
新しいＧＰＳ測定方法として、キャリア位相差（Ｒｅａｌ  ｔｉｍｅ  ｋｉｎｅｍａｔｉｃ、ＲＴＫ）技術が、キャリア位相リアルタイムキネマティック差分法を用いており、センチメートルレベルの測位精度をリアルタイムで取得し得ることで、測位精度が大幅に改善している。具体的には、ＲＴＫサーバが、基準局から基準データを取得し、ユーザ機器（Ｕｓｅｒ  Ｅｑｕｉｐｍｅｎｔ、ＵＥ）の大まかな位置を取得し得る。その後、ＲＴＫサーバは、基準データおよび大まかな位置に基づき、計算を通じて、ＵＥのＲＴＫ関連情報（例えば、測位支援データ）を取得し得る。このように、ＵＥは、ＲＴＫ関連情報に基づいてＵＥの大まかな位置を補正して、正確な位置を取得し得る。
【０００４】
従来技術では、３ＧＰＰ  ｒｅｌ−１５が、ＲＴＫ関連情報のユニキャストおよびブロードキャストをサポートすることに同意している。このように、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）技術における測位精度が改善され得ると共に、スペクトル効率およびリソース利用率が改善され得る。
【０００５】
しかしながら、従来技術では、ＵＥの正確な測位をサポートするＲＴＫ関連情報をユニキャストモードで送信するか、またはブロードキャストモードで送信するかが、３ＧＰＰ技術で判断されていなかった。
【発明の概要】
【０００６】
本願は、測位支援データ送信方法および測位支援データ送信システムならびにデバイスを提供する。測位支援データ送信プロセスにおいて、本願は、具体的には、測位支援データの送信をユニキャストモードからブロードキャストモードへ切り替える処理に適用される。これにより、測位精度、スペクトル効率およびリソース利用率が改善する。
【０００７】
前述の目的を達成するために、以下の技術的解決手段が本願において用いられる。
【０００８】
第１の態様によれば、本願において提供される測位支援データ送信方法は、
測位サーバが、コアネットワークデバイスにより送信される少なくとも１つの測位要求を受信する段階であって、測位要求は、ユーザ機器ＵＥの識別子およびＵＥのサービングセルの識別子を含む、段階と、
測位サーバが、少なくとも１つの測位要求に基づいて、少なくとも１つの測位支援データを基地局へ送信する段階と
を備え得る。
【０００９】
本願において提供される測位支援データ送信方法は、３ＧＰＰ技術を用いた測位システムに適用され得ることに留意すべきである。測位サーバが、少なくとも１つの測位要求を受信した後に、少なくとも１つの測位要求に対応するＵＥ（すなわち、測位される必要があるＵＥ）の測位支援データを基地局へ送信し得ることにより、基地局は、測位支援データをブロードキャストできる。加えて、あるセル内の測位支援データは当該セル内のＵＥについて同じなので、測位サーバは、測位支援データをブロードキャストモードで送信するが、同じ測位支援データを複数のＵＥへ別々に送信する必要はない。これにより、複数のＵＥの全てが、測位支援データを取得し得る。従って本願において提供される測位支援データは、ブロードキャストモードで送信され得る。これにより、リソース利用率およびスペクトル効率が改善する。
【００１０】
第１の態様に関連して、第１の可能な実装において、測位サーバは、少なくとも１つの測位要求に基づいて少なくとも１つの測位支援データを基地局へ送信する前に、さらに、測位される必要があるＵＥとインタラクトして、少なくとも１つの測位支援データを生成し得る。具体的には、測位サーバが少なくとも１つの測位支援データを基地局へ送信する段階の前に、方法は、
測位サーバが、ＵＥにより送信される第１のメッセージを受信する段階であって、第１のメッセージは、ＵＥの測位性能指示情報、測位精度指示情報および／またはサービスタイプ指示情報のうちの少なくとも１つを含み、測位性能指示情報は、ＵＥの測位性能を示すために用いられ、測位精度指示情報は、ＵＥによりサポートされる測位精度を示すために用いられ、サービスタイプ指示情報は、ＵＥによりサポートされるサービスタイプを示すために用いられる、段階
をさらに備え得る。
【００１１】
測位される必要があるＵＥがＵＥの測位性能指示情報、測位精度指示情報またはサービスタイプ指示情報のうちの１つを提供することを条件として、測位サーバは、指示情報に基づいて対応する測位支援データを生成することにより、測位支援データ生成処理をより信頼できるものにし得る。
【００１２】
第１の可能な実装に関連して、第２の可能な実装において、ＵＥによりサポートされる測位性能は、ダウンリンク観測到達時間差ＯＴＤＯＡ法、リアルタイムキャリア位相ＲＴＫ法、リアルタイムキネマティック疑似距離差ＲＴＤ法、状態空間表現ＳＳＲ法、仮想基準局ＶＲＳ法、マスタ補助コンセプトＭＡＣ法、面補正パラメータＦＫＰ法および精密単独測位ＰＰＰ法のうちの少なくとも１つを含む。
【００１３】
本願において提供されるＵＥの測位性能は、１または複数の測位方法をサポートし得る。例えば、ＵＥは、ＯＴＤＯＡ法をサポートしながら、ＲＴＫ法をサポートし得る。このように、ＵＥは、ＯＴＤＯＡ法における測位手順およびＲＴＫ法における測位手順の両方を用いて測位され得る。これにより、ＵＥの測位プロセスにおける測位精度が改善する。
【００１４】
第１の可能な実装または第２の可能な実装に関連して、第３の可能な実装において、第１のサービングセルについて、測位サーバが、少なくとも１つの測位要求に基づいて、少なくとも１つの測位支援データを基地局へ送信する段階は、
第１のサービングセルに対応する基地局について第１の条件が満たされている場合、測位サーバが、第１のサービングセルの識別子に基づいて、少なくとも１つの測位支援データを第１のサービングセルに対応する基地局へ送信する段階であって、第１の条件は、
測位サーバが、第１のサービングセル内の測位される必要があるＵＥの数が第１の閾値より大きい、と判断すること、および／または、
測位サーバが、第１のサービングセル内の測位される必要があるＵＥのうち任意の測位性能を満たすＵＥの数が第２の閾値より大きい、と判断すること、および／または、
測位サーバが、第１のサービングセル内の測位される必要があるＵＥのうち任意のサポートされる測位精度を満たすＵＥの数が第３の閾値より大きい、と判断すること、および／または、
測位サーバが、第１のサービングセル内の測位される必要があるＵＥのうち任意の測位サービスタイプを満たすＵＥの数が第４の閾値より大きい、と判断すること、および／または、
測位サーバが、コアネットワークデバイスにより送信される第１の命令情報であって、測位支援データを第１のサービングセル内の測位される必要があるＵＥへブロードキャストモードで送信するよう命令するために用いられる、第１の命令情報を受信すること
という条件のいずれか１つである、段階
を有し得る。
【００１５】
本願において提供される測位支援データ送信方法において、測位サーバは、測位サーバが、コアネットワークデバイスにより送信される第１の命令情報を受信し、測位される必要があるＵＥの測位性能指示情報、測位精度指示情報またはサービスタイプ指示情報のうちの１つを取得することを条件として、測位支援データをブロードキャストモードまたはユニキャストモードのいずれで送信するかを決定し得ることに留意すべきである。このように、ＵＥの測位プロセスにおける測位支援データの送信は、ユニキャストモードからブロードキャストモードへ切り替えられ、測位支援データを送信するためにユニキャストモードから切り替えられることが決定されているブロードキャストモードの信頼性は、比較的高く、測位支援データ送信プロセスにおけるリソース利用率が改善される。
【００１６】
第３の可能な実装に関連して、第４の可能な実装において、測位サーバが、第１のサービングセルの識別子に基づいて、少なくとも１つの測位支援データを第１のサービングセルに対応する基地局へ送信する段階は、
測位サーバが、第１のサービングセル内の測位される必要があるＵＥの測位性能および／または測位精度および／または測位サービスタイプに基づいて少なくとも１つの測位支援データを分類して、異なるタイプの少なくとも１つの測位支援データを取得する段階と、
測位サーバが、第１のサービングセルの識別子に基づいて、異なるタイプの少なくとも１つの測位支援データを第１のサービングセルに対応する基地局へ送信する段階と
を含み得る。
【００１７】
本願において提供される測位支援データ送信方法において、測位サーバが、測位支援データをユニキャストモードまたはブロードキャストモードで送信することを決定する前に、測位サーバにより送信される複数の測位支援データを異なるタイプに分類することにより、基地局は異なるタイプに基づいて測位支援データをブロードキャストできることに留意すべきである。このように、測位される必要があるＵＥは、基地局によりブロードキャストされる、対応するタイプの測位支援データを取得し得る。これにより、ＵＥの測位精度が改善する。
【００１８】
第４の可能な実装に関連して、第５の可能な実装において、測位サーバが、第１のサービングセルの識別子に基づいて、少なくとも１つの測位支援データを第１のサービングセルに対応する基地局へ送信する段階の後に、方法は、
測位サーバが、第１のサービングセルの識別子に基づいて、停止指示メッセージを第１のサービングセルに対応する基地局へ送信する段階であって、停止指示メッセージは、基地局への少なくとも１つの測位支援データの送信が停止されていることを示すために用いられる、段階
をさらに備え得る。
【００１９】
停止指示メッセージは、測位サーバが少なくとも１つの測位支援データの基地局への送信を停止していることを示すために用いられる。このように、測位サーバが測位支援データをブロードキャストする必要がない場合、測位サーバが、測位支援データをユニキャストモードで送信することにより、測位支援データの送信がブロードキャストモードとユニキャストモードとの間で切り替えられ、リソースの適切な使用が実装され得る。
【００２０】
第５の可能な実装に関連して、第６の可能な実装において、測位サーバが停止指示メッセージを第１のサービングセルに対応する基地局へ送信する段階は、
第１のサービングセルに対応する基地局について、第２の条件が満たされている場合、測位サーバが停止指示メッセージを第１のサービングセルに対応する基地局へ送信する段階であって、停止指示メッセージは、基地局への少なくとも１つの測位支援データの送信が停止されていることを示すために用いられ、第２の条件は、
測位サーバが、第１のサービングセル内の測位される必要があるＵＥの数が、第１の閾値より小さいかまたはそれと等しい第５の閾値より小さいかまたはそれと等しい、と判断すること、および／または、
測位サーバが、第１のサービングセル内の測位される必要があるＵＥのうち任意のＵＥ測位性能を満たすＵＥの数が、第２の閾値より小さいかまたはそれと等しい第６の閾値より小さいかまたはそれと等しい、と判断すること、および／または、
測位サーバが、第１のサービングセル内の測位される必要があるＵＥのうち任意のサポートされる測位方法を満たすＵＥの数が、第３の閾値より小さいかまたはそれと等しい第７の閾値より小さいかまたはそれと等しい、と判断すること、および／または、
測位サーバが、第１のサービングセル内の測位される必要があるＵＥのうち任意の測位サービスタイプを満たすＵＥの数が、第４の閾値より小さいかまたはそれと等しい第８の閾値より小さいかまたはそれと等しい、と判断すること、および／または、
測位サーバが、コアネットワークデバイスにより送信される第２の命令情報を受信することであって、第２の命令情報は、測位支援データを第１のサービングセル内の測位される必要があるＵＥへブロードキャストモードで送信することを停止するよう命令するために用いられる、受信すること
という条件のいずれか１つである、段階
を含み得る。
【００２１】
本願において提供される測位支援データ送信方法において、測位サーバは、測位サーバが、コアネットワークデバイスにより送信される第２の命令情報を受信するか、または測位される必要があるＵＥの測位性能指示情報、測位精度指示情報またはサービスタイプ指示情報のうちの１つを取得することを条件として、測位支援データの送信をブロードキャストモードからユニキャストモードへ切り替えることができる。このように、測位支援データがブロードキャストされる必要がない場合、例えば、比較的小数の測位される必要があるＵＥが存在する場合、測位支援データは、ユニキャストモードで送信され得る。これにより、リソース利用率が改善する。
【００２２】
第１の態様または前述の可能な実装のいずれか１つに関連して、第７の可能な実装において、測位サーバが、少なくとも１つの測位要求に基づいて、少なくとも１つの測位支援データを基地局へ送信する段階の前に、方法は、
測位サーバが、第１のサービングセルに対応する基地局により送信される基地局位置メッセージを受信する段階であって、基地局位置メッセージは、第１のサービングセルに対応する基地局の位置指示情報を含み得て、基地局の位置指示情報は、基地局の位置および第１のサービングセルの位置を示し得る、段階と、
測位サーバが、基地局位置メッセージと、第１のサービングセル内のＵＥの第１のメッセージと、基準データとに基づいて、測位支援データを生成または取得する段階と
をさらに備え得る。
【００２３】
本発明の本実施形態において提供される測位支援データ送信方法において、測位支援データは、測位性能指示情報および／または測位精度指示情報および／またはＵＥのサービスタイプ指示情報、基地局位置メッセージ（すなわち、基地局の示されている位置および／またはセルの示されている位置）および基準データに基づいて生成され得る。言い換えると、測位支援データは、測位サーバにより、ＲＴＫ技術を用いて取得され得る。すなわち、測位支援データの測位精度は、比較的高い。
【００２４】
第１の態様または前述の可能な実装のいずれか１つに関連して、第８の可能な実装において、測位サーバが、少なくとも１つの測位要求に基づいて、少なくとも１つの測位支援データを基地局へ送信する段階の前に、方法は、
測位サーバが大まかな位置の要求をＵＥへ送信する段階と、
測位サーバが、ＵＥにより送信される大まかな位置を受信する段階と、
測位サーバが、第１のサービングセル内の測位される必要があるＵＥの第１のメッセージと、大まかな位置と、基準データとに基づいて、測位支援データを生成または取得する段階と
をさらに備え得る。
【００２５】
本発明の本実施形態において提供される測位支援データ送信方法において、測位支援データは、測位性能指示情報、測位精度指示情報および／または測位される必要があるＵＥのサービスタイプ指示情報、ＵＥの大まかな位置および基準データのうちの少なくとも１つに基づいて生成される。言い換えると、本発明の本実施形態において提供される測位支援データは、測位サーバにより、ＲＴＫ技術を用いて取得され得る。すなわち、測位支援データの測位精度は、比較的高い。
【００２６】
第２の態様によれば、本願は、測位支援データ送信方法を提供する。
方法は、
基地局が、測位サーバにより送信される少なくとも１つの測位支援データを受信する段階と、
基地局が少なくとも１つの測位支援データをブロードキャストする段階と
を備える。
【００２７】
基地局または測位サーバなどのネットワーク要素がＵＥに接続されない場合、基地局が少なくとも１つの測位支援データをブロードキャストモードで送信することにより、ＵＥは対応する測位支援データを取得できることに留意すべきである。このように、ＵＥ測位プロセスにおけるリソース利用率が改善され得る。
【００２８】
第２の態様に関連して、第１の可能な実装において、基地局が少なくとも１つの測位支援データをブロードキャストする段階は、
第１のサービングセルに対応する基地局について、第１のサービングセルに対応する基地局が、異なるタイプの少なくとも１つの測位支援データをブロードキャストする段階
を有し得る。
【００２９】
第１の可能な実装に関連して、第２の可能な実装において、基地局が、測位サーバにより送信される少なくとも１つの測位支援データを受信する段階の前に、方法は、
基地局が、コアネットワークデバイスにより送信される測位通知メッセージを受信する段階であって、測位通知メッセージは、測位要求を含み、測位要求は、ＵＥの識別子およびＵＥのサービングセルの識別子を含む、段階と
基地局が、測位通知メッセージを、測位される必要があるＵＥへ送信する段階と
をさらに備え得る。
【００３０】
測位通知メッセージは、１または複数の測位要求を含み、１または複数の測位要求は、ＵＥの異なる識別子およびＵＥのサービングセルの識別子を含み得る。従って、基地局がその後少なくとも１つの測位支援データを受信した場合、特定のセル、例えば、第１のサービングセルが、ＵＥの異なる識別子およびＵＥのサービングセルの識別子に基づいて識別される。加えて、測位される必要があるＵＥのために測位要求がネットワーク側で開始された場合、ＵＥは、基地局により送信される測位メッセージを受信した後に、基地局によりブロードキャストされる測位支援データに基づいて、正確に測位され得る。
【００３１】
第２の態様または前述の可能な実装のいずれか１つに関連して、第３の可能な実装において、基地局が、測位サーバにより送信される少なくとも１つの測位支援データを受信する段階の後に、方法は、
基地局が第１の変更ページングメッセージを第１のＵＥへ送信する段階であって、第１の変更ページングメッセージは、第１の測位支援データに関連するシステムメッセージが変わっていることを示すために用いられる変更指示情報を保持し、第１のＵＥは、第１のサービングセル内の測位される必要があるＵＥである、段階
をさらに備え得る。
【００３２】
本願にぴて提供される方法において、測位支援データがブロードキャストモードで送信される場合、基地局は、変更ページングメッセージを送信した後に、測位される必要があるＵＥに、基地局によりブロードキャストされる対応する測位支援データの受信を開始するよう命令し得る。このように、測位される必要があるＵＥの測位プロセスにおけるスペクトル効率およびリソース利用率が改善され得る。
【００３３】
第２の態様または前述の可能な実装のいずれか１つに関連して、第４の可能な実装において、基地局は、基地局位置メッセージを測位サーバへ送信し得る。基地局位置メッセージは、第１のサービングセルに対応する基地局の位置指示情報を含み得る。基地局の位置指示情報は、基地局の位置および／または第１のサービングセルの位置を示し得る。この実装の具体的な説明については、第１の態様の第７の可能な実装における関連する説明を参照されたい。本願においては、詳細を改めて説明しない。
【００３４】
第３の態様によれば、本願は、測位支援データ送信方法を提供する。
方法は、
コアネットワークデバイスが少なくとも１つの測位要求を測位サーバへ送信する段階であって、少なくとも１つの測位要求の各々が、ユーザ機器ＵＥの識別子およびＵＥのサービングセルの識別子を含む、段階と、
第１の条件が満たされている場合、コアネットワークデバイスが第１の命令情報を測位サーバへ送信する段階であって、第１の命令情報は、測位支援データを第１のサービングセル内の測位される必要があるＵＥへブロードキャストモードで送信するよう命令するために用いられ、第１の条件は、
コアネットワークデバイスが、第１のサービングセル内の測位される必要があるＵＥの数が第１の閾値より大きい、と判断すること、および／または、
コアネットワークデバイスが、第１のサービングセル内の測位される必要があるＵＥのうち任意のＵＥ測位性能を満たすＵＥの数が第２の閾値より大きい、と判断すること、および／または、
コアネットワークデバイスが、第１のサービングセル内の測位される必要があるＵＥのうち任意のサポートされる測位精度を満たすＵＥの数が第３の閾値より大きい、と判断すること、および／または、
コアネットワークデバイスが、第１のサービングセル内の測位される必要があるＵＥのうち任意の測位サービスタイプを満たすＵＥの数が第４の閾値より大きい、と判断すること
という条件のいずれか１つである、段階と
を備える。
【００３５】
本願において提供される測位支援データ送信方法において、測位サーバおよびコアネットワークデバイスの両方が、少なくとも測位支援データをブロードキャストモードまたはユニキャストモードのいずれで送信するかを決定し得る。従って、測位サーバまたはコアネットワークデバイスのいずれかがブロードキャストモードまたはユニキャストモードへの切り替えを決定し得ない場合でも、他方が決定を実行し得る。これにより、測位支援データのために用いられるブロードキャストモードとユニキャストモードとの間の切り替えがより信頼できるものになる。
【００３６】
第３の態様に関連して、第１の可能な実装において、コアネットワークデバイスが、第１の命令情報を測位サーバへ送信する段階の後に、方法は、
コアネットワークデバイスが第２の命令情報を測位サーバへ送信する段階であって、第２の命令情報は、測位支援データを第１のサービングセル内のＵＥへブロードキャストモードで送信することを停止するよう命令するために用いられる、段階
をさらに備え得る。
【００３７】
第１の可能な実装に関連して、第２の可能な実装において、コアネットワークデバイスが第２の命令情報を測位サーバへ送信する段階は、
第２の条件が満たされている場合、コアネットワークデバイスが第２の命令情報を測位サーバへ送信する段階
を含み得る。
本願において、コアネットワークデバイスが満たす第２の条件は、
コアネットワークデバイスが、第１のサービングセル内の測位される必要があるＵＥの数が第５の閾値より小さいかまたはそれと等しい、と判断することであって、第５の閾値は、第１の閾値より小さいかまたはそれと等しい、判断すること、および／または、
コアネットワークデバイスが、第１のサービングセル内の測位される必要があるＵＥのうち任意のＵＥ測位性能を満たすＵＥの数が第６の閾値より小さいかまたはそれと等しい、と判断することであって、第６の閾値は、第２の閾値より小さいかまたはそれと等しい、判断すること、および／または、
コアネットワークデバイスが、第１のサービングセル内の測位される必要があるＵＥのうち任意のサポートされる測位方法を満たすＵＥの数が第７の閾値より小さいかまたはそれと等しい、と判断することであって、第７の閾値は、第３の閾値より小さいかまたはそれと等しい、判断すること、および／または、
コアネットワークデバイスが、第１のサービングセル内の測位される必要があるＵＥのうち任意の測位サービスタイプを満たすＵＥの数が第８の閾値より小さいかまたはそれと等しい、と判断することであって、第８の閾値は、第４の閾値より小さいかまたはそれと等しい、判断すること
という条件のいずれか１つである。本願におけるコアネットワークデバイスが第２の命令情報を測位サーバへ送信することに関する第２の条件の具体的な説明については、第１の態様における第２の条件の関連する説明を参照されたい。本明細書においては、詳細を改めて説明しない。
【００３８】
第１の可能な実装に関連して、第２の可能な実装において、コアネットワークデバイスが少なくとも１つの測位要求を測位サーバへ送信する段階の前に、方法は、
コアネットワークデバイスが測位通知メッセージを基地局へ送信する段階であって、測位通知メッセージは、測位要求を保持する、段階
をさらに備え得る。本願における「コアネットワークデバイスが測位通知メッセージを基地局へ送信する段階」の具体的な説明については、第２の態様の第２の可能な実装における関連する説明を参照されたい。本願においては、詳細を改めて説明しない。
【００３９】
第４の態様によれば、本願は、測位支援データ送信方法を提供する。
方法は、
第１のＵＥが、第１のサービングセルに対応する基地局によりブロードキャストされる第１の測位支援データを取得する段階であって、第１の測位支援データは、第１のＵＥにより計算を通じて正確な位置を取得するために用いられるか、または、第１の測位支援データは、第１のＵＥにより測位測定を実行するために用いられ、第１のＵＥは、第１のサービングセル内の測位される必要があるＵＥである、段階
を備える。
【００４０】
本願において提供される測位支援データ送信方法において、測位される必要があるＵＥは、基地局によりブロードキャストされる測位支援データを取得し得て、測位支援データは、ＲＴＫ技術を用いて取得され得ることに留意すべきである。例えば、測位支援データは、ＵＥの大まかな位置と、ＵＥの測位性能指示情報と、基準データとに基づいて、測位サーバにより取得され得る。従って、測位支援データに基づいて、測位される必要があるＵＥにより取得される、ＵＥの正確な位置の測位精度は、比較的高い。加えて、測位支援データは、測位される必要があるＵＥがＵＥの正確な位置を取得するプロセスにおいて、ブロードキャストモードで送信され得るので、リソース利用率は、比較的高い。
【００４１】
第４の態様に関連して、第１の可能な実装において、第１のＵＥが、第１のサービングセルに対応する基地局によりブロードキャストされる第１の測位支援データを取得する段階の前に、方法は、
第１のＵＥが第１のＵＥの第１のメッセージを測位サーバへ送信する段階であって、第１のＵＥの第１のメッセージは、第１のＵＥの測位性能指示情報、第１のＵＥの測位方法指示情報または第１のＵＥのサービスタイプ指示情報のうちの少なくとも１つを含み、測位性能指示情報は、ＵＥの測位性能を示すために用いられ、測位精度指示情報は、ＵＥによりサポートされる測位精度を示すために用いられ、サービスタイプ指示情報は、ＵＥによりサポートされるサービスタイプを示すために用いられる、段階
をさらに備え得る。本願における本明細書において、「第１のＵＥが第１のＵＥの第１のメッセージを測位サーバへ送信する段階」の具体的な説明については、第１の態様の第１の可能な実装における関連する説明を参照されたい。本願においては、詳細を改めて説明しない。
【００４２】
第１の可能な実装に関連して、第２の可能な実装において、ＵＥによりサポートされる測位性能は、ＯＴＤＯＡ法、ＲＴＫ法、ＲＴＤ法、ＳＳＲ法、ＶＲＳ法、ＭＡＣ法、ＦＫＰ法またはＰＰＰ法のうちの少なくとも１つを含む。
【００４３】
第２の可能な実装に関連して、第３の可能な実装において、第１のＵＥが、第１のサービングセルに対応する基地局によりブロードキャストされる第１の測位支援データを取得する段階の前に、方法は、
第１のＵＥが、第１のサービングセルに対応する基地局により送信される第１の変更ページングメッセージを受信する段階であって、第１の変更ページングメッセージは、第１の測位支援データに関連するシステムメッセージが変わっていることを示すために用いられる変更指示情報を保持する、段階
をさらに備え得る。第１のＵＥは、第１のサービングセルによりサービスを受けるＵＥであり、第１の測位支援データに対応する。
【００４４】
測位支援データがブロードキャストモードで送信される場合、測位される必要があるＵＥがＵＥの測位支援データを取得する前には、ＵＥは、別のネットワーク要素からメッセージを受信し得ないことに留意すべきである。ＵＥは、基地局により送信される変更ページングメッセージを受信した後に、基地局によりブロードキャストされる対応する測位支援データの受信を開始する。このように、測位される必要があるＵＥの測位プロセスにおけるスペクトル効率およびリソース利用率が改善され得る。
【００４５】
第３の可能な実装に関連して、第４の可能な実装において、第１のＵＥが、第１のサービングセルに対応する基地局によりブロードキャストされる第１の測位支援データを取得する段階の後に、方法は、
第１のＵＥが、第１のサービングセルに対応する基地局により送信される第１の測位ページングメッセージを受信する段階であって、第１の測位ページングメッセージは、測位要求指示情報を保持する、段階
をさらに備え得る。
【００４６】
第１のＵＥは、コアネットワークデバイスまたは基地局への接続を確立する前に、基地局によりブロードキャストされる第１の測位支援データを取得し得るので、第１のＵＥは、コアネットワークデバイスまたは基地局に接続する前に、第１の測位支援データに基づいて正確に測位され得て、スペクトル効率およびリソース利用率が改善することに留意すべきである。
【００４７】
第４の可能な実装に関連して、第５の可能な実装において、第１のＵＥが、第１のサービングセルに対応する基地局によりブロードキャストされる第１の測位支援データを取得する段階の後に、方法は、
第１のＵＥが第１の支援データ要求メッセージを測位サーバへ送信する段階であって、第１の支援データ要求メッセージは、追加の第１の測位支援情報を要求するために用いられる追加の要求指示情報を保持する、段階
をさらに備え得る。
【００４８】
本願において提供される測位支援データ送信方法において、測位される必要があるＵＥは、ＵＥが必要とする測位精度に基づいて、ＵＥの測位支援データと、測位サーバで生成される１または複数の追加の測位支援データとを取得し得る。このように、測位される必要があるＵＥの測位プロセスにおける測位精度が、ＵＥが必要とする測位精度を満たすように改善され得る。
【００４９】
第４の可能な実装に関連して、第６の可能な実装において、第１のＵＥは、測位サーバにより送信される大まかな位置の要求を受信し、大まかな位置を測位サーバへ送信する。第１のＵＥは、第１のサービングセル内の測位される必要があるＵＥである。この実装の具体的な説明については、第１の態様の第８の可能な実装における関連する説明を参照されたい。本願においては、詳細を改めて説明しない。
【００５０】
第５の態様によれば、本願は、測位サーバを提供する。測位サーバは、受信モジュールおよび送信モジュールを含む。受信モジュールは、コアネットワークデバイスにより送信される少なくとも１つの測位要求を受信するように構成される。測位要求は、ＵＥの識別子およびＵＥのサービングセルの識別子を含む。送信モジュールは、受信モジュールにより受信される少なくとも１つの測位要求に基づいて少なくとも１つの測位支援データを基地局へ送信するように構成される。
【００５１】
第５の態様に関連して、第１の可能な実装において、受信モジュールはさらに、送信モジュールが、受信モジュールにより受信される少なくとも１つの測位要求に基づいて少なくとも１つの測位支援データを基地局へ送信する前に、第１のサービングセル内の測位される必要があるＵＥにより送信される第１のメッセージを受信するように構成される。第１のメッセージは、ＵＥの測位性能指示情報、測位精度指示情報および／またはサービスタイプ指示情報のうちの少なくとも１つを含む。測位性能指示情報は、ＵＥの測位性能を示すために用いられ、測位精度指示情報は、ＵＥによりサポートされる測位精度を示すために用いられ、サービスタイプ指示情報は、ＵＥによりサポートされるサービスタイプを示すために用いられる。
【００５２】
第１の可能な実装に関連して、第２の可能な実装において、ＵＥによりサポートされる測位性能は、ＯＴＤＯＡ法、ＲＴＫ法、ＲＴＤ法、ＳＳＲ法、ＶＲＳ法、ＭＡＣ法、ＦＫＰ法またはＰＰＰ法のうちの少なくとも１つを含む。
【００５３】
第１の可能な実装または第２の可能な実装に関連して、第３の可能な実装において、測位サーバは、送信モジュールをさらに含み得る。送信モジュールは、具体的には、第１のサービングセルについて、少なくとも１つの測位要求に基づいて、少なくとも１つの測位支援データを第１のサービングセルに対応する基地局へ送信するように構成される。
【００５４】
第３の可能な実装に関連して、第４の可能な実装において、送信モジュールは、送信サブモジュールおよび判断サブモジュールをさらに含み得る。送信サブモジュールは、第１のサービングセルに対応する基地局について、第１の条件が満たされていると判断された場合、第１のサービングセルの識別子に基づいて、少なくとも１つの測位支援データを第１のサービングセルに対応する基地局へ送信するように構成される。判断サブモジュールは、具体的には、第１のサービングセル内の測位される必要があるＵＥの数が第１の閾値より大きい、と判断するように構成され、および／または、第１のサービングセル内の測位される必要があるＵＥのうち任意の測位性能を満たすＵＥの数が第２の閾値より大きい、と判断するように構成され、および／または、第１のサービングセル内の測位される必要があるＵＥのうち任意のサポートされる測位精度を満たすＵＥの数が第３の閾値より大きい、と判断するように構成され、および／または、第１のサービングセル内の測位される必要があるＵＥのうち任意の測位サービスタイプを満たすＵＥの数が第４の閾値より大きい、と判断するように構成される。受信モジュールはさらに、コアネットワークデバイスにより送信される第１の命令情報を受信するように構成される。第１の命令情報は、測位支援データを第１のサービングセル内の測位される必要があるＵＥへブロードキャストモードで送信するよう命令するために用いられる。
【００５５】
第４の可能な実装に関連して、第５の可能な実装において、送信モジュールは、分類サブモジュールをさらに含み得る。分類サブモジュールは、第１のサービングセル内の測位される必要があるＵＥの測位性能および／または測位精度および／または測位サービスタイプに基づいて、第１のサービングセル内の測位される必要があるＵＥの少なくとも１つの測位支援データを分類して、異なるタイプの少なくとも１つの測位支援データを取得するように構成される。送信サブモジュールはさらに、少なくとも１つの測位要求に基づいて、分類サブモジュールにより取得される異なるタイプの少なくとも１つの測位支援データを第１のサービングセルに対応する基地局へ送信するように構成される。
【００５６】
第５の可能な実装に関連して、第６の可能な実装において、送信サブモジュールはさらに、送信サブモジュールが、第１のサービングセルの識別子に基づいて、少なくとも１つの測位支援データを第１のサービングセルに対応する基地局へ送信した後に、停止指示メッセージを第１のサービングセルに対応する基地局へ送信するように構成される。停止指示メッセージは、基地局への少なくとも１つの測位支援データの送信が停止されていることを示すために用いられる。
【００５７】
第６の可能な実装に関連して、第７の可能な実装において、送信サブモジュールはさらに、第１の条件が満たされている場合、停止指示メッセージを第１のサービングセルに対応する基地局へ送信するように構成される。停止指示メッセージは、基地局への少なくとも１つの測位支援データの送信が停止されていることを示すために用いられる。
判断サブモジュールは、具体的には、
第１のサービングセル内の測位される必要があるＵＥの数が、第１の閾値より小さいかまたはそれと等しい第５の閾値より小さいかまたはそれと等しい、と判断するように構成され、および／または、
第１のサービングセル内の測位される必要があるＵＥのうち任意のＵＥ測位性能を満たすＵＥの数が、第２の閾値より小さいかまたはそれと等しい第６の閾値より小さいかまたはそれと等しい、と判断するように構成され、および／または、
第１のサービングセル内の測位される必要があるＵＥのうち任意のサポートされる測位方法を満たすＵＥの数が、第３の閾値より小さいかまたはそれと等しい第７の閾値より小さいかまたはそれと等しい、と判断するように構成され、および／または、
第１のサービングセル内の測位される必要があるＵＥのうち任意の測位サービスタイプを満たすＵＥの数が、第４の閾値より小さいかまたはそれと等しい第８の閾値より小さいかまたはそれと等しい、と判断するように構成される。受信モジュールはさらに、コアネットワークデバイスにより送信される第２の命令情報を受信するように構成される。第２の命令情報は、測位支援データを第１のサービングセル内の測位される必要があるＵＥへブロードキャストモードで送信することを停止するよう命令するために用いられる。
【００５８】
第５の態様または前述の可能な実装のいずれか１つに関連して、第７の可能な実装において、受信モジュールはさらに、送信モジュールが、少なくとも１つの測位要求に基づいて、少なくとも１つの測位支援データを基地局へ送信する前に、第１のサービングセルに対応する基地局により送信される基地局位置メッセージを受信するように構成され得る。基地局位置メッセージは、第１のサービングセルに対応する基地局の位置指示情報を含み得る。基地局の位置指示情報は、基地局の位置および第１のサービングセルの位置を示し得る。測位サーバは、生成モジュールをさらに含み得る。生成モジュールは、第１のサービングセル内のＵＥの第１のメッセージと、基準データと、受信モジュールにより受信される基地局位置メッセージとに基づいて、測位支援データを生成または取得するように構成される。
【００５９】
第５の態様または前述の可能な実装のいずれか１つに関連して、第７の可能な実装において、受信モジュールはさらに、送信モジュールが、少なくとも１つの測位要求に基づいて、少なくとも１つの測位支援データを基地局へ送信する前に、第１のサービングセルに対応する基地局により送信される基地局位置メッセージを受信するように構成され得る。基地局位置メッセージは、第１のサービングセルに対応する基地局の位置指示情報を含み得る。基地局の位置指示情報は、基地局の位置および第１のサービングセルの位置を示し得る。測位サーバは、生成モジュールをさらに含み得る。生成モジュールは、第１のサービングセル内のＵＥの第１のメッセージと、基準データと、受信モジュールにより受信される基地局位置メッセージとに基づいて、測位支援データを生成または取得するように構成される。
【００６０】
第５の態様または前述の可能な実装のいずれか１つに関連して、第８の可能な実装において、送信モジュールはさらに、少なくとも１つの測位要求に基づいて少なくとも１つの測位支援データを基地局へ送信する前に、大まかな位置の要求をＵＥへ送信するように構成され得る。受信モジュールはさらに、ＵＥにより送信される大まかな位置を受信するように構成される。測位サーバは、生成モジュールをさらに含み得る。生成モジュールは、第１のサービングセル内の測位される必要があるＵＥの第１のメッセージと、基準データと、受信モジュールにより受信される大まかな位置とに基づいて、測位支援データを生成または取得するように構成される。
【００６１】
第６の態様によれば、本願は、基地局を提供する。基地局は、受信モジュールおよび送信モジュールを含む。受信モジュールは、測位サーバにより送信される少なくとも１つの測位支援データを受信するように構成される。送信モジュールは、受信モジュールにより受信される少なくとも１つの測位支援データをブロードキャストするように構成される。
【００６２】
第６の態様に関連して、第１の可能な実装において、送信モジュールは、具体的には、異なるタイプの測位支援データのうちの少なくとも１つを第１のサービングセル内の測位される必要があるＵＥへブロードキャストするように構成される。
【００６３】
第１の可能な実装に関連して、第２の可能な実装において、受信モジュールはさらに、測位サーバにより送信される少なくとも１つの測位支援データを受信する前に、コアネットワークデバイスにより送信される測位通知メッセージを受信するように構成される。測位通知メッセージは、測位要求を含み、測位要求は、ＵＥの識別子およびＵＥのサービングセルの識別子を含む。送信モジュールはさらに、受信モジュールにより受信される測位通知メッセージを、測位される必要があるＵＥへ送信するように構成される。
【００６４】
第６の態様または前述の可能な実装のいずれか１つに関連して、第３の可能な実装において、送信モジュールはさらに、受信モジュールが、測位サーバにより送信される少なくとも１つの測位支援データを受信した後に、第１の変更ページングメッセージを第１のＵＥへ送信するように構成される。第１の変更ページングメッセージは、第１の測位支援データに関連するシステムメッセージが変わっていることを示すために用いられる変更指示情報を保持し、第１のＵＥは、第１のサービングセル内のＵＥであり、第１のＵＥは、第１の測位支援データに対応する。
【００６５】
第６の態様に関連して、第４の可能な実装において、送信モジュールは、分類サブモジュールおよび送信サブモジュールを含み得る。分類サブモジュールは、第１のサービングセル内の測位される必要があるＵＥの測位性能および／または測位精度および／または測位サービスタイプに基づいて少なくとも１つの測位支援データを分類して、異なるタイプの少なくとも１つの測位支援データを取得するように構成される。送信サブモジュールは、少なくとも１つの測位要求に基づいて、異なるタイプの少なくとも１つの測位支援データを第１のサービングセルに対応する基地局へ送信するように構成される。
【００６６】
第６の態様に関連して、第５の可能な実装において、送信モジュールはさらに、基地局位置メッセージを測位サーバへ送信するように構成され得る。基地局位置メッセージは、第１のサービングセルに対応する基地局の位置指示情報を含み得る。基地局の位置指示情報は、基地局の位置および／または第１のサービングセルの位置を示し得る。
【００６７】
第７の態様によれば、本願は、コアネットワークデバイスを提供する。コアネットワークデバイスは、送信モジュールおよび判断モジュールを含む。送信モジュールは、少なくとも１つの測位要求を測位サーバへ送信するように構成される。少なくとも１つの測位要求の各々は、ＵＥの識別子およびＵＥのサービングセルの識別子を含む。送信モジュールはさらに、第１の条件が満たされている場合、第１の命令情報を測位サーバへ送信するように構成される。第１の命令情報は、測位支援データを第１のサービングセル内の測位される必要があるＵＥへブロードキャストモードで送信するよう命令するために用いられる。判断モジュールは、第１の条件が満たされている、と判断するように構成される。判断モジュールは、具体的には、第１のサービングセル内の測位される必要があるＵＥの数が第１の閾値より大きい、と判断するように構成され、および／または、第１のサービングセル内の測位される必要があるＵＥのうち任意のＵＥ測位性能を満たすＵＥの数が第２の閾値より大きい、と判断するように構成され、および／または、第１のサービングセル内の測位される必要があるＵＥのうち任意のサポートされる測位精度を満たすＵＥの数が第３の閾値より大きい、と判断するように構成され、および／または、第１のサービングセル内の測位される必要があるＵＥのうち任意の測位サービスタイプを満たすＵＥの数が第４の閾値より大きい、と判断するように構成される。
【００６８】
第７の態様に関連して、第１の可能な実装において、送信モジュールはさらに、第１の命令情報を測位サーバへ送信した後に、第２の命令情報を測位サーバへ送信するように構成される。第２の命令情報は、測位支援データを第１のサービングセル内の測位される必要があるＵＥへブロードキャストモードで送信することを停止するよう命令するために用いられる。
【００６９】
第１の可能な実装に関連して、第２の可能な実装において、送信モジュールは、具体的には、第２の条件が満たされている場合、第２の命令情報を測位サーバへ送信するように構成される。
判断モジュールはさらに、
第１のサービングセル内の測位される必要があるＵＥの数が、第１の閾値より小さいかまたはそれと等しい第５の閾値より小さいかまたはそれと等しい、と判断するように構成され、および／または、
第１のサービングセル内の測位される必要があるＵＥのうち任意のＵＥ測位性能を満たすＵＥの数が、第２の閾値より小さいかまたはそれと等しい第６の閾値より小さいかまたはそれと等しい、と判断するように構成され、および／または、
第１のサービングセル内の測位される必要があるＵＥのうち任意のサポートされる測位方法を満たすＵＥの数が、第３の閾値より小さいかまたはそれと等しい第７の閾値より小さいかまたはそれと等しい、と判断するように構成され、および／または、
第１のサービングセル内の測位される必要があるＵＥのうち任意の測位サービスタイプを満たすＵＥの数が、第４の閾値より小さいかまたはそれと等しい第８の閾値より小さいかまたはそれと等しい、と判断するように構成される。
【００７０】
第２の可能な実装に関連して、第３の可能な実装において、送信モジュールはさらに、測位要求を測位サーバへ送信する前に、測位通知メッセージを基地局へ送信するように構成される。測位通知メッセージは、測位要求を保持する。
【００７１】
第８の態様によれば、本願は、ＵＥ（以下で第１のＵＥと称される）を提供する。第１のＵＥは、受信モジュールを含む。受信モジュールは、第１のサービングセルに対応する基地局によりブロードキャストされる第１の測位支援データを取得するように構成される。第１の測位支援データは、第１のＵＥにより計算を通じて正確な位置を取得するために用いられるか、または、第１の測位支援データは、第１のＵＥにより測位測定を実行するために用いられ、第１のＵＥは、第１のサービングセル内の測位される必要があるＵＥである。
【００７２】
第８の態様に関連して、第１の可能な実装において、第１のＵＥは、送信モジュールをさらに含み得る。送信モジュールは、受信モジュールが第１のサービングセルに対応する基地局によりブロードキャストされる第１の測位支援データを取得する前に、第１のＵＥの第１のメッセージを測位サーバへ送信するように構成される。第１のＵＥの第１のメッセージは、第１のＵＥの測位性能指示情報、第１のＵＥの測位方法指示情報または第１のＵＥのサービスタイプ指示情報のうちの少なくとも１つを含み、測位性能指示情報は、ＵＥの測位性能を示すために用いられ、測位精度指示情報は、ＵＥによりサポートされる測位精度を示すために用いられ、サービスタイプ指示情報は、ＵＥによりサポートされるサービスタイプを示すために用いられる。
【００７３】
第１の可能な実装に関連して、第２の可能な実装において、ＵＥによりサポートされる測位性能は、ＯＴＤＯＡ法、ＲＴＫ法、ＲＴＤ法、ＳＳＲ法、ＶＲＳ法、ＭＡＣ法、ＦＫＰ法またはＰＰＰ法のうちの少なくとも１つを含む。
【００７４】
第２の可能な実装に関連して、第３の可能な実装において、受信モジュールは、第１のサービングセルに対応する基地局によりブロードキャストされる第１の測位支援データを取得する前に、第１のサービングセルに対応する基地局により送信される第１の変更ページングメッセージを受信するように構成される。第１の変更ページングメッセージは、第１の測位支援データに関連するシステムメッセージが変わっていることを示すために用いられる変更指示情報を保持する。
【００７５】
第３の可能な実装に関連して、第４の可能な実装において、受信モジュールはさらに、第１のサービングセルに対応する基地局によりブロードキャストされる第１の測位支援データを取得した後に、第１のサービングセルに対応する基地局により送信される第１の測位ページングメッセージを受信するように構成される。第１の測位ページングメッセージは、測位要求指示情報を保持する。
【００７６】
第４の可能な実装に関連して、第５の可能な実装において、送信モジュールはさらに、受信モジュールが第１のサービングセルに対応する基地局によりブロードキャストされる第１の測位支援データを取得した後に、第１の支援データ要求メッセージを測位サーバへ送信するように構成される。第１の支援データ要求メッセージは、追加の第１の測位支援情報を要求するために用いられる追加の要求指示情報を保持する。
【００７７】
第４の可能な実装に関連して、第６の可能な実装において、受信モジュールはさらに、測位サーバにより送信される大まかな位置の要求を受信するように構成され、送信モジュールはさらに、大まかな位置を測位サーバへ送信するように構成され得る。
【００７８】
第９の態様によれば、本願は、測位支援データ送信システムを提供する。
システムは、
第５の態様または第５の態様の可能な実現形態のいずれか１つによる測位サーバと、
第６の態様または第６の態様の可能な実現形態のいずれか１つによる基地局と、
第７の態様または第７の態様の可能な実現形態のいずれか１つによるコアネットワークデバイスと、
第８の態様または第８の態様の可能な実現形態のいずれか１つによる少なくとも１つのＵＥと
を備える。
【００７９】
第１０の態様によれば、本願は、測位サーバを提供する。測位サーバは、１または複数のプロセッサと、メモリと、通信インタフェースと、バスとを備える。メモリは、少なくとも１つの命令を格納するように構成され、１または複数のプロセッサと、メモリと、通信インタフェースとは、バスを用いて接続され、測位サーバが動作した場合、１または複数のプロセッサが、メモリに格納された少なくとも１つの命令を実行することにより、測位サーバは、第１の態様または第１の態様の可能な実現形態のいずれか１つによる測位支援データ送信方法を実行する。
【００８０】
第１１の態様によれば、本願は、コンピュータ記憶媒体を提供する。コンピュータ記憶媒体は、少なくとも１つの命令を含む。少なくとも１つの命令がコンピュータ上で実行された場合、コンピュータは、第１の態様または第１の態様の可能な実現形態のいずれか１つによる測位支援データ送信方法を実行するよう有効化される。
【００８１】
第１２の態様によれば、本願は、コンピュータプログラム製品を提供する。コンピュータプログラム製品は、少なくとも１つの命令を含む。少なくとも１つの命令がコンピュータ上で実行された場合、コンピュータは、第１の態様または第１の態様の可能な実現形態のいずれか１つによる測位支援データ送信方法を実行するよう有効化される。
【００８２】
第１０の態様において提供される測位サーバ、第１１の態様において提供されるコンピュータ記憶媒体、または第１２の態様において提供されるコンピュータプログラム製品は、上記で提供される対応する方法を実行するように構成されることが理解され得る。従って、達成され得る有益な効果については、上記で提供される対応する方法における有益な効果を参照されたい。本明細書において、詳細を改めて説明しない。
【００８３】
第１３の態様によれば、本願は、基地局を提供する。基地局は、１または複数のプロセッサと、メモリと、通信インタフェースと、バスとを備える。メモリは、少なくとも１つの命令を格納するように構成され、１または複数のプロセッサと、メモリと、通信インタフェースとは、バスを用いて接続され、基地局が動作した場合、１または複数のプロセッサが、メモリに格納された少なくとも１つの命令を実行することにより、基地局は、第２の態様または第２の態様の可能な実現形態のいずれか１つによる測位支援データ送信方法を実行する。
【００８４】
第１４の態様によれば、本願は、コンピュータ記憶媒体を提供する。コンピュータ記憶媒体は、少なくとも１つの命令を含む。少なくとも１つの命令がコンピュータ上で実行された場合、コンピュータは、第２の態様または第２の態様の可能な実現形態のいずれか１つによる測位支援データ送信方法を実行するよう有効化される。
【００８５】
第１５の態様によれば、本願は、コンピュータプログラム製品を提供する。コンピュータプログラム製品は、少なくとも１つの命令を含む。少なくとも１つの命令がコンピュータ上で実行された場合、コンピュータは、第２の態様または第２の態様の可能な実現形態のいずれか１つによる測位支援データ送信方法を実行するよう有効化される。
【００８６】
第１３の態様において提供される基地局、第１４の態様において提供されるコンピュータ記憶媒体、または第１５の態様において提供されるコンピュータプログラム製品は、上記で提供される対応する方法を実行するように構成されることが理解され得る。従って、達成され得る有益な効果については、上記で提供される対応する方法における有益な効果を参照されたい。本明細書において、詳細を改めて説明しない。
【００８７】
第１６の態様によれば、本願は、コアネットワークデバイスを提供する、コアネットワークデバイスは、１または複数のプロセッサと、メモリと、通信インタフェースと、バスとを備える。メモリは、少なくとも１つの命令を格納するように構成され、１または複数のプロセッサと、メモリと、通信インタフェースとは、バスを用いて接続され、コアネットワークデバイスが動作した場合、１または複数のプロセッサが、メモリに格納された少なくとも１つの命令を実行することにより、コアネットワークデバイスは、第３の態様または第３の態様の可能な実現形態のいずれか１つによる測位支援データ送信方法を実行する。
【００８８】
第１７の態様によれば、本願は、コンピュータ記憶媒体を提供する。コンピュータ記憶媒体は、少なくとも１つの命令を含む。少なくとも１つの命令がコンピュータ上で実行された場合、コンピュータは、第３の態様または第３の態様の可能な実現形態のいずれか１つによる測位支援データ送信方法を実行するよう有効化される。
【００８９】
第１８の態様によれば、本願は、コンピュータプログラム製品を提供する。コンピュータプログラム製品は、少なくとも１つの命令を含む。少なくとも１つの命令がコンピュータ上で実行された場合、コンピュータは、第３の態様または第３の態様の可能な実現形態のいずれか１つによる測位支援データ送信方法を実行するよう有効化される。
【００９０】
第１６の態様において提供されるコアデバイス、第１７の態様において提供されるコンピュータ記憶媒体、または第１８の態様において提供されるコンピュータプログラム製品は、上記で提供される対応する方法を実行するように構成されることが理解され得る。従って、達成され得る有益な効果については、上記で提供される対応する方法における有益な効果を参照されたい。本明細書において、詳細を改めて説明しない。
【００９１】
第１９の態様によれば、本願は、ＵＥを提供する。ＵＥは、１または複数のプロセッサと、メモリと、通信インタフェースと、バスとを備える。メモリは、少なくとも１つの命令を格納するように構成され、１または複数のプロセッサと、メモリと、通信インタフェースとは、バスを用いて接続され、ＵＥが動作した場合、１または複数のプロセッサが、メモリに格納された少なくとも１つの命令を実行することにより、ＵＥは、第４の態様または第４の態様の可能な実現形態のいずれか１つによる測位支援データ送信方法を実行する。
【００９２】
第２０の態様によれば、本願は、コンピュータ記憶媒体を提供する。コンピュータ記憶媒体は、少なくとも１つの命令を含む。少なくとも１つの命令がコンピュータ上で実行された場合、コンピュータは、第４の態様または第４の態様の可能な実現形態のいずれか１つによる測位支援データ送信方法を実行するよう有効化される。
【００９３】
第２１の態様によれば、本願は、コンピュータプログラム製品を提供する。コンピュータプログラム製品は、少なくとも１つの命令を含む。少なくとも１つの命令がコンピュータ上で実行された場合、コンピュータは、第４の態様または第４の態様の可能な実現形態のいずれか１つによる測位支援データ送信方法を実行するよう有効化される。
【００９４】
第１９の態様において提供されるＵＥ、第２０の態様において提供されるコンピュータ記憶媒体、または第２１の態様において提供されるコンピュータプログラム製品は、上記で提供される対応する方法を実行するように構成されることが理解され得る。従って、達成され得る有益な効果については、上記で提供される対応する方法における有益な効果を参照されたい。本明細書において、詳細を改めて説明しない。
【００９５】
第２２の態様によれば、本願は、測位支援データ送信システムを提供する。
システムは、
第１０の態様または第１０の態様の可能な実現形態のいずれか１つによる測位サーバと、
第１３の態様または第１３の態様の可能な実現形態のいずれか１つによる基地局と、
第１６の態様または第１６の態様の可能な実現形態のいずれか１つによるコアネットワークデバイスと、
第１９の態様または第１９の態様の可能な実現形態のいずれか１つによる少なくとも１つのＵＥと
を備える。
【図面の簡単な説明】
【００９６】
【図１】本発明の実施形態による測位支援データ送信方法が適用される測位システムの概略構成図である。
【００９７】
【図２】本発明の実施形態による測位サーバの第１の概略構造図である。
【００９８】
【図３】本発明の実施形態による基地局の第１の概略構造図である。
【００９９】
【図４】本発明の実施形態によるコアネットワークデバイスの第１の概略構造図である。
【０１００】
【図５】本発明の実施形態によるＵＥの第１の概略構造図である。
【０１０１】
【図６】本発明の実施形態による測位支援データ送信方法の第１の概略フローチャートである。
【０１０２】
【図７】本発明の実施形態による測位支援データ送信方法の第２の概略フローチャートである。
【０１０３】
【図８Ａ】本発明の実施形態による測位支援データ送信方法の第３の概略フローチャートである。
【図８Ｂ】本発明の実施形態による測位支援データ送信方法の第３の概略フローチャートである。
【０１０４】
【図９】本発明の実施形態による測位支援データ送信方法の第４の概略フローチャートである。
【０１０５】
【図１０Ａ】本発明の実施形態による測位支援データ送信方法の第５の概略フローチャートである。
【図１０Ｂ】本発明の実施形態による測位支援データ送信方法の第５の概略フローチャートである。
【０１０６】
【図１１Ａ】本発明の実施形態による測位支援データ送信方法の第６の概略フローチャートである。
【図１１Ｂ】本発明の実施形態による測位支援データ送信方法の第６の概略フローチャートである。
【０１０７】
【図１１ａ−１】本発明の実施形態による測位支援データ送信方法の第７の概略フローチャートである。
【図１１ａ−２】本発明の実施形態による測位支援データ送信方法の第７の概略フローチャートである。
【０１０８】
【図１２】本発明の実施形態による測位支援データ送信方法の第８の概略フローチャートである。
【０１０９】
【図１３】本発明の実施形態による測位支援データ送信方法の第９の概略フローチャートである。
【０１１０】
【図１４】本発明の実施形態による測位支援データ送信方法の第１０の概略フローチャートである。
【０１１１】
【図１５】本発明の実施形態による測位支援データ送信方法の第１１の概略フローチャートである。
【０１１２】
【図１６】本発明の実施形態による測位支援データ送信方法の第１２の概略フローチャートである。
【０１１３】
【図１７】本発明の実施形態による測位支援データ送信方法の第１３の概略フローチャートである。
【０１１４】
【図１８】本発明の実施形態による測位サーバの第２の概略構造図である。
【０１１５】
【図１９】本発明の実施形態による測位サーバの第３の概略構造図である。
【０１１６】
【図２０】本発明の実施形態による測位サーバの第４の概略構造図である。
【０１１７】
【図２１】本発明の実施形態による測位サーバの第５の概略構造図である。
【０１１８】
【図２２】本発明の実施形態による基地局の第２の概略構造図である。
【０１１９】
【図２３】本発明の実施形態による基地局の第２の概略構造図である。
【０１２０】
【図２４】本発明の実施形態によるコアネットワークデバイスの第２の概略構造図である。
【０１２１】
【図２５】本発明の実施形態によるコアネットワークデバイスの第３の概略構造図である。
【０１２２】
【図２６】本発明の実施形態によるＵＥの第２の概略構造図である。
【０１２３】
【図２７】本発明の実施形態によるＵＥの第３の概略構造図である。
【発明を実施するための形態】
【０１２４】
本発明の実施形態における本明細書および特許請求の範囲では、「第１の」、「第２の」、「第３の」、「第４の」等の用語は、異なる対象を区別することを意図しているが、当該対象の特定の順序を示すことは意図していない。例えば、第１の閾値、第２の閾値等は、異なる値を区別することを意図しているが、デバイスの特定の順序を示すことは意図してない。本発明の実施形態の説明において、別段の記載がない限り、「複数」は、２または２より多くを意味する。
【０１２５】
加えて、本発明の実施形態において、「例示的な」または「例えば」という語は、例、例示または説明を与えることを表すために用いられる。本発明の実施形態において「例示的な」または「例えば」と説明されるいずれの実施形態または設計スキームも、別の実施形態もしくは設計スキームよりも好ましい、または、別の実施形態もしくは設計スキームよりも多くの利点を有すると説明されるべきではない。厳密には、「例示的な」または「例」等の語の使用は、関連する概念を特定の方式で示すことを意図している。
【０１２６】
本発明の実施形態において提供される測位支援データ送信方法および測位支援データ送信システムならびにデバイスは、測位支援データ送信プロセスに適用され得て、具体的には、測位支援データをまずユニキャストモードで、次にブロードキャストモードで送信するプロセスに適用される。これにより、測位精度、スペクトル効率およびリソース利用率が改善され得る。
【０１２７】
以下では、本発明の実施形態における添付図面を参照して、本発明の実施形態における技術的解決手段を詳細に説明する。
【０１２８】
本発明の実施形態において提供される測位支援データ送信方法が適用される測位システムは、測位サーバと、少なくとも１つの基地局と、少なくとも１つのコアネットワークデバイスと、少なくとも１つのユーザ機器（Ｕｓｅｒ  Ｅｑｕｉｐｍｅｎｔ、ＵＥ）とを含み得る。加えて、測位システムは、少なくとも１つの基準局（Ｒｅｆｅｒｅｎｃｅ  Ｓｔａｔｉｏｎｓ）をさらに含み得る。１つの基地局が、１または複数のセルをカバー得て、各セルが１または複数のＵＥをカバーし得る。
【０１２９】
本発明の実施形態において提供される測位サーバは、拡張サービングモバイルロケーションセンタ（Ｅｎｈａｎｃｅｄ  Ｓｅｒｖｉｎｇ  Ｍｏｂｉｌｅ  Ｌｏｃａｔｉｏｎ  Ｃｅｎｔｒｅ、Ｅ−ＳＭＬＣ）、ゲートウェイモバイルロケーションセンタ（Ｇａｔｅｗａｙ  Ｍｏｂｉｌｅ  Ｌｏｃａｔｉｏｎ  Ｃｅｎｔｅｒ、Ｇ−ＭＬＣ）またはＲＴＫサーバなどの測位サーバであり得る。このことは、本発明の実施形態において具体的には限定されない。
【０１３０】
コアネットワークデバイスは、モビリティ管理エンティティ（Ｍｏｂｉｌｉｔｙ  Ｍａｎａｇｅｍｅｎｔ  Ｅｎｔｉｔｙ、ＭＭＥ）、サービングゲートウェイ（Ｓｅｒｖｉｎｇ  ＧａｔｅＷａｙ、Ｓ−ＧＷ）およびＰＤＮゲートウェイ（ＰＤＮ  ＧａｔｅＷａｙ、Ｐ−ＧＷ）など、３ＧＰＰ技術をサポートするコアネットワークデバイスであり得る。このことは、本発明の実施形態において具体的には限定されない。
【０１３１】
基地局は、基地局（Ｂａｓｅ  Ｓｔａｔｉｏｎ、ＢＳ）、進化型ノードＢ（ｅＮｏｄｅＢ、ｅＮＢ）、ｇＮＢ、モノのインターネット進化型ノードＢ（Ｉｎｔｅｒｎｅｔ  ｏｆ  Ｔｈｉｎｇ  ｅＮＢ、ＩｏＴ  ｅＮＢ）等であり得る。このことは、本発明の実施形態において具体的には限定されない。
【０１３２】
ＵＥは、拡張機械型通信（ｅｖｏｌｖｅｄ  Ｍａｃｈｉｎｅ  Ｔｙｐｅ  Ｃｏｍｍｕｎｉｃａｔｉｏｎｓ、ｅＭＴＣ）、狭帯域モノのインターネット（ｎａｒｒｏｗ  ｂａｎｄ  ＩｏＴ、ＮＢ  ＩｏＴ）、ロングタームエボリューション（Ｌｏｎｇ  Ｔｅｒｍ  Ｅｖｏｌｕｔｉｏｎ、ＬＴＥ）およびＮＲ（３ＧＰＰにおけるＮｅｗ  Ｒａｄｉｏ  Ａｃｃｅｓｓ  Ｔｅｃｈｎｏｌｏｇｙ）などの通信タイプをサポートするＵＥであり得る。加えて、ＵＥは、ＬＣＳクライアントをさらに含み得る。ＬＣＳクライアントは、ＵＥの内部に構成され得るか、または、ＵＥの外部に構成され得る。このことは、本発明の実施形態において具体的には限定されない。ＬＣＳクライアントを含む端末（例えば、ＵＥ）は、ＬＣＳエンティティと称され得る。例えば、ＵＥは、携帯電話、パーソナルデジタルアシスタント（ＰＤＡ）、無線デバイス、無線モデム、無線ルータ、ラップトップコンピュータ、遠隔測定デバイス、トラッキングデバイス等であり得る。
【０１３３】
基準局は、仮想基準局（Ｖｉｒｔｕａｌ  Ｒｅｆｅｒｅｎｃｅ  Ｓｔａｔｉｏｎｓ、ＶＲＳ）技術を用いる基準局、マスタ補助局法（Ｍａｓｔｅｒ  Ａｕｘｉｌｉａｒｙ  Ｃｏｎｃｅｐｔ、ＭＡＣ）等を用いるマスタ基準局および補助基準局であり得る。このことは、本発明の実施形態において具体的には限定されない。
【０１３４】
本発明の実施形態において、以下では、１つの測位サーバが１つの基地局、１つのコアネットワークデバイス、１つの基準局および少なくとも１つのＵＥとインタラクトする例を用いて、本発明の実施形態において提供される測位支援データ送信方法を説明する。
【０１３５】
例えば、図１に示される測位システムの概略アーキテクチャ図において、測位システム１０は、測位サーバ１１１、基地局１２１、コアネットワークデバイス１３１、ＵＥ１４１から１４９、ＵＥ１５１から１５３、ＵＥ１６１から１６８および基準局１７１を含み得る。基地局１２１は、セル１、セル２およびセル３をカバーし得る。セル１はＵＥ１４１から１４９をカバーし得て、セル２はＵＥ１５１から１５３をカバーし得て、セル３はＵＥ１６１から１６８をカバーし得る。すなわち、セル１はＵＥ１４１から１４９のサービングセルであり、セル２はＵＥ１５１から１５３のサービングセルであり、セル３はＵＥ１６１から１６８のサービングセルである。説明しやすくするために、本発明の実施形態において、セルは、「サービングセル」と称されることがある。これは、あるセルと当該セルによりサービスの提供を受けるＵＥとの間の関係を説明するために用いられるに過ぎず、当該セルに対する限定を構成しない。
【０１３６】
具体的には、ＵＥ１４１から１４９、ＵＥ１５１から１５３およびＵＥ１６１から１６８における任意のＵＥが、測位要求を事前に開始し、当該測位要求をコアネットワークデバイス１３１へ送信し得る。当該測位要求は、当該ＵＥにおいて構成されるＬＣＳクライアントにより、事前に開始され得る。次に、コアネットワークデバイス１３１は、上述の任意のＵＥにより送信される測位要求（当該ＵＥにおいて構成されるＬＣＳクライアントにより送信される測位要求を含む）を受信した後に、測位要求を測位サーバ１１１へ送信し得る。加えて、代替的に、コアネットワークデバイス１３１は、そのＵＥを正確に測位するよう要求するために、測位要求を事前に開始し得る。
【０１３７】
測位サーバ１１１は、コアネットワークデバイス１３１から測位要求を受信し得る。加えて、測位サーバ１１１は、測位される必要があるＵＥとインタラクトして、ＵＥの測位性能指示情報を取得し得る。次に、測位サーバ１１１は、ＵＥの測位性能指示情報に基づいてＵＥの測位要求を処理して、ＵＥの測位支援データを取得し得る。最後に、測位サーバ１１１がＵＥとインタラクトし得ることにより、ＵＥは、測位支援データに基づいて正確に測位される。
【０１３８】
可能な場合において、ＵＥがダウンリンク観測到達時間差（Ｏｂｓｅｒｖｅｄ  Ｔｉｍｅ  Ｄｉｆｆｅｒｅｎｃｅ  Ｏｆ  Ａｒｒｉｖａｌ、ＯＴＤＯＡ）法をサポートすることをＵＥの測位性能指示情報が示すときは、測位サーバ１１１はさらに、基地局１２１とインタラクトして、測位される必要があるＵＥの測位信号構成情報を取得し得る。これに対応して、「測位サーバ１１１は、ＵＥの測位性能指示情報に基づいてＵＥの測位要求を処理して、上述のＵＥの測位支援データを取得し得る」は、具体的には、測位サーバ１１１が、ＵＥの測位性能指示情報およびＵＥの測位信号構成情報に基づいてＵＥの測位要求を処理して、ＵＥに対して測位測定を実行することであり得る。測位信号構成情報は、ＯＴＤＯＡ法が適用される測位信号構成である。
【０１３９】
ＵＥがＯＴＤＯＡ法をサポートしていることをＵＥの測位性能指示情報が示す場合に、測位サーバが前述のオペレーションを実行してＵＥに対して測位測定を実行するための方法は、当業者により容易に実装され得て、詳細は本発明の実施形態において説明されないことに留意すべきである。
【０１４０】
別の可能な場合において、ＵＥの測位性能が、ＵＥがＲＴＫ法をサポートすることであるときは、測位サーバ１１１は、基準局から基準データを受信し得る。加えて、測位サーバ１１１は、測位される必要があるＵＥとインタラクトして、ＵＥの大まかな位置を取得し得る。これに対応して、「測位サーバ１１１は、ＵＥの測位性能指示情報に基づいてＵＥの測位要求を処理して、ＵＥの測位支援データを取得し得る」は、具体的には、測位サーバ１１１が、ＵＥの大まかな位置と、ＵＥの測位性能指示情報と、基準データとに基づいてＵＥの測位要求を処理して、ＵＥの正確な位置を取得することであり得る。測位支援データは、ＲＴＫ法を用いた測位支援データである。ＵＥの大まかな位置は、ＵＥにより測定される情報を用いて取得され得る。
【０１４１】
ＵＥがＲＴＫ法をサポートしていることをＵＥの測位性能指示情報が示す場合に、測位サーバが前述のオペレーションを実行してＵＥの正確な位置を取得するための方法は、当業者により容易に実装され得て、詳細は本発明の実施形態において説明されないことに留意すべきである。
【０１４２】
図１に示されるネットワーク要素間の矢印は、ネットワーク要素間のデータフローの方向を表すに過ぎず、ネットワーク要素間の接続、または、ネットワーク要素間でデータを伝送するための無線通信もしくは有線通信などの方式のいずれも限定されない。例えば、データは、ページングメッセージまたは専用シグナリングなどの無線通信を通じて、いくつかのネットワーク要素の間で伝送される。
【０１４３】
データはロングタームエボリューション測位プロトコルＡ（ＬＴＥ  Ｐｏｓｉｔｉｏｎｉｎｇ  Ｐｒｏｔｏｃｏｌ  Ａｎｎｅｘ、ＬＰＰａ）を用いて測位サーバと基地局との間で伝送され得ること、および、データは例えば前述の測位支援データまたは基地局により提供される測位信号構成情報などの測位関連情報であり得ることに留意すべきである。
【０１４４】
データは、ロングタームエボリューション測位プロトコル（ＬＴＥ  Ｐｏｓｉｔｉｏｎｉｎｇ  Ｐｒｏｔｏｃｏｌ、ＬＰＰ）を用いて測位サーバとＵＥとの間で伝送され得る。また、データは、ＵＥの測位性能指示情報、測位支援データ、位置（例えば、ＵＥの大まかな位置）等であり得る。
【０１４５】
データは、位置サービスアプリケーションプロトコル（Ｌｏｃａｔｉｏｎ  Ｓｅｒｖｉｃｅｓ  Ａｐｐｌｉｃａｔｉｏｎ  Ｐｒｏｔｏｃｏｌ、ＬＣＳ−ＡＰ）を用いて測位サーバとコアネットワークデバイスとの間で伝送され得る。また、データは、ＵＥを測位するよう要求するために用いられる測位要求であり得る。
【０１４６】
データは、無線リソース制御（Ｒａｄｉｏ  Ｒｅｓｏｕｒｃｅ  Ｃｏｎｔｒｏｌ、ＲＲＣ）プロトコルを用いて基地局とＵＥとの間で伝送され得る。また、データは、基地局によりブロードキャストされる測位支援データであり得る。
【０１４７】
本発明の実施形態において提供される「測位される必要があるＵＥ」は、「測位要求を事前に開始するＵＥ」、「コアネットワークデバイスが測位要求を開始するＵＥ」または「ＬＣＳエンティティがＵＥの測位のために測位要求を開始するＵＥ」であり得ることに留意すべきである。
【０１４８】
例えば、図２は、本発明の実施形態による測位サーバの概略構成図である。図２に示されるように、測位サーバは、メモリ２２と、通信インタフェース２３と、少なくとも１つのプロセッサ２１とを含み得る。
【０１４９】
測位サーバのコンポーネントは、図２を参照して、以下で具体的に説明される。
【０１５０】
プロセッサ２１は、デバイスのコントロールセンタであり、プロセッサであり得るか、または複数の処理要素の集合名であり得る。例えば、プロセッサ２１は、中央処理装置（ｃｅｎｔｒａｌ  ｐｒｏｃｅｓｓｉｎｇ  ｕｎｉｔ、ＣＰＵ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または、本発明の本実施形態を実装するように構成された１または複数の集積回路、例えば、１または複数のマイクロプロセッサ（ｄｉｇｉｔａｌ  ｓｉｇｎａｌ  ｐｒｏｃｅｓｓｏｒ、ＤＳＰ）または１または複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）などであり得る。
【０１５１】
プロセッサ２１は、メモリ２２に格納されたソフトウェアプログラムを動作させるかまたは実行し、メモリ２２に格納されたデータを呼び出すことにより、デバイスの様々な機能を実行し得る。例えば、プロセッサ２１は、ＵＥの測位要求を処理し、測位される必要があるＵＥを正確に測位するために用いられる測位支援データを取得するように構成され得る。
【０１５２】
具体的な実装中、実施形態において、プロセッサ２１は、１または複数のＣＰＵ、例えば、図２に示されるＣＰＵ０およびＣＰＵ１を含み得る。
【０１５３】
具体的な実装中、実施形態において、測位サーバは、複数のプロセッサ、例えば、図２に示されるプロセッサ２１およびプロセッサ２５を含み得る。これらのプロセッサの各々は、シングルコアプロセッサ（ｓｉｎｇｌｅ−ＣＰＵ）であり得るか、またはマルチコアプロセッサ（ｍｕｌｔｉ−ＣＰＵ）であり得る。本明細書におけるプロセッサは、データ（例えば、コンピュータプログラム命令）を処理するように構成された１または複数のデバイス、回路および／または処理コアであり得る。
【０１５４】
メモリ２２は、リードオンリメモリ（ｒｅａｄ−ｏｎｌｙ  ｍｅｍｏｒｙ、ＲＯＭ）もしくは静的な情報および命令を格納し得る別のタイプの静的ストレージデバイス、ランダムアクセスメモリ（ｒａｎｄｏｍ  ａｃｃｅｓｓ  ｍｅｍｏｒｙ、ＲＡＭ）もしくは情報および命令を格納し得る別のタイプの動的ストレージデバイス、電気的消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒ、ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）もしくは別の光ディスクストレージ、光ディスクストレージ（コンパクト光ディスクを含む）、レーザディスク、光ディスク、デジタル多用途ディスク、ブルーレイディスク（登録商標）等、もしくは磁気ディスク記憶媒体もしくは別の磁気ストレージデバイス、または、期待プログラムコードを命令もしくはデータ構造の形態で保持もしくは格納するように構成され得て、限定されはしないがコンピュータがアクセスし得る任意の他の媒体であり得る。メモリ２２は、別個に存在し得て、通信バス２４を用いてプロセッサ２１に接続される。代替的に、メモリ２２は、プロセッサ２１と統合され得る。
【０１５５】
メモリ２２は、本発明の実施形態において提供される解決手段を実行するためのソフトウェアプログラムを格納するように構成され、プロセッサ２１は、実行を制御する。
【０１５６】
データを外部デバイスへ送信するように構成された送信インタフェース、および、外部デバイスからデータを受信するように構成された受信インタフェースという２つの通信インタフェース２３が存在し得る。言い換えると、測位サーバは、２つの異なる通信インタフェースを通じて、データの送信および受信を別々に実装し得る。例えば、図１を参照すると、測位サーバ１１１の一方の通信インタフェースが、対応する測位支援データを図１に示されるＵＥ（例えば、ＵＥ１５１）へ送信し得て、他方の通信インタフェースが、コアネットワークデバイス１２１により送信される測位要求を受信し得る。当然ながら、通信インタフェース２３は、データ受信機能およびデータ送信機能を１つの通信インタフェースに統合し得る。当該通信インタフェースは、データ受信機能およびデータ送信機能の両方を有する。
【０１５７】
図２に示される測位サーバの構造は、測位サーバに対する限定を構成しない。測位サーバは、この図に示されるものより多いかまたは少ないコンポーネントを含み得るか、いくつかのコンポーネントを組み合わせ得るか、または、異なるコンポーネント構成を有し得る。
【０１５８】
例えば、図３は、本発明の実施形態による基地局の概略構成図である。図３に示されるように、基地局は、少なくとも１つのプロセッサ３１と、メモリ３２と、通信インタフェース３３とを含み得る。
【０１５９】
基地局のコンポーネントは、図３を参照して、以下で具体的に説明される。
【０１６０】
プロセッサ３１は、デバイスのコントロールセンタであり、プロセッサであり得るか、または複数の処理要素の集合名であり得る。例えば、プロセッサ３１は、ＣＰＵ、ＡＳＩＣ、または、本発明の本実施形態を実装するように構成された１または複数の集積回路、例えば、１または複数のＤＳＰまたは１または複数のＦＰＧＡであり得る。
【０１６１】
プロセッサ３１は、メモリ３２に格納されたソフトウェアプログラムを動作させるかまたは実行し、メモリ３２に格納されたデータを呼び出すことにより、デバイスの様々な機能を実行し得る。例えば、プロセッサ３１は、基地局によりカバーされるセルと、当該セルによりカバーされるＵＥとを区別するように構成され得る。
【０１６２】
具体的な実装中、実施形態において、プロセッサ３１は、１または複数のＣＰＵ、例えば、図３に示されるＣＰＵ０およびＣＰＵ１を含み得る。
【０１６３】
具体的な実装中、実施形態において、基地局は、複数のプロセッサ、例えば、図３に示されるプロセッサ３１およびプロセッサ３５を含み得る。これらのプロセッサの各々は、シングルコアプロセッサであり得るか、またはマルチコアプロセッサであり得る。本明細書におけるプロセッサは、データ（例えば、コンピュータプログラム命令）を処理するように構成された１または複数のデバイス、回路および／または処理コアであり得る。
【０１６４】
メモリ３２は、ＲＯＭもしくは静的な情報および命令を格納し得る別のタイプの静的ストレージデバイス、ＲＡＭもしくは情報および命令を格納し得る別のタイプの動的ストレージデバイス、ＥＥＰＲＯＭ、ＣＤ−ＲＯＭもしくは別の光ディスクストレージ、光ディスクストレージ（コンパクト光ディスクを含む）、レーザディスク、光ディスク、デジタル多用途ディスク、ブルーレイディスク（登録商標）等、もしくは磁気ディスク記憶媒体もしくは別の磁気ストレージデバイス、または、期待プログラムコードを命令もしくはデータ構造の形態で保持もしくは格納するように構成され得て、限定されはしないがコンピュータがアクセスし得る任意の他の媒体であり得る。メモリ３２は、別個に存在し得て、通信バス３４を用いてプロセッサ３１に接続される。代替的に、メモリ３２は、プロセッサ３１と統合され得る。
【０１６５】
メモリ３２は、本発明の実施形態において提供される解決手段を実行するためのソフトウェアプログラムを格納するように構成され、プロセッサ３１は、実行を制御する。データを外部デバイスへ送信するように構成された送信インタフェース、および、外部デバイスからデータを受信するように構成された受信インタフェースという２つの通信インタフェース３３が存在し得る。言い換えると、基地局は、２つの異なる通信インタフェースを通じて、データの送信および受信を別々に実装し得る。例えば、図１を参照すると、基地局１２１の一方の通信インタフェースは、測位される必要があるＵＥの測定情報を図１に示される測位サーバ１１１へ送信し得て、他方の通信インタフェースは、測位サーバ１１１により送信される測位支援データ等を受信し得る。当然ながら、通信インタフェース３３は、データ受信機能およびデータ送信機能を１つの通信インタフェースに統合し得る。当該通信インタフェースは、データ受信機能およびデータ送信機能の両方を有する。
【０１６６】
図３に示される基地局の構造は、基地局に対する限定を構成しない。基地局は、この図に示されるものより多いかまたは少ないコンポーネントを含み得るか、いくつかのコンポーネントを組み合わせ得るか、または、異なるコンポーネント構成を有し得る。
【０１６７】
例えば、図４は、本発明の実施形態によるコアネットワークデバイスの概略構成図である。図４に示されるように、コアネットワークデバイスは、少なくとも１つのプロセッサ４１と、メモリ４２と、通信インタフェース４３とを含み得る。
【０１６８】
コアネットワークデバイスのコンポーネントは、図４を参照して、以下で具体的に説明される。
【０１６９】
プロセッサ４１は、デバイスのコントロールセンタであり、プロセッサであり得るか、または複数の処理要素の集合名であり得る。例えば、プロセッサ４１は、ＣＰＵ、ＡＳＩＣ、または、本発明の本実施形態を実装するように構成された１または複数の集積回路、例えば、１または複数のＤＳＰまたは１または複数のＦＰＧＡであり得る。
【０１７０】
プロセッサ４１は、メモリ４２に格納されたソフトウェアプログラムを動作させるかまたは実行し、メモリ４２に格納されたデータを呼び出すことにより、デバイスの様々な機能を実行し得る。例えば、プロセッサ４１は、ＵＥへ接続するかどうかを判断するように構成され得る。具体的な実装中、実施形態において、プロセッサ４１は、１または複数のＣＰＵ、例えば、図４に示されるＣＰＵ０およびＣＰＵ１を含み得る。
【０１７１】
具体的な実装中、実施形態において、コアネットワークデバイスは、複数のプロセッサ、例えば、図４に示されるプロセッサ４１およびプロセッサ４５を含み得る。これらのプロセッサの各々は、シングルコアプロセッサであり得るか、またはマルチコアプロセッサであり得る。本明細書におけるプロセッサは、データ（例えば、コンピュータプログラム命令）を処理するように構成された１または複数のデバイス、回路および／または処理コアであり得る。
【０１７２】
メモリ４２は、ＲＯＭもしくは静的な情報および命令を格納し得る別のタイプの静的ストレージデバイス、ＲＡＭもしくは情報および命令を格納し得る別のタイプの動的ストレージデバイス、ＥＥＰＲＯＭ、ＣＤ−ＲＯＭもしくは別の光ディスクストレージ、光ディスクストレージ（コンパクト光ディスクを含む）、レーザディスク、光ディスク、デジタル多用途ディスク、ブルーレイディスク（登録商標）等、もしくは磁気ディスク記憶媒体もしくは別の磁気ストレージデバイス、または、期待プログラムコードを命令もしくはデータ構造の形態で保持もしくは格納するように構成され得て、限定されはしないがコンピュータがアクセスし得る任意の他の媒体であり得る。メモリ４２は、別個に存在し得て、通信バス４４を用いてプロセッサ４１に接続される。代替的に、メモリ４２は、プロセッサ４１と統合され得る。
【０１７３】
メモリ４２は、本発明の実施形態において提供される解決手段を実行するためのソフトウェアプログラムを格納するように構成され、プロセッサ４１は、実行を制御する。データを外部デバイスへ送信するように構成された送信インタフェース、および、外部デバイスからデータを受信するように構成された受信インタフェースという２つの通信インタフェース４３が存在し得る。言い換えると、コアネットワークデバイスは、２つの異なる通信インタフェースを通じて、データの送信および受信を別々に実装し得る。例えば、図１を参照すると、コアネットワークデバイス１３１の一方の通信インタフェースが、測位要求を図１に示される測位サーバ１１１へ送信し、図１に示されるＵＥに対して、接続を確立するために用いられるページングメッセージを開始し得る。他方の通信インタフェースが、図１に示されるＵＥにより送信される測位要求を受信し得る。当然ながら、通信インタフェース４３は、データ受信機能およびデータ送信機能を１つの通信インタフェースに統合し得る。当該通信インタフェースは、データ受信機能およびデータ送信機能の両方を有する。
【０１７４】
図４に示されるコアネットワークデバイスの構造は、コアネットワークデバイスに対する限定を構成しない。コアネットワークデバイスは、この図に示されるものより多いかまたは少ないコンポーネントを含み得るか、いくつかのコンポーネントを組み合わせ得るか、または、異なるコンポーネント構成を有し得る。
【０１７５】
例えば、図５は、本発明の実施形態によるＵＥの概略構成図である。図５に示されるように、ＵＥは、少なくとも１つのプロセッサ５１と、メモリ５２と、通信インタフェース５３とを含み得る。
【０１７６】
ＵＥのコンポーネントは、図５を参照して、以下で具体的に説明される。
【０１７７】
プロセッサ５１は、デバイスのコントロールセンタであり、プロセッサであり得るか、または複数の処理要素の集合名であり得る。例えば、プロセッサ５１は、ＣＰＵ、ＡＳＩＣ、または、本発明の本実施形態を実装するように構成された１または複数の集積回路、例えば、１または複数のＤＳＰまたは１または複数のＦＰＧＡであり得る。
【０１７８】
プロセッサ５１は、メモリ５２に格納されたソフトウェアプログラムを動作させるかまたは実行し、メモリ５２に格納されたデータを呼び出すことにより、デバイスの様々な機能を実行し得る。例えば、プロセッサ５１は、ＵＥへ接続するかどうかを判断するように構成され得る。具体的な実装中、実施形態において、プロセッサ５１は、１または複数のＣＰＵ、例えば、図５に示されるＣＰＵ０およびＣＰＵ１を含み得る。
【０１７９】
具体的な実装中、実施形態において、ＵＥは、複数のプロセッサ、例えば、図５に示されるプロセッサ５１およびプロセッサ５５を含み得る。これらのプロセッサの各々は、シングルコアプロセッサであり得るか、またはマルチコアプロセッサであり得る。本明細書におけるプロセッサは、データ（例えば、コンピュータプログラム命令）を処理するように構成された１または複数のデバイス、回路および／または処理コアであり得る。
【０１８０】
メモリ５２は、ＲＯＭもしくは静的な情報および命令を格納し得る別のタイプの静的ストレージデバイス、ＲＡＭもしくは情報および命令を格納し得る別のタイプの動的ストレージデバイス、ＥＥＰＲＯＭ、ＣＤ−ＲＯＭもしくは別の光ディスクストレージ、光ディスクストレージ（コンパクト光ディスクを含む）、レーザディスク、光ディスク、デジタル多用途ディスク、ブルーレイディスク（登録商標）等、もしくは磁気ディスク記憶媒体もしくは別の磁気ストレージデバイス、または、期待プログラムコードを命令もしくはデータ構造の形態で保持もしくは格納するように構成され得て、限定されはしないがコンピュータがアクセスし得る任意の他の媒体であり得る。メモリ５２は、別個に存在し得て、通信バス５４を用いてプロセッサ５１に接続される。代替的に、メモリ５２は、プロセッサ５１と統合され得る。
【０１８１】
メモリ５２は、本発明の実施形態において提供される解決手段を実行するためのソフトウェアプログラムを格納するように構成され、プロセッサ５１は、実行を制御する。データを外部デバイスへ送信するように構成された送信インタフェース、および、外部デバイスからデータを受信するように構成された受信インタフェースという２つの通信インタフェース５３が存在し得る。言い換えると、ＵＥは、２つの異なる通信インタフェースを通じて、データの送信および受信を別々に実装し得る。例えば、図１を参照すると、ＵＥ１４１の一方の通信インタフェースが、測位要求を図１に示されるコアネットワークデバイス１３１へ送信し、ＵＥ１４１の測位性能指示情報およびＵＥ１４１の大まかな位置を図１に示される測位サーバ１１１へ送信し得る。他方の通信インタフェースが、図１に示される測位サーバ１１１により送信される測位支援データ等を受信し得る。当然ながら、通信インタフェース５３は、データ受信機能およびデータ送信機能を１つの通信インタフェースに統合し得る。当該通信インタフェースは、データ受信機能およびデータ送信機能の両方を有する。
【０１８２】
図５に示されるＵＥの構造は、ＵＥに対する限定を構成しない。ＵＥは、この図に示されるものより多いかまたは少ないコンポーネントを含み得るか、いくつかのコンポーネントを組み合わせ得るか、または、異なるコンポーネント構成を有し得る。
【０１８３】
本発明の以下の実施形態では、本発明の実施形態において提供される測位支援データ送信方法が適用される測位システムにおいて、測位サーバがＥ−ＳＭＬＣであり、コアネットワークデバイスがＭＭＥであり、基地局がｅＮＢである例が用いられるに過ぎない。本発明の実施形態において提供される方法は、３ＧＰＰ技術を用いる測位システムに適用され得る。当該測位システムは、ＲＴＫ技術をサポートする。
【０１８４】
本発明の実施形態の目的、技術的解決手段および利点をより明確にするために、図１に示される測位システムと、図２に示される測位サーバと、図３に示される基地局と、図４に示されるコアネットワークデバイスと、図５に示されるＵＥとを参照して、以下では、図６に示される測位支援データ送信方法のフローチャートを詳細に説明する。図６を参照すると、本願の方法の実施形態１において提供される測位支援データ送信方法は、Ｓ６０１を含む。
【０１８５】
Ｓ６０１．コアネットワークデバイスが測位要求を測位サーバへ送信する。
【０１８６】
例えば、段階６０１は、図４に示されるコアネットワークデバイスの通信インタフェース４３により実行され得る。
【０１８７】
具体的には、コアネットワークデバイスは、少なくとも１つの測位要求を測位サーバへ送信し得る。測位要求は、測位される必要があるＵＥにより事前に開始され、コアネットワークデバイスにより受信される測位要求、または、測位される必要があるＵＥの測位のためにコアネットワークデバイスにより開始される測位要求であり得る。
【０１８８】
少なくとも１つの測位要求の各々は、１つのＵＥの識別子と、当該ＵＥのサービングセルの識別子とを含み得る。例えば、ＵＥの識別子は、ＵＥの国際移動体装置識別番号（Ｉｎｔｅｒｎａｔｉｏｎａｌ  Ｍｏｂｉｌｅ  Ｅｑｕｉｐｍｅｎｔ  Ｉｄｅｎｔｉｔｙ、ＩＭＥＩ）であり得るか、または国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）であり得る。１つのＩＭＥＩが、１つのＵＥを一意に識別し得る。サービングセルの識別子は、進化型ユニバーサル移動体通信システム地上無線アクセスネットワークセルグローバル識別子（Ｅ−ＵＴＲＡＮ  Ｃｅｌｌ  Ｇｌｏｂａｌ  Ｉｄｅｎｔｉｆｉｅｒ、Ｅ−ＣＧＩ）であり得る。１つのＥ−ＣＧＩが、１つのセルを識別するために用いられ得ると共に、当該セルに対応する基地局を示し得る。例えば、１つのＥ−ＣＧＩが、２８ビット（ｂｉｔ）の情報を含み得る。最初の２０ビットが、セルに対応する基地局の識別情報（Ｉｄｅｎｔｉｔｙ、ＩＤ）を示し得て、最後の８ビットが、当該セルのＩＤを示し得る。
【０１８９】
測位される必要があるＵＥが測位要求をコアネットワークデバイスへ送信する時点は、本発明の本実施形態において限定されないことに留意すべきである。例えば、測位される必要がある複数のＵＥが、測位要求を、同じ時点で、または異なる時点で別々に、コアネットワークデバイスへ送信し得る。加えて、少なくとも１つの測位要求は、ある期間内に生成される測位要求であり得ると共に、絶えず更新され得る。例えば、段階６０１が実行された後の時点で、セルに新たに加わり、測位される必要があるＵＥにより開始される測位要求が、少なくとも１つの測位要求を更新するために用いられ得る。
【０１９０】
Ｓ６０２．測位サーバが、コアネットワークデバイスにより送信される測位要求を受信する。
【０１９１】
測位サーバは、コアネットワークデバイスにより送信される少なくとも１つの測位要求を受信し得る。測位サーバは、少なくとも１つの測位要求を受信した後に、少なくとも１つの測位要求に基づいて、測位支援データをブロードキャストモードで送信することを決定し得る。
【０１９２】
具体的には、段階６０２の後に、本発明の本実施形態において提供される測位支援データ送信方法はさらに、段階６０３および段階６０４を含み得る。
【０１９３】
Ｓ６０３．測位サーバが、測位要求に基づいて、測位支援データを基地局へ送信する。
【０１９４】
例えば、段階６０２および段階６０３は、図２に示される測位サーバの通信インタフェース２３により実行され得る。
【０１９５】
例えば、測位サーバは、支援データを送信する前に、まず、通知メッセージを基地局へ送信し得る。通知メッセージは、測位サーバが測位支援データを基地局へ送信すべきことを基地局に通知するために用いられる。通知メッセージはＬＰＰａシグナリングであり、具体的なシグナリング名は限定されない。
【０１９６】
例えば、基地局は、測位サーバにより送信される通知メッセージを受信した後に、応答メッセージに返信し得る。応答メッセージは、データパケットのサイズ限界および送信期間などの情報を含み得る。測位サーバは、基地局により送信される応答メッセージを受信した後に、測位支援データを基地局へ送信する。
【０１９７】
測位サーバは、少なくとも１つの測位要求に基づいて、少なくとも１つの測位支援データを基地局へ送信し得る。具体的には、測位サーバは、異なる測位要求に含まれるＵＥの異なる識別子に基づいて異なるＵＥを区別し、異なるセル識別子に基づいて異なるセルを区別し得る。複数のＵＥのサービングセルが同じセルであり得るので、異なる識別子を有する複数のＵＥが同じセルに対応し得る。
【０１９８】
具体的には、あるサービングセルについて、測位サーバは、当該サービングセルの識別子に基づいて、測位支援データ、例えば、当該サービングセル内の測位される必要があるＵＥの少なくとも１つの測位支援データを、当該サービングセルに対応する基地局へ送信し得る。
【０１９９】
Ｓ６０４．基地局が、測位サーバにより送信される測位支援データを受信する。
【０２００】
Ｓ６０５．基地局が測位支援データをブロードキャストする。
【０２０１】
例えば、段階６０４および段階６０５は、図３に示される基地局の通信インタフェース３３により実行され得る。
【０２０２】
基地局は、基地局によりブロードキャストされるシステムメッセージに測位支援データを加え、例えば、少なくとも１つの測位支援データを加え、少なくとも１つの測位支援データをブロードキャストし得る。
【０２０３】
本発明の本実施形態において提供される測位支援データ送信方法では、３ＧＰＰ技術を適用した測位システムにおいて、測位サーバが、少なくとも１つの測位要求を受信した後に、少なくとも１つの測位要求に対応するＵＥ（すなわち、測位される必要があるＵＥ）の測位支援データを基地局へ送信し得ることにより、基地局は、測位支援データをブロードキャストできることに留意すべきである。この場合において、基地局または測位サーバなどのネットワーク要素が、測位される必要があるＵＥに接続されていないときは、ＵＥは、対応する測位支援データを取得し得る。加えて、あるセル内の測位支援データは当該セル内のＵＥについて同じなので、測位サーバは、測位支援データをブロードキャストモードで送信するが、同じ測位支援データを複数のＵＥへ別々に送信する必要はない。これにより、複数のＵＥの全てが、測位支援データを取得し得る。このように、リソース利用率およびスペクトル効率が改善され得る。
【０２０４】
測位サーバは、測位支援データを基地局へ送信する前に、さらに、測位される必要があるＵＥとインタラクトして、測位支援データを生成または取得し得る。測位される必要があるＵＥは、１または複数のＵＥであり得て、測位サーバと１または複数のＵＥとの間のインタラクションの処理は、同じであり得る。加えて、あるセル内の測位支援データは当該セル内のＵＥについて同じなので、基地局は、１つのセルのために測位支援データをブロードキャストし得る。本発明の以下の実施形態では、本発明の本実施形態において提供される測位支援データ送信方法は、測位サーバが、１つの基地局によりカバーされる１つのサービングセル（例えば、第１のサービングセル）内の測位される必要があるＵＥのうちの１つとインタラクトする例を単に用いて説明される。
【０２０５】
具体的には、段階６０２の後に、本願の方法の実施形態２において提供される測位支援データ送信方法は、段階７０１をさらに含み得る。例えば、段階６０２の後に、図７に示される測位支援データ送信方法は、段階７０１をさらに含み得る。
【０２０６】
Ｓ７０１．測位サーバが、ＵＥにより測位サーバへ送信される第１のメッセージを受信する。
【０２０７】
例えば、段階７０１は、図２に示される測位サーバの通信インタフェース２３により実行され得る。
【０２０８】
具体的には、ＵＥは、第１のサービングセル内の測位される必要があるＵＥであり得る。第１のメッセージは、ＵＥの測位性能指示情報、測位精度指示情報および／またはサービスタイプ指示情報のうちの少なくとも１つを含む。
【０２０９】
測位性能指示情報により示されるＵＥの測位性能は、前述のＯＴＤＯＡ法および前述のＲＴＫ法を含み得る。具体的には、ＯＴＤＯＡ法は、ＵＥベースＯＴＤＯＡ法およびＵＥ支援ＯＴＤＯＡ法を含み、ＲＴＫ法は、ＵＥベースＲＴＫ法およびＵＥ支援ＲＴＫ法を含み得る。言い換えると、これらは、性能サポートのための方法として別々に用いられ得る。加えて、ＵＥの測位性能は、リアルタイムキネマティック疑似距離差（ｒｅａｌ−ｔｉｍｅ  ｋｉｎｅｍａｔｉｃ  ｐｅｓｕｄｏｒａｎｇｅ  ｄｉｆｆｅｒｅｎｃｅ、ＲＴＤ）法、状態空間表現（Ｓｔａｔｅ  Ｓｐａｃｅ  Ｒｅｐｒｅｓｅｎｔａｔｉｏｎ、ＳＳＲ）法、仮想基準局（Ｖｉｒｔｕａｌ  Ｒｅｆｅｒｅｎｃｅ  Ｓｔａｔｉｏｎ、ＶＲＳ）法、マスタ補助コンセプト（Ｍａｓｔｅｒ  Ａｕｘｉｌｉａｒｙ  Ｃｏｎｃｅｐｔ、ＭＡＣ）法、面補正パラメータ（ドイツ語：Ｆｌａｅｃｈｅｎｋｏｒｒｅｋｔｕｒｐａｒａｍｅｔｅｒ、ＦＫＰ）法、精密単独測位（ｐｏｉｎｔ  ｐｒｅｃｉｓｅ  ｐｏｓｉｔｉｏｎｉｎｇ、ＰＰＰ）法および精密単独測位キャリア位相差（ｐｏｉｎｔ  ｐｒｅｃｉｓｅ  ｐｏｓｉｔｉｏｎｉｎｇ−Ｒｅａｌ  ｔｉｍｅ  ｋｉｎｅｍａｔｉｃ、ＰＰＰ−ＲＴＫ）法のうちの少なくとも１つをさらに含み得る。当然ながら、本発明の本実施形態において提供されるＵＥの測位性能によりサポートされる測位方法は、前述の少なくとも１つの方法に限定されず、別の測位方法、例えば、衛星ベースオーグメンテーションシステム（Ｓａｔｅｌｌｉｔｅ−Ｂａｓｅｄ  Ａｕｇｍｅｎｔａｔｉｏｎ  Ｓｙｓｔｅｍ、ＳＢＡＳ）法をさらに含み得る。
【０２１０】
本発明の本実施形態において提供されるＵＥの測位性能が１または複数の測位方法をサポートし得るので、例えば、ＵＥは、ＯＴＤＯＡ法をサポートしながらＲＴＫ法をサポートし得る。このように、ＵＥは、ＯＴＤＯＡ法とＲＴＫ法との組み合わせを用いて測位され得る。これにより、ＵＥの測位プロセスにおける測位精度が改善する。
【０２１１】
ＵＥの測位性能指示情報を測位サーバへ送信することに加え、ＵＥはさらに、測位精度指示情報および／またはサービスタイプ指示情報を測位サーバへ送信し得る。
【０２１２】
測位精度指示情報は、ＵＥによりサポートされる測位精度を示すために用いられる。例えば、ＵＥは、センチメートルレベルの精度、サブメートルレベルの精度およびメートルレベルの精度をサポートする。
【０２１３】
サービスタイプ指示情報は、ＵＥによりサポートされるサービスタイプを示すために用いられる。例えば、ＵＥは、リアルタイム高精度測位、特定の遅延を可能にする測位、および異なるサービス品質（Ｑｕａｌｉｔｙ  ｏｆ  Ｓｅｒｖｉｃｅ、ＱｏＳ）要件がある測位をサポートする。
【０２１４】
任意選択的に、ＵＥは、ＵＥの測位性能指示情報、測位精度指示情報およびサービスタイプ指示情報の任意の１つもしくは２つまたは全てを測位サーバへ送信し得る。このことは、本発明の本実施形態において限定されない。
【０２１５】
任意選択的に、ＵＥにより送信される第１のメッセージは、ＵＥにより測位サーバへ事前に送信され得るか、または、測位サーバにより送信され、第１のメッセージを要求するために用いられる第１のメッセージ要求のＵＥによる受信後に、ＵＥにより送信され得る。本発明の本実施形態において、以下では、「ＵＥにより送信される第１のメッセージ」が、測位サーバにより送信され、説明用に第１のメッセージを要求するために用いられる第１のメッセージ要求のＵＥによる受信後に、ＵＥにより送信される例を用いるに過ぎない。
【０２１６】
例えば、段階７０１の前に、図７に示される測位支援データ送信方法は、段階７０１ａから段階７０１ｃをさらに含み得る。
【０２１７】
７０１ａ．測位サーバが第１のメッセージ要求をＵＥへ送信する。
【０２１８】
例えば、段階７０１ａおよび段階７０１は、図２に示される測位サーバの通信インタフェース２３により実行される。
【０２１９】
７０１ｂ．ＵＥが、測位サーバにより送信される第１のメッセージ要求を受信する。
【０２２０】
具体的には、第１のサービングセル内の測位される必要がある１または複数のＵＥが、測位サーバにより送信される対応する第１のメッセージ要求を別々に受信し得る。
【０２２１】
Ｓ７０１ｃ．ＵＥが第１のメッセージを測位サーバへ送信する。
【０２２２】
例えば、段階７０１ｂおよび段階７０１ｃは、図５に示されるＵＥの通信インタフェース２３により実行され得る。
【０２２３】
第１のサービングセル内の測位される必要がある複数のＵＥの各々が、段階７０１ａから段階７０１ｃにおいて提供される方法を実装し得ることに留意すべきである。本発明の本実施形態においては、詳細を改めて説明しない。測位サーバは、第１のサービングセル内の測位される必要がある１または複数のＵＥと別々にインタラクトして、１または複数のＵＥの各々に対応する第１のメッセージ要求を取得し得る、すなわち、第１のサービングセル内の測位される必要がある１または複数のＵＥの測位性能および／または測位精度および／または測位サービスタイプを取得し得る。
【０２２４】
方法の実施形態２において提供される測位支援データ送信方法において、段階６０３は、具体的には、段階７０２であり得る。例えば、図７に示される方法において、図６における段階６０３は、具体的には、段階７０２であり得る。
【０２２５】
Ｓ７０２．測位サーバが、第１のサービングセルの識別子に基づいて、測位支援データを第１のサービングセルに対応する基地局へ送信する。
【０２２６】
例えば、段階７０２は、図２に示される測位サーバの通信インタフェース２３により実行され得る。
【０２２７】
具体的には、測位サーバは、第１の条件が満たされている場合、測位支援データを基地局へ送信する。測位支援データは、第１のサービングセル内の測位される必要がある１または複数のＵＥの１または複数の測位支援データであり得る。
【０２２８】
測位サーバ側の第１の条件は、以下の条件１から５のいずれか１つであり、条件１から５の間には「および／または」の関係が存在する。
【０２２９】
１．測位サーバが、第１のサービングセル内の測位される必要があるＵＥの数が第１の閾値より大きい、と判断する。
【０２３０】
第１の閾値の具体的な値は、本発明の本実施形態において限定されず、当該値は、本願の目的の実現に対する限定を構成しないことに留意すべきである。
【０２３１】
例えば、第１のサービングセルが図１に示されるセル１である場合、第１のサービングセル内の測位される必要があるＵＥの数は、９であり得る。第１のサービングセルが図１に示されるセル２である場合、第１のサービングセルない尾測位される必要があるＵＥの数は、３であり得る。
【０２３２】
第１の閾値が６であると仮定すると、第１の条件が条件１である場合、以下のとおりである。
【０２３３】
第１のサービングセルが図１に示されるセル１であり、かつ、第１のサービングセル内の測位される必要があるＵＥの数が６より大きい９である場合、第１の条件が満たされる。従って、測位サーバは、測位支援データ、例えば、第１のサービングセルによりサービスを受けるＵＥの少なくとも１つの測位支援データをブロードキャストモードで送信することを決定し得る。この場合、測位サーバが第１のサービングセル内のＵＥの少なくとも１つの測位支援データを基地局へ送信し得ることにより、第１のサービングセルに対応する基地局は、少なくとも１つの測位支援データをブロードキャストできる。
【０２３４】
第１のサービングセルが図１に示されるセル２であり、かつ、第１のサービングセル内の測位される必要があるＵＥの数が６以下である３である場合、第１の条件は、満たされ得ない。従って、測位サーバは、第１のサービングセル内の測位される必要があるＵＥの少なくとも１つの測位支援データをブロードキャストモードで送信しないことを決定するが、少なくとも１つの測位支援データをユニキャストモードで送信することを決定し得る。言い換えると、測位サーバは、第１のサービングセル内の測位される必要があるＵＥの少なくとも１つの測位支援データを基地局へ送信しない。この場合、第１のサービングセルに対応する基地局は、少なくとも１つの測位支援データをブロードキャストし得ない。測位サーバは、ＵＥ１５１から１５３と別々にインタラクトし得る。これにより、ＵＥ１５１から１５３はそれぞれ、ＵＥ１５１から１５３の測位支援データを取得する。
【０２３５】
２．測位サーバが、第１のサービングセル内の測位される必要があるＵＥのうち任意の測位性能を満たすＵＥの数が第２の閾値より大きい、と判断する。
【０２３６】
本願において提供されるＵＥの具体的な測位性能は、本発明の本実施形態において列挙される測位性能に限定されない。
【０２３７】
第２の閾値の具体的な値は、本発明の本実施形態において限定されず、当該値は、本願の目的の実現に対する限定を構成しないことに留意すべきである。
【０２３８】
例えば、第１のサービングセルが図１に示されるセル１である場合、セル１内の測位される必要があるＵＥの数は９である。ＵＥ１４１から１４４の測位性能指示情報は、対応するＵＥの全てがＶＲＳ法をサポートすることを示し、ＵＥ１４５から１４８の測位性能指示情報は、対応するＵＥの全てがＭＡＣ法をサポートすることを示し、ＵＥ１４９の測位性能指示情報は、対応するＵＥがＦＫＰ法をサポートすることを示す。
【０２３９】
第１のサービングセルが図１に示されるセル２である場合、セル２内の測位される必要があるＵＥの数は３である。ＵＥ１５１から１５３の測位性能指示情報は、対応するＵＥがＶＲＳ法をサポートすることを示す。
【０２４０】
例えば、第２の閾値は３であると仮定すると、第１の条件が条件２である場合、以下のとおりである。
【０２４１】
第１のサービングセルが図１に示されるセル１であり、かつ、第１のサービングセル内の測位される必要があるＵＥのうちＶＲＳ法をサポートするＵＥの数が３より大きい５である場合、第１の条件が満たされる。従って、測位サーバは、第１のサービングセルによりサービスを受けるＵＥ１４１から１４５の少なくとも１つの測位支援データをブロードキャストモードで送信することを決定し得る。少なくとも１つの測位支援データは、ＶＲＳ法を用いた測位支援データである。すなわち、測位サーバが、第１のサービングセルによりサービスを受けるＵＥ１４１から１４５のＶＲＳ法を用いた少なくとも１つの測位支援データを基地局へ送信し得ることにより、第１のサービングセルに対応する基地局は、少なくとも１つの測位支援データをブロードキャストできる。
【０２４２】
一方で、第１のサービングセル内の測位される必要があるＵＥのうちＭＡＣ法をサポートするＵＥの数が３より大きい４である場合、第１の条件が満たされる。従って、測位サーバは、第１のサービングセルによりサービスを受けるＵＥ１４５から１４８の少なくとも１つの測位支援データをブロードキャストモードで送信することを決定し得る。少なくとも１つの測位支援データは、ＭＡＣ法を用いた測位支援データである。すなわち、測位サーバが、第１のサービングセルによりサービスを受けるＵＥ１４５から１４８のＭＡＣ法を用いた少なくとも１つの測位支援データを基地局へ送信し得ることにより、第１のサービングセルに対応する基地局は、少なくとも１つの測位支援データをブロードキャストできる。
【０２４３】
しかしながら、第１のサービングセル内の測位される必要があるＵＥのうちＦＫＰ法をサポートするＵＥの数が３以下である１である場合、第１の条件が満たされ得ない。従って、測位サーバは、第１のサービングセルによりサービスを受けるＵＥ１４９の測位支援データをユニキャストモードで送信することを決定し得る。当該測位支援データは、ＦＫＰ法を用いた測位支援データである。すなわち、測位サーバがＵＥ１４９とインタラクトし得ることにより、ＵＥ１４９は、ＦＫＰ法を用いたＵＥ１４９の測位支援データを取得する。
【０２４４】
加えて、第１のサービングセルが図１に示されるセル２であり、かつ、第１のサービングセル内の測位される必要がある、ＶＲＳ法をサポートするＵＥの数が３以下である３である場合、第１の条件は満たされ得ない。従って、測位サーバは、第１のサービングセルによりサービスを受けるＵＥの少なくとも１つの測位支援データをブロードキャストモードで送信しないことを決定するが、少なくとも１つの測位支援データをユニキャストモードで送信することを決定する。言い換えると、測位サーバは、第１のサービングセルによりサービスを受けるＵＥのＶＲＳ法を用いた少なくとも１つの測位支援データを基地局へ送信せず、基地局は、第１のサービングセルに対応する少なくとも１つの測位支援データをブロードキャストしない。測位サーバがＵＥ１５１から１５３と別々にインタラクトし得ることにより、ＵＥ１５１から１５３はそれぞれ、ＵＥ１５１から１５３の、ＶＲＳ法を用いた測位支援データを取得する。
【０２４５】
３．測位サーバが、第１のサービングセル内の測位される必要があるＵＥのうち任意の測位精度を満たすＵＥの数が第３の閾値より大きい、と判断する。
【０２４６】
４．測位サーバが、第１のサービングセル内の測位される必要があるＵＥのうち任意の測位サービスタイプを満たすＵＥの数が第４の閾値より大きい、と判断する。
【０２４７】
第３の閾値および第４の閾値の具体的な値は、本発明の本実施形態において限定されず、当該値は、本願の目的の実現に対する限定を構成しない。
【０２４８】
については、第１の条件が条件３または条件４である場合の具体的な説明については、第１の条件が条件２である場合の具体的な説明を参照すべきこと、および、本発明の本実施形態においては、詳細を改めて説明しないことに留意すべきである。
【０２４９】
具体的には、第１のサービングセル内のＵＥの数、任意の測位性能を満たすＵＥの数、任意のサポートされる測位精度を満たすＵＥの数、および、任意の測位サービスタイプを満たすＵＥの数は、測位サーバにより、１または複数のカウンタを用いて、カウントを通じて取得され得る。
【０２５０】
例えば、測位サーバは、ＶＲＳ法を用いた測位支援データを生成する場合、カウンタ（例えば、カウンタ１）を用いて、カウントを実行し得る。カウンタ１が３に達した場合、測位サーバは、ＶＲＳ法を用いた測位支援データをブロードキャストすることを決定する。
【０２５１】
任意選択的に、ＵＥの対応する数は、測位サーバにより、特定の期間内に、１または複数のカウンタを用いて、カウントを通じて取得され得る。例えば、特定の期間は、２時間である。
【０２５２】
前述の４つの数量統計方式では、具体的には、測位支援データをブロードキャストするか否かに対する統計結果の影響を当該期間において制御するために、タイマーがカウントの前に開始され得る。さらに、代替的に、タイマーは、測位支援データをブロードキャストモードで送信することをＥ−ＳＭＬＣが決定したときに開始され得る。タイマーの動作中、カウンタの累積値が前述の閾値のうちの１つより大きい場合、測位支援データのブロードキャストは続き、タイマーは再始動される。そうでない場合、測位支援データのブロードキャストは停止される。
【０２５３】
５．測位サーバが、コアネットワークデバイスにより送信される第１の命令情報を受信する。第１の命令情報は、測位支援データを第１のサービングセル内のＵＥへブロードキャストモードで送信するよう命令するために用いられる。
【０２５４】
測位サーバは、第１のサービングセルによりサービスを受けるＵＥの少なくとも１つの測位支援データを基地局へ送信する前に、さらに、測位支援データをブロードキャストするよう命令するためにコアネットワークデバイスにより用いられる第１の命令情報を受信し得る。この場合、コアネットワークデバイスは、測位支援データをブロードキャストモードまたはユニキャストモードで送信することを決定する。
【０２５５】
本願の方法の実施形態２において提供される測位支援データ送信方法において、測位サーバは、測位サーバが、コアネットワークデバイスにより送信される第１の命令情報を受信するか、または測位される必要があるＵＥの測位性能指示情報、測位精度指示情報またはサービスタイプ指示情報のうちの１つを取得することを条件として、測位支援データをブロードキャストモードまたはユニキャストモードのいずれで送信するかを決定し得る。このように、測位支援データが、まずユニキャストモードで送信され、次にブロードキャストモードで送信される場合、前述のように決定される測位支援データの送信モードの信頼性が比較的高くなり得ることにより、測位支援データ送信プロセスにおけるリソース利用率が改善する。
【０２５６】
本願の方法の実施形態２において提供される測位支援データ送信方法において、測位される必要があるＵＥがＵＥの測位性能指示情報、測位精度指示情報またはサービスタイプ指示情報のいずれか１つを提供することを条件として、測位サーバは、指示情報に基づいて対応する測位支援データを生成することにより、測位支援データ生成処理をより信頼できるものにし得ることに留意すべきである。
【０２５７】
具体的には、本願の方法の実施形態３において提供される測位支援データ送信方法において、段階７０２は、段階８０１から段階８０３を含み得る。例えば、図８Ａおよび図８Ｂに示される測位支援データ送信方法において、図７に示される段階７０２は、段階８０１から段階８０３を含み得る。
【０２５８】
Ｓ８０１．測位サーバが、第１の条件が満たされている、と判断する。
【０２５９】
第１の条件は前述の条件１から５のいずれか１つなので、段階８０１は、段階８０１ａ、段階８０１ｂ、段階８０１ｃ、段階８０１ｄおよび段階８０１ｅのうちの少なくとも１つを含み得ることに留意すべきである。
【０２６０】
８０１ａ．測位サーバが、第１のサービングセル内の測位される必要があるＵＥの数が第１の閾値より大きい、と判断する。
【０２６１】
８０１ｂ．測位サーバが、第１のサービングセル内の測位される必要があるＵＥのうち任意の測位性能を満たすＵＥの数が第２の閾値より大きい、と判断する。
【０２６２】
８０１ｃ．測位サーバが、第１のサービングセル内の測位される必要があるＵＥのうち任意の測位精度を満たすＵＥの数が第３の閾値より大きい、と判断する。
【０２６３】
８０１ｄ．測位サーバが、第１のサービングセル内の測位される必要があるＵＥのうち任意の測位サービスタイプを満たすＵＥの数が第４の閾値より大きい、と判断する。
【０２６４】
８０１ｅ．測位サーバが、コアネットワークデバイスにより送信される第１の命令情報を受信する。
【０２６５】
第１の命令情報は、測位支援データを第１のサービングセル内のＵＥへブロードキャストモードで送信するよう命令するために用いられる。
【０２６６】
本発明の本実施形態における段階８０１および段階８０１ａから段階８０１ｅの具体的な説明については、段階７０２における対応する部分を参照されたい。本明細書において、詳細を改めて説明しない。
【０２６７】
Ｓ８０２．測位サーバが、第１のサービングセル内の測位される必要があるＵＥの測位性能および／または測位精度および／または測位サービスタイプに基づいて測位支援データを分類して、異なるタイプの測位支援データを取得する。
【０２６８】
例えば、段階８０１ａから段階８０１ｄおよび段階８０２は、図２に示される測位サーバのプロセッサ２１により実行され得る。
【０２６９】
第１のサービングセル内の測位される必要がある１または複数のＵＥの測位支援データは、同じタイプまたは異なるタイプに分類され得る。すなわち、各測位支援データは、対応するタイプに分類され得る。
【０２７０】
例えば、測位サーバは、分類を通じ、第１のサービングセル内のＵＥの異なる測位性能に基づいて、測位支援データを取得し得る。例えば、第１のサービングセル内のＵＥの測位支援データにおいて、測位サーバは、分類を通じ、ＶＲＳ法を用いた測位支援データと、ＭＡＣ法を用いた測位支援データと、ＦＫＰ法を用いた測位支援データとを取得し得る。すなわち、測位サーバが、第１のサービングセル内の測位される必要があるＵＥのうち少なくとも１つの測位性能を有するＵＥの数が比較的大きいかまたは閾値より大きい、と判断した場合、測位サーバは、測位支援データを基地局へ送信し、基地局は、測位支援データをＵＥへブロードキャストモードで送信する。例えば、測位サーバが、比較的大きい数のＶＲＳ測位性能を有するＵＥが存在している、と判断した場合、測位サーバは、ＶＲＳベースの測位支援データを基地局へ送信し、基地局は、ＶＲＳベースの測位支援データをブロードキャストする。測位方法のタイプも、測位支援データのタイプも、１つのみではない。
【０２７１】
本発明の本実施形態において提供される測位支援データは、測位される必要があるＵＥの測位性能および／または測位精度および／または測位サービスタイプのみに基づいて分類され得るのではなく、測位支援データのデータタイプに基づいても分類され得ることに留意すべきである。
【０２７２】
例えば、測位支援データのデータタイプは、衛星軌道歴タイプ、電離圏誤差タイプ、幾何学誤差タイプ、衛星クロック誤差タイプ、対流圏誤差タイプ、トラック誤差タイプ等を含み得る。すなわち、本発明の本実施形態において提供される測位支援データのデータタイプは、衛星軌道歴タイプ、電離圏誤差タイプ、幾何学誤差タイプ、衛星クロック誤差タイプ、対流圏誤差タイプ、トラック誤差タイプ等を含み得る。
【０２７３】
加えて、測位支援データは、測位支援データのデータタイプに基づいて分類され、代替的に、異なる周波数における測位支援データ、異なるデータレートにおける測位支援データ、または異なる回数の繰り返しを経た測位支援データに分類され得る。本発明の本実施形態においては、詳細を説明しない。
【０２７４】
実施形態における具体的な実装中、測位サーバにより生成される少なくとも１つの測位支援データは、具体的には、１または複数のデータパケットを含み得る。しかしながら、当該データパケットは、比較的大きい容量を有し得ると共に、基地局へ送信される前にセグメント化または分割される必要がある。例えば、１つのデータパケットが複数のより小さいパケットに分割される。データパケットを分割する処理において、測位サーバは、測位支援データをタイプで分類し得る。
【０２７５】
前述のデータパケットの各々が、異なるタイプの測位支援データを含み得る。例えば、データパケット（データパケット１として示される）が、衛星軌道歴タイプの測位支援データと、電離圏誤差タイプの測位支援データと、衛星クロック誤差タイプの測位支援データとを含む。この場合、測位サーバは、データパケット１をサブデータパケットａ、サブデータパケットｂおよびサブデータパケットｃに分割し得る。サブデータパケットａは、衛星軌道歴タイプの測位支援データを含み、サブデータパケットｂは、電離圏誤差タイプの測位支援データを含み、サブデータパケットｃは、衛星クロック誤差タイプの測位支援データを含む。言い換えると、測位サーバは、データパケット１における測位支援データを異なるタイプに分類する。
【０２７６】
代替的に、データパケット１は、ＶＲＳ法を用いた測位支援データと、ＭＡＣ法を用いた測位支援データと、ＦＫＰ法を用いた測位支援データとを含む。この場合、データパケット１を分割することにより取得されるサブデータパケットａは、ＶＲＳ法を用いた測位支援データを含み得て、サブデータパケットｂは、ＭＡＣ法を用いた測位支援データを含み得て、サブデータパケットｃは、ＦＫＰ法を用いた測位支援データを含み得る。
【０２７７】
Ｓ８０３．測位サーバが、異なるタイプの測位支援データを第１のサービングセルに対応する基地局へ送信する。
【０２７８】
例えば、段階８０３は、図２に示される測位サーバの通信インタフェース２３により実行され得る。
【０２７９】
具体的には、測位サーバは、第１のサービングセルの識別子に基づいて、異なるタイプの測位支援データを第１のサービングセルに対応する基地局へ送信し得る。第１のサービングセルの識別子は、コアネットワークデバイスにより送信される測位要求に基づいて取得され得る。
【０２８０】
例えば、測位サーバは、少なくとも１つの測位支援データのうち、ＶＲＳ法を用いた測位支援データと、ＭＡＣ法を用いた測位支援データと、ＦＫＰ法を用いた測位支援データとを基地局へ送信し得る。測位サーバにより基地局へ送信される測位支援データは、具体的には、１または複数のデータパケットであり得る。当該データパケットは、測位サーバにより分割を通じて取得され得る。
【０２８１】
方法の実施形態３において提供される測位支援データ送信方法において、段階６０４は、具体的には、段階８０４であってよく、段階６０５は、具体的には、段階８０５であってよい。例えば、図７に示される方法において、図６における段階６０４は、具体的には、段階８０４であってよく、段階６０５は、具体的には、段階８０５であってよい。
【０２８２】
Ｓ８０４．第１のサービングセルに対応する基地局が、測位サーバにより送信される異なるタイプの測位支援データを受信する。
【０２８３】
Ｓ８０５．第１のサービングセルに対応する基地局が、異なるタイプの測位支援データを第１のサービングセル内のＵＥへブロードキャストする。
【０２８４】
例えば、段階８０４および段階８０５は、図３に示される基地局の通信インタフェース３３により実行され得る。
【０２８５】
例えば、測位サーバは、例えば、少なくとも１つの測位支援データのうち、ＶＲＳ法を用いた測位支援データと、ＭＡＣ法を用いた測位支援データと、ＦＫＰ法を用いた測位支援データと、ＰＰＰ−ＲＴＫ法を用いた測位支援データとを取得するために、第１のサービングセル内の測位される必要があるＵＥの異なる測位性能に基づいて、分類を通じ、少なくとも１つの測位支援データを取得し得る。
【０２８６】
本願の方法の実施形態３において提供される測位支援データ送信方法において、測位サーバが、測位支援データをユニキャストモードまたはブロードキャストモードで送信することを決定する前に、測位サーバにより送信される測位支援データを異なるタイプに分類することにより、基地局は、異なるタイプに基づいて測位支援データをブロードキャストできることに留意すべきである。従って、測位される必要があるＵＥは、基地局によりブロードキャストされる測位支援データの対応するタイプを取得し得る。これにより、ＵＥの測位プロセスにおける測位精度が改善する。
【０２８７】
任意選択的に、可能な実現形態において、ＵＥの測位性能および／または測位精度および／または測位サービスタイプに基づいて、第１のサービングセル内の測位される必要があるＵＥの測位支援データを分類する段階は、代替的に、基地局により実行され得る。この場合、本発明の本実施形態において提供される測位支援データ送信方法において、段階６０５は、段階６０５ａおよび段階８０５を含み得る。例えば、図６における段階６０５は、段階６０５ａおよび段階８０５を含み得る。
【０２８８】
Ｓ６０５ａ．第１のサービングセルに対応する基地局が、測位支援データを分類して、異なるタイプの測位支援データを取得する。
【０２８９】
具体的には、基地局は、ブロードキャスト用の異なるタイプのデータを受信する。例えば、システム情報ブロック（ｓｙｓｔｅｍ  ｉｎｆｏｒｍａｔｉｏｎ  ｂｌｏｃｋ、ＳＩＢ）では、衛星軌道歴タイプの測位支援データのみがブロードキャストされ、別のＳＩＢでは、電離圏誤差タイプの測位支援データがブロードキャストされる等である。当然ながら、１つのＳＩＢの異なる送信パケットが、代替的に分類され得る。
【０２９０】
当然ながら、基地局により取得される測位支援データは、異なる周波数における測位支援データ、異なるデータレートにおける測位支援データ、または異なる回数の繰り返しを経た測位支援データを含み得る。
【０２９１】
例えば、段階６０５ａは、図３に示される基地局のプロセッサ３１により実行され得る。
【０２９２】
具体的には、基地局は、第１のサービングセル内の測位される必要があるＵＥの測位性能および／または測位精度および／または測位サービスタイプに基づいて、測位支援データを分類し得るか、または、受信した異なるデータを別々に送信し得る。
【０２９３】
Ｓ８０５．第１のサービングセルに対応する基地局が、異なるタイプの測位支援データを第１のサービングセル内の測位される必要があるＵＥへブロードキャストする。
【０２９４】
例えば、基地局は、例えば、第１のサービングセルによりサービスを受けるＵＥの少なくとも１つの測位支援データのうち、ＶＲＳ法を用いた測位支援データと、ＭＡＣ法を用いた測位支援データと、ＦＫＰ法を用いた測位支援データとを取得するために、第１のサービングセルによりサービスを受けるＵＥの異なる測位性能に基づいて、少なくとも１つの測位支援データを分類し得る。
【０２９５】
基地局は、異なるタイプに基づいて、測位支援データを異なるタイプに分類し、測位支援データをブロードキャストし得ることに留意すべきである。従って、測位される必要があるＵＥは、基地局によりブロードキャストされる測位支援データの対応するタイプを取得し得る。これにより、ＵＥの測位プロセスにおける測位精度が改善する。
【０２９６】
段階６０３、段階７０２または段階８０３の後に、本願の方法の実施形態４において提供される測位支援データ送信方法は、段階９０１をさらに含み得る。例えば、図７における段階７０２の後に、図９に示される方法は、段階９０１をさらに含み得る。
【０２９７】
Ｓ９０１．測位サーバが、停止指示メッセージを第１のサービングセルに対応する基地局へ送信する。
【０２９８】
例えば、段階９０１は、図２に示される測位サーバの通信インタフェース２３により実行され得る。
【０２９９】
停止指示メッセージは、測位サーバが少なくとも１つの測位支援データの基地局への送信を停止していることを示すために用いられる。このように、測位サーバが測位支援データをブロードキャストする必要がない場合、測位サーバが、測位支援データをユニキャストモードで送信し得ることにより、測位支援データは、ブロードキャストモードの代わりにユニキャストモードで送信され、リソースが適切に用いられる。測位サーバにより基地局へ送信される少なくとも１つの測位支援データは、具体的には、測位サーバにより基地局へ送信される少なくとも１つのデータパケットであり得る。各データパケットは、１つの測位支援データを保持する。例えば、停止指示メッセージは、最後のデータパケットにおいて保持され得る。
【０３００】
具体的には、停止指示メッセージは、代替的に、ブロードキャストを停止するよう命令するために用いられ、測位支援データを保持する最後のデータパケットに加えられるフィールドであり得る。最後のデータパケットは、測位サーバにより第１のサービングセルに対応する基地局へ送信される。代替的に、停止指示メッセージは、ブロードキャストを停止するよう命令するフィールドのみを保持するデータパケットに含まれ得る。このことは、本発明の本実施形態において限定されない。
【０３０１】
第２の条件が満たされている、と判断した場合、測位サーバは、第１のサービングセルの識別子に基づいて、停止指示メッセージを第１のサービングセルに対応する基地局へ送信し得る。停止指示メッセージは、基地局への少なくとも１つの測位支援データの送信が停止されていることを示すために用いられる。
【０３０２】
第２の条件は、以下の条件６から１０のいずれか１つであり、条件６から１０の間には、「および／または」の関係が存在する。
【０３０３】
６．測位サーバが、第１のサービングセル内の測位される必要があるＵＥの数が第５の閾値より小さいかまたはそれと等しい、と判断する。第５の閾値は、第１の閾値より小さいかまたはそれと等しい。
【０３０４】
７．測位サーバが、第１のサービングセル内の測位される必要があるＵＥのうち任意のＵＥ測位性能を満たすＵＥの数が第６の閾値より小さいかまたはそれと等しい、と判断する。第６の閾値は、第２の閾値より小さいかまたはそれと等しい。
【０３０５】
８．測位サーバが、第１のサービングセル内の測位される必要があるＵＥのうち任意のサポートされる測位方法を満たすＵＥの数が第７の閾値より小さいかまたはそれと等しい、と判断する。第７の閾値は、第３の閾値より小さいかまたはそれと等しい。
【０３０６】
９．測位サーバが、第１のサービングセル内の測位される必要があるＵＥのうち任意の測位サービスタイプを満たすＵＥの数が第８の閾値より小さいかまたはそれと等しい、と判断する。第８の閾値は、第４の閾値より小さいかまたはそれと等しい。
【０３０７】
１０．測位サーバが、コアネットワークデバイスにより送信される第２の命令情報を受信する。第２の命令情報は、測位支援データを第１のサービングセル内の測位される必要があるＵＥへブロードキャストモードで送信することを停止するよう命令するために用いられる。
【０３０８】
本発明の本実施形態における第２の条件の具体的な説明については、上述の実施形態における第１の条件の説明を参照されたい。本発明の本実施形態においては、詳細を改めて説明しない。
【０３０９】
第５の閾値、第６の閾値、第７の閾値および第８の閾値の具体的な値は、本発明の本実施形態において限定されず、当該値は、本願の目的の実現に影響しないことに留意すべきである。
【０３１０】
例えば、ＶＲＳ法を用いた測位支援データを測位サーバが生成する処理において、例えば、カウンタ１が３に達した場合、測位サーバは、ＶＲＳ法を用いた測位支援データをブロードキャストすることを決定した後に、カウンタ１を再開し得る。その後、カウンタ１が３に達し得ない場合、測位サーバは、ＶＲＳ法を用いた測位支援データをユニキャストモードで送信することを決定し得る。
【０３１１】
任意選択的に、ＶＲＳ法を用いた測位支援データを測位サーバが生成する処理において、例えば、カウンタ１が３に達した場合、測位サーバは、ＶＲＳ法を用いた測位支援データをブロードキャストすることを決定した後に、別のカウンタ（例えば、カウンタ２）を開始し得る。その後、カウンタ２が３に達し得ない場合、測位サーバは、ＶＲＳ法を用いた測位支援データをユニキャストモードで送信することを決定し得る。このことは、本発明の本実施形態において限定されない。
【０３１２】
本願の方法の実施形態４において提供される測位支援データ送信方法において、測位サーバは、測位される必要があるＵＥの測位性能指示情報、測位精度指示情報またはサービスタイプ指示情報のうちの少なくとも１つを取得し、コアネットワークデバイスにより送信される第２の命令情報を受信するので、まず、測位支援データをブロードキャストモードで送信し、次に、ユニキャストモードで送信し得る。このように、測位支援データがブロードキャストされる必要がない場合、例えば、比較的小数の測位される必要があるＵＥが存在する場合、測位支援データは、ユニキャストモードのみで送信され得る。これにより、リソース利用率が改善する。
【０３１３】
測位支援データをブロードキャストモードで送信することを停止するよう命令するための停止指示メッセージを測位サーバが送信した後で、段階９０１の後に、方法は、段階９０２をさらに含み得る。段階９０１の後に、図９に示される測位支援データ送信方法は、段階９０２をさらに含み得る。
【０３１４】
Ｓ９０２．第１のサービングセルに対応する基地局が、測位サーバにより送信される停止指示メッセージを受信する。
【０３１５】
例えば、段階９０２は、図３に示される基地局の通信インタフェース３３により実行され得る。
【０３１６】
第１のサービングセルに対応する基地局は、停止指示メッセージを受信した後に、測位支援データブロードキャストを停止し得る。
【０３１７】
本願の方法の実施形態５において提供される測位支援データ送信方法において、少なくとも測位支援データがブロードキャストモードまたはユニキャストモードのいずれで送信されるかは、代替的に、コアネットワークデバイスにより決定され得る。具体的には、段階７０１の後に、本発明の本実施形態において提供される方法は、段階１００１をさらに含み得る。例えば、段階７０１の後に、図１０Ａおよび図１０Ｂに示される測位支援データ送信方法は、段階１００１をさらに含み得る。
【０３１８】
Ｓ１００１．第１の条件が満たされている場合、コアネットワークデバイスは、第１の命令情報を測位サーバへ送信する。第１の命令情報は、測位支援データを第１のサービングセル内のブロードキャストされる必要があるＵＥへブロードキャストモードで送信するよう命令するために用いられる。
【０３１９】
例えば、段階１００１は、図４に示されるコアネットワークデバイスの通信インタフェース４３により実行され得る。
【０３２０】
コアネットワークデバイスは、第１の命令メッセージを測位サーバへ送信する前に、測位サーバによりコアネットワークへ送信されるＵＥ性能指示（例えば、ＵＥの測位性能指示情報）を受信し得ることに留意すべきである。加えて、満たされている第１の条件は、以下の条件１１から１４のいずれか１つであり、条件１１から１４の間には「および／または」の関係が存在する。
【０３２１】
１１．コアネットワークデバイスが、第１のサービングセル内の測位される必要があるＵＥの数が第１の閾値より大きい、と判断する。
【０３２２】
１２．コアネットワークデバイスが、第１のサービングセル内の測位される必要があるＵＥのうち任意の測位性能を満たすＵＥの数が第２の閾値より大きい、と判断する。
【０３２３】
１３．コアネットワークデバイスが、第１のサービングセル内の測位される必要があるＵＥのうち任意のサポートされる測位精度を満たすＵＥの数が第３の閾値より大きい、と判断する。
【０３２４】
１４．コアネットワークデバイスが、第１のサービングセル内の測位される必要があるＵＥのうち任意の測位サービスタイプを満たすＵＥの数が第４の閾値より大きい、と判断する。
【０３２５】
本発明の本実施形態における条件１１から１４の説明については、上述の実施形態における条件１から４の具体的な説明を参照されたい。本発明の本実施形態においては、詳細を改めて説明しない。
【０３２６】
具体的には、コアネットワークデバイスが、条件１２から１４に基づいて、測位支援データをブロードキャストすることを決定した場合、段階１００１の前に、本発明の本実施形態において提供される測位支援データ送信方法は、段階１００１ａおよび段階１００１ｂをさらに含み得る。例えば、段階１００１の前に、図１０Ａおよび図１０Ｂに示される方法は、段階１００１ａおよび段階１００１ｂをさらに含み得る。
【０３２７】
Ｓ１００１ａ．測位サーバがＵＥの第１のメッセージをコアネットワークデバイスへ送信する。
【０３２８】
例えば、段階１００１ａは、図２に示される測位サーバの通信インタフェース２３により実行され得る。
【０３２９】
ＵＥは、第１のサービングセル内の測位される必要があるＵＥであり得る。加えて、測位サーバは、第１のサービングセル内の測位される必要がある１または複数のＵＥの第１のメッセージをコアネットワークデバイスへ送信し得る。
【０３３０】
Ｓ１００１ｂ．コアネットワークデバイスが、測位サーバにより送信されるＵＥの第１のメッセージを受信する。
【０３３１】
例えば、段階１００１ｂは、図４に示されるコアネットワークデバイスの通信インタフェース４３により実行され得る。
【０３３２】
任意選択的に、コアネットワークデバイスは、代替的に、測位サーバが第１のサービングセル内の測位される必要があるＵＥとインタラクトして、第１のサービングセル内の測位される必要があるＵＥの第１の情報を取得する、方法の段階７０１ａから段階７０１ｃおよび段階７０１を参照することにより、第１のサービングセル内の測位される必要があるＵＥの第１の情報を取得し得る。本発明の本実施形態においては、詳細を改めて説明しない。
【０３３３】
コアネットワークデバイスが第１の命令情報を測位サーバへ送信した後に、測位サーバが、第１の命令情報を受信し、次に、第１の条件のうち条件１４が満たされていると判断し得ることが想到され得る。言い換えると、段階１００１ｂの後に、本実施形態において提供される測位支援データ送信方法は、段階８０１ｅを含み得る。例えば、段階１００１ｂの後に、図１０Ａおよび図１０Ｂに示される方法は、段階８０１ｅをさらに含み得る。
【０３３４】
同様に、図９における段階９０１の前に、図１０Ａおよび図１０Ｂに示される方法は、段階１００２および段階１００３をさらに含み得る。
【０３３５】
Ｓ１００２．コアネットワークデバイスが第２の命令情報を測位サーバへ送信する。
【０３３６】
例えば、段階１００２は、図４に示されるコアネットワークデバイスの通信インタフェース４３により実行され得る。
【０３３７】
Ｓ１００３．測位サーバが、コアネットワークデバイスにより送信される第２の命令情報を受信する。第２の命令情報は、測位支援データを第１のサービングセル内の測位される必要があるＵＥへブロードキャストモードで送信することを停止するよう命令するために用いられる。
【０３３８】
例えば、段階１００３は、図２に示される測位サーバの通信インタフェース２３により実行され得る。
【０３３９】
具体的には、第２の条件が満たされている、と判断された場合、コアネットワークデバイスは、第２の命令情報を測位サーバへ送信する。
【０３４０】
本発明の本実施形態において、コアネットワークデバイスが満たす第２の条件は、以下の条件１５から１８のいずれか１つであり、条件１５から１８の間には「および／または」の関係が存在する。
【０３４１】
１５．コアネットワークデバイスが、第１のサービングセル内の測位される必要があるＵＥの数が第５の閾値より小さいかまたはそれと等しい、と判断する。第５の閾値は、第１の閾値より小さいかまたはそれと等しい。
【０３４２】
１６．コアネットワークデバイスが、第１のサービングセル内の測位される必要があるＵＥのうち任意のＵＥ測位性能を満たすＵＥの数が第６の閾値より小さいかまたはそれと等しい、と判断する。第６の閾値は、第２の閾値より小さいかまたはそれと等しい。
【０３４３】
１７．コアネットワークデバイスが、第１のサービングセル内の測位される必要があるＵＥのうち任意のサポートされる測位方法を満たすＵＥの数が第７の閾値より小さいかまたはそれと等しい、と判断する。第７の閾値は、第３の閾値より小さいかまたはそれと等しい。
【０３４４】
１８．コアネットワークデバイスが、第１のサービングセル内の測位される必要があるＵＥのうち任意の測位サービスタイプを満たすＵＥの数が第８の閾値より小さいかまたはそれと等しい、と判断する。第８の閾値は、第４の閾値より小さいかまたはそれと等しい。
【０３４５】
上述の実施形態における測位サーバ側の条件１の詳細な説明を参照して、第１の閾値は６であると仮定する。コアネットワークデバイス側の第１の条件が条件１５である場合、以下のとおりである。
【０３４６】
第１のサービングセルが図１に示されるセル１であり、かつ、第１のサービングセル内の測位される必要があるＵＥの数が６より大きい９である場合、第１の条件が満たされる。従って、コアネットワークデバイスは、測位支援データ、例えば、第１のサービングセルによりサービスを受けるＵＥの少なくとも１つの測位支援データをブロードキャストモードで送信することを決定し得る。この場合、コアネットワークデバイスが、第１のサービングセル内のＵＥの少なくとも１つの測位支援データを基地局へ送信するよう測位サーバに命令し得ることにより、第１のサービングセルに対応する基地局は、少なくとも１つの測位支援データをブロードキャストできる。
【０３４７】
第１のサービングセルが図１に示されるセル２であり、かつ、第１のサービングセル内の測位される必要があるＵＥの数が６以下である３である場合、第１の条件は、満たされ得ない。従って、コアネットワークデバイスは、第１のサービングセル内の測位される必要があるＵＥの少なくとも１つの測位支援データをブロードキャストモードで送信しないことを決定するが、少なくとも１つの測位支援データをユニキャストモードで送信することを決定し得る。言い換えると、コアネットワークデバイスは、第１のサービングセル内の測位される必要があるＵＥの少なくとも１つの測位支援データを基地局へ送信するよう測位サーバに命令しない。この場合、第１のサービングセルに対応する基地局は、少なくとも１つの測位支援データをブロードキャストし得ない。この場合、測位サーバが、ＵＥ１５１から１５３と別々にインタラクトし得ることにより、すなわち、測位支援データをユニキャストモードで送信し得ることにより、ＵＥ１５１から１５３は、ＵＥ１５１から１５３の測位支援データを別々に取得する。
【０３４８】
同様に、本発明の本実施形態におけるコアネットワークデバイス側の第１の条件のうち条件１６から１８の詳細な説明については、上述の実施形態における測位サーバ側の第１の条件のうち条件２から４の詳細な説明を参照されたい。本明細書において、詳細を改めて説明しない。
【０３４９】
本発明の本実施形態において提供される測位支援データ送信方法において、測位サーバおよびコアネットワークデバイスの両方が、測位支援データをブロードキャストモードまたはユニキャストモードのいずれで送信するかを決定し得る。従って、測位サーバまたはコアネットワークデバイスのいずれかがブロードキャストモードまたはユニキャストモードへの切り替えを決定し得ない場合でも、他方が決定を実行し得る。これにより、測位支援データのために用いられるブロードキャストモードとユニキャストモードとの間の切り替えがより信頼できるものになる。
【０３５０】
本発明の本実施形態において提供される測位支援データ送信方法において、測位サーバまたはコアネットワークデバイスなどのネットワーク要素が測位支援データをブロードキャストすることを決定した場合、第１のサービングセル内のＵＥの測位支援データを生成または取得する処理において、測位サーバは、第１のサービングセル内のＵＥとインタラクトすることでは、第１のサービングセルに対応する基地局の位置指示情報を取得し得ないが、基地局とインタラクトして当該位置指示情報を取得し得ることに留意すべきである。
【０３５１】
具体的には、第１のサービングセル内の測位される必要があるＵＥの測位要求は、第１のサービングセルに対応する基地局の位置指示情報を保持する。この場合、測位サーバは、第１のサービングセル内の測位される必要があるＵＥとインタラクトすることで基地局の位置指示情報を取得する必要はない。
【０３５２】
任意選択的に、測位サーバは、代替的に、デプロイに基づいて、基地局の位置指示情報（すなわち、基地局の位置）を取得し得る。この場合、測位サーバは、基地局とインタラクトする必要はなく、例えば、第１のサービングセルに対応する基地局とインタラクトする必要はない。このことは、本発明の本実施形態において限定されない。
【０３５３】
例えば、本発明の以下の実施形態において、以下では、測位サーバが、第１のサービングセルに対応する基地局とインタラクトして、第１のサービングセルに対応する基地局の位置メッセージを取得する例を単に用いて、本発明の実施形態において提供される測位支援データ送信方法を説明する。具体的には、段階６０３、段階７０２または段階８０３の前に、本願の方法の実施形態６において提供される測位支援データ送信方法は、段階１１０１から段階１１０４をさらに含み得る。例えば、図７における段階７０２の前に、図１１Ａおよび図１１Ｂに示される方法は、段階１１０１から段階１１０４をさらに含み得る。
【０３５４】
Ｓ１１０１．測位サーバが、基地局位置要求を第１のサービングセルに対応する基地局へ送信する。
【０３５５】
例えば、段階１１０１は、図２に示される測位サーバの通信インタフェース２３により実行され得る。
【０３５６】
位置要求は、第１のサービングセルに対応する基地局の位置指示情報を要求するために用いられ、基地局の位置指示情報は、基地局の位置および／または第１のサービングセルのセルアンテナの位置を示し得る。
【０３５７】
Ｓ１１０２．第１のサービングセルに対応する基地局が、測位サーバにより送信される基地局位置要求を受信する。
【０３５８】
例えば、段階１１０２は、図３に示される少なくとも１つの基地局の通信インタフェース３３により実行され得る。
【０３５９】
Ｓ１１０３．第１のサービングセルに対応する基地局が基地局位置メッセージを測位サーバへ送信する。
【０３６０】
例えば、段階１１０３は、図３に示される基地局の通信インタフェース３３により実行され得る。
【０３６１】
具体的には、基地局位置メッセージは、第１のサービングセルに対応する基地局の位置指示情報を含み得る。
【０３６２】
Ｓ１１０４．測位サーバが、第１のサービングセルに対応する基地局により送信される基地局位置メッセージを受信する。
【０３６３】
例えば、段階１１０４は、図２に示される測位サーバの通信インタフェース２３により実行され得る。
【０３６４】
段階６０３、段階７０２または段階８０３の前に、本願の方法の実施形態６において提供される測位支援データ送信方法は、段階１１０５をさらに含み得る。例えば、図７における段階７０２の前に、図１１Ａおよび図１１Ｂに示される方法は、段階１１０５をさらに含み得る。
【０３６５】
Ｓ１１０５．測位サーバが、基地局位置メッセージと、第１のサービングセル内の測位される必要があるＵＥの第１のメッセージと、基準データとに基づいて、測位支援データを生成または取得する。
【０３６６】
例えば、段階１１０５は、図２に示される測位サーバの通信インタフェース２３により実行され得る。
【０３６７】
測位支援データは、第１のサービングセル内の測位される必要があるＵＥの１または複数の測位支援データであり得る。
【０３６８】
測位サーバと基準局との間のインタラクションの特定の段階が、本発明の本実施形態において提供される測位支援データ送信方法において示されないが、段階１１０５の前に、測位サーバは、基準局とインタラクトして、基準局により提供される基準データを取得し得ることに留意すべきである。当業者であれば、この段階を容易に実装し得る。本発明の本実施形態においては、詳細を説明しない。
【０３６９】
本発明の本実施形態において提供される測位支援データ送信方法において、測位支援データは、測位性能指示情報および／または測位精度指示情報および／またはＵＥのサービスタイプ指示情報、基地局位置メッセージ（すなわち、基地局の位置および／またはセルの位置）および基準データに基づいて生成され得る。言い換えると、測位支援データは、測位サーバにより、ＲＴＫ技術を用いて取得され得る。すなわち、測位支援データの測位精度は、比較的高い。
【０３７０】
測位サーバまたはコアネットワークデバイスなどのネットワーク要素が、第１のサービングセル内のＵＥの測位支援データを生成または取得する処理において測位支援データをユニキャストモードで送信することを決定した場合、測位サーバは、第１のサービングセル内のＵＥとインタラクトして、第１のサービングセル内のＵＥの大まかな位置を取得し得ることに留意すべきである。具体的には、段階６０３、段階７０２または段階８０３の前に、本願の方法の実施形態６において提供される測位支援データ送信方法は、段階１１０１ａから段階１１０４ａをさらに含み得る。例えば、段階７０２の前に、図１１ａ−１および図１１ａ−２に示される測位支援データ送信方法は、段階１１０１ａから段階１１０４ａをさらに含み得る。
【０３７１】
Ｓ１１０１ａ．測位サーバが大まかな位置要求をＵＥへ送信する。
【０３７２】
例えば、段階１１０１ａは、図２に示される測位サーバの通信インタフェース２３により実行され得る。
【０３７３】
段階７０２において、測位サーバは、対応するＵＥの大まかな位置を要求するために、大まかな位置要求を第１のサービングセル内の測位される必要がある１または複数のＵＥへ別々に送信し得る。
【０３７４】
Ｓ１１０２ａ．ＵＥが、測位サーバにより送信される大まかな位置要求を受信する。
【０３７５】
例えば、段階１１０２ａは、図５に示される少なくとも１つのＵＥの通信インタフェース５３により実行され得る。
【０３７６】
第１のサービングセル内の測位される必要がある１または複数のＵＥは、測位サーバにより送信される対応する大まかな位置要求を別々に受信し得る。
【０３７７】
Ｓ１１０３ａ．ＵＥが大まかな位置を測位サーバへ送信する。
【０３７８】
例えば、段階１１０３ａは、図５に示されるＵＥの通信インタフェース５３により実行され得る。
【０３７９】
任意選択的に、第１のサービングセル内の測位される必要がある１または複数のＵＥは、同じ時点で、または異なる時点で別々に、自らの大まかな位置を測位サーバへ送信し得る。このことは、本発明の本実施形態において限定されない。
【０３８０】
例えば、段階１１０２ａが実行されなかった場合でも、段階１１０４ａは、本発明の本実施形態において提供される測位支援データを送信するために実行され得る。この場合、ＵＥの大まかな位置は、ＵＥにより測位サーバへ事前に報告され得る。
【０３８１】
Ｓ１１０４ａ．測位サーバが、ＵＥにより送信される大まかな位置を受信する。
【０３８２】
例えば、段階１１０４ａは、図２において示される測位サーバの通信インタフェース２３により実行され得る。
【０３８３】
ＵＥの大まかな位置は、ＵＥの正確な位置を取得するために、またはＵＥに対して測位測定を実行するために用いられる。
【０３８４】
具体的には、段階６０３、段階７０２または段階８０３の前に、本願の方法の実施形態６において提供される測位支援データ送信方法は、段階１１０５ａをさらに含み得る。例えば、段階１１０４ａの後、かつ、図１１ａ−１および図１１ａ−２に示される段階７０２の前に、段階１１０５ａがさらに含まれ得る。
【０３８５】
Ｓ１１０５ａ．測位サーバが、第１のサービングセル内の測位される必要があるＵＥの第１のメッセージと、大まかな位置とに基づいて、測位支援データを生成または取得する。
【０３８６】
例えば、段階１１０５ａは、図２に示される測位サーバの通信インタフェース２３により実行され得る。
【０３８７】
具体的には、測位サーバは、第１のサービングセル内の測位される必要があるＵＥの第１のメッセージと、大まかな位置と、基準データとに基づいて、測位支援データを生成または取得し得る。基準データは、基準局により送信される。測位支援データは、第１のサービングセル内の測位される必要がある１または複数のＵＥの１または複数の測位支援データである。
【０３８８】
本発明の本実施形態において提供される測位支援データ送信方法において、測位支援データは、測位性能指示情報、測位精度指示情報および／または測位される必要があるＵＥのサービスタイプ指示情報、ＵＥの大まかな位置および基準データのうちの少なくとも１つに基づいて生成される。言い換えると、本発明の本実施形態において提供される測位支援データは、測位サーバにより、ＲＴＫ技術を用いて取得され得る。すなわち、測位支援データの測位精度は、比較的高い。
【０３８９】
本願の実施形態７において提供される測位支援データ送信方法において、段階６０４の前に、段階１２０１から段階１２０３がさらに含まれ得る。例えば、図７における段階６０４の前に、図１２に示される方法は、段階１２０１から段階１２０３をさらに含み得る。
【０３９０】
Ｓ１２０１．コアネットワークデバイスが、測位通知メッセージを第１のサービングセルに対応する基地局へ送信する。
【０３９１】
例えば、段階１２０１は、図４に示されるコアネットワークデバイスの通信インタフェース４３により実行され得る。
【０３９２】
測位通知メッセージは、ネットワーク側によりＵＥのために測位要求が開始された場合に実行される必要がある測位測定および／または測位関連の計算を示すために用いられる。ネットワーク側は、コアネットワークデバイスおよび測位サーバなどのデバイスを含む。
【０３９３】
測位通知メッセージは、ページングメッセージであり得る。測位通知を実行する具体的な実装は、ページングメッセージが、測位要求または高精度測位要求などの測位関連オペレーションを端末が実行する必要があることを示すために用いられるフィールドを保持することであるか、または、ＲＴＫ測位要求またはＯＴＤＯＡ測位要求などの特定の測位方法の要求を含み得る。
【０３９４】
Ｓ１２０２．第１のサービングセルに対応する基地局が、コアネットワークデバイスにより送信される測位通知メッセージを受信する。
【０３９５】
測位通知メッセージは、測位要求を保持する。例えば、測位通知メッセージは、測位要求を保持するページングメッセージであり得る。
【０３９６】
測位通知メッセージは測位要求を含むので、測位要求にえおける各測位要求メッセージは、ＵＥの識別子およびＵＥのサービングセルの識別子を含み、ことに留意すべきである。基地局がその後少なくとも１つの測位支援データを受信した場合、基地局は、ＵＥの識別子およびＵＥのサービングセルの識別子に基づいて、ＵＥおよび第１のサービングセルを識別し得る。
【０３９７】
Ｓ１２０３．第１のサービングセルに対応する基地局が、測位通知メッセージを測位される必要があるＵＥへ送信する。
【０３９８】
例えば、段階１２０２および段階１２０３の両方が、図３に示される基地局の通信インタフェース３３により実行され得る。
【０３９９】
具体的には、基地局によりＵＥへ送信される測位通知メッセージは、代替的に、ページングメッセージであり得る。基地局は、ページングメッセージを受信した後に、ページングメッセージをＵＥへ送信する。ページングメッセージは、特定のＵＥ（例えば、第１のサービングセル内の測位される必要があるＵＥ）の測位要求指示情報を保持する。さらに、ページングメッセージは、ＲＴＫ法、ＯＴＤＯＡ法またはＰＰＰ−ＲＴＫ法など、測位を要求するＵＥにより用いられる測位方法を示し得る。測位要求は、ページングメッセージのページング記録において保持され得る。測位要求が各ＵＥについて実行される。具体的には、ページングメッセージとして表される測位要求は、ＲＴＫ測位要求またはＯＴＤＯＡ要求などの測位方法を示す。
【０４００】
ＵＥは、ページングメッセージを受信した後に、測位要求、例えば、ＲＴＫ法を用いた測位要求またはＯＴＤＯＡ法を用いた測位要求が存在することを見つける。この場合において、測位方法を含む測位支援データがブロードキャストされたときは、ＵＥは、測位支援データを取得し、測位計算または測位測定を実行し得る。ＲＴＫ法またはＵＥベースＯＴＤＯＡ法（ＵＥベースＯＴＤＯＡ）が用いられる場合、ＵＥは、測位計算を実行する。ＵＥ支援ＯＴＤＯＡ法が用いられる場合、ＵＥは、対応する測位測定または測位計算を実行する。ＵＥは、測位計算または測位測定を実行した後に、アイドル状態から接続状態に入り、計算結果または測定結果を測位サーバへ送信する。
【０４０１】
段階６０５の後に、本願の方法の実施形態８において提供される測位支援データ送信方法は、段階１３０１および段階１３０２をさらに含み得る。例えば、図１３に示されるように、図６における段階６０５の後に、方法は、段階１３０１および段階１３０２をさらに含み得る。
【０４０２】
Ｓ１３０１．ＵＥが、基地局によりブロードキャストされる測位支援データを取得する。
【０４０３】
例えば、段階１３０１は、図５に示されるＵＥの通信インタフェース５３により実行され得る。
【０４０４】
第１のサービングセル内の測位される必要がある１または複数のＵＥが、異なる時点で、または同じ時点で別々に、対応する測位支援データを取得し得る。
【０４０５】
具体的には、ＵＥが測位をトリガする場合、ＵＥは、どのタイプの測位支援データがブロードキャストされるかを明確に認識している必要がある。複数のタイプの支援データが１つのＳＩＢにおいてブロードキャストされ得ると仮定する。ＵＥが支援データについて通知されない場合、ＵＥは、冗長な情報を受信する必要があり得る。可能な通知情報は、ＬＰＰメッセージ、ページングメッセージ、ＲＲＣメッセージ等であり得る。
【０４０６】
具体的には、ＵＥは、測位支援データを保持するシステムメッセージを読む前に、指示情報を受信し得る。指示情報は、どのタイプの測位支援データがブロードキャストされるかを示すために用いられる。基地局は、現在ブロードキャストされている支援データをＵＥに通知する場合、ＲＲＣメッセージまたはページングメッセージを用いて、ＵＥに通知し得る。代替的に、測位サーバが、ＬＰＰメッセージを用いて、ＵＥに通知し得る。具体的なタイプは、異なる測位方法を用いたデータ、異なる全球測位衛星システム（Ｇｌｏｂａｌ  Ｎａｖｉｇａｔｉｏｎ  Ｓａｔｅｌｌｉｔｅ  Ｓｙｓｔｅｍ、ＧＮＳＳ）におけるデータ、異なるレートにおける測位支援データ、または異なる送信周波数における支援データを含む。
【０４０７】
Ｓ１３０２．測位支援データに基づいて、ＵＥが、計算を通じてＵＥの正確な位置を取得するか、または測位測定を実行する。
【０４０８】
例えば、段階１３０１は、図５に示されるＵＥのプロセッサ５１により実行され得る。
【０４０９】
具体的には、測位支援データがブロードキャストモードで送信される場合、対応する測位支援データに基づいて、第１のサービングセル内のＵＥが、計算を通じて第１のサービングセル内のＵＥの正確な位置を取得するか、または測位測定を実行し得る。
【０４１０】
測位支援データがユニキャスト方式で送信される場合、対応する測位支援データと、第１のサービングセル内のＵＥにより測定を通じて取得される情報とに基づいて、ＵＥは、ＵＥの正確な位置を取得するか、または測位測定を実行し得る。
【０４１１】
測位位置を計算するために測位支援データを受信するのに加え、ＵＥはさらに、ＵＥにより観測される衛星により送信されるデータを用いて、正確な計算を実行し得ることに留意すべきである。
【０４１２】
本発明の本実施形態において提供される測位支援データ送信方法において、ＵＥは、基地局によりブロードキャストされる測位支援データを取得し得て、測位支援データは、ＲＴＫ技術を用いて取得されることに留意すべきである。例えば、測位支援データは、ＵＥの大まかな位置、基地局位置メッセージ、またはＵＥの測位性能指示情報に基づいて、測位サーバにより取得される。従って、少なくとも１つの測位支援データに基づいて、測位される必要があるＵＥにより計算される測位精度は、比較的高い。加えて、少なくとも１つの測位支援データがブロードキャストモードで送信され得るので、リソース利用率は、比較的高い。
【０４１３】
本発明の以下の実施形態において、本発明の実施形態において提供される測位支援データ送信方法はさらに、測位サーバ、基地局およびコアネットワークデバイスが１つのＵＥ（第１のＵＥ）とインタラクトする例を単に用いて説明される。本願の方法の実施形態９において提供される測位支援データ送信方法において、図１３に示される段階１３０１および段階１３０２は、段階１４０１および段階１４０２に置き換えられ得る。例えば、図１４に示される測位支援データ送信方法において、図１３に示される段階１３０１および段階１３０２は、段階１４０１および段階１４０２に置き換えられ得る。
【０４１４】
Ｓ１４０１．第１のＵＥが、第１のサービングセルに対応する基地局によりブロードキャストされる第１の測位支援データを取得する。
【０４１５】
例えば、段階１４０１は、図５に示されるＵＥの通信インタフェース５３により実行され得る。
【０４１６】
第１の測位支援データは、第１のＵＥにより正確な位置を取得するために用いられるか、または、第１のＵＥにより測位測定を実行するために用いられる。第１のＵＥは、第１のサービングセルによりサービスを受けるＵＥであり、第１の測位支援データに対応する。
【０４１７】
Ｓ１４０２．第１の測位支援データに基づいて、第１のＵＥは、計算を通じて第１のＵＥの正確な位置を取得するか、または測位測定を実行する。
【０４１８】
例えば、段階１４０２は、図５に示されるＵＥのプロセッサ５１により実行され得る。
【０４１９】
測位される必要があるＵＥの数が変わり得るので、測位サーバにより受信される測位要求が変わり得る。従って、測位要求に基づいて生成される測位支援データが変わり得る。さらに、基地局によりブロードキャストされる測位支援データは、変わり得る。段階６０５の前に、本願の方法の実施形態１０において提供される測位支援データ送信方法は、段階１５０１をさらに含み得る。例えば、図１４に示される段階６０５の前に、図１５に示される方法は、段階１５０１をさらに含み得る。
【０４２０】
Ｓ１５０１．第１のサービングセルに対応する基地局が第１の変更ページングメッセージを第１のＵＥへ送信する。
【０４２１】
例えば、段階１５０１は、図３に示される基地局の通信インタフェース３３により実行され得る。
【０４２２】
第１の変更ページングメッセージは、変更指示情報を保持するページングメッセージであり、第１の測位支援データに関連するシステムメッセージが変わっていることを示すために用いられ得る。例えば、第１の時点で、基地局によりブロードキャストされるシステムメッセージが第１の測位支援データを保持していない場合、第１のＵＥは、基地局によりブロードキャストされるシステムメッセージから第１の測位支援データを取得し得ない。その後、第２の時点で、基地局によりブロードキャストされるシステムメッセージが第１の測位支援データを保持する。この場合、基地局は、第１の変更ページングメッセージを第１のＵＥへ送信して、ブロードキャストを通じて第１の測位支援データを取得するよう第１のＵＥに命令し得る。反対に、基地局は、第１の時点でＵＥの測位支援データをブロードキャストし、第２の時点でブロードキャストを停止した場合、当該ページングメッセージをＵＥへ送信して、測位支援データのブロードキャストが停止されていることを基地局に通知してもよい。当該変更指示メッセージは、変更なし、増加、減少または更新などの測位支援データの変更をＵＥに通知するために用いられ得て、具体的には、ＲＴＫ法に関連する測位支援データ（ＭＡＣ、ＶＲＳまたはＦＫＰ）の変更指示、ＯＴＤＯＡ法を用いた測位支援データの変更指示、または別の方法の指示であり得る。具体的には、例えば、ＶＲＳ法における測位支援データが変わっているかどうかが通知される。すなわち、具体的な変更通知は、ＲＴＫ法に関連するシステムメッセージ、ＰＰＰ−ＲＴＫ法に関連するシステムメッセージ、またはＶＲＳ法における補正に関連するシステムメッセージなどの測位方法に関連するシステムメッセージが変わっているかどうかを示し得る。このことは、具体的には限定されない。
【０４２３】
Ｓ１５０２．第１のＵＥが、第１のサービングセルに対応する基地局により送信される第１の変更ページングメッセージを受信する。
【０４２４】
例えば、段階１５０２は、図５に示されるＵＥの通信インタフェース５３により実行され得る。
【０４２５】
例えば、第１のＵＥは、第１の変更ページングメッセージを受信した後に、測位支援データが変わっているか否か、具体的には、測位方法に関連する測位支援データが変わっているか否かを知り得る。次に、第１のＵＥは、具体的な状況に基づいて、支援データを受信するか、または別のオペレーションを実行する。
【０４２６】
本発明の本実施形態において提供される方法において、測位支援データがブロードキャストモードで送信される場合、測位される必要があるＵＥがＵＥの測位支援データを取得する前には、ＵＥは、別のネットワーク要素からメッセージを受信し得ないことに留意すべきである。基地局により送信され、システムメッセージの変更を示すページングメッセージが受信された後に、基地局によりブロードキャストされた対応する測位支援データの受信が開始され得る。このように、測位される必要があるＵＥの測位プロセスにおけるスペクトル効率およびリソース利用率が改善され得る。
【０４２７】
システムメッセージが変わっているか否かを前述の方法を用いて示すことに加え、測位支援データに関連するシステムメッセージが変わっているか否かを示す指示メッセージが、代替的に、システムメッセージにおいてブロードキャストされ得る。例えば、指示メッセージは、フィールドまたは値フラグ（値タグ）を保持し得る。具体的には、フィールドまたは値フラグは、ＳＩＢ  １または別のシステムメッセージ内に存在し得る。ＵＥは、システムメッセージに関連する値を格納しい得る。ＵＥに格納された値がシステムメッセージ内の値フラグとは異なる場合、ＵＥは、システムメッセージが変わっていることを知り、システムメッセージを取得し得る。具体的には、値フラグの変更は、１または複数のＳＩＢのみに関連する。代替的に、各方法に関連するシステムメッセージが値フラグを含み得る。例えば、ＳＩＢ  ２５がＶＲＳ法での補正（例えば、基準データ）を含み、ＳＩＢ  ２６がＰＰＰ−ＲＴＫでのＳＳＲ関連補正を含む。従って、システムメッセージが変わっているかどうかを示すために、２つの値フラグまたは１つのビットマップが用いられ得る。値フラグは、１ビット、２ビットまたは別の数のビットで表され得る。例えば、２ビットは、４つの値を示し得て、１つの値は、システムメッセージが変わるたびに１だけ増える。具体的な動作原則は、値フラグをＳＩＢ  １において設定する既存方式と同様である。値フラグは、ＳＩＢ  １、ＳＩＢ  ２または別のシステムメッセージ内に存在し得る。ビットマップは、２進数の群を含むストリングであり得る。各ビットが、これに対応して、システムメッセージが変わっているかどうかを示し得る。例えば、システムメッセージにおけるビットマップのビットが０から１に変わっている場合、これは、システムメッセージが変わっていることを示し、そうでない場合、これは、システムメッセージが変わらないままであることを示す。端末に格納された値が、システムメッセージにおける値フラグの値、またはビットマップに対応するビットとは異なる場合、システムメッセージが変わっており、システムメッセージが取得されていることが分かり得る。
【０４２８】
測位支援データに関連する方法においてシステムメッセージの変更を示すための前述の方法は、組み合わせで用いられ得る。例えば、値フラグが、ＳＩＢ  １における測位支援データに関連するシステムメッセージが変わっていることを示している場合、または、別のシステムメッセージがＳＩＢ  １において変わっているかどうかを示すために用いられる値フラグが変わっている場合、ＵＥは、特定のシステムメッセージの値フラグまたはビットマップ、例えば、ＶＲＳ法を含むシステムメッセージの値フラグが変わっているかどうかをクエリし続け得る。システムメッセージの値フラグまたはビットマップが変わっており、ＵＥが測位方法をサポートしている場合、ＵＥは、システムメッセージを再取得する必要がある。
【０４２９】
具体的には、ページングメッセージが、測位支援データに関連するシステムメッセージが変わっていることを示したか、またはシステムメッセージが変わっていることを示した後に、ＵＥは、特定のシステムメッセージの値フラグまたはビットマップ、例えば、ＶＲＳ法を含むシステムメッセージの値フラグが変わっているかどうかをクエリし続け得る。システムメッセージの値フラグまたはビットマップが変わっており、ＵＥが測位方法をサポートしている場合、ＵＥは、システムメッセージを再取得する必要がある。
【０４３０】
第１のＵＥがアイドル状態にある場合、コアネットワークデバイスまたは基地局のいずれかが、第１のＵＥに接続するよう要求し得る。具体的には、コアネットワークデバイスは、第１のＵＥに接続するよう要求する場合、ページングメッセージを基地局へ送信し得る。この場合、基地局は、ページングを第１のＵＥへ送信して、コアネットワークデバイスが第１のＵＥに接続すべきことを示し得る。
【０４３１】
具体的には、段階１３０２または段階１４０２の後に、本願の方法の実施形態１１において提供される測位支援データ送信方法は、段階１６０１および段階１６０２をさらに含み得る。例えば、図１４における段階１４０２の後に、図１６に示される測位支援データ送信方法は、段階１６０１および段階１６０２をさらに含み得る。
【０４３２】
Ｓ１６０１．第１のサービングセルに対応する基地局が第１の測位ページングメッセージを第１のＵＥへ送信する。
【０４３３】
例えば、段階１６０１は、図３に示される基地局の通信インタフェース３３により実行され得る。
【０４３４】
第１の測位ページングメッセージは、測位要求指示情報を保持するページングメッセージであり、第１のＵＥに接続するよう要求するために用いられる。
【０４３５】
Ｓ１６０２．第１のＵＥが、第１のサービングセルに対応する基地局により送信される第１の測位ページングメッセージを受信する。
【０４３６】
例えば、段階１６０２は、図５に示されるＵＥの通信インタフェース５３により実行され得る。
【０４３７】
このように、第１のＵＥは、コアネットワークデバイスまたは基地局への接続を確立し、コアネットワークデバイスまたは基地局とインタラクトし得る。
【０４３８】
コアネットワークデバイスまたは基地局への接続を確立する前に、第１のＵＥは、基地局によりブロードキャストされる第１の測位支援データに基づいて、を取得し得ることに留意すべきである。従って、コアネットワークデバイスまたは基地局に接続する前に、第１のＵＥは、第１の測位支援データに基づいて正確に測位され得る。これにより、スペクトル効率およびリソース利用率が改善する。
【０４３９】
第１のＵＥが第１の測位支援データを取得し、第１のＵＥの正確な位置を取得した後は、正確な位置の測位精度は、要件を満たし得ない。この場合、段階１４０２の後に、本願の方法の実施形態１２において提供される測位支援データ送信方法は、段階１７０１をさらに含み得る。例えば、図１４における段階１４０２の後に、図１７に示される測位支援データ送信方法は、段階１７０１をさらに含み得る。
【０４４０】
Ｓ１７０１．第１のＵＥが第１の支援データ要求メッセージを測位サーバへ送信する。
【０４４１】
例えば、段階１７０１は、図５に示されるＵＥの通信インタフェース５３により実行され得る。
【０４４２】
第１の支援データ要求メッセージは、追加の第１の測位支援情報を要求するために用いられる追加の要求指示情報を保持する。
【０４４３】
具体的には、ＵＥがブロードキャストを通じて測位支援データを受信した後に、測位支援データの精度が精度要件を満たしていない場合、ＵＥは、測位支援データを要求するためのメッセージを測位サーバへ送信する。当該メッセージは、ブロードキャスト測位支援情報以外の測位支援情報を要求するために用いられる。具体的には、第１の支援データ要求は、情報要素（ｉｎｆｏｒｍａｔｉｏｎ  ｅｌｅｍｅｎｔ、ＩＥ）またはフィールドを加えることにより、または新しいメッセージを加えることにより示されるメッセージであり得る。測位支援データは、ＯＴＤＯＡ法を用いた測位支援データまたは別の方法を用いた測位支援データであり得る。
【０４４４】
測位サーバが、第１のＵＥにより送信される第１の支援データ要求メッセージを受信し、第１のＵＥとインタラクトし得ることにより、第１のＵＥは、追加の第１の測位支援情報を取得することに留意すべきである。従って、第１のＵＥは、追加の第１の測位支援情報に基づいて、第１のＵＥの測位精度を満たす正確な位置を取得し得る。
【０４４５】
任意選択的に、第１のＵＥが測位サーバから追加の第１の測位支援データを取得し、第１のＵＥの正確な位置を改めて取得した後に、正確な位置の測位精度が依然として要件を満たし得ない場合、第１のＵＥは、第１の支援データ要求メッセージを測位サーバへ改めて送信して、追加の第１の測位支援データを改めて取得し得る。
【０４４６】
本発明の本実施形態において提供される測位支援データ送信方法において、測位される必要があるＵＥは、ＵＥが必要とする測位精度に基づいて、ＵＥの測位支援データと、測位サーバ側で生成される１または複数の追加の測位支援データとを取得し得る。このように、測位される必要があるＵＥの測位プロセスにおける測位精度が、ＵＥが必要とする測位精度を満たすように改善され得る。
【０４４７】
上記は主に、ネットワーク要素間のインタラクションの観点から、本発明の実施形態において提供される解決手段を説明している。前述の機能を実装するために、測位サーバ、基地局、コアネットワークデバイスおよび１または複数のＵＥなどの様々なネットワーク要素が、当該機能を実行するための対応するハードウェア構造および／またはソフトウェアモジュールを含むことが理解され得る。当業者であれば、本明細書において開示される実施形態において説明される例との組み合わせで、ユニット、アルゴリズムおよび段階が、ハードウェア、またはハードウェアとコンピュータソフトウェアとの組み合わせにより実装され得ることを容易に認識するはずである。ある機能がハードウェアにより実行されるか、またはコンピュータソフトウェアにより駆動されるハードウェアにより実行されるかは、技術的解決手段の具体的な用途および設計上の制約によって決まる。当業者であれば、異なる方法を用いて、説明された機能を特定の用途ごとに実装し得るが、当該実装が本願の範囲を超えるとみなされるべきではない。
【０４４８】
本発明の実施形態において、測位サーバ、基地局等は、前述の方法の例に基づいて、モジュールに分割され得る。例えば、モジュールは、対応する機能に基づく分割を通じて取得され、または、２またはそれより多くの機能が１つの処理モジュールに統合され得る。統合されたモジュールは、ハードウェアの形態で実装され得るか、またはソフトウェアモジュールの形態で実装され得る。本発明の実施形態において、モジュールへの分割は、例であり、論理的機能の分割に過ぎないことに留意すべきである。実際の実装においては、別の分割方式が用いられ得る。
【０４４９】
各機能モジュールが、対応する機能の各々に基づく分割を通じて取得される場合、図１８が、上述の実施形態において提供される測位サーバの可能な概略構成図である。図１８に示されるように、測位サーバ１８は、受信モジュール１８１および送信モジュール１８２を含み得る。
【０４５０】
受信モジュール１８１は、上述の実施形態における段階６０２、段階７０１、段階８０１ｅ、段階１００３、段階１１０４および段階１１０４ａの実行において測位サーバ１８をサポートするように構成され、および／または、本明細書において説明される技術における別の処理を実行するように構成される。送信モジュール１８２は、上述の実施形態における段階６０３、段階７０１ａ、段階７０２、段階８０３、段階９０１、段階１００１ａ、段階１１０１および段階１１０１ａの実行において測位サーバ１８をサポートするように構成され、および／または、本明細書において説明される技術における別の処理を実行するように構成される。
【０４５１】
さらに、図１９は、上述の実施形態において提供される測位サーバの別の可能な概略構成図である。図１９において、送信モジュール１８１は、送信サブモジュール１８２１および判断サブモジュール１８２２を含み得る。
【０４５２】
送信サブモジュール１８２１は、上述の実施形態における段階６０３、段階７０１ａ、段階７０１ｃ、段階７０２、段階８０３、段階９０１、段階１００１ａ、段階１１０１および段階１１０１ａの実行において測位サーバ１８をサポートするように構成され、および／または、本明細書において説明される技術における別の処理を実行するように構成される。判断サブモジュール１８２２は、上述の実施形態における段階８０１、段階８０１ａ、段階８０１ｂ、段階８０１ｃおよび段階８０１ｄの実行において測位サーバ１８をサポートするように構成され、および／または、本明細書において説明される技術における別の処理を実行するように構成される。
【０４５３】
さらに、図２０は、上述の実施形態において提供される測位サーバの別の可能な概略構成図である。図２０において、送信モジュール１８１は、分類サブモジュール１８２３を含み得る。
【０４５４】
分類サブモジュール１８２３は、上述の実施形態における段階８０２の実行において測位サーバ１８をサポートするように構成され、および／または、本明細書において説明される技術における別の処理を実行するように構成される。
【０４５５】
さらに、図２１は、上述の実施形態において提供される測位サーバの別の可能な概略構成図である。図２１において、測位サーバは、生成モジュール１８３をさらに含み得る。
【０４５６】
生成モジュール１８３は、上述の実施形態における段階１１０５および段階１１０５ａの実行において測位サーバ１８をサポートするように構成され、および／または、本明細書において説明される技術における別の処理を実行するように構成される。
【０４５７】
統合されたユニットが用いられる場合、判断サブモジュール１８２２、分類サブモジュール１８２３、生成モジュール１８３等は、実装のために１つの処理モジュールに統合され得る。処理モジュールは、プロセッサまたはコントローラ、例えば、ＣＰＵ、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、別のプログラマブルロジックデバイス、トランジスタロジックデバイスもしくはハードウェアコンポーネントまたはそれらの任意の組み合わせなどであり得る。コントローラ／プロセッサは、本発明において開示される内容を参照して説明される様々な例示的な論理ブロック、モジュールおよび回路を実装または実行し得る。処理ユニットは、演算機能を実装した組み合わせ、例えば、１または複数のマイクロプロセッサの組み合わせまたはＤＳＰとマイクロプロセッサとの組み合わせであり得る。送信サブモジュール１８２１および受信モジュール１８２は、１つの通信インタフェースに統合され得る。記憶モジュールがメモリであり得る。
【０４５８】
上述の実施形態における図２に示される測位サーバを参照すると、処理モジュールは、図２に示されるプロセッサ２１およびプロセッサ２５などの１または複数のプロセッサであり得る。記憶モジュールは、図２に示されるメモリ２２であり得る。送信サブモジュール１８２１は、通信インタフェース２３を用いて実装され得る。
【０４５９】
通信バス２４は、具体的には、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ、ＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス等であり得る。通信バス２４は、アドレスバス、データバス、コントロールバス等に分類され得る。このことは、本発明の本実施形態において限定されない。
【０４６０】
本発明の本実施形態において提供される測位サーバ１８のモジュールと、上述の実施形態における関連する方法の段階をモジュールが実行した後にもたらされる技術的効果とについての詳細な説明に関しては、本発明の実施形態での方法における関連する説明を参照すべきことに留意すべきである。本明細書において、詳細を説明しない。
【０４６１】
各機能モジュールが、対応する機能の各々に基づく分割を通じて取得される場合、図２２が、上述の実施形態において提供される基地局の可能な概略構成図である。図２２に示されるように、基地局２２は、受信ユニット２２１および送信ユニット２２２を含み得る。
【０４６２】
受信モジュール２２１は、上述の実施形態における段階６０４、段階８０４、段階９０２、段階１１０２、段階１２０２および段階１４０１の実行において基地局２２をサポートするように構成され、および／または、本明細書において説明される技術における別の処理を実行するように構成される。送信モジュール２２２は、上述の実施形態における段階６０５、段階８０５、段階１１０３、段階１２０３、段階１３０１、段階１５０１および段階１６０１の実行において基地局２２をサポートするように構成され、および／または、本明細書において説明される技術における別の処理を実行するように構成される。
【０４６３】
さらに、図２３は、上述の実施形態において提供される基地局の別の可能な概略構成図である。図２３において、送信モジュール２２２は、分類サブモジュール２２２１および送信サブモジュール２２２２を含み得る。
【０４６４】
分類サブモジュール２２２１は、上述の実施形態における段階６０５ａの実行において基地局２２をサポートするように構成され、および／または、本明細書において説明される技術における別の処理を実行するように構成される。送信サブモジュール２２２２は、上述の実施形態における段階６０５、段階８０５、段階１１０３、段階１３０１、段階１５０１および段階１６０１の実行において基地局２２をサポートするように構成され、および／または、本明細書において説明される技術における別の処理を実行するように構成される。
【０４６５】
統合されたユニットが用いられる場合、分類サブモジュール２２２１は、処理モジュールにより実装され得る。処理モジュールは、プロセッサまたはコントローラ、例えば、ＣＰＵ、汎用プロセッサ、ＤＳＰ、ＡＳＩＣ、ＦＰＧＡ、別のプログラマブルロジックデバイス、トランジスタロジックデバイスもしくはハードウェアコンポーネントまたはそれらの任意の組み合わせであり得る。コントローラ／プロセッサは、本発明において開示される内容を参照して説明される様々な例示的な論理ブロック、モジュールおよび回路を実装または実行し得る。処理ユニットは、演算機能を実装した組み合わせ、例えば、１または複数のマイクロプロセッサの組み合わせまたはＤＳＰとマイクロプロセッサとの組み合わせであり得る。送信サブモジュール２２２２および受信モジュール２２１は、１つの通信インタフェースに統合され得る。記憶モジュールがメモリであり得る。
【０４６６】
上述の実施形態における図３に示される基地局を参照すると、処理モジュールは、図３に示されるプロセッサ３１およびプロセッサ３５などの１または複数のプロセッサであり得る。記憶モジュールは、図３に示されるメモリ３２であり得る。送信サブモジュール２２２２は、通信インタフェース３３を用いて実装され得る。
【０４６７】
通信バス３４は、具体的には、ＰＣＩバス、ＥＩＳＡバス等であり得る。通信バス３４は、アドレスバス、データバス、コントロールバス等に分類され得る。このことは、本発明の本実施形態において限定されない。
【０４６８】
本発明の本実施形態において提供される基地局２２のモジュールと、上述の実施形態における関連する方法の段階をモジュールが実行した後にもたらされる技術的効果とについての詳細な説明に関しては、本発明の実施形態での方法における関連する説明を参照すべきことに留意すべきである。本明細書において、詳細を説明しない。
【０４６９】
各機能モジュールが、対応する機能の各々に基づく分割を通じて取得される場合、図２４が、上述の実施形態において提供されるコアネットワークデバイスの可能な概略構造図である。図２４に示されるように、コアネットワークデバイス２４は、送信モジュール２４１および判断モジュール２４２を含み得る。
【０４７０】
送信モジュール２４１は、上述の実施形態における段階６０１、段階１００１、段階１００２および段階１２０１の実行においてコアネットワークデバイス２４をサポートするように構成され、および／または、本明細書において説明される技術における別の処理を実行するように構成される。判断モジュール２４２は、上述の実施形態における「第１の条件が満たされているという判断」および「第２の条件が満たされているという判断」の実行においてコアネットワークデバイス２４をサポートするように構成され、および／または、本明細書において説明される技術における別の処理を実行するように構成される。
【０４７１】
さらに、図２５は、上述の実施形態において提供されるコアネットワークデバイスの別の可能な概略構成図である。図２５において、コアネットワークデバイス２４は、受信モジュール２４３をさらに含み得る。
【０４７２】
受信モジュール２４３は、上述の実施形態における段階１００１ｂの実行においてコアネットワークデバイス２４をサポートするように構成され、および／または、本明細書において説明される技術における別の処理を実行するように構成される。
【０４７３】
統合されたユニットが用いられる場合、判断モジュール２４２は、処理モジュールにより実装され得る。処理モジュールは、プロセッサまたはコントローラ、例えば、ＣＰＵ、汎用プロセッサ、ＤＳＰ、ＡＳＩＣ、ＦＰＧＡ、別のプログラマブルロジックデバイス、トランジスタロジックデバイスもしくはハードウェアコンポーネントまたはそれらの任意の組み合わせであり得る。コントローラ／プロセッサは、本発明において開示される内容を参照して説明される様々な例示的な論理ブロック、モジュールおよび回路を実装または実行し得る。処理ユニットは、演算機能を実装した組み合わせ、例えば、１または複数のマイクロプロセッサの組み合わせまたはＤＳＰとマイクロプロセッサとの組み合わせであり得る。送信モジュール２４１および受信モジュール２４３は、１つの通信インタフェースに統合され得る。記憶モジュールがメモリであり得る。
【０４７４】
上述の実施形態における図４に示されるコアネットワークデバイスを参照すると、処理モジュールは、図４に示されるプロセッサ４１およびプロセッサ４５などの１または複数のプロセッサであり得る。記憶モジュールは、図４に示されるメモリ４２であり得る。送信モジュール２４１および受信モジュール２４３は、実装のために通信インタフェース４３に統合され得る。
【０４７５】
通信バス４４は、具体的には、ＰＣＩバス、ＥＩＳＡバス等であり得る。通信バス４４は、アドレスバス、データバス、コントロールバス等に分類され得る。このことは、本発明の本実施形態において限定されない。
【０４７６】
本発明の本実施形態において提供されるコアネットワークデバイス２４と、上述の実施形態における関連する方法の段階をモジュールが実行した後にもたらされる技術的効果とについての詳細な説明に関しては、本発明の実施形態での方法における関連する説明を参照すべきことに留意すべきである。本明細書において、詳細を説明しない。
【０４７７】
本発明の実施形態において提供される測位支援データ送信システムは、同じであり得る１または複数のＵＥを含むので従って、本発明の実施形態において、単に、機能モジュールへのこれら１または複数のＵＥのいずれか１つの分割が具体的に説明される。
【０４７８】
各機能モジュールが、対応する機能の各々に基づく分割を通じて取得される場合、図２６が、上述の実施形態において提供されるＵＥの可能な概略構成図である。図２６に示されるように、ＵＥ２６は、受信モジュール２６１および送信モジュール２６２を含み得る。
【０４７９】
受信モジュール２６１は、上述の実施形態における段階７０１ｂ、段階１１０２ａ、段階１３０１、段階１４０１、段階１５０２および段階１６０２の実行においてＵＥ２６をサポートするように構成され、および／または、本明細書において説明される技術における別の処理を実行するように構成される。送信モジュール２６２は、上述の実施形態における段階７０１ｃ、段階１１０３ａおよび段階１７０１の実行においてコアネットワークデバイス２４をサポートするように構成される。
【０４８０】
さらに、図２７は、上述の実施形態において提供されるＵＥの別の可能な概略構成図である。図２７において、ＵＥ２６は、計算モジュール２６３をさらに含み得る。
【０４８１】
計算モジュール２６３は、上述の実施形態における段階１３０２および段階１４０２の実行においてＵＥ２６をサポートするように構成され、および／または、本明細書において説明される技術における別の処理を実行するように構成される。
【０４８２】
統合されたユニットが用いられる場合、計算モジュール２６３は、処理モジュールにより実装され得る。処理モジュールは、プロセッサまたはコントローラ、例えば、ＣＰＵ、汎用プロセッサ、ＤＳＰ、ＡＳＩＣ、ＦＰＧＡ、別のプログラマブルロジックデバイス、トランジスタロジックデバイスもしくはハードウェアコンポーネントまたはそれらの任意の組み合わせであり得る。コントローラ／プロセッサは、本発明において開示される内容を参照して説明される様々な例示的な論理ブロック、モジュールおよび回路を実装または実行し得る。処理ユニットは、演算機能を実装した組み合わせ、例えば、１または複数のマイクロプロセッサの組み合わせまたはＤＳＰとマイクロプロセッサとの組み合わせであり得る。送信モジュール２６２および受信モジュール２６１は、１つの通信インタフェースに統合され得る。記憶モジュールがメモリであり得る。
【０４８３】
上述の実施形態における図５に示されるＵＥを参照すると、処理モジュールは、図５に示されるプロセッサ５１およびプロセッサ５５などの１または複数のプロセッサであり得る。記憶モジュールは、図５に示されるメモリ４２であり得る。送信モジュール２６２および受信モジュール２６１は、実装のために通信インタフェース５３に統合され得る。
【０４８４】
通信バス５４は、具体的には、ＰＣＩバス、ＥＩＳＡバス等であり得る。通信バス４４は、アドレスバス、データバス、コントロールバス等に分類され得る。このことは、本発明の本実施形態において限定されない。
【０４８５】
本発明の本実施形態において提供されるコアネットワークデバイス２４と、上述の実施形態における関連する方法の段階をモジュールが実行した後にもたらされる技術的効果とについての詳細な説明に関しては、本発明の実施形態での方法における関連する説明を参照すべきことに留意すべきである。本明細書において、詳細を説明しない。
【０４８６】
実装についての前述の説明により、当業者は、簡便かつ簡潔な説明を目的として、前述の機能モジュールへの分割は例示のための例として用いられているのを理解することが可能になる。実際の用途において、前述の機能は、異なるモジュールに割り当てられ、要件に基づいて実装され得る。すなわち、装置の内部構造は、上述の機能の全てまたはいくつかを実装するために、異なる機能モジュールに分割される。前述のシステム、装置およびユニットの詳細な動作プロセスについては、前述の方法の実施形態における対応するプロセスを参照されたい。本明細書においては、詳細を改めて説明しない。
【０４８７】
本願において提供されるいくつかの実施形態において、開示されたシステム、装置および方法は、他の方式で実装され得ることが理解されるべきである。例えば、説明された装置の実施形態は、例に過ぎない。例えば、モジュールまたはユニットの分割は、論理的機能の分割に過ぎず、実際の実装においては、他の分割であってよい。例えば、複数のユニットまたはコンポーネントが組み合わされても別のシステムに統合されてもよく、いくつかの機能が無視されても実行されなくてもよい。加えて、表示または議論された相互結合もしくは直接結合または通信接続は、いくつかのインタフェースを用いて実装されてよい。装置間またはユニット間の間接結合または通信接続は、電子的形態、機械的形態または他の形態で実装されてよい。
【０４８８】
別個の部分として説明されたユニットは、物理的に別個であってもなくてもよく、ユニットとして表示された部分は、物理ユニットであってもなくてもよく、１箇所に位置してもよく、複数のネットワークユニットに分散されてもよい。実施形態の解決手段の目的を達成するために、当該ユニットのいくつかまたは全てが、実際の要件に基づいて選択されてよい。
【０４８９】
加えて、本願の実施形態における機能ユニットは、１つの処理ユニットに統合されてよく、または、当該ユニットの各々が、物理的に単独で存在してよく、または、２またはそれより多くのユニットが１つのユニットに統合される。統合されたユニットは、ハードウェアの形態で実装されてもソフトウェア機能ユニットの形態で実装されてもよい。
【０４９０】
統合されたユニットがソフトウェア機能ユニットの形態で実装され、独立した製品として販売または使用される場合、統合されたユニットは、コンピュータ可読記憶媒体に格納されてよい。そのような理解に基づいて、基本的には本願の技術的解決手段、もしくは従来技術に寄与する部分、または当該技術的解決手段の全てもしくはいくつかが、ソフトウェア製品の形態で実装されてよい。コンピュータソフトウェア製品は、記憶媒体に格納されており、本願の実施形態において説明された方法の段階の全てまたはいくつかを実行するようコンピュータデバイス（パーソナルコンピュータ、サーバ、ネットワークデバイス等であってよい）に命令するためのいくつかの命令を含む。前述の記憶媒体は、フラッシュメモリ、リムーバブルハードディスク、リードオンリメモリ、ランダムアクセスメモリ、磁気ディスクまたは光ディスクなど、プログラムコードを格納できるあらゆる媒体を含む。
【０４９１】
前述の説明は、本願の具体的な実装に過ぎず、本願の保護範囲を限定することは意図していない。本願において開示された技術範囲内のあらゆる変形または置き換えは、本願の保護範囲に含まれるものとする。従って、本願の保護範囲は、特許請求の範囲の保護範囲の対象になるものとする。
【図１】
2020529006.tif 000003
【図２】
2020529006.tif 000004
【図３】
2020529006.tif 000005
【図４】
2020529006.tif 000006
【図５】
2020529006.tif 000007
【図６】
2020529006.tif 000008
【図７】
2020529006.tif 000009
【図８Ａ】
2020529006.tif 000010
【図８Ｂ】
2020529006.tif 000011
【図９】
2020529006.tif 000012
【図１０Ａ】
2020529006.tif 000013
【図１０Ｂ】
2020529006.tif 000014
【図１１Ａ】
2020529006.tif 000015
【図１１Ｂ】
2020529006.tif 000016
【図１１ａ−１】
2020529006.tif 000017
【図１１ａ−２】
2020529006.tif 000018
【図１２】
2020529006.tif 000019
【図１３】
2020529006.tif 000020
【図１４】
2020529006.tif 000021
【図１５】
2020529006.tif 000022
【図１６】
2020529006.tif 000023
【図１７】
2020529006.tif 000024
【図１８】
2020529006.tif 000025
【図１９】
2020529006.tif 000026
【図２０】
2020529006.tif 000027
【図２１】
2020529006.tif 000028
【図２２】
2020529006.tif 000029
【図２３】
2020529006.tif 000030
【図２４】
2020529006.tif 000031
【図２５】
2020529006.tif 000032
【図２６】
2020529006.tif 000033
【図２７】
2020529006.tif 000034
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
測位支援データ送信方法であって、
測位サーバが、コアネットワークデバイスにより送信される少なくとも１つの測位要求を受信する段階であって、前記少なくとも１つの測位要求は、ユーザ機器（ＵＥ）の識別子および前記ＵＥのサービングセルの識別子を含む、段階と、
前記測位サーバが、前記少なくとも１つの測位要求に基づいて、少なくとも１つの測位支援データを基地局へ送信する段階と
を備える方法。
【請求項２】
前記測位サーバが、前記少なくとも１つの測位要求に基づいて、少なくとも１つの測位支援データを基地局へ送信する前記段階の前に、
前記測位サーバが、前記ＵＥにより送信される第１のメッセージを受信する段階であって、前記第１のメッセージは、前記ＵＥの測位性能指示情報、測位精度指示情報および／またはサービスタイプ指示情報のうちの少なくとも１つを含み、前記測位性能指示情報は、前記ＵＥの測位性能を示すために用いられ、前記測位精度指示情報は、前記ＵＥによりサポートされる測位精度を示すために用いられ、前記サービスタイプ指示情報は、前記ＵＥによりサポートされるサービスタイプを示すために用いられる、段階
をさらに備える、請求項１に記載の方法。
【請求項３】
前記ＵＥによりサポートされる前記測位性能は、ダウンリンク観測到達時間差（ＯＴＤＯＡ）法、リアルタイムキャリア位相（ＲＴＫ）法、リアルタイムキネマティック疑似距離差（ＲＴＤ）法、状態空間表現（ＳＳＲ）法、仮想基準局（ＶＲＳ）法、マスタ補助コンセプト（ＭＡＣ）法、面補正パラメータ（ＦＫＰ）法および精密単独測位（ＰＰＰ）法のうちの少なくとも１つを含む、
請求項２に記載の方法。
【請求項４】
前記測位サーバが、第１のサービングセルの識別子に基づいて、前記少なくとも１つの測位支援データを前記第１のサービングセルに対応する前記基地局へ送信する段階の後に、
前記測位サーバが、停止指示メッセージを前記第１のサービングセルに対応する前記基地局へ送信する段階であって、前記停止指示メッセージは、前記第１のサービングセルに対応する前記基地局への前記少なくとも１つの測位支援データの送信が停止されていることを示すために用いられる、段階
をさらに備える、請求項２に記載の方法。
【請求項５】
測位支援データ送信方法であって、
基地局が、測位サーバにより送信される少なくとも１つの測位支援データを受信する段階と、
前記基地局が前記少なくとも１つの測位支援データをブロードキャストする段階と
を備える方法。
【請求項６】
前記基地局が前記少なくとも１つの測位支援データをブロードキャストする前記段階は、
第１のサービングセルに対応する基地局について、前記第１のサービングセルに対応する前記基地局が、異なるタイプの少なくとも１つの測位支援データをブロードキャストする段階
を有する、
請求項５に記載の方法。
【請求項７】
前記基地局が命令情報を受信する段階であって、前記命令情報は、前記少なくとも１つの測位支援データを前記基地局へ送信することを停止するよう命令するために用いられる、段階
をさらに備える、請求項５または６に記載の方法。
【請求項８】
測位支援データ送信方法であって、
第１のユーザ機器（第１のＵＥ）が、第１のサービングセルに対応する基地局によりブロードキャストされる第１の測位支援データを取得する段階であって、前記第１の測位支援データは、前記第１のＵＥにより計算を通じて正確な位置を取得するために用いられるか、または、前記第１の測位支援データは、前記第１のＵＥにより測位測定を実行するために用いられ、前記第１のＵＥは、前記第１のサービングセル内の測位される必要があるＵＥである、段階
を備える方法。
【請求項９】
第１のＵＥが、第１のサービングセルに対応する基地局によりブロードキャストされる第１の測位支援データを取得する前記段階の前に、
前記第１のＵＥが前記第１のＵＥの第１のメッセージを測位サーバへ送信する段階であって、前記第１のＵＥの前記第１のメッセージは、前記第１のＵＥの測位性能指示情報、前記第１のＵＥの測位精度指示情報、または前記第１のＵＥのサービスタイプ指示情報のうちの少なくとも１つを含み、前記第１のＵＥの前記測位性能指示情報は、前記第１のＵＥの測位性能を示すために用いられ、前記第１のＵＥの前記測位精度指示情報は、前記第１のＵＥによりサポートされる測位精度を示すために用いられ、前記第１のＵＥの前記サービスタイプ指示情報は、前記第１のＵＥによりサポートされるサービスタイプを示すために用いられる、段階
をさらに備える、請求項８に記載の方法。
【請求項１０】
第１のＵＥが、第１のサービングセルに対応する基地局によりブロードキャストされる第１の測位支援データを取得する前記段階の前に、
前記第１のＵＥが、前記第１のサービングセルに対応する前記基地局により送信される第１の変更ページングメッセージを受信する段階であって、前記第１の変更ページングメッセージは、前記第１の測位支援データに関連するシステムメッセージが変わっていることを示すために用いられる変更指示情報を保持する、段階
をさらに備える、請求項９に記載の方法。
【請求項１１】
第１のＵＥが、第１のサービングセルに対応する基地局によりブロードキャストされる第１の測位支援データを取得する前記段階の後に、
前記第１のＵＥが、前記第１のサービングセルに対応する前記基地局により送信される第１の測位ページングメッセージを受信する段階であって、前記第１の測位ページングメッセージは、測位要求指示情報を保持する、段階
をさらに備える、請求項１０に記載の方法。
【請求項１２】
１または複数のプロセッサと、メモリと、通信インタフェースと、バスとを備える測位サーバであって、
前記メモリは、少なくとも１つの命令を格納するように構成され、前記１または複数のプロセッサ、前記メモリおよび前記通信インタフェースは、前記バスを用いて接続され、前記測位サーバが動作した場合、前記１または複数のプロセッサが、前記メモリに格納された前記少なくとも１つの命令を実行することにより、前記測位サーバは、請求項１から４のいずれか一項に記載の測位支援データ送信方法を実行する、
測位サーバ。
【請求項１３】
１または複数のプロセッサと、メモリと、通信インタフェースと、バスとを備える基地局であって、
前記メモリは、少なくとも１つの命令を格納するように構成され、前記１または複数のプロセッサ、前記メモリおよび前記通信インタフェースは、前記バスを用いて接続され、前記基地局が動作した場合、前記１または複数のプロセッサが、前記メモリに格納された前記少なくとも１つの命令を実行することにより、前記基地局は、請求項５から７のいずれか一項に記載の測位支援データ送信方法を実行する、
基地局。
【請求項１４】
１または複数のプロセッサと、メモリと、通信インタフェースと、バスとを備えるＵＥであって、
前記メモリは、少なくとも１つの命令を格納するように構成され、前記１または複数のプロセッサ、前記メモリおよび前記通信インタフェースは、前記バスを用いて接続され、前記ＵＥが動作した場合、前記１または複数のプロセッサが、前記メモリに格納された前記少なくとも１つの命令を実行することにより、前記ＵＥは、請求項７から１０のいずれか一項に記載の測位支援データ送信方法を実行する、
ＵＥ。
【請求項１５】
コンピュータに請求項１から４のいずれか一項に記載の方法を実行させるプログラム。
【請求項１６】
コンピュータに請求項５から７のいずれか一項に記載の方法を実行させるプログラム。
【請求項１７】
コンピュータに請求項８から１１のいずれか一項に記載の方法を実行させるプログラム。
【請求項１８】
請求項１２に記載の測位サーバと、
請求項１３に記載の基地局と、
請求項１４に記載のＵＥと
を備える測位支援データ送信システム。
【手続補正２】
【補正対象書類名】明細書
【補正対象項目名】全文
【補正方法】変更
【補正の内容】
【発明の詳細な説明】
【技術分野】
【０００１】
本発明の実施形態は、通信技術分野に関し、特に、測位支援データ送信方法および測位支援データ送信方法システムならびにデバイスに関する。
【背景技術】
【０００２】
通信技術の発展に伴い、近年、全地球測位システム（Ｇｌｏｂａｌ  Ｐｏｓｉｔｉｏｎｉｎｇ  Ｓｙｓｔｅｍ、ＧＰＳ）がより広く適用されてきた。これに応じて、測位精度についてより高い要件が提起されている。例えば、無人航空機およびインテリジェントドライビングなどの分野における測位精度の要件が、ますます高くなっている。
【０００３】
新しいＧＰＳ測定方法として、キャリア位相差（Ｒｅａｌ  ｔｉｍｅ  ｋｉｎｅｍａｔｉｃ、ＲＴＫ）技術が、キャリア位相リアルタイムキネマティック差分法を用いており、センチメートルレベルの測位精度をリアルタイムで取得し得ることで、測位精度が大幅に改善している。具体的には、ＲＴＫサーバが、基準局から基準データを取得し、ユーザ機器（Ｕｓｅｒ  Ｅｑｕｉｐｍｅｎｔ、ＵＥ）の大まかな位置を取得し得る。その後、ＲＴＫサーバは、基準データおよび大まかな位置に基づき、計算を通じて、ＵＥのＲＴＫ関連情報（例えば、測位支援データ）を取得し得る。このように、ＵＥは、ＲＴＫ関連情報に基づいてＵＥの大まかな位置を補正して、正確な位置を取得し得る。
【０００４】
従来技術では、３ＧＰＰ  ｒｅｌ−１５が、ＲＴＫ関連情報のユニキャストおよびブロードキャストをサポートすることに同意している。このように、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）技術における測位精度が改善され得ると共に、スペクトル効率およびリソース利用率が改善され得る。
【０００５】
しかしながら、従来技術では、ＵＥの正確な測位をサポートするＲＴＫ関連情報をユニキャストモードで送信するか、またはブロードキャストモードで送信するかが、３ＧＰＰ技術で判断されていなかった。
【発明の概要】
【０００６】
本願は、測位支援データ送信方法および測位支援データ送信システムならびにデバイスを提供する。測位支援データ送信プロセスにおいて、本願は、具体的には、測位支援データの送信をユニキャストモードからブロードキャストモードへ切り替える処理に適用される。これにより、測位精度、スペクトル効率およびリソース利用率が改善する。
【０００７】
前述の目的を達成するために、以下の技術的解決手段が本願において用いられる。
【０００８】
第１の態様によれば、本願において提供される測位支援データ送信方法は、
測位サーバが、コアネットワークデバイスにより送信される少なくとも１つの測位要求を受信する段階であって、測位要求は、ユーザ機器ＵＥの識別子およびＵＥのサービングセルの識別子を含む、段階と、
測位サーバが、少なくとも１つの測位要求に基づいて、少なくとも１つの測位支援データを基地局へ送信する段階と
を備え得る。
【０００９】
本願において提供される測位支援データ送信方法は、３ＧＰＰ技術を用いた測位システムに適用され得ることに留意すべきである。測位サーバが、少なくとも１つの測位要求を受信した後に、少なくとも１つの測位要求に対応するＵＥ（すなわち、測位される必要があるＵＥ）の測位支援データを基地局へ送信し得ることにより、基地局は、測位支援データをブロードキャストできる。加えて、あるセル内の測位支援データは当該セル内のＵＥについて同じなので、測位サーバは、測位支援データをブロードキャストモードで送信するが、同じ測位支援データを複数のＵＥへ別々に送信する必要はない。これにより、複数のＵＥの全てが、測位支援データを取得し得る。従って本願において提供される測位支援データは、ブロードキャストモードで送信され得る。これにより、リソース利用率およびスペクトル効率が改善する。
【００１０】
第１の態様に関連して、第１の可能な実装において、測位サーバは、少なくとも１つの測位要求に基づいて少なくとも１つの測位支援データを基地局へ送信する前に、さらに、測位される必要があるＵＥとインタラクトして、少なくとも１つの測位支援データを生成し得る。具体的には、測位サーバが少なくとも１つの測位支援データを基地局へ送信する段階の前に、方法は、
測位サーバが、ＵＥにより送信される第１のメッセージを受信する段階であって、第１のメッセージは、ＵＥの測位性能指示情報、測位精度指示情報および／またはサービスタイプ指示情報のうちの少なくとも１つを含み、測位性能指示情報は、ＵＥの測位性能を示すために用いられ、測位精度指示情報は、ＵＥによりサポートされる測位精度を示すために用いられ、サービスタイプ指示情報は、ＵＥによりサポートされるサービスタイプを示すために用いられる、段階
をさらに備え得る。
【００１１】
測位される必要があるＵＥがＵＥの測位性能指示情報、測位精度指示情報またはサービスタイプ指示情報のうちの１つを提供することを条件として、測位サーバは、指示情報に基づいて対応する測位支援データを生成することにより、測位支援データ生成処理をより信頼できるものにし得る。
【００１２】
第１の可能な実装に関連して、第２の可能な実装において、ＵＥによりサポートされる測位性能は、ダウンリンク観測到達時間差ＯＴＤＯＡ法、リアルタイムキャリア位相ＲＴＫ法、リアルタイムキネマティック疑似距離差ＲＴＤ法、状態空間表現ＳＳＲ法、仮想基準局ＶＲＳ法、マスタ補助コンセプトＭＡＣ法、面補正パラメータＦＫＰ法および精密単独測位ＰＰＰ法のうちの少なくとも１つを含む。
【００１３】
本願において提供されるＵＥの測位性能は、１または複数の測位方法をサポートし得る。例えば、ＵＥは、ＯＴＤＯＡ法をサポートしながら、ＲＴＫ法をサポートし得る。このように、ＵＥは、ＯＴＤＯＡ法における測位手順およびＲＴＫ法における測位手順の両方を用いて測位され得る。これにより、ＵＥの測位プロセスにおける測位精度が改善する。
【００１４】
第１の可能な実装または第２の可能な実装に関連して、第３の可能な実装において、第１のサービングセルについて、測位サーバが、少なくとも１つの測位要求に基づいて、少なくとも１つの測位支援データを基地局へ送信する段階は、
第１のサービングセルに対応する基地局について第１の条件が満たされている場合、測位サーバが、第１のサービングセルの識別子に基づいて、少なくとも１つの測位支援データを第１のサービングセルに対応する基地局へ送信する段階であって、第１の条件は、
測位サーバが、第１のサービングセル内の測位される必要があるＵＥの数が第１の閾値より大きい、と判断すること、および／または、
測位サーバが、第１のサービングセル内の測位される必要があるＵＥのうち任意の測位性能を満たすＵＥの数が第２の閾値より大きい、と判断すること、および／または、
測位サーバが、第１のサービングセル内の測位される必要があるＵＥのうち任意のサポートされる測位精度を満たすＵＥの数が第３の閾値より大きい、と判断すること、および／または、
測位サーバが、第１のサービングセル内の測位される必要があるＵＥのうち任意の測位サービスタイプを満たすＵＥの数が第４の閾値より大きい、と判断すること、および／または、
測位サーバが、コアネットワークデバイスにより送信される第１の命令情報であって、測位支援データを第１のサービングセル内の測位される必要があるＵＥへブロードキャストモードで送信するよう命令するために用いられる、第１の命令情報を受信すること
という条件のいずれか１つである、段階
を有し得る。
【００１５】
本願において提供される測位支援データ送信方法において、測位サーバは、測位サーバが、コアネットワークデバイスにより送信される第１の命令情報を受信し、測位される必要があるＵＥの測位性能指示情報、測位精度指示情報またはサービスタイプ指示情報のうちの１つを取得することを条件として、測位支援データをブロードキャストモードまたはユニキャストモードのいずれで送信するかを決定し得ることに留意すべきである。このように、ＵＥの測位プロセスにおける測位支援データの送信は、ユニキャストモードからブロードキャストモードへ切り替えられ、測位支援データを送信するためにユニキャストモードから切り替えられることが決定されているブロードキャストモードの信頼性は、比較的高く、測位支援データ送信プロセスにおけるリソース利用率が改善される。
【００１６】
第３の可能な実装に関連して、第４の可能な実装において、測位サーバが、第１のサービングセルの識別子に基づいて、少なくとも１つの測位支援データを第１のサービングセルに対応する基地局へ送信する段階は、
測位サーバが、第１のサービングセル内の測位される必要があるＵＥの測位性能および／または測位精度および／または測位サービスタイプに基づいて少なくとも１つの測位支援データを分類して、異なるタイプの少なくとも１つの測位支援データを取得する段階と、
測位サーバが、第１のサービングセルの識別子に基づいて、異なるタイプの少なくとも１つの測位支援データを第１のサービングセルに対応する基地局へ送信する段階と
を含み得る。
【００１７】
本願において提供される測位支援データ送信方法において、測位サーバが、測位支援データをユニキャストモードまたはブロードキャストモードで送信することを決定する前に、測位サーバにより送信される複数の測位支援データを異なるタイプに分類することにより、基地局は異なるタイプに基づいて測位支援データをブロードキャストできることに留意すべきである。このように、測位される必要があるＵＥは、基地局によりブロードキャストされる、対応するタイプの測位支援データを取得し得る。これにより、ＵＥの測位精度が改善する。
【００１８】
第４の可能な実装に関連して、第５の可能な実装において、測位サーバが、第１のサービングセルの識別子に基づいて、少なくとも１つの測位支援データを第１のサービングセルに対応する基地局へ送信する段階の後に、方法は、
測位サーバが、第１のサービングセルの識別子に基づいて、停止指示メッセージを第１のサービングセルに対応する基地局へ送信する段階であって、停止指示メッセージは、基地局への少なくとも１つの測位支援データの送信が停止されていることを示すために用いられる、段階
をさらに備え得る。
【００１９】
停止指示メッセージは、測位サーバが少なくとも１つの測位支援データの基地局への送信を停止していることを示すために用いられる。このように、測位サーバが測位支援データをブロードキャストする必要がない場合、測位サーバが、測位支援データをユニキャストモードで送信することにより、測位支援データの送信がブロードキャストモードとユニキャストモードとの間で切り替えられ、リソースの適切な使用が実装され得る。
【００２０】
第５の可能な実装に関連して、第６の可能な実装において、測位サーバが停止指示メッセージを第１のサービングセルに対応する基地局へ送信する段階は、
第１のサービングセルに対応する基地局について、第２の条件が満たされている場合、測位サーバが停止指示メッセージを第１のサービングセルに対応する基地局へ送信する段階であって、停止指示メッセージは、基地局への少なくとも１つの測位支援データの送信が停止されていることを示すために用いられ、第２の条件は、
測位サーバが、第１のサービングセル内の測位される必要があるＵＥの数が、第１の閾値より小さいかまたはそれと等しい第５の閾値より小さいかまたはそれと等しい、と判断すること、および／または、
測位サーバが、第１のサービングセル内の測位される必要があるＵＥのうち任意のＵＥ測位性能を満たすＵＥの数が、第２の閾値より小さいかまたはそれと等しい第６の閾値より小さいかまたはそれと等しい、と判断すること、および／または、
測位サーバが、第１のサービングセル内の測位される必要があるＵＥのうち任意のサポートされる測位方法を満たすＵＥの数が、第３の閾値より小さいかまたはそれと等しい第７の閾値より小さいかまたはそれと等しい、と判断すること、および／または、
測位サーバが、第１のサービングセル内の測位される必要があるＵＥのうち任意の測位サービスタイプを満たすＵＥの数が、第４の閾値より小さいかまたはそれと等しい第８の閾値より小さいかまたはそれと等しい、と判断すること、および／または、
測位サーバが、コアネットワークデバイスにより送信される第２の命令情報を受信することであって、第２の命令情報は、測位支援データを第１のサービングセル内の測位される必要があるＵＥへブロードキャストモードで送信することを停止するよう命令するために用いられる、受信すること
という条件のいずれか１つである、段階
を含み得る。
【００２１】
本願において提供される測位支援データ送信方法において、測位サーバは、測位サーバが、コアネットワークデバイスにより送信される第２の命令情報を受信するか、または測位される必要があるＵＥの測位性能指示情報、測位精度指示情報またはサービスタイプ指示情報のうちの１つを取得することを条件として、測位支援データの送信をブロードキャストモードからユニキャストモードへ切り替えることができる。このように、測位支援データがブロードキャストされる必要がない場合、例えば、比較的小数の測位される必要があるＵＥが存在する場合、測位支援データは、ユニキャストモードで送信され得る。これにより、リソース利用率が改善する。
【００２２】
第１の態様または前述の可能な実装のいずれか１つに関連して、第７の可能な実装において、測位サーバが、少なくとも１つの測位要求に基づいて、少なくとも１つの測位支援データを基地局へ送信する段階の前に、方法は、
測位サーバが、第１のサービングセルに対応する基地局により送信される基地局位置メッセージを受信する段階であって、基地局位置メッセージは、第１のサービングセルに対応する基地局の位置指示情報を含み得て、基地局の位置指示情報は、基地局の位置および第１のサービングセルの位置を示し得る、段階と、
測位サーバが、基地局位置メッセージと、第１のサービングセル内のＵＥの第１のメッセージと、基準データとに基づいて、測位支援データを生成または取得する段階と
をさらに備え得る。
【００２３】
本発明の本実施形態において提供される測位支援データ送信方法において、測位支援データは、測位性能指示情報および／または測位精度指示情報および／またはＵＥのサービスタイプ指示情報、基地局位置メッセージ（すなわち、基地局の示されている位置および／またはセルの示されている位置）および基準データに基づいて生成され得る。言い換えると、測位支援データは、測位サーバにより、ＲＴＫ技術を用いて取得され得る。すなわち、測位支援データの測位精度は、比較的高い。
【００２４】
第１の態様または前述の可能な実装のいずれか１つに関連して、第８の可能な実装において、測位サーバが、少なくとも１つの測位要求に基づいて、少なくとも１つの測位支援データを基地局へ送信する段階の前に、方法は、
測位サーバが大まかな位置の要求をＵＥへ送信する段階と、
測位サーバが、ＵＥにより送信される大まかな位置を受信する段階と、
測位サーバが、第１のサービングセル内の測位される必要があるＵＥの第１のメッセージと、大まかな位置と、基準データとに基づいて、測位支援データを生成または取得する段階と
をさらに備え得る。
【００２５】
本発明の本実施形態において提供される測位支援データ送信方法において、測位支援データは、測位性能指示情報、測位精度指示情報および／または測位される必要があるＵＥのサービスタイプ指示情報、ＵＥの大まかな位置および基準データのうちの少なくとも１つに基づいて生成される。言い換えると、本発明の本実施形態において提供される測位支援データは、測位サーバにより、ＲＴＫ技術を用いて取得され得る。すなわち、測位支援データの測位精度は、比較的高い。
【００２６】
第２の態様によれば、本願は、測位支援データ送信方法を提供する。
方法は、
基地局が、測位サーバにより送信される少なくとも１つの測位支援データを受信する段階と、
基地局が少なくとも１つの測位支援データをブロードキャストする段階と
を備える。
【００２７】
基地局または測位サーバなどのネットワーク要素がＵＥに接続されない場合、基地局が少なくとも１つの測位支援データをブロードキャストモードで送信することにより、ＵＥは対応する測位支援データを取得できることに留意すべきである。このように、ＵＥ測位プロセスにおけるリソース利用率が改善され得る。
【００２８】
第２の態様に関連して、第１の可能な実装において、基地局が少なくとも１つの測位支援データをブロードキャストする段階は、
第１のサービングセルに対応する基地局について、第１のサービングセルに対応する基地局が、異なるタイプの少なくとも１つの測位支援データをブロードキャストする段階
を有し得る。
【００２９】
第１の可能な実装に関連して、第２の可能な実装において、基地局が、測位サーバにより送信される少なくとも１つの測位支援データを受信する段階の前に、方法は、
基地局が、コアネットワークデバイスにより送信される測位通知メッセージを受信する段階であって、測位通知メッセージは、測位要求を含み、測位要求は、ＵＥの識別子およびＵＥのサービングセルの識別子を含む、段階と
基地局が、測位通知メッセージを、測位される必要があるＵＥへ送信する段階と
をさらに備え得る。
【００３０】
測位通知メッセージは、１または複数の測位要求を含み、１または複数の測位要求は、ＵＥの異なる識別子およびＵＥのサービングセルの識別子を含み得る。従って、基地局がその後少なくとも１つの測位支援データを受信した場合、特定のセル、例えば、第１のサービングセルが、ＵＥの異なる識別子およびＵＥのサービングセルの識別子に基づいて識別される。加えて、測位される必要があるＵＥのために測位要求がネットワーク側で開始された場合、ＵＥは、基地局により送信される測位メッセージを受信した後に、基地局によりブロードキャストされる測位支援データに基づいて、正確に測位され得る。
【００３１】
第２の態様または前述の可能な実装のいずれか１つに関連して、第３の可能な実装において、基地局が、測位サーバにより送信される少なくとも１つの測位支援データを受信する段階の後に、方法は、
基地局が第１の変更ページングメッセージを第１のＵＥへ送信する段階であって、第１の変更ページングメッセージは、第１の測位支援データに関連するシステムメッセージが変わっていることを示すために用いられる変更指示情報を保持し、第１のＵＥは、第１のサービングセル内の測位される必要があるＵＥである、段階
をさらに備え得る。
【００３２】
本願にぴて提供される方法において、測位支援データがブロードキャストモードで送信される場合、基地局は、変更ページングメッセージを送信した後に、測位される必要があるＵＥに、基地局によりブロードキャストされる対応する測位支援データの受信を開始するよう命令し得る。このように、測位される必要があるＵＥの測位プロセスにおけるスペクトル効率およびリソース利用率が改善され得る。
【００３３】
第２の態様または前述の可能な実装のいずれか１つに関連して、第４の可能な実装において、基地局は、基地局位置メッセージを測位サーバへ送信し得る。基地局位置メッセージは、第１のサービングセルに対応する基地局の位置指示情報を含み得る。基地局の位置指示情報は、基地局の位置および／または第１のサービングセルの位置を示し得る。この実装の具体的な説明については、第１の態様の第７の可能な実装における関連する説明を参照されたい。本願においては、詳細を改めて説明しない。
【００３４】
第３の態様によれば、本願は、測位支援データ送信方法を提供する。
方法は、
コアネットワークデバイスが少なくとも１つの測位要求を測位サーバへ送信する段階であって、少なくとも１つの測位要求の各々が、ユーザ機器ＵＥの識別子およびＵＥのサービングセルの識別子を含む、段階と、
第１の条件が満たされている場合、コアネットワークデバイスが第１の命令情報を測位サーバへ送信する段階であって、第１の命令情報は、測位支援データを第１のサービングセル内の測位される必要があるＵＥへブロードキャストモードで送信するよう命令するために用いられ、第１の条件は、
コアネットワークデバイスが、第１のサービングセル内の測位される必要があるＵＥの数が第１の閾値より大きい、と判断すること、および／または、
コアネットワークデバイスが、第１のサービングセル内の測位される必要があるＵＥのうち任意のＵＥ測位性能を満たすＵＥの数が第２の閾値より大きい、と判断すること、および／または、
コアネットワークデバイスが、第１のサービングセル内の測位される必要があるＵＥのうち任意のサポートされる測位精度を満たすＵＥの数が第３の閾値より大きい、と判断すること、および／または、
コアネットワークデバイスが、第１のサービングセル内の測位される必要があるＵＥのうち任意の測位サービスタイプを満たすＵＥの数が第４の閾値より大きい、と判断すること
という条件のいずれか１つである、段階と
を備える。
【００３５】
本願において提供される測位支援データ送信方法において、測位サーバおよびコアネットワークデバイスの両方が、少なくとも測位支援データをブロードキャストモードまたはユニキャストモードのいずれで送信するかを決定し得る。従って、測位サーバまたはコアネットワークデバイスのいずれかがブロードキャストモードまたはユニキャストモードへの切り替えを決定し得ない場合でも、他方が決定を実行し得る。これにより、測位支援データのために用いられるブロードキャストモードとユニキャストモードとの間の切り替えがより信頼できるものになる。
【００３６】
第３の態様に関連して、第１の可能な実装において、コアネットワークデバイスが、第１の命令情報を測位サーバへ送信する段階の後に、方法は、
コアネットワークデバイスが第２の命令情報を測位サーバへ送信する段階であって、第２の命令情報は、測位支援データを第１のサービングセル内のＵＥへブロードキャストモードで送信することを停止するよう命令するために用いられる、段階
をさらに備え得る。
【００３７】
第１の可能な実装に関連して、第２の可能な実装において、コアネットワークデバイスが第２の命令情報を測位サーバへ送信する段階は、
第２の条件が満たされている場合、コアネットワークデバイスが第２の命令情報を測位サーバへ送信する段階
を含み得る。
本願において、コアネットワークデバイスが満たす第２の条件は、
コアネットワークデバイスが、第１のサービングセル内の測位される必要があるＵＥの数が第５の閾値より小さいかまたはそれと等しい、と判断することであって、第５の閾値は、第１の閾値より小さいかまたはそれと等しい、判断すること、および／または、
コアネットワークデバイスが、第１のサービングセル内の測位される必要があるＵＥのうち任意のＵＥ測位性能を満たすＵＥの数が第６の閾値より小さいかまたはそれと等しい、と判断することであって、第６の閾値は、第２の閾値より小さいかまたはそれと等しい、判断すること、および／または、
コアネットワークデバイスが、第１のサービングセル内の測位される必要があるＵＥのうち任意のサポートされる測位方法を満たすＵＥの数が第７の閾値より小さいかまたはそれと等しい、と判断することであって、第７の閾値は、第３の閾値より小さいかまたはそれと等しい、判断すること、および／または、
コアネットワークデバイスが、第１のサービングセル内の測位される必要があるＵＥのうち任意の測位サービスタイプを満たすＵＥの数が第８の閾値より小さいかまたはそれと等しい、と判断することであって、第８の閾値は、第４の閾値より小さいかまたはそれと等しい、判断すること
という条件のいずれか１つである。本願におけるコアネットワークデバイスが第２の命令情報を測位サーバへ送信することに関する第２の条件の具体的な説明については、第１の態様における第２の条件の関連する説明を参照されたい。本明細書においては、詳細を改めて説明しない。
【００３８】
第１の可能な実装に関連して、第２の可能な実装において、コアネットワークデバイスが少なくとも１つの測位要求を測位サーバへ送信する段階の前に、方法は、
コアネットワークデバイスが測位通知メッセージを基地局へ送信する段階であって、測位通知メッセージは、測位要求を保持する、段階
をさらに備え得る。本願における「コアネットワークデバイスが測位通知メッセージを基地局へ送信する段階」の具体的な説明については、第２の態様の第２の可能な実装における関連する説明を参照されたい。本願においては、詳細を改めて説明しない。
【００３９】
第４の態様によれば、本願は、測位支援データ送信方法を提供する。
方法は、
第１のＵＥが、第１のサービングセルに対応する基地局によりブロードキャストされる第１の測位支援データを取得する段階であって、第１の測位支援データは、第１のＵＥにより計算を通じて正確な位置を取得するために用いられるか、または、第１の測位支援データは、第１のＵＥにより測位測定を実行するために用いられ、第１のＵＥは、第１のサービングセル内の測位される必要があるＵＥである、段階
を備える。
【００４０】
本願において提供される測位支援データ送信方法において、測位される必要があるＵＥは、基地局によりブロードキャストされる測位支援データを取得し得て、測位支援データは、ＲＴＫ技術を用いて取得され得ることに留意すべきである。例えば、測位支援データは、ＵＥの大まかな位置と、ＵＥの測位性能指示情報と、基準データとに基づいて、測位サーバにより取得され得る。従って、測位支援データに基づいて、測位される必要があるＵＥにより取得される、ＵＥの正確な位置の測位精度は、比較的高い。加えて、測位支援データは、測位される必要があるＵＥがＵＥの正確な位置を取得するプロセスにおいて、ブロードキャストモードで送信され得るので、リソース利用率は、比較的高い。
【００４１】
第４の態様に関連して、第１の可能な実装において、第１のＵＥが、第１のサービングセルに対応する基地局によりブロードキャストされる第１の測位支援データを取得する段階の前に、方法は、
第１のＵＥが第１のＵＥの第１のメッセージを測位サーバへ送信する段階であって、第１のＵＥの第１のメッセージは、第１のＵＥの測位性能指示情報、第１のＵＥの測位方法指示情報または第１のＵＥのサービスタイプ指示情報のうちの少なくとも１つを含み、測位性能指示情報は、ＵＥの測位性能を示すために用いられ、測位精度指示情報は、ＵＥによりサポートされる測位精度を示すために用いられ、サービスタイプ指示情報は、ＵＥによりサポートされるサービスタイプを示すために用いられる、段階
をさらに備え得る。本願における本明細書において、「第１のＵＥが第１のＵＥの第１のメッセージを測位サーバへ送信する段階」の具体的な説明については、第１の態様の第１の可能な実装における関連する説明を参照されたい。本願においては、詳細を改めて説明しない。
【００４２】
第１の可能な実装に関連して、第２の可能な実装において、ＵＥによりサポートされる測位性能は、ＯＴＤＯＡ法、ＲＴＫ法、ＲＴＤ法、ＳＳＲ法、ＶＲＳ法、ＭＡＣ法、ＦＫＰ法またはＰＰＰ法のうちの少なくとも１つを含む。
【００４３】
第２の可能な実装に関連して、第３の可能な実装において、第１のＵＥが、第１のサービングセルに対応する基地局によりブロードキャストされる第１の測位支援データを取得する段階の前に、方法は、
第１のＵＥが、第１のサービングセルに対応する基地局により送信される第１の変更ページングメッセージを受信する段階であって、第１の変更ページングメッセージは、第１の測位支援データに関連するシステムメッセージが変わっていることを示すために用いられる変更指示情報を保持する、段階
をさらに備え得る。第１のＵＥは、第１のサービングセルによりサービスを受けるＵＥであり、第１の測位支援データに対応する。
【００４４】
測位支援データがブロードキャストモードで送信される場合、測位される必要があるＵＥがＵＥの測位支援データを取得する前には、ＵＥは、別のネットワーク要素からメッセージを受信し得ないことに留意すべきである。ＵＥは、基地局により送信される変更ページングメッセージを受信した後に、基地局によりブロードキャストされる対応する測位支援データの受信を開始する。このように、測位される必要があるＵＥの測位プロセスにおけるスペクトル効率およびリソース利用率が改善され得る。
【００４５】
第３の可能な実装に関連して、第４の可能な実装において、第１のＵＥが、第１のサービングセルに対応する基地局によりブロードキャストされる第１の測位支援データを取得する段階の後に、方法は、
第１のＵＥが、第１のサービングセルに対応する基地局により送信される第１の測位ページングメッセージを受信する段階であって、第１の測位ページングメッセージは、測位要求指示情報を保持する、段階
をさらに備え得る。
【００４６】
第１のＵＥは、コアネットワークデバイスまたは基地局への接続を確立する前に、基地局によりブロードキャストされる第１の測位支援データを取得し得るので、第１のＵＥは、コアネットワークデバイスまたは基地局に接続する前に、第１の測位支援データに基づいて正確に測位され得て、スペクトル効率およびリソース利用率が改善することに留意すべきである。
【００４７】
第４の可能な実装に関連して、第５の可能な実装において、第１のＵＥが、第１のサービングセルに対応する基地局によりブロードキャストされる第１の測位支援データを取得する段階の後に、方法は、
第１のＵＥが第１の支援データ要求メッセージを測位サーバへ送信する段階であって、第１の支援データ要求メッセージは、追加の第１の測位支援情報を要求するために用いられる追加の要求指示情報を保持する、段階
をさらに備え得る。
【００４８】
本願において提供される測位支援データ送信方法において、測位される必要があるＵＥは、ＵＥが必要とする測位精度に基づいて、ＵＥの測位支援データと、測位サーバで生成される１または複数の追加の測位支援データとを取得し得る。このように、測位される必要があるＵＥの測位プロセスにおける測位精度が、ＵＥが必要とする測位精度を満たすように改善され得る。
【００４９】
第４の可能な実装に関連して、第６の可能な実装において、第１のＵＥは、測位サーバにより送信される大まかな位置の要求を受信し、大まかな位置を測位サーバへ送信する。第１のＵＥは、第１のサービングセル内の測位される必要があるＵＥである。この実装の具体的な説明については、第１の態様の第８の可能な実装における関連する説明を参照されたい。本願においては、詳細を改めて説明しない。
【００５０】
第５の態様によれば、本願は、測位サーバを提供する。測位サーバは、受信モジュールおよび送信モジュールを含む。受信モジュールは、コアネットワークデバイスにより送信される少なくとも１つの測位要求を受信するように構成される。測位要求は、ＵＥの識別子およびＵＥのサービングセルの識別子を含む。送信モジュールは、受信モジュールにより受信される少なくとも１つの測位要求に基づいて少なくとも１つの測位支援データを基地局へ送信するように構成される。
【００５１】
第５の態様に関連して、第１の可能な実装において、受信モジュールはさらに、送信モジュールが、受信モジュールにより受信される少なくとも１つの測位要求に基づいて少なくとも１つの測位支援データを基地局へ送信する前に、第１のサービングセル内の測位される必要があるＵＥにより送信される第１のメッセージを受信するように構成される。第１のメッセージは、ＵＥの測位性能指示情報、測位精度指示情報および／またはサービスタイプ指示情報のうちの少なくとも１つを含む。測位性能指示情報は、ＵＥの測位性能を示すために用いられ、測位精度指示情報は、ＵＥによりサポートされる測位精度を示すために用いられ、サービスタイプ指示情報は、ＵＥによりサポートされるサービスタイプを示すために用いられる。
【００５２】
第１の可能な実装に関連して、第２の可能な実装において、ＵＥによりサポートされる測位性能は、ＯＴＤＯＡ法、ＲＴＫ法、ＲＴＤ法、ＳＳＲ法、ＶＲＳ法、ＭＡＣ法、ＦＫＰ法またはＰＰＰ法のうちの少なくとも１つを含む。
【００５３】
第１の可能な実装または第２の可能な実装に関連して、第３の可能な実装において、測位サーバは、送信モジュールをさらに含み得る。送信モジュールは、具体的には、第１のサービングセルについて、少なくとも１つの測位要求に基づいて、少なくとも１つの測位支援データを第１のサービングセルに対応する基地局へ送信するように構成される。
【００５４】
第３の可能な実装に関連して、第４の可能な実装において、送信モジュールは、送信サブモジュールおよび判断サブモジュールをさらに含み得る。送信サブモジュールは、第１のサービングセルに対応する基地局について、第１の条件が満たされていると判断された場合、第１のサービングセルの識別子に基づいて、少なくとも１つの測位支援データを第１のサービングセルに対応する基地局へ送信するように構成される。判断サブモジュールは、具体的には、第１のサービングセル内の測位される必要があるＵＥの数が第１の閾値より大きい、と判断するように構成され、および／または、第１のサービングセル内の測位される必要があるＵＥのうち任意の測位性能を満たすＵＥの数が第２の閾値より大きい、と判断するように構成され、および／または、第１のサービングセル内の測位される必要があるＵＥのうち任意のサポートされる測位精度を満たすＵＥの数が第３の閾値より大きい、と判断するように構成され、および／または、第１のサービングセル内の測位される必要があるＵＥのうち任意の測位サービスタイプを満たすＵＥの数が第４の閾値より大きい、と判断するように構成される。受信モジュールはさらに、コアネットワークデバイスにより送信される第１の命令情報を受信するように構成される。第１の命令情報は、測位支援データを第１のサービングセル内の測位される必要があるＵＥへブロードキャストモードで送信するよう命令するために用いられる。
【００５５】
第４の可能な実装に関連して、第５の可能な実装において、送信モジュールは、分類サブモジュールをさらに含み得る。分類サブモジュールは、第１のサービングセル内の測位される必要があるＵＥの測位性能および／または測位精度および／または測位サービスタイプに基づいて、第１のサービングセル内の測位される必要があるＵＥの少なくとも１つの測位支援データを分類して、異なるタイプの少なくとも１つの測位支援データを取得するように構成される。送信サブモジュールはさらに、少なくとも１つの測位要求に基づいて、分類サブモジュールにより取得される異なるタイプの少なくとも１つの測位支援データを第１のサービングセルに対応する基地局へ送信するように構成される。
【００５６】
第５の可能な実装に関連して、第６の可能な実装において、送信サブモジュールはさらに、送信サブモジュールが、第１のサービングセルの識別子に基づいて、少なくとも１つの測位支援データを第１のサービングセルに対応する基地局へ送信した後に、停止指示メッセージを第１のサービングセルに対応する基地局へ送信するように構成される。停止指示メッセージは、基地局への少なくとも１つの測位支援データの送信が停止されていることを示すために用いられる。
【００５７】
第６の可能な実装に関連して、第７の可能な実装において、送信サブモジュールはさらに、第１の条件が満たされている場合、停止指示メッセージを第１のサービングセルに対応する基地局へ送信するように構成される。停止指示メッセージは、基地局への少なくとも１つの測位支援データの送信が停止されていることを示すために用いられる。
判断サブモジュールは、具体的には、
第１のサービングセル内の測位される必要があるＵＥの数が、第１の閾値より小さいかまたはそれと等しい第５の閾値より小さいかまたはそれと等しい、と判断するように構成され、および／または、
第１のサービングセル内の測位される必要があるＵＥのうち任意のＵＥ測位性能を満たすＵＥの数が、第２の閾値より小さいかまたはそれと等しい第６の閾値より小さいかまたはそれと等しい、と判断するように構成され、および／または、
第１のサービングセル内の測位される必要があるＵＥのうち任意のサポートされる測位方法を満たすＵＥの数が、第３の閾値より小さいかまたはそれと等しい第７の閾値より小さいかまたはそれと等しい、と判断するように構成され、および／または、
第１のサービングセル内の測位される必要があるＵＥのうち任意の測位サービスタイプを満たすＵＥの数が、第４の閾値より小さいかまたはそれと等しい第８の閾値より小さいかまたはそれと等しい、と判断するように構成される。受信モジュールはさらに、コアネットワークデバイスにより送信される第２の命令情報を受信するように構成される。第２の命令情報は、測位支援データを第１のサービングセル内の測位される必要があるＵＥへブロードキャストモードで送信することを停止するよう命令するために用いられる。
【００５８】
第５の態様または前述の可能な実装のいずれか１つに関連して、第７の可能な実装において、受信モジュールはさらに、送信モジュールが、少なくとも１つの測位要求に基づいて、少なくとも１つの測位支援データを基地局へ送信する前に、第１のサービングセルに対応する基地局により送信される基地局位置メッセージを受信するように構成され得る。基地局位置メッセージは、第１のサービングセルに対応する基地局の位置指示情報を含み得る。基地局の位置指示情報は、基地局の位置および第１のサービングセルの位置を示し得る。測位サーバは、生成モジュールをさらに含み得る。生成モジュールは、第１のサービングセル内のＵＥの第１のメッセージと、基準データと、受信モジュールにより受信される基地局位置メッセージとに基づいて、測位支援データを生成または取得するように構成される。
【００５９】
第５の態様または前述の可能な実装のいずれか１つに関連して、第７の可能な実装において、受信モジュールはさらに、送信モジュールが、少なくとも１つの測位要求に基づいて、少なくとも１つの測位支援データを基地局へ送信する前に、第１のサービングセルに対応する基地局により送信される基地局位置メッセージを受信するように構成され得る。基地局位置メッセージは、第１のサービングセルに対応する基地局の位置指示情報を含み得る。基地局の位置指示情報は、基地局の位置および第１のサービングセルの位置を示し得る。測位サーバは、生成モジュールをさらに含み得る。生成モジュールは、第１のサービングセル内のＵＥの第１のメッセージと、基準データと、受信モジュールにより受信される基地局位置メッセージとに基づいて、測位支援データを生成または取得するように構成される。
【００６０】
第５の態様または前述の可能な実装のいずれか１つに関連して、第８の可能な実装において、送信モジュールはさらに、少なくとも１つの測位要求に基づいて少なくとも１つの測位支援データを基地局へ送信する前に、大まかな位置の要求をＵＥへ送信するように構成され得る。受信モジュールはさらに、ＵＥにより送信される大まかな位置を受信するように構成される。測位サーバは、生成モジュールをさらに含み得る。生成モジュールは、第１のサービングセル内の測位される必要があるＵＥの第１のメッセージと、基準データと、受信モジュールにより受信される大まかな位置とに基づいて、測位支援データを生成または取得するように構成される。
【００６１】
第６の態様によれば、本願は、基地局を提供する。基地局は、受信モジュールおよび送信モジュールを含む。受信モジュールは、測位サーバにより送信される少なくとも１つの測位支援データを受信するように構成される。送信モジュールは、受信モジュールにより受信される少なくとも１つの測位支援データをブロードキャストするように構成される。
【００６２】
第６の態様に関連して、第１の可能な実装において、送信モジュールは、具体的には、異なるタイプの測位支援データのうちの少なくとも１つを第１のサービングセル内の測位される必要があるＵＥへブロードキャストするように構成される。
【００６３】
第１の可能な実装に関連して、第２の可能な実装において、受信モジュールはさらに、測位サーバにより送信される少なくとも１つの測位支援データを受信する前に、コアネットワークデバイスにより送信される測位通知メッセージを受信するように構成される。測位通知メッセージは、測位要求を含み、測位要求は、ＵＥの識別子およびＵＥのサービングセルの識別子を含む。送信モジュールはさらに、受信モジュールにより受信される測位通知メッセージを、測位される必要があるＵＥへ送信するように構成される。
【００６４】
第６の態様または前述の可能な実装のいずれか１つに関連して、第３の可能な実装において、送信モジュールはさらに、受信モジュールが、測位サーバにより送信される少なくとも１つの測位支援データを受信した後に、第１の変更ページングメッセージを第１のＵＥへ送信するように構成される。第１の変更ページングメッセージは、第１の測位支援データに関連するシステムメッセージが変わっていることを示すために用いられる変更指示情報を保持し、第１のＵＥは、第１のサービングセル内のＵＥであり、第１のＵＥは、第１の測位支援データに対応する。
【００６５】
第６の態様に関連して、第４の可能な実装において、送信モジュールは、分類サブモジュールおよび送信サブモジュールを含み得る。分類サブモジュールは、第１のサービングセル内の測位される必要があるＵＥの測位性能および／または測位精度および／または測位サービスタイプに基づいて少なくとも１つの測位支援データを分類して、異なるタイプの少なくとも１つの測位支援データを取得するように構成される。送信サブモジュールは、少なくとも１つの測位要求に基づいて、異なるタイプの少なくとも１つの測位支援データを第１のサービングセルに対応する基地局へ送信するように構成される。
【００６６】
第６の態様に関連して、第５の可能な実装において、送信モジュールはさらに、基地局位置メッセージを測位サーバへ送信するように構成され得る。基地局位置メッセージは、第１のサービングセルに対応する基地局の位置指示情報を含み得る。基地局の位置指示情報は、基地局の位置および／または第１のサービングセルの位置を示し得る。
【００６７】
第７の態様によれば、本願は、コアネットワークデバイスを提供する。コアネットワークデバイスは、送信モジュールおよび判断モジュールを含む。送信モジュールは、少なくとも１つの測位要求を測位サーバへ送信するように構成される。少なくとも１つの測位要求の各々は、ＵＥの識別子およびＵＥのサービングセルの識別子を含む。送信モジュールはさらに、第１の条件が満たされている場合、第１の命令情報を測位サーバへ送信するように構成される。第１の命令情報は、測位支援データを第１のサービングセル内の測位される必要があるＵＥへブロードキャストモードで送信するよう命令するために用いられる。判断モジュールは、第１の条件が満たされている、と判断するように構成される。判断モジュールは、具体的には、第１のサービングセル内の測位される必要があるＵＥの数が第１の閾値より大きい、と判断するように構成され、および／または、第１のサービングセル内の測位される必要があるＵＥのうち任意のＵＥ測位性能を満たすＵＥの数が第２の閾値より大きい、と判断するように構成され、および／または、第１のサービングセル内の測位される必要があるＵＥのうち任意のサポートされる測位精度を満たすＵＥの数が第３の閾値より大きい、と判断するように構成され、および／または、第１のサービングセル内の測位される必要があるＵＥのうち任意の測位サービスタイプを満たすＵＥの数が第４の閾値より大きい、と判断するように構成される。
【００６８】
第７の態様に関連して、第１の可能な実装において、送信モジュールはさらに、第１の命令情報を測位サーバへ送信した後に、第２の命令情報を測位サーバへ送信するように構成される。第２の命令情報は、測位支援データを第１のサービングセル内の測位される必要があるＵＥへブロードキャストモードで送信することを停止するよう命令するために用いられる。
【００６９】
第１の可能な実装に関連して、第２の可能な実装において、送信モジュールは、具体的には、第２の条件が満たされている場合、第２の命令情報を測位サーバへ送信するように構成される。
判断モジュールはさらに、
第１のサービングセル内の測位される必要があるＵＥの数が、第１の閾値より小さいかまたはそれと等しい第５の閾値より小さいかまたはそれと等しい、と判断するように構成され、および／または、
第１のサービングセル内の測位される必要があるＵＥのうち任意のＵＥ測位性能を満たすＵＥの数が、第２の閾値より小さいかまたはそれと等しい第６の閾値より小さいかまたはそれと等しい、と判断するように構成され、および／または、
第１のサービングセル内の測位される必要があるＵＥのうち任意のサポートされる測位方法を満たすＵＥの数が、第３の閾値より小さいかまたはそれと等しい第７の閾値より小さいかまたはそれと等しい、と判断するように構成され、および／または、
第１のサービングセル内の測位される必要があるＵＥのうち任意の測位サービスタイプを満たすＵＥの数が、第４の閾値より小さいかまたはそれと等しい第８の閾値より小さいかまたはそれと等しい、と判断するように構成される。
【００７０】
第２の可能な実装に関連して、第３の可能な実装において、送信モジュールはさらに、測位要求を測位サーバへ送信する前に、測位通知メッセージを基地局へ送信するように構成される。測位通知メッセージは、測位要求を保持する。
【００７１】
第８の態様によれば、本願は、ＵＥ（以下で第１のＵＥと称される）を提供する。第１のＵＥは、受信モジュールを含む。受信モジュールは、第１のサービングセルに対応する基地局によりブロードキャストされる第１の測位支援データを取得するように構成される。第１の測位支援データは、第１のＵＥにより計算を通じて正確な位置を取得するために用いられるか、または、第１の測位支援データは、第１のＵＥにより測位測定を実行するために用いられ、第１のＵＥは、第１のサービングセル内の測位される必要があるＵＥである。
【００７２】
第８の態様に関連して、第１の可能な実装において、第１のＵＥは、送信モジュールをさらに含み得る。送信モジュールは、受信モジュールが第１のサービングセルに対応する基地局によりブロードキャストされる第１の測位支援データを取得する前に、第１のＵＥの第１のメッセージを測位サーバへ送信するように構成される。第１のＵＥの第１のメッセージは、第１のＵＥの測位性能指示情報、第１のＵＥの測位方法指示情報または第１のＵＥのサービスタイプ指示情報のうちの少なくとも１つを含み、測位性能指示情報は、ＵＥの測位性能を示すために用いられ、測位精度指示情報は、ＵＥによりサポートされる測位精度を示すために用いられ、サービスタイプ指示情報は、ＵＥによりサポートされるサービスタイプを示すために用いられる。
【００７３】
第１の可能な実装に関連して、第２の可能な実装において、ＵＥによりサポートされる測位性能は、ＯＴＤＯＡ法、ＲＴＫ法、ＲＴＤ法、ＳＳＲ法、ＶＲＳ法、ＭＡＣ法、ＦＫＰ法またはＰＰＰ法のうちの少なくとも１つを含む。
【００７４】
第２の可能な実装に関連して、第３の可能な実装において、受信モジュールは、第１のサービングセルに対応する基地局によりブロードキャストされる第１の測位支援データを取得する前に、第１のサービングセルに対応する基地局により送信される第１の変更ページングメッセージを受信するように構成される。第１の変更ページングメッセージは、第１の測位支援データに関連するシステムメッセージが変わっていることを示すために用いられる変更指示情報を保持する。
【００７５】
第３の可能な実装に関連して、第４の可能な実装において、受信モジュールはさらに、第１のサービングセルに対応する基地局によりブロードキャストされる第１の測位支援データを取得した後に、第１のサービングセルに対応する基地局により送信される第１の測位ページングメッセージを受信するように構成される。第１の測位ページングメッセージは、測位要求指示情報を保持する。
【００７６】
第４の可能な実装に関連して、第５の可能な実装において、送信モジュールはさらに、受信モジュールが第１のサービングセルに対応する基地局によりブロードキャストされる第１の測位支援データを取得した後に、第１の支援データ要求メッセージを測位サーバへ送信するように構成される。第１の支援データ要求メッセージは、追加の第１の測位支援情報を要求するために用いられる追加の要求指示情報を保持する。
【００７７】
第４の可能な実装に関連して、第６の可能な実装において、受信モジュールはさらに、測位サーバにより送信される大まかな位置の要求を受信するように構成され、送信モジュールはさらに、大まかな位置を測位サーバへ送信するように構成され得る。
【００７８】
第９の態様によれば、本願は、測位支援データ送信システムを提供する。
システムは、
第５の態様または第５の態様の可能な実現形態のいずれか１つによる測位サーバと、
第６の態様または第６の態様の可能な実現形態のいずれか１つによる基地局と、
第７の態様または第７の態様の可能な実現形態のいずれか１つによるコアネットワークデバイスと、
第８の態様または第８の態様の可能な実現形態のいずれか１つによる少なくとも１つのＵＥと
を備える。
【００７９】
第１０の態様によれば、本願は、測位サーバを提供する。測位サーバは、１または複数のプロセッサと、メモリと、通信インタフェースと、バスとを備える。メモリは、少なくとも１つの命令を格納するように構成され、１または複数のプロセッサと、メモリと、通信インタフェースとは、バスを用いて接続され、測位サーバが動作した場合、１または複数のプロセッサが、メモリに格納された少なくとも１つの命令を実行することにより、測位サーバは、第１の態様または第１の態様の可能な実現形態のいずれか１つによる測位支援データ送信方法を実行する。
【００８０】
第１１の態様によれば、本願は、コンピュータ記憶媒体を提供する。コンピュータ記憶媒体は、少なくとも１つの命令を含む。少なくとも１つの命令がコンピュータ上で実行された場合、コンピュータは、第１の態様または第１の態様の可能な実現形態のいずれか１つによる測位支援データ送信方法を実行するよう有効化される。
【００８１】
第１２の態様によれば、本願は、コンピュータプログラム製品を提供する。コンピュータプログラム製品は、少なくとも１つの命令を含む。少なくとも１つの命令がコンピュータ上で実行された場合、コンピュータは、第１の態様または第１の態様の可能な実現形態のいずれか１つによる測位支援データ送信方法を実行するよう有効化される。
【００８２】
第１０の態様において提供される測位サーバ、第１１の態様において提供されるコンピュータ記憶媒体、または第１２の態様において提供されるコンピュータプログラム製品は、上記で提供される対応する方法を実行するように構成されることが理解され得る。従って、達成され得る有益な効果については、上記で提供される対応する方法における有益な効果を参照されたい。本明細書において、詳細を改めて説明しない。
【００８３】
第１３の態様によれば、本願は、基地局を提供する。基地局は、１または複数のプロセッサと、メモリと、通信インタフェースと、バスとを備える。メモリは、少なくとも１つの命令を格納するように構成され、１または複数のプロセッサと、メモリと、通信インタフェースとは、バスを用いて接続され、基地局が動作した場合、１または複数のプロセッサが、メモリに格納された少なくとも１つの命令を実行することにより、基地局は、第２の態様または第２の態様の可能な実現形態のいずれか１つによる測位支援データ送信方法を実行する。
【００８４】
第１４の態様によれば、本願は、コンピュータ記憶媒体を提供する。コンピュータ記憶媒体は、少なくとも１つの命令を含む。少なくとも１つの命令がコンピュータ上で実行された場合、コンピュータは、第２の態様または第２の態様の可能な実現形態のいずれか１つによる測位支援データ送信方法を実行するよう有効化される。
【００８５】
第１５の態様によれば、本願は、コンピュータプログラム製品を提供する。コンピュータプログラム製品は、少なくとも１つの命令を含む。少なくとも１つの命令がコンピュータ上で実行された場合、コンピュータは、第２の態様または第２の態様の可能な実現形態のいずれか１つによる測位支援データ送信方法を実行するよう有効化される。
【００８６】
第１３の態様において提供される基地局、第１４の態様において提供されるコンピュータ記憶媒体、または第１５の態様において提供されるコンピュータプログラム製品は、上記で提供される対応する方法を実行するように構成されることが理解され得る。従って、達成され得る有益な効果については、上記で提供される対応する方法における有益な効果を参照されたい。本明細書において、詳細を改めて説明しない。
【００８７】
第１６の態様によれば、本願は、コアネットワークデバイスを提供する、コアネットワークデバイスは、１または複数のプロセッサと、メモリと、通信インタフェースと、バスとを備える。メモリは、少なくとも１つの命令を格納するように構成され、１または複数のプロセッサと、メモリと、通信インタフェースとは、バスを用いて接続され、コアネットワークデバイスが動作した場合、１または複数のプロセッサが、メモリに格納された少なくとも１つの命令を実行することにより、コアネットワークデバイスは、第３の態様または第３の態様の可能な実現形態のいずれか１つによる測位支援データ送信方法を実行する。
【００８８】
第１７の態様によれば、本願は、コンピュータ記憶媒体を提供する。コンピュータ記憶媒体は、少なくとも１つの命令を含む。少なくとも１つの命令がコンピュータ上で実行された場合、コンピュータは、第３の態様または第３の態様の可能な実現形態のいずれか１つによる測位支援データ送信方法を実行するよう有効化される。
【００８９】
第１８の態様によれば、本願は、コンピュータプログラム製品を提供する。コンピュータプログラム製品は、少なくとも１つの命令を含む。少なくとも１つの命令がコンピュータ上で実行された場合、コンピュータは、第３の態様または第３の態様の可能な実現形態のいずれか１つによる測位支援データ送信方法を実行するよう有効化される。
【００９０】
第１６の態様において提供されるコアネットワークデバイス、第１７の態様において提供されるコンピュータ記憶媒体、または第１８の態様において提供されるコンピュータプログラム製品は、上記で提供される対応する方法を実行するように構成されることが理解され得る。従って、達成され得る有益な効果については、上記で提供される対応する方法における有益な効果を参照されたい。本明細書において、詳細を改めて説明しない。
【００９１】
第１９の態様によれば、本願は、ＵＥを提供する。ＵＥは、１または複数のプロセッサと、メモリと、通信インタフェースと、バスとを備える。メモリは、少なくとも１つの命令を格納するように構成され、１または複数のプロセッサと、メモリと、通信インタフェースとは、バスを用いて接続され、ＵＥが動作した場合、１または複数のプロセッサが、メモリに格納された少なくとも１つの命令を実行することにより、ＵＥは、第４の態様または第４の態様の可能な実現形態のいずれか１つによる測位支援データ送信方法を実行する。
【００９２】
第２０の態様によれば、本願は、コンピュータ記憶媒体を提供する。コンピュータ記憶媒体は、少なくとも１つの命令を含む。少なくとも１つの命令がコンピュータ上で実行された場合、コンピュータは、第４の態様または第４の態様の可能な実現形態のいずれか１つによる測位支援データ送信方法を実行するよう有効化される。
【００９３】
第２１の態様によれば、本願は、コンピュータプログラム製品を提供する。コンピュータプログラム製品は、少なくとも１つの命令を含む。少なくとも１つの命令がコンピュータ上で実行された場合、コンピュータは、第４の態様または第４の態様の可能な実現形態のいずれか１つによる測位支援データ送信方法を実行するよう有効化される。
【００９４】
第１９の態様において提供されるＵＥ、第２０の態様において提供されるコンピュータ記憶媒体、または第２１の態様において提供されるコンピュータプログラム製品は、上記で提供される対応する方法を実行するように構成されることが理解され得る。従って、達成され得る有益な効果については、上記で提供される対応する方法における有益な効果を参照されたい。本明細書において、詳細を改めて説明しない。
【００９５】
第２２の態様によれば、本願は、測位支援データ送信システムを提供する。
システムは、
第１０の態様または第１０の態様の可能な実現形態のいずれか１つによる測位サーバと、
第１３の態様または第１３の態様の可能な実現形態のいずれか１つによる基地局と、
第１６の態様または第１６の態様の可能な実現形態のいずれか１つによるコアネットワークデバイスと、
第１９の態様または第１９の態様の可能な実現形態のいずれか１つによる少なくとも１つのＵＥと
を備える。
【図面の簡単な説明】
【００９６】
【図１】本発明の実施形態による測位支援データ送信方法が適用される測位システムの概略構成図である。
【００９７】
【図２】本発明の実施形態による測位サーバの第１の概略構造図である。
【００９８】
【図３】本発明の実施形態による基地局の第１の概略構造図である。
【００９９】
【図４】本発明の実施形態によるコアネットワークデバイスの第１の概略構造図である。
【０１００】
【図５】本発明の実施形態によるＵＥの第１の概略構造図である。
【０１０１】
【図６】本発明の実施形態による測位支援データ送信方法の第１の概略フローチャートである。
【０１０２】
【図７】本発明の実施形態による測位支援データ送信方法の第２の概略フローチャートである。
【０１０３】
【図８Ａ】本発明の実施形態による測位支援データ送信方法の第３の概略フローチャートである。
【図８Ｂ】本発明の実施形態による測位支援データ送信方法の第３の概略フローチャートである。
【０１０４】
【図９】本発明の実施形態による測位支援データ送信方法の第４の概略フローチャートである。
【０１０５】
【図１０Ａ】本発明の実施形態による測位支援データ送信方法の第５の概略フローチャートである。
【図１０Ｂ】本発明の実施形態による測位支援データ送信方法の第５の概略フローチャートである。
【０１０６】
【図１１Ａ】本発明の実施形態による測位支援データ送信方法の第６の概略フローチャートである。
【図１１Ｂ】本発明の実施形態による測位支援データ送信方法の第６の概略フローチャートである。
【０１０７】
【図１１ａ−１】本発明の実施形態による測位支援データ送信方法の第７の概略フローチャートである。
【図１１ａ−２】本発明の実施形態による測位支援データ送信方法の第７の概略フローチャートである。
【０１０８】
【図１２】本発明の実施形態による測位支援データ送信方法の第８の概略フローチャートである。
【０１０９】
【図１３】本発明の実施形態による測位支援データ送信方法の第９の概略フローチャートである。
【０１１０】
【図１４】本発明の実施形態による測位支援データ送信方法の第１０の概略フローチャートである。
【０１１１】
【図１５】本発明の実施形態による測位支援データ送信方法の第１１の概略フローチャートである。
【０１１２】
【図１６】本発明の実施形態による測位支援データ送信方法の第１２の概略フローチャートである。
【０１１３】
【図１７】本発明の実施形態による測位支援データ送信方法の第１３の概略フローチャートである。
【０１１４】
【図１８】本発明の実施形態による測位サーバの第２の概略構造図である。
【０１１５】
【図１９】本発明の実施形態による測位サーバの第３の概略構造図である。
【０１１６】
【図２０】本発明の実施形態による測位サーバの第４の概略構造図である。
【０１１７】
【図２１】本発明の実施形態による測位サーバの第５の概略構造図である。
【０１１８】
【図２２】本発明の実施形態による基地局の第２の概略構造図である。
【０１１９】
【図２３】本発明の実施形態による基地局の第２の概略構造図である。
【０１２０】
【図２４】本発明の実施形態によるコアネットワークデバイスの第２の概略構造図である。
【０１２１】
【図２５】本発明の実施形態によるコアネットワークデバイスの第３の概略構造図である。
【０１２２】
【図２６】本発明の実施形態によるＵＥの第２の概略構造図である。
【０１２３】
【図２７】本発明の実施形態によるＵＥの第３の概略構造図である。
【発明を実施するための形態】
【０１２４】
本発明の実施形態における本明細書および特許請求の範囲では、「第１の」、「第２の」、「第３の」、「第４の」等の用語は、異なる対象を区別することを意図しているが、当該対象の特定の順序を示すことは意図していない。例えば、第１の閾値、第２の閾値等は、異なる値を区別することを意図しているが、デバイスの特定の順序を示すことは意図してない。本発明の実施形態の説明において、別段の記載がない限り、「複数」は、２または２より多くを意味する。
【０１２５】
加えて、本発明の実施形態において、「例示的な」または「例えば」という語は、例、例示または説明を与えることを表すために用いられる。本発明の実施形態において「例示的な」または「例えば」と説明されるいずれの実施形態または設計スキームも、別の実施形態もしくは設計スキームよりも好ましい、または、別の実施形態もしくは設計スキームよりも多くの利点を有すると説明されるべきではない。厳密には、「例示的な」または「例えば」等の語の使用は、関連する概念を特定の方式で示すことを意図している。
【０１２６】
本発明の実施形態において提供される測位支援データ送信方法および測位支援データ送信システムならびにデバイスは、測位支援データ送信プロセスに適用され得て、具体的には、測位支援データをまずユニキャストモードで、次にブロードキャストモードで送信するプロセスに適用される。これにより、測位精度、スペクトル効率およびリソース利用率が改善され得る。
【０１２７】
以下では、本発明の実施形態における添付図面を参照して、本発明の実施形態における技術的解決手段を詳細に説明する。
【０１２８】
本発明の実施形態において提供される測位支援データ送信方法が適用される測位システムは、測位サーバと、少なくとも１つの基地局と、少なくとも１つのコアネットワークデバイスと、少なくとも１つのユーザ機器（Ｕｓｅｒ  Ｅｑｕｉｐｍｅｎｔ、ＵＥ）とを含み得る。加えて、測位システムは、少なくとも１つの基準局（Ｒｅｆｅｒｅｎｃｅ  Ｓｔａｔｉｏｎｓ）をさらに含み得る。１つの基地局が、１または複数のセルをカバー得て、各セルが１または複数のＵＥをカバーし得る。
【０１２９】
本発明の実施形態において提供される測位サーバは、拡張サービングモバイルロケーションセンタ（Ｅｎｈａｎｃｅｄ  Ｓｅｒｖｉｎｇ  Ｍｏｂｉｌｅ  Ｌｏｃａｔｉｏｎ  Ｃｅｎｔｒｅ、Ｅ−ＳＭＬＣ）、ゲートウェイモバイルロケーションセンタ（Ｇａｔｅｗａｙ  Ｍｏｂｉｌｅ  Ｌｏｃａｔｉｏｎ  Ｃｅｎｔｅｒ、Ｇ−ＭＬＣ）またはＲＴＫサーバなどの測位サーバであり得る。このことは、本発明の実施形態において具体的には限定されない。
【０１３０】
コアネットワークデバイスは、モビリティ管理エンティティ（Ｍｏｂｉｌｉｔｙ  Ｍａｎａｇｅｍｅｎｔ  Ｅｎｔｉｔｙ、ＭＭＥ）、サービングゲートウェイ（Ｓｅｒｖｉｎｇ  ＧａｔｅＷａｙ、Ｓ−ＧＷ）およびＰＤＮゲートウェイ（ＰＤＮ  ＧａｔｅＷａｙ、Ｐ−ＧＷ）など、３ＧＰＰ技術をサポートするコアネットワークデバイスであり得る。このことは、本発明の実施形態において具体的には限定されない。
【０１３１】
基地局は、基地局（Ｂａｓｅ  Ｓｔａｔｉｏｎ、ＢＳ）、進化型ノードＢ（ｅＮｏｄｅＢ、ｅＮＢ）、ｇＮＢ、モノのインターネット進化型ノードＢ（Ｉｎｔｅｒｎｅｔ  ｏｆ  Ｔｈｉｎｇ  ｅＮＢ、ＩｏＴ  ｅＮＢ）等であり得る。このことは、本発明の実施形態において具体的には限定されない。
【０１３２】
ＵＥは、拡張機械型通信（ｅｖｏｌｖｅｄ  Ｍａｃｈｉｎｅ  Ｔｙｐｅ  Ｃｏｍｍｕｎｉｃａｔｉｏｎｓ、ｅＭＴＣ）、狭帯域モノのインターネット（ｎａｒｒｏｗ  ｂａｎｄ  ＩｏＴ、ＮＢ  ＩｏＴ）、ロングタームエボリューション（Ｌｏｎｇ  Ｔｅｒｍ  Ｅｖｏｌｕｔｉｏｎ、ＬＴＥ）およびＮＲ（３ＧＰＰにおけるＮｅｗ  Ｒａｄｉｏ  Ａｃｃｅｓｓ  Ｔｅｃｈｎｏｌｏｇｙ）などの通信タイプをサポートするＵＥであり得る。加えて、ＵＥは、ＬＣＳクライアントをさらに含み得る。ＬＣＳクライアントは、ＵＥの内部に構成され得るか、または、ＵＥの外部に構成され得る。このことは、本発明の実施形態において具体的には限定されない。ＬＣＳクライアントを含む端末（例えば、ＵＥ）は、ＬＣＳエンティティと称され得る。例えば、ＵＥは、携帯電話、パーソナルデジタルアシスタント（ＰＤＡ）、無線デバイス、無線モデム、無線ルータ、ラップトップコンピュータ、遠隔測定デバイス、トラッキングデバイス等であり得る。
【０１３３】
基準局は、仮想基準局（Ｖｉｒｔｕａｌ  Ｒｅｆｅｒｅｎｃｅ  Ｓｔａｔｉｏｎｓ、ＶＲＳ）技術を用いる基準局、マスタ補助局法（Ｍａｓｔｅｒ  Ａｕｘｉｌｉａｒｙ  Ｃｏｎｃｅｐｔ、ＭＡＣ）等を用いるマスタ基準局および補助基準局であり得る。このことは、本発明の実施形態において具体的には限定されない。
【０１３４】
本発明の実施形態において、以下では、１つの測位サーバが１つの基地局、１つのコアネットワークデバイス、１つの基準局および少なくとも１つのＵＥとインタラクトする例を用いて、本発明の実施形態において提供される測位支援データ送信方法を説明する。
【０１３５】
例えば、図１に示される測位システムの概略アーキテクチャ図において、測位システム１０は、測位サーバ１１１、基地局１２１、コアネットワークデバイス１３１、ＵＥ１４１から１４９、ＵＥ１５１から１５３、ＵＥ１６１から１６８および基準局１７１を含み得る。基地局１２１は、セル１、セル２およびセル３をカバーし得る。セル１はＵＥ１４１から１４９をカバーし得て、セル２はＵＥ１５１から１５３をカバーし得て、セル３はＵＥ１６１から１６８をカバーし得る。すなわち、セル１はＵＥ１４１から１４９のサービングセルであり、セル２はＵＥ１５１から１５３のサービングセルであり、セル３はＵＥ１６１から１６８のサービングセルである。説明しやすくするために、本発明の実施形態において、セルは、「サービングセル」と称されることがある。これは、あるセルと当該セルによりサービスの提供を受けるＵＥとの間の関係を説明するために用いられるに過ぎず、当該セルに対する限定を構成しない。
【０１３６】
具体的には、ＵＥ１４１から１４９、ＵＥ１５１から１５３およびＵＥ１６１から１６８における任意のＵＥが、測位要求を事前に開始し、当該測位要求をコアネットワークデバイス１３１へ送信し得る。当該測位要求は、当該ＵＥにおいて構成されるＬＣＳクライアントにより、事前に開始され得る。次に、コアネットワークデバイス１３１は、上述の任意のＵＥにより送信される測位要求（当該ＵＥにおいて構成されるＬＣＳクライアントにより送信される測位要求を含む）を受信した後に、測位要求を測位サーバ１１１へ送信し得る。加えて、代替的に、コアネットワークデバイス１３１は、そのＵＥを正確に測位するよう要求するために、測位要求を事前に開始し得る。
【０１３７】
測位サーバ１１１は、コアネットワークデバイス１３１から測位要求を受信し得る。加えて、測位サーバ１１１は、測位される必要があるＵＥとインタラクトして、ＵＥの測位性能指示情報を取得し得る。次に、測位サーバ１１１は、ＵＥの測位性能指示情報に基づいてＵＥの測位要求を処理して、ＵＥの測位支援データを取得し得る。最後に、測位サーバ１１１がＵＥとインタラクトし得ることにより、ＵＥは、測位支援データに基づいて正確に測位される。
【０１３８】
可能な場合において、ＵＥがダウンリンク観測到達時間差（Ｏｂｓｅｒｖｅｄ  Ｔｉｍｅ  Ｄｉｆｆｅｒｅｎｃｅ  Ｏｆ  Ａｒｒｉｖａｌ、ＯＴＤＯＡ）法をサポートすることをＵＥの測位性能指示情報が示すときは、測位サーバ１１１はさらに、基地局１２１とインタラクトして、測位される必要があるＵＥの測位信号構成情報を取得し得る。これに対応して、「測位サーバ１１１は、ＵＥの測位性能指示情報に基づいてＵＥの測位要求を処理して、上述のＵＥの測位支援データを取得し得る」は、具体的には、測位サーバ１１１が、ＵＥの測位性能指示情報およびＵＥの測位信号構成情報に基づいてＵＥの測位要求を処理して、ＵＥに対して測位測定を実行することであり得る。測位信号構成情報は、ＯＴＤＯＡ法が適用される測位信号構成である。
【０１３９】
ＵＥがＯＴＤＯＡ法をサポートしていることをＵＥの測位性能指示情報が示す場合に、測位サーバが前述のオペレーションを実行してＵＥに対して測位測定を実行するための方法は、当業者により容易に実装され得て、詳細は本発明の実施形態において説明されないことに留意すべきである。
【０１４０】
別の可能な場合において、ＵＥの測位性能が、ＵＥがＲＴＫ法をサポートすることであるときは、測位サーバ１１１は、基準局から基準データを受信し得る。加えて、測位サーバ１１１は、測位される必要があるＵＥとインタラクトして、ＵＥの大まかな位置を取得し得る。これに対応して、「測位サーバ１１１は、ＵＥの測位性能指示情報に基づいてＵＥの測位要求を処理して、ＵＥの測位支援データを取得し得る」は、具体的には、測位サーバ１１１が、ＵＥの大まかな位置と、ＵＥの測位性能指示情報と、基準データとに基づいてＵＥの測位要求を処理して、ＵＥの正確な位置を取得することであり得る。測位支援データは、ＲＴＫ法を用いた測位支援データである。ＵＥの大まかな位置は、ＵＥにより測定される情報を用いて取得され得る。
【０１４１】
ＵＥがＲＴＫ法をサポートしていることをＵＥの測位性能指示情報が示す場合に、測位サーバが前述のオペレーションを実行してＵＥの正確な位置を取得するための方法は、当業者により容易に実装され得て、詳細は本発明の実施形態において説明されないことに留意すべきである。
【０１４２】
図１に示されるネットワーク要素間の矢印は、ネットワーク要素間のデータフローの方向を表すに過ぎず、ネットワーク要素間の接続、または、ネットワーク要素間でデータを伝送するための無線通信もしくは有線通信などの方式のいずれも限定されない。例えば、データは、ページングメッセージまたは専用シグナリングなどの無線通信を通じて、いくつかのネットワーク要素の間で伝送される。
【０１４３】
データはロングタームエボリューション測位プロトコルＡ（ＬＴＥ  Ｐｏｓｉｔｉｏｎｉｎｇ  Ｐｒｏｔｏｃｏｌ  Ａｎｎｅｘ、ＬＰＰａ）を用いて測位サーバと基地局との間で伝送され得ること、および、データは例えば前述の測位支援データまたは基地局により提供される測位信号構成情報などの測位関連情報であり得ることに留意すべきである。
【０１４４】
データは、ロングタームエボリューション測位プロトコル（ＬＴＥ  Ｐｏｓｉｔｉｏｎｉｎｇ  Ｐｒｏｔｏｃｏｌ、ＬＰＰ）を用いて測位サーバとＵＥとの間で伝送され得る。また、データは、ＵＥの測位性能指示情報、測位支援データ、位置（例えば、ＵＥの大まかな位置）等であり得る。
【０１４５】
データは、位置サービスアプリケーションプロトコル（Ｌｏｃａｔｉｏｎ  Ｓｅｒｖｉｃｅｓ  Ａｐｐｌｉｃａｔｉｏｎ  Ｐｒｏｔｏｃｏｌ、ＬＣＳ−ＡＰ）を用いて測位サーバとコアネットワークデバイスとの間で伝送され得る。また、データは、ＵＥを測位するよう要求するために用いられる測位要求であり得る。
【０１４６】
データは、無線リソース制御（Ｒａｄｉｏ  Ｒｅｓｏｕｒｃｅ  Ｃｏｎｔｒｏｌ、ＲＲＣ）プロトコルを用いて基地局とＵＥとの間で伝送され得る。また、データは、基地局によりブロードキャストされる測位支援データであり得る。
【０１４７】
本発明の実施形態において提供される「測位される必要があるＵＥ」は、「測位要求を事前に開始するＵＥ」、「コアネットワークデバイスが測位要求を開始するＵＥ」または「ＬＣＳエンティティがＵＥの測位のために測位要求を開始するＵＥ」であり得ることに留意すべきである。
【０１４８】
例えば、図２は、本発明の実施形態による測位サーバの概略構成図である。図２に示されるように、測位サーバは、メモリ２２と、通信インタフェース２３と、少なくとも１つのプロセッサ２１とを含み得る。
【０１４９】
測位サーバのコンポーネントは、図２を参照して、以下で具体的に説明される。
【０１５０】
プロセッサ２１は、デバイスのコントロールセンタであり、プロセッサであり得るか、または複数の処理要素の集合名であり得る。例えば、プロセッサ２１は、中央処理装置（ｃｅｎｔｒａｌ  ｐｒｏｃｅｓｓｉｎｇ  ｕｎｉｔ、ＣＰＵ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または、本発明の本実施形態を実装するように構成された１または複数の集積回路、例えば、１または複数のマイクロプロセッサ（ｄｉｇｉｔａｌ  ｓｉｇｎａｌ  ｐｒｏｃｅｓｓｏｒ、ＤＳＰ）または１または複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）などであり得る。
【０１５１】
プロセッサ２１は、メモリ２２に格納されたソフトウェアプログラムを動作させるかまたは実行し、メモリ２２に格納されたデータを呼び出すことにより、デバイスの様々な機能を実行し得る。例えば、プロセッサ２１は、ＵＥの測位要求を処理し、測位される必要があるＵＥを正確に測位するために用いられる測位支援データを取得するように構成され得る。
【０１５２】
具体的な実装中、実施形態において、プロセッサ２１は、１または複数のＣＰＵ、例えば、図２に示されるＣＰＵ０およびＣＰＵ１を含み得る。
【０１５３】
具体的な実装中、実施形態において、測位サーバは、複数のプロセッサ、例えば、図２に示されるプロセッサ２１およびプロセッサ２５を含み得る。これらのプロセッサの各々は、シングルコアプロセッサ（ｓｉｎｇｌｅ−ＣＰＵ）であり得るか、またはマルチコアプロセッサ（ｍｕｌｔｉ−ＣＰＵ）であり得る。本明細書におけるプロセッサは、データ（例えば、コンピュータプログラム命令）を処理するように構成された１または複数のデバイス、回路および／または処理コアであり得る。
【０１５４】
メモリ２２は、リードオンリメモリ（ｒｅａｄ−ｏｎｌｙ  ｍｅｍｏｒｙ、ＲＯＭ）もしくは静的な情報および命令を格納し得る別のタイプの静的ストレージデバイス、ランダムアクセスメモリ（ｒａｎｄｏｍ  ａｃｃｅｓｓ  ｍｅｍｏｒｙ、ＲＡＭ）もしくは情報および命令を格納し得る別のタイプの動的ストレージデバイス、電気的消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒ、ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）もしくは別の光ディスクストレージ、光ディスクストレージ（コンパクト光ディスクを含む）、レーザディスク、光ディスク、デジタル多用途ディスク、ブルーレイディスク（登録商標）等、もしくは磁気ディスク記憶媒体もしくは別の磁気ストレージデバイス、または、期待プログラムコードを命令もしくはデータ構造の形態で保持もしくは格納するように構成され得て、限定されはしないがコンピュータがアクセスし得る任意の他の媒体であり得る。メモリ２２は、別個に存在し得て、通信バス２４を用いてプロセッサ２１に接続される。代替的に、メモリ２２は、プロセッサ２１と統合され得る。
【０１５５】
メモリ２２は、本発明の実施形態において提供される解決手段を実行するためのソフトウェアプログラムを格納するように構成され、プロセッサ２１は、実行を制御する。
【０１５６】
データを外部デバイスへ送信するように構成された送信インタフェース、および、外部デバイスからデータを受信するように構成された受信インタフェースという２つの通信インタフェース２３が存在し得る。言い換えると、測位サーバは、２つの異なる通信インタフェースを通じて、データの送信および受信を別々に実装し得る。例えば、図１を参照すると、測位サーバ１１１の一方の通信インタフェースが、対応する測位支援データを図１に示されるＵＥ（例えば、ＵＥ１５１）へ送信し得て、他方の通信インタフェースが、コアネットワークデバイス１２１により送信される測位要求を受信し得る。当然ながら、通信インタフェース２３は、データ受信機能およびデータ送信機能を１つの通信インタフェースに統合し得る。当該通信インタフェースは、データ受信機能およびデータ送信機能の両方を有する。
【０１５７】
図２に示される測位サーバの構造は、測位サーバに対する限定を構成しない。測位サーバは、この図に示されるものより多いかまたは少ないコンポーネントを含み得るか、いくつかのコンポーネントを組み合わせ得るか、または、異なるコンポーネント構成を有し得る。
【０１５８】
例えば、図３は、本発明の実施形態による基地局の概略構成図である。図３に示されるように、基地局は、少なくとも１つのプロセッサ３１と、メモリ３２と、通信インタフェース３３とを含み得る。
【０１５９】
基地局のコンポーネントは、図３を参照して、以下で具体的に説明される。
【０１６０】
プロセッサ３１は、デバイスのコントロールセンタであり、プロセッサであり得るか、または複数の処理要素の集合名であり得る。例えば、プロセッサ３１は、ＣＰＵ、ＡＳＩＣ、または、本発明の本実施形態を実装するように構成された１または複数の集積回路、例えば、１または複数のＤＳＰまたは１または複数のＦＰＧＡであり得る。
【０１６１】
プロセッサ３１は、メモリ３２に格納されたソフトウェアプログラムを動作させるかまたは実行し、メモリ３２に格納されたデータを呼び出すことにより、デバイスの様々な機能を実行し得る。例えば、プロセッサ３１は、基地局によりカバーされるセルと、当該セルによりカバーされるＵＥとを区別するように構成され得る。
【０１６２】
具体的な実装中、実施形態において、プロセッサ３１は、１または複数のＣＰＵ、例えば、図３に示されるＣＰＵ０およびＣＰＵ１を含み得る。
【０１６３】
具体的な実装中、実施形態において、基地局は、複数のプロセッサ、例えば、図３に示されるプロセッサ３１およびプロセッサ３５を含み得る。これらのプロセッサの各々は、シングルコアプロセッサであり得るか、またはマルチコアプロセッサであり得る。本明細書におけるプロセッサは、データ（例えば、コンピュータプログラム命令）を処理するように構成された１または複数のデバイス、回路および／または処理コアであり得る。
【０１６４】
メモリ３２は、ＲＯＭもしくは静的な情報および命令を格納し得る別のタイプの静的ストレージデバイス、ＲＡＭもしくは情報および命令を格納し得る別のタイプの動的ストレージデバイス、ＥＥＰＲＯＭ、ＣＤ−ＲＯＭもしくは別の光ディスクストレージ、光ディスクストレージ（コンパクト光ディスクを含む）、レーザディスク、光ディスク、デジタル多用途ディスク、ブルーレイディスク（登録商標）等、もしくは磁気ディスク記憶媒体もしくは別の磁気ストレージデバイス、または、期待プログラムコードを命令もしくはデータ構造の形態で保持もしくは格納するように構成され得て、限定されはしないがコンピュータがアクセスし得る任意の他の媒体であり得る。メモリ３２は、別個に存在し得て、通信バス３４を用いてプロセッサ３１に接続される。代替的に、メモリ３２は、プロセッサ３１と統合され得る。
【０１６５】
メモリ３２は、本発明の実施形態において提供される解決手段を実行するためのソフトウェアプログラムを格納するように構成され、プロセッサ３１は、実行を制御する。データを外部デバイスへ送信するように構成された送信インタフェース、および、外部デバイスからデータを受信するように構成された受信インタフェースという２つの通信インタフェース３３が存在し得る。言い換えると、基地局は、２つの異なる通信インタフェースを通じて、データの送信および受信を別々に実装し得る。例えば、図１を参照すると、基地局１２１の一方の通信インタフェースは、測位される必要があるＵＥの測定情報を図１に示される測位サーバ１１１へ送信し得て、他方の通信インタフェースは、測位サーバ１１１により送信される測位支援データ等を受信し得る。当然ながら、通信インタフェース３３は、データ受信機能およびデータ送信機能を１つの通信インタフェースに統合し得る。当該通信インタフェースは、データ受信機能およびデータ送信機能の両方を有する。
【０１６６】
図３に示される基地局の構造は、基地局に対する限定を構成しない。基地局は、この図に示されるものより多いかまたは少ないコンポーネントを含み得るか、いくつかのコンポーネントを組み合わせ得るか、または、異なるコンポーネント構成を有し得る。
【０１６７】
例えば、図４は、本発明の実施形態によるコアネットワークデバイスの概略構成図である。図４に示されるように、コアネットワークデバイスは、少なくとも１つのプロセッサ４１と、メモリ４２と、通信インタフェース４３とを含み得る。
【０１６８】
コアネットワークデバイスのコンポーネントは、図４を参照して、以下で具体的に説明される。
【０１６９】
プロセッサ４１は、デバイスのコントロールセンタであり、プロセッサであり得るか、または複数の処理要素の集合名であり得る。例えば、プロセッサ４１は、ＣＰＵ、ＡＳＩＣ、または、本発明の本実施形態を実装するように構成された１または複数の集積回路、例えば、１または複数のＤＳＰまたは１または複数のＦＰＧＡであり得る。
【０１７０】
プロセッサ４１は、メモリ４２に格納されたソフトウェアプログラムを動作させるかまたは実行し、メモリ４２に格納されたデータを呼び出すことにより、デバイスの様々な機能を実行し得る。例えば、プロセッサ４１は、ＵＥへ接続するかどうかを判断するように構成され得る。具体的な実装中、実施形態において、プロセッサ４１は、１または複数のＣＰＵ、例えば、図４に示されるＣＰＵ０およびＣＰＵ１を含み得る。
【０１７１】
具体的な実装中、実施形態において、コアネットワークデバイスは、複数のプロセッサ、例えば、図４に示されるプロセッサ４１およびプロセッサ４５を含み得る。これらのプロセッサの各々は、シングルコアプロセッサであり得るか、またはマルチコアプロセッサであり得る。本明細書におけるプロセッサは、データ（例えば、コンピュータプログラム命令）を処理するように構成された１または複数のデバイス、回路および／または処理コアであり得る。
【０１７２】
メモリ４２は、ＲＯＭもしくは静的な情報および命令を格納し得る別のタイプの静的ストレージデバイス、ＲＡＭもしくは情報および命令を格納し得る別のタイプの動的ストレージデバイス、ＥＥＰＲＯＭ、ＣＤ−ＲＯＭもしくは別の光ディスクストレージ、光ディスクストレージ（コンパクト光ディスクを含む）、レーザディスク、光ディスク、デジタル多用途ディスク、ブルーレイディスク（登録商標）等、もしくは磁気ディスク記憶媒体もしくは別の磁気ストレージデバイス、または、期待プログラムコードを命令もしくはデータ構造の形態で保持もしくは格納するように構成され得て、限定されはしないがコンピュータがアクセスし得る任意の他の媒体であり得る。メモリ４２は、別個に存在し得て、通信バス４４を用いてプロセッサ４１に接続される。代替的に、メモリ４２は、プロセッサ４１と統合され得る。
【０１７３】
メモリ４２は、本発明の実施形態において提供される解決手段を実行するためのソフトウェアプログラムを格納するように構成され、プロセッサ４１は、実行を制御する。データを外部デバイスへ送信するように構成された送信インタフェース、および、外部デバイスからデータを受信するように構成された受信インタフェースという２つの通信インタフェース４３が存在し得る。言い換えると、コアネットワークデバイスは、２つの異なる通信インタフェースを通じて、データの送信および受信を別々に実装し得る。例えば、図１を参照すると、コアネットワークデバイス１３１の一方の通信インタフェースが、測位要求を図１に示される測位サーバ１１１へ送信し、図１に示されるＵＥに対して、接続を確立するために用いられるページングメッセージを開始し得る。他方の通信インタフェースが、図１に示されるＵＥにより送信される測位要求を受信し得る。当然ながら、通信インタフェース４３は、データ受信機能およびデータ送信機能を１つの通信インタフェースに統合し得る。当該通信インタフェースは、データ受信機能およびデータ送信機能の両方を有する。
【０１７４】
図４に示されるコアネットワークデバイスの構造は、コアネットワークデバイスに対する限定を構成しない。コアネットワークデバイスは、この図に示されるものより多いかまたは少ないコンポーネントを含み得るか、いくつかのコンポーネントを組み合わせ得るか、または、異なるコンポーネント構成を有し得る。
【０１７５】
例えば、図５は、本発明の実施形態によるＵＥの概略構成図である。図５に示されるように、ＵＥは、少なくとも１つのプロセッサ５１と、メモリ５２と、通信インタフェース５３とを含み得る。
【０１７６】
ＵＥのコンポーネントは、図５を参照して、以下で具体的に説明される。
【０１７７】
プロセッサ５１は、デバイスのコントロールセンタであり、プロセッサであり得るか、または複数の処理要素の集合名であり得る。例えば、プロセッサ５１は、ＣＰＵ、ＡＳＩＣ、または、本発明の本実施形態を実装するように構成された１または複数の集積回路、例えば、１または複数のＤＳＰまたは１または複数のＦＰＧＡであり得る。
【０１７８】
プロセッサ５１は、メモリ５２に格納されたソフトウェアプログラムを動作させるかまたは実行し、メモリ５２に格納されたデータを呼び出すことにより、デバイスの様々な機能を実行し得る。例えば、プロセッサ５１は、ＵＥへ接続するかどうかを判断するように構成され得る。具体的な実装中、実施形態において、プロセッサ５１は、１または複数のＣＰＵ、例えば、図５に示されるＣＰＵ０およびＣＰＵ１を含み得る。
【０１７９】
具体的な実装中、実施形態において、ＵＥは、複数のプロセッサ、例えば、図５に示されるプロセッサ５１およびプロセッサ５５を含み得る。これらのプロセッサの各々は、シングルコアプロセッサであり得るか、またはマルチコアプロセッサであり得る。本明細書におけるプロセッサは、データ（例えば、コンピュータプログラム命令）を処理するように構成された１または複数のデバイス、回路および／または処理コアであり得る。
【０１８０】
メモリ５２は、ＲＯＭもしくは静的な情報および命令を格納し得る別のタイプの静的ストレージデバイス、ＲＡＭもしくは情報および命令を格納し得る別のタイプの動的ストレージデバイス、ＥＥＰＲＯＭ、ＣＤ−ＲＯＭもしくは別の光ディスクストレージ、光ディスクストレージ（コンパクト光ディスクを含む）、レーザディスク、光ディスク、デジタル多用途ディスク、ブルーレイディスク（登録商標）等、もしくは磁気ディスク記憶媒体もしくは別の磁気ストレージデバイス、または、期待プログラムコードを命令もしくはデータ構造の形態で保持もしくは格納するように構成され得て、限定されはしないがコンピュータがアクセスし得る任意の他の媒体であり得る。メモリ５２は、別個に存在し得て、通信バス５４を用いてプロセッサ５１に接続される。代替的に、メモリ５２は、プロセッサ５１と統合され得る。
【０１８１】
メモリ５２は、本発明の実施形態において提供される解決手段を実行するためのソフトウェアプログラムを格納するように構成され、プロセッサ５１は、実行を制御する。データを外部デバイスへ送信するように構成された送信インタフェース、および、外部デバイスからデータを受信するように構成された受信インタフェースという２つの通信インタフェース５３が存在し得る。言い換えると、ＵＥは、２つの異なる通信インタフェースを通じて、データの送信および受信を別々に実装し得る。例えば、図１を参照すると、ＵＥ１４１の一方の通信インタフェースが、測位要求を図１に示されるコアネットワークデバイス１３１へ送信し、ＵＥ１４１の測位性能指示情報およびＵＥ１４１の大まかな位置を図１に示される測位サーバ１１１へ送信し得る。他方の通信インタフェースが、図１に示される測位サーバ１１１により送信される測位支援データ等を受信し得る。当然ながら、通信インタフェース５３は、データ受信機能およびデータ送信機能を１つの通信インタフェースに統合し得る。当該通信インタフェースは、データ受信機能およびデータ送信機能の両方を有する。
【０１８２】
図５に示されるＵＥの構造は、ＵＥに対する限定を構成しない。ＵＥは、この図に示されるものより多いかまたは少ないコンポーネントを含み得るか、いくつかのコンポーネントを組み合わせ得るか、または、異なるコンポーネント構成を有し得る。
【０１８３】
本発明の以下の実施形態では、本発明の実施形態において提供される測位支援データ送信方法が適用される測位システムにおいて、測位サーバがＥ−ＳＭＬＣであり、コアネットワークデバイスがＭＭＥであり、基地局がｅＮＢである例が用いられるに過ぎない。本発明の実施形態において提供される方法は、３ＧＰＰ技術を用いる測位システムに適用され得る。当該測位システムは、ＲＴＫ技術をサポートする。
【０１８４】
本発明の実施形態の目的、技術的解決手段および利点をより明確にするために、図１に示される測位システムと、図２に示される測位サーバと、図３に示される基地局と、図４に示されるコアネットワークデバイスと、図５に示されるＵＥとを参照して、以下では、図６に示される測位支援データ送信方法のフローチャートを詳細に説明する。図６を参照すると、本願の方法の実施形態１において提供される測位支援データ送信方法は、Ｓ６０１を含む。
【０１８５】
Ｓ６０１．コアネットワークデバイスが測位要求を測位サーバへ送信する。
【０１８６】
例えば、段階６０１は、図４に示されるコアネットワークデバイスの通信インタフェース４３により実行され得る。
【０１８７】
具体的には、コアネットワークデバイスは、少なくとも１つの測位要求を測位サーバへ送信し得る。測位要求は、測位される必要があるＵＥにより事前に開始され、コアネットワークデバイスにより受信される測位要求、または、測位される必要があるＵＥの測位のためにコアネットワークデバイスにより開始される測位要求であり得る。
【０１８８】
少なくとも１つの測位要求の各々は、１つのＵＥの識別子と、当該ＵＥのサービングセルの識別子とを含み得る。例えば、ＵＥの識別子は、ＵＥの国際移動体装置識別番号（Ｉｎｔｅｒｎａｔｉｏｎａｌ  Ｍｏｂｉｌｅ  Ｅｑｕｉｐｍｅｎｔ  Ｉｄｅｎｔｉｔｙ、ＩＭＥＩ）であり得るか、または国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）であり得る。１つのＩＭＥＩが、１つのＵＥを一意に識別し得る。サービングセルの識別子は、進化型ユニバーサル移動体通信システム地上無線アクセスネットワークセルグローバル識別子（Ｅ−ＵＴＲＡＮ  Ｃｅｌｌ  Ｇｌｏｂａｌ  Ｉｄｅｎｔｉｆｉｅｒ、Ｅ−ＣＧＩ）であり得る。１つのＥ−ＣＧＩが、１つのセルを識別するために用いられ得ると共に、当該セルに対応する基地局を示し得る。例えば、１つのＥ−ＣＧＩが、２８ビット（ｂｉｔ）の情報を含み得る。最初の２０ビットが、セルに対応する基地局の識別情報（Ｉｄｅｎｔｉｔｙ、ＩＤ）を示し得て、最後の８ビットが、当該セルのＩＤを示し得る。
【０１８９】
測位される必要があるＵＥが測位要求をコアネットワークデバイスへ送信する時点は、本発明の本実施形態において限定されないことに留意すべきである。例えば、測位される必要がある複数のＵＥが、測位要求を、同じ時点で、または異なる時点で別々に、コアネットワークデバイスへ送信し得る。加えて、少なくとも１つの測位要求は、ある期間内に生成される測位要求であり得ると共に、絶えず更新され得る。例えば、段階６０１が実行された後の時点で、セルに新たに加わり、測位される必要があるＵＥにより開始される測位要求が、少なくとも１つの測位要求を更新するために用いられ得る。
【０１９０】
Ｓ６０２．測位サーバが、コアネットワークデバイスにより送信される測位要求を受信する。
【０１９１】
測位サーバは、コアネットワークデバイスにより送信される少なくとも１つの測位要求を受信し得る。測位サーバは、少なくとも１つの測位要求を受信した後に、少なくとも１つの測位要求に基づいて、測位支援データをブロードキャストモードで送信することを決定し得る。
【０１９２】
具体的には、段階６０２の後に、本発明の本実施形態において提供される測位支援データ送信方法はさらに、段階６０３および段階６０４を含み得る。
【０１９３】
Ｓ６０３．測位サーバが、測位要求に基づいて、測位支援データを基地局へ送信する。
【０１９４】
例えば、段階６０２および段階６０３は、図２に示される測位サーバの通信インタフェース２３により実行され得る。
【０１９５】
例えば、測位サーバは、支援データを送信する前に、まず、通知メッセージを基地局へ送信し得る。通知メッセージは、測位サーバが測位支援データを基地局へ送信すべきことを基地局に通知するために用いられる。通知メッセージはＬＰＰａシグナリングであり、具体的なシグナリング名は限定されない。
【０１９６】
例えば、基地局は、測位サーバにより送信される通知メッセージを受信した後に、応答メッセージに返信し得る。応答メッセージは、データパケットのサイズ限界および送信期間などの情報を含み得る。測位サーバは、基地局により送信される応答メッセージを受信した後に、測位支援データを基地局へ送信する。
【０１９７】
測位サーバは、少なくとも１つの測位要求に基づいて、少なくとも１つの測位支援データを基地局へ送信し得る。具体的には、測位サーバは、異なる測位要求に含まれるＵＥの異なる識別子に基づいて異なるＵＥを区別し、異なるセル識別子に基づいて異なるセルを区別し得る。複数のＵＥのサービングセルが同じセルであり得るので、異なる識別子を有する複数のＵＥが同じセルに対応し得る。
【０１９８】
具体的には、あるサービングセルについて、測位サーバは、当該サービングセルの識別子に基づいて、測位支援データ、例えば、当該サービングセル内の測位される必要があるＵＥの少なくとも１つの測位支援データを、当該サービングセルに対応する基地局へ送信し得る。
【０１９９】
Ｓ６０４．基地局が、測位サーバにより送信される測位支援データを受信する。
【０２００】
Ｓ６０５．基地局が測位支援データをブロードキャストする。
【０２０１】
例えば、段階６０４および段階６０５は、図３に示される基地局の通信インタフェース３３により実行され得る。
【０２０２】
基地局は、基地局によりブロードキャストされるシステムメッセージに測位支援データを加え、例えば、少なくとも１つの測位支援データを加え、少なくとも１つの測位支援データをブロードキャストし得る。
【０２０３】
本発明の本実施形態において提供される測位支援データ送信方法では、３ＧＰＰ技術を適用した測位システムにおいて、測位サーバが、少なくとも１つの測位要求を受信した後に、少なくとも１つの測位要求に対応するＵＥ（すなわち、測位される必要があるＵＥ）の測位支援データを基地局へ送信し得ることにより、基地局は、測位支援データをブロードキャストできることに留意すべきである。この場合において、基地局または測位サーバなどのネットワーク要素が、測位される必要があるＵＥに接続されていないときは、ＵＥは、対応する測位支援データを取得し得る。加えて、あるセル内の測位支援データは当該セル内のＵＥについて同じなので、測位サーバは、測位支援データをブロードキャストモードで送信するが、同じ測位支援データを複数のＵＥへ別々に送信する必要はない。これにより、複数のＵＥの全てが、測位支援データを取得し得る。このように、リソース利用率およびスペクトル効率が改善され得る。
【０２０４】
測位サーバは、測位支援データを基地局へ送信する前に、さらに、測位される必要があるＵＥとインタラクトして、測位支援データを生成または取得し得る。測位される必要があるＵＥは、１または複数のＵＥであり得て、測位サーバと１または複数のＵＥとの間のインタラクションの処理は、同じであり得る。加えて、あるセル内の測位支援データは当該セル内のＵＥについて同じなので、基地局は、１つのセルのために測位支援データをブロードキャストし得る。本発明の以下の実施形態では、本発明の本実施形態において提供される測位支援データ送信方法は、測位サーバが、１つの基地局によりカバーされる１つのサービングセル（例えば、第１のサービングセル）内の測位される必要があるＵＥのうちの１つとインタラクトする例を単に用いて説明される。
【０２０５】
具体的には、段階６０２の後に、本願の方法の実施形態２において提供される測位支援データ送信方法は、段階７０１をさらに含み得る。例えば、段階６０２の後に、図７に示される測位支援データ送信方法は、段階７０１をさらに含み得る。
【０２０６】
Ｓ７０１．測位サーバが、ＵＥにより測位サーバへ送信される第１のメッセージを受信する。
【０２０７】
例えば、段階７０１は、図２に示される測位サーバの通信インタフェース２３により実行され得る。
【０２０８】
具体的には、ＵＥは、第１のサービングセル内の測位される必要があるＵＥであり得る。第１のメッセージは、ＵＥの測位性能指示情報、測位精度指示情報および／またはサービスタイプ指示情報のうちの少なくとも１つを含む。
【０２０９】
測位性能指示情報により示されるＵＥの測位性能は、前述のＯＴＤＯＡ法および前述のＲＴＫ法を含み得る。具体的には、ＯＴＤＯＡ法は、ＵＥベースＯＴＤＯＡ法およびＵＥ支援ＯＴＤＯＡ法を含み、ＲＴＫ法は、ＵＥベースＲＴＫ法およびＵＥ支援ＲＴＫ法を含み得る。言い換えると、これらは、性能サポートのための方法として別々に用いられ得る。加えて、ＵＥの測位性能は、リアルタイムキネマティック疑似距離差（ｒｅａｌ−ｔｉｍｅ  ｋｉｎｅｍａｔｉｃ  ｐｓｅｕｄｏｒａｎｇｅ  ｄｉｆｆｅｒｅｎｃｅ、ＲＴＤ）法、状態空間表現（Ｓｔａｔｅ  Ｓｐａｃｅ  Ｒｅｐｒｅｓｅｎｔａｔｉｏｎ、ＳＳＲ）法、仮想基準局（Ｖｉｒｔｕａｌ  Ｒｅｆｅｒｅｎｃｅ  Ｓｔａｔｉｏｎ、ＶＲＳ）法、マスタ補助コンセプト（Ｍａｓｔｅｒ  Ａｕｘｉｌｉａｒｙ  Ｃｏｎｃｅｐｔ、ＭＡＣ）法、面補正パラメータ（ドイツ語：Ｆｌａｅｃｈｅｎｋｏｒｒｅｋｔｕｒｐａｒａｍｅｔｅｒ、ＦＫＰ）法、精密単独測位（ｐｏｉｎｔ  ｐｒｅｃｉｓｅ  ｐｏｓｉｔｉｏｎｉｎｇ、ＰＰＰ）法および精密単独測位キャリア位相差（ｐｏｉｎｔ  ｐｒｅｃｉｓｅ  ｐｏｓｉｔｉｏｎｉｎｇ−Ｒｅａｌ  ｔｉｍｅ  ｋｉｎｅｍａｔｉｃ、ＰＰＰ−ＲＴＫ）法のうちの少なくとも１つをさらに含み得る。当然ながら、本発明の本実施形態において提供されるＵＥの測位性能によりサポートされる測位方法は、前述の少なくとも１つの方法に限定されず、別の測位方法、例えば、衛星ベースオーグメンテーションシステム（Ｓａｔｅｌｌｉｔｅ−Ｂａｓｅｄ  Ａｕｇｍｅｎｔａｔｉｏｎ  Ｓｙｓｔｅｍ、ＳＢＡＳ）法をさらに含み得る。
【０２１０】
本発明の本実施形態において提供されるＵＥの測位性能が１または複数の測位方法をサポートし得るので、例えば、ＵＥは、ＯＴＤＯＡ法をサポートしながらＲＴＫ法をサポートし得る。このように、ＵＥは、ＯＴＤＯＡ法とＲＴＫ法との組み合わせを用いて測位され得る。これにより、ＵＥの測位プロセスにおける測位精度が改善する。
【０２１１】
ＵＥの測位性能指示情報を測位サーバへ送信することに加え、ＵＥはさらに、測位精度指示情報および／またはサービスタイプ指示情報を測位サーバへ送信し得る。
【０２１２】
測位精度指示情報は、ＵＥによりサポートされる測位精度を示すために用いられる。例えば、ＵＥは、センチメートルレベルの精度、サブメートルレベルの精度およびメートルレベルの精度をサポートする。
【０２１３】
サービスタイプ指示情報は、ＵＥによりサポートされるサービスタイプを示すために用いられる。例えば、ＵＥは、リアルタイム高精度測位、特定の遅延を可能にする測位、および異なるサービス品質（Ｑｕａｌｉｔｙ  ｏｆ  Ｓｅｒｖｉｃｅ、ＱｏＳ）要件がある測位をサポートする。
【０２１４】
任意選択的に、ＵＥは、ＵＥの測位性能指示情報、測位精度指示情報およびサービスタイプ指示情報の任意の１つもしくは２つまたは全てを測位サーバへ送信し得る。このことは、本発明の本実施形態において限定されない。
【０２１５】
任意選択的に、ＵＥにより送信される第１のメッセージは、ＵＥにより測位サーバへ事前に送信され得るか、または、測位サーバにより送信され、第１のメッセージを要求するために用いられる第１のメッセージ要求のＵＥによる受信後に、ＵＥにより送信され得る。本発明の本実施形態において、以下では、「ＵＥにより送信される第１のメッセージ」が、測位サーバにより送信され、説明用に第１のメッセージを要求するために用いられる第１のメッセージ要求のＵＥによる受信後に、ＵＥにより送信される例を用いるに過ぎない。
【０２１６】
例えば、段階７０１の前に、図７に示される測位支援データ送信方法は、段階７０１ａから段階７０１ｃをさらに含み得る。
【０２１７】
７０１ａ．測位サーバが第１のメッセージ要求をＵＥへ送信する。
【０２１８】
例えば、段階７０１ａおよび段階７０１は、図２に示される測位サーバの通信インタフェース２３により実行される。
【０２１９】
７０１ｂ．ＵＥが、測位サーバにより送信される第１のメッセージ要求を受信する。
【０２２０】
具体的には、第１のサービングセル内の測位される必要がある１または複数のＵＥが、測位サーバにより送信される対応する第１のメッセージ要求を別々に受信し得る。
【０２２１】
Ｓ７０１ｃ．ＵＥが第１のメッセージを測位サーバへ送信する。
【０２２２】
例えば、段階７０１ｂおよび段階７０１ｃは、図５に示されるＵＥの通信インタフェース２３により実行され得る。
【０２２３】
第１のサービングセル内の測位される必要がある複数のＵＥの各々が、段階７０１ａから段階７０１ｃにおいて提供される方法を実装し得ることに留意すべきである。本発明の本実施形態においては、詳細を改めて説明しない。測位サーバは、第１のサービングセル内の測位される必要がある１または複数のＵＥと別々にインタラクトして、１または複数のＵＥの各々に対応する第１のメッセージ要求を取得し得る、すなわち、第１のサービングセル内の測位される必要がある１または複数のＵＥの測位性能および／または測位精度および／または測位サービスタイプを取得し得る。
【０２２４】
方法の実施形態２において提供される測位支援データ送信方法において、段階６０３は、具体的には、段階７０２であり得る。例えば、図７に示される方法において、図６における段階６０３は、具体的には、段階７０２であり得る。
【０２２５】
Ｓ７０２．測位サーバが、第１のサービングセルの識別子に基づいて、測位支援データを第１のサービングセルに対応する基地局へ送信する。
【０２２６】
例えば、段階７０２は、図２に示される測位サーバの通信インタフェース２３により実行され得る。
【０２２７】
具体的には、測位サーバは、第１の条件が満たされている場合、測位支援データを基地局へ送信する。測位支援データは、第１のサービングセル内の測位される必要がある１または複数のＵＥの１または複数の測位支援データであり得る。
【０２２８】
測位サーバ側の第１の条件は、以下の条件１から５のいずれか１つであり、条件１から５の間には「および／または」の関係が存在する。
【０２２９】
１．測位サーバが、第１のサービングセル内の測位される必要があるＵＥの数が第１の閾値より大きい、と判断する。
【０２３０】
第１の閾値の具体的な値は、本発明の本実施形態において限定されず、当該値は、本願の目的の実現に対する限定を構成しないことに留意すべきである。
【０２３１】
例えば、第１のサービングセルが図１に示されるセル１である場合、第１のサービングセル内の測位される必要があるＵＥの数は、９であり得る。第１のサービングセルが図１に示されるセル２である場合、第１のサービングセルない尾測位される必要があるＵＥの数は、３であり得る。
【０２３２】
第１の閾値が６であると仮定すると、第１の条件が条件１である場合、以下のとおりである。
【０２３３】
第１のサービングセルが図１に示されるセル１であり、かつ、第１のサービングセル内の測位される必要があるＵＥの数が６より大きい９である場合、第１の条件が満たされる。従って、測位サーバは、測位支援データ、例えば、第１のサービングセルによりサービスを受けるＵＥの少なくとも１つの測位支援データをブロードキャストモードで送信することを決定し得る。この場合、測位サーバが第１のサービングセル内のＵＥの少なくとも１つの測位支援データを基地局へ送信し得ることにより、第１のサービングセルに対応する基地局は、少なくとも１つの測位支援データをブロードキャストできる。
【０２３４】
第１のサービングセルが図１に示されるセル２であり、かつ、第１のサービングセル内の測位される必要があるＵＥの数が６以下である３である場合、第１の条件は、満たされ得ない。従って、測位サーバは、第１のサービングセル内の測位される必要があるＵＥの少なくとも１つの測位支援データをブロードキャストモードで送信しないことを決定するが、少なくとも１つの測位支援データをユニキャストモードで送信することを決定し得る。言い換えると、測位サーバは、第１のサービングセル内の測位される必要があるＵＥの少なくとも１つの測位支援データを基地局へ送信しない。この場合、第１のサービングセルに対応する基地局は、少なくとも１つの測位支援データをブロードキャストし得ない。測位サーバは、ＵＥ１５１から１５３と別々にインタラクトし得る。これにより、ＵＥ１５１から１５３はそれぞれ、ＵＥ１５１から１５３の測位支援データを取得する。
【０２３５】
２．測位サーバが、第１のサービングセル内の測位される必要があるＵＥのうち任意の測位性能を満たすＵＥの数が第２の閾値より大きい、と判断する。
【０２３６】
本願において提供されるＵＥの具体的な測位性能は、本発明の本実施形態において列挙される測位性能に限定されない。
【０２３７】
第２の閾値の具体的な値は、本発明の本実施形態において限定されず、当該値は、本願の目的の実現に対する限定を構成しないことに留意すべきである。
【０２３８】
例えば、第１のサービングセルが図１に示されるセル１である場合、セル１内の測位される必要があるＵＥの数は９である。ＵＥ１４１から１４４の測位性能指示情報は、対応するＵＥの全てがＶＲＳ法をサポートすることを示し、ＵＥ１４５から１４８の測位性能指示情報は、対応するＵＥの全てがＭＡＣ法をサポートすることを示し、ＵＥ１４９の測位性能指示情報は、対応するＵＥがＦＫＰ法をサポートすることを示す。
【０２３９】
第１のサービングセルが図１に示されるセル２である場合、セル２内の測位される必要があるＵＥの数は３である。ＵＥ１５１から１５３の測位性能指示情報は、対応するＵＥがＶＲＳ法をサポートすることを示す。
【０２４０】
例えば、第２の閾値は３であると仮定すると、第１の条件が条件２である場合、以下のとおりである。
【０２４１】
第１のサービングセルが図１に示されるセル１であり、かつ、第１のサービングセル内の測位される必要があるＵＥのうちＶＲＳ法をサポートするＵＥの数が３より大きい５である場合、第１の条件が満たされる。従って、測位サーバは、第１のサービングセルによりサービスを受けるＵＥ１４１から１４５の少なくとも１つの測位支援データをブロードキャストモードで送信することを決定し得る。少なくとも１つの測位支援データは、ＶＲＳ法を用いた測位支援データである。すなわち、測位サーバが、第１のサービングセルによりサービスを受けるＵＥ１４１から１４５のＶＲＳ法を用いた少なくとも１つの測位支援データを基地局へ送信し得ることにより、第１のサービングセルに対応する基地局は、少なくとも１つの測位支援データをブロードキャストできる。
【０２４２】
一方で、第１のサービングセル内の測位される必要があるＵＥのうちＭＡＣ法をサポートするＵＥの数が３より大きい４である場合、第１の条件が満たされる。従って、測位サーバは、第１のサービングセルによりサービスを受けるＵＥ１４５から１４８の少なくとも１つの測位支援データをブロードキャストモードで送信することを決定し得る。少なくとも１つの測位支援データは、ＭＡＣ法を用いた測位支援データである。すなわち、測位サーバが、第１のサービングセルによりサービスを受けるＵＥ１４５から１４８のＭＡＣ法を用いた少なくとも１つの測位支援データを基地局へ送信し得ることにより、第１のサービングセルに対応する基地局は、少なくとも１つの測位支援データをブロードキャストできる。
【０２４３】
しかしながら、第１のサービングセル内の測位される必要があるＵＥのうちＦＫＰ法をサポートするＵＥの数が３以下である１である場合、第１の条件が満たされ得ない。従って、測位サーバは、第１のサービングセルによりサービスを受けるＵＥ１４９の測位支援データをユニキャストモードで送信することを決定し得る。当該測位支援データは、ＦＫＰ法を用いた測位支援データである。すなわち、測位サーバがＵＥ１４９とインタラクトし得ることにより、ＵＥ１４９は、ＦＫＰ法を用いたＵＥ１４９の測位支援データを取得する。
【０２４４】
加えて、第１のサービングセルが図１に示されるセル２であり、かつ、第１のサービングセル内の測位される必要がある、ＶＲＳ法をサポートするＵＥの数が３以下である３である場合、第１の条件は満たされ得ない。従って、測位サーバは、第１のサービングセルによりサービスを受けるＵＥの少なくとも１つの測位支援データをブロードキャストモードで送信しないことを決定するが、少なくとも１つの測位支援データをユニキャストモードで送信することを決定する。言い換えると、測位サーバは、第１のサービングセルによりサービスを受けるＵＥのＶＲＳ法を用いた少なくとも１つの測位支援データを基地局へ送信せず、基地局は、第１のサービングセルに対応する少なくとも１つの測位支援データをブロードキャストしない。測位サーバがＵＥ１５１から１５３と別々にインタラクトし得ることにより、ＵＥ１５１から１５３はそれぞれ、ＵＥ１５１から１５３の、ＶＲＳ法を用いた測位支援データを取得する。
【０２４５】
３．測位サーバが、第１のサービングセル内の測位される必要があるＵＥのうち任意の測位精度を満たすＵＥの数が第３の閾値より大きい、と判断する。
【０２４６】
４．測位サーバが、第１のサービングセル内の測位される必要があるＵＥのうち任意の測位サービスタイプを満たすＵＥの数が第４の閾値より大きい、と判断する。
【０２４７】
第３の閾値および第４の閾値の具体的な値は、本発明の本実施形態において限定されず、当該値は、本願の目的の実現に対する限定を構成しない。
【０２４８】
については、第１の条件が条件３または条件４である場合の具体的な説明については、第１の条件が条件２である場合の具体的な説明を参照すべきこと、および、本発明の本実施形態においては、詳細を改めて説明しないことに留意すべきである。
【０２４９】
具体的には、第１のサービングセル内のＵＥの数、任意の測位性能を満たすＵＥの数、任意のサポートされる測位精度を満たすＵＥの数、および、任意の測位サービスタイプを満たすＵＥの数は、測位サーバにより、１または複数のカウンタを用いて、カウントを通じて取得され得る。
【０２５０】
例えば、測位サーバは、ＶＲＳ法を用いた測位支援データを生成する場合、カウンタ（例えば、カウンタ１）を用いて、カウントを実行し得る。カウンタ１が３に達した場合、測位サーバは、ＶＲＳ法を用いた測位支援データをブロードキャストすることを決定する。
【０２５１】
任意選択的に、ＵＥの対応する数は、測位サーバにより、特定の期間内に、１または複数のカウンタを用いて、カウントを通じて取得され得る。例えば、特定の期間は、２時間である。
【０２５２】
前述の４つの数量統計方式では、具体的には、測位支援データをブロードキャストするか否かに対する統計結果の影響を当該期間において制御するために、タイマーがカウントの前に開始され得る。さらに、代替的に、タイマーは、測位支援データをブロードキャストモードで送信することをＥ−ＳＭＬＣが決定したときに開始され得る。タイマーの動作中、カウンタの累積値が前述の閾値のうちの１つより大きい場合、測位支援データのブロードキャストは続き、タイマーは再始動される。そうでない場合、測位支援データのブロードキャストは停止される。
【０２５３】
５．測位サーバが、コアネットワークデバイスにより送信される第１の命令情報を受信する。第１の命令情報は、測位支援データを第１のサービングセル内のＵＥへブロードキャストモードで送信するよう命令するために用いられる。
【０２５４】
測位サーバは、第１のサービングセルによりサービスを受けるＵＥの少なくとも１つの測位支援データを基地局へ送信する前に、さらに、測位支援データをブロードキャストするよう命令するためにコアネットワークデバイスにより用いられる第１の命令情報を受信し得る。この場合、コアネットワークデバイスは、測位支援データをブロードキャストモードまたはユニキャストモードで送信することを決定する。
【０２５５】
本願の方法の実施形態２において提供される測位支援データ送信方法において、測位サーバは、測位サーバが、コアネットワークデバイスにより送信される第１の命令情報を受信するか、または測位される必要があるＵＥの測位性能指示情報、測位精度指示情報またはサービスタイプ指示情報のうちの１つを取得することを条件として、測位支援データをブロードキャストモードまたはユニキャストモードのいずれで送信するかを決定し得る。このように、測位支援データが、まずユニキャストモードで送信され、次にブロードキャストモードで送信される場合、前述のように決定される測位支援データの送信モードの信頼性が比較的高くなり得ることにより、測位支援データ送信プロセスにおけるリソース利用率が改善する。
【０２５６】
本願の方法の実施形態２において提供される測位支援データ送信方法において、測位される必要があるＵＥがＵＥの測位性能指示情報、測位精度指示情報またはサービスタイプ指示情報のいずれか１つを提供することを条件として、測位サーバは、指示情報に基づいて対応する測位支援データを生成することにより、測位支援データ生成処理をより信頼できるものにし得ることに留意すべきである。
【０２５７】
具体的には、本願の方法の実施形態３において提供される測位支援データ送信方法において、段階７０２は、段階８０１から段階８０３を含み得る。例えば、図８Ａおよび図８Ｂに示される測位支援データ送信方法において、図７に示される段階７０２は、段階８０１から段階８０３を含み得る。
【０２５８】
Ｓ８０１．測位サーバが、第１の条件が満たされている、と判断する。
【０２５９】
第１の条件は前述の条件１から５のいずれか１つなので、段階８０１は、段階８０１ａ、段階８０１ｂ、段階８０１ｃ、段階８０１ｄおよび段階８０１ｅのうちの少なくとも１つを含み得ることに留意すべきである。
【０２６０】
８０１ａ．測位サーバが、第１のサービングセル内の測位される必要があるＵＥの数が第１の閾値より大きい、と判断する。
【０２６１】
８０１ｂ．測位サーバが、第１のサービングセル内の測位される必要があるＵＥのうち任意の測位性能を満たすＵＥの数が第２の閾値より大きい、と判断する。
【０２６２】
８０１ｃ．測位サーバが、第１のサービングセル内の測位される必要があるＵＥのうち任意の測位精度を満たすＵＥの数が第３の閾値より大きい、と判断する。
【０２６３】
８０１ｄ．測位サーバが、第１のサービングセル内の測位される必要があるＵＥのうち任意の測位サービスタイプを満たすＵＥの数が第４の閾値より大きい、と判断する。
【０２６４】
８０１ｅ．測位サーバが、コアネットワークデバイスにより送信される第１の命令情報を受信する。
【０２６５】
第１の命令情報は、測位支援データを第１のサービングセル内のＵＥへブロードキャストモードで送信するよう命令するために用いられる。
【０２６６】
本発明の本実施形態における段階８０１および段階８０１ａから段階８０１ｅの具体的な説明については、段階７０２における対応する部分を参照されたい。本明細書において、詳細を改めて説明しない。
【０２６７】
Ｓ８０２．測位サーバが、第１のサービングセル内の測位される必要があるＵＥの測位性能および／または測位精度および／または測位サービスタイプに基づいて測位支援データを分類して、異なるタイプの測位支援データを取得する。
【０２６８】
例えば、段階８０１ａから段階８０１ｄおよび段階８０２は、図２に示される測位サーバのプロセッサ２１により実行され得る。
【０２６９】
第１のサービングセル内の測位される必要がある１または複数のＵＥの測位支援データは、同じタイプまたは異なるタイプに分類され得る。すなわち、各測位支援データは、対応するタイプに分類され得る。
【０２７０】
例えば、測位サーバは、分類を通じ、第１のサービングセル内のＵＥの異なる測位性能に基づいて、測位支援データを取得し得る。例えば、第１のサービングセル内のＵＥの測位支援データにおいて、測位サーバは、分類を通じ、ＶＲＳ法を用いた測位支援データと、ＭＡＣ法を用いた測位支援データと、ＦＫＰ法を用いた測位支援データとを取得し得る。すなわち、測位サーバが、第１のサービングセル内の測位される必要があるＵＥのうち少なくとも１つの測位性能を有するＵＥの数が比較的大きいかまたは閾値より大きい、と判断した場合、測位サーバは、測位支援データを基地局へ送信し、基地局は、測位支援データをＵＥへブロードキャストモードで送信する。例えば、測位サーバが、比較的大きい数のＶＲＳ測位性能を有するＵＥが存在している、と判断した場合、測位サーバは、ＶＲＳベースの測位支援データを基地局へ送信し、基地局は、ＶＲＳベースの測位支援データをブロードキャストする。測位方法のタイプも、測位支援データのタイプも、１つのみではない。
【０２７１】
本発明の本実施形態において提供される測位支援データは、測位される必要があるＵＥの測位性能および／または測位精度および／または測位サービスタイプのみに基づいて分類され得るのではなく、測位支援データのデータタイプに基づいても分類され得ることに留意すべきである。
【０２７２】
例えば、測位支援データのデータタイプは、衛星軌道歴タイプ、電離圏誤差タイプ、幾何学誤差タイプ、衛星クロック誤差タイプ、対流圏誤差タイプ、トラック誤差タイプ等を含み得る。すなわち、本発明の本実施形態において提供される測位支援データのデータタイプは、衛星軌道歴タイプ、電離圏誤差タイプ、幾何学誤差タイプ、衛星クロック誤差タイプ、対流圏誤差タイプ、トラック誤差タイプ等を含み得る。
【０２７３】
加えて、測位支援データは、測位支援データのデータタイプに基づいて分類され、代替的に、異なる周波数における測位支援データ、異なるデータレートにおける測位支援データ、または異なる回数の繰り返しを経た測位支援データに分類され得る。本発明の本実施形態においては、詳細を説明しない。
【０２７４】
実施形態における具体的な実装中、測位サーバにより生成される少なくとも１つの測位支援データは、具体的には、１または複数のデータパケットを含み得る。しかしながら、当該データパケットは、比較的大きい容量を有し得ると共に、基地局へ送信される前にセグメント化または分割される必要がある。例えば、１つのデータパケットが複数のより小さいパケットに分割される。データパケットを分割する処理において、測位サーバは、測位支援データをタイプで分類し得る。
【０２７５】
前述のデータパケットの各々が、異なるタイプの測位支援データを含み得る。例えば、データパケット（データパケット１として示される）が、衛星軌道歴タイプの測位支援データと、電離圏誤差タイプの測位支援データと、衛星クロック誤差タイプの測位支援データとを含む。この場合、測位サーバは、データパケット１をサブデータパケットａ、サブデータパケットｂおよびサブデータパケットｃに分割し得る。サブデータパケットａは、衛星軌道歴タイプの測位支援データを含み、サブデータパケットｂは、電離圏誤差タイプの測位支援データを含み、サブデータパケットｃは、衛星クロック誤差タイプの測位支援データを含む。言い換えると、測位サーバは、データパケット１における測位支援データを異なるタイプに分類する。
【０２７６】
代替的に、データパケット１は、ＶＲＳ法を用いた測位支援データと、ＭＡＣ法を用いた測位支援データと、ＦＫＰ法を用いた測位支援データとを含む。この場合、データパケット１を分割することにより取得されるサブデータパケットａは、ＶＲＳ法を用いた測位支援データを含み得て、サブデータパケットｂは、ＭＡＣ法を用いた測位支援データを含み得て、サブデータパケットｃは、ＦＫＰ法を用いた測位支援データを含み得る。
【０２７７】
Ｓ８０３．測位サーバが、異なるタイプの測位支援データを第１のサービングセルに対応する基地局へ送信する。
【０２７８】
例えば、段階８０３は、図２に示される測位サーバの通信インタフェース２３により実行され得る。
【０２７９】
具体的には、測位サーバは、第１のサービングセルの識別子に基づいて、異なるタイプの測位支援データを第１のサービングセルに対応する基地局へ送信し得る。第１のサービングセルの識別子は、コアネットワークデバイスにより送信される測位要求に基づいて取得され得る。
【０２８０】
例えば、測位サーバは、少なくとも１つの測位支援データのうち、ＶＲＳ法を用いた測位支援データと、ＭＡＣ法を用いた測位支援データと、ＦＫＰ法を用いた測位支援データとを基地局へ送信し得る。測位サーバにより基地局へ送信される測位支援データは、具体的には、１または複数のデータパケットであり得る。当該データパケットは、測位サーバにより分割を通じて取得され得る。
【０２８１】
方法の実施形態３において提供される測位支援データ送信方法において、段階６０４は、具体的には、段階８０４であってよく、段階６０５は、具体的には、段階８０５であってよい。例えば、図７に示される方法において、図６における段階６０４は、具体的には、段階８０４であってよく、段階６０５は、具体的には、段階８０５であってよい。
【０２８２】
Ｓ８０４．第１のサービングセルに対応する基地局が、測位サーバにより送信される異なるタイプの測位支援データを受信する。
【０２８３】
Ｓ８０５．第１のサービングセルに対応する基地局が、異なるタイプの測位支援データを第１のサービングセル内のＵＥへブロードキャストする。
【０２８４】
例えば、段階８０４および段階８０５は、図３に示される基地局の通信インタフェース３３により実行され得る。
【０２８５】
例えば、測位サーバは、例えば、少なくとも１つの測位支援データのうち、ＶＲＳ法を用いた測位支援データと、ＭＡＣ法を用いた測位支援データと、ＦＫＰ法を用いた測位支援データと、ＰＰＰ−ＲＴＫ法を用いた測位支援データとを取得するために、第１のサービングセル内の測位される必要があるＵＥの異なる測位性能に基づいて、分類を通じ、少なくとも１つの測位支援データを取得し得る。
【０２８６】
本願の方法の実施形態３において提供される測位支援データ送信方法において、測位サーバが、測位支援データをユニキャストモードまたはブロードキャストモードで送信することを決定する前に、測位サーバにより送信される測位支援データを異なるタイプに分類することにより、基地局は、異なるタイプに基づいて測位支援データをブロードキャストできることに留意すべきである。従って、測位される必要があるＵＥは、基地局によりブロードキャストされる測位支援データの対応するタイプを取得し得る。これにより、ＵＥの測位プロセスにおける測位精度が改善する。
【０２８７】
任意選択的に、可能な実現形態において、ＵＥの測位性能および／または測位精度および／または測位サービスタイプに基づいて、第１のサービングセル内の測位される必要があるＵＥの測位支援データを分類する段階は、代替的に、基地局により実行され得る。この場合、本発明の本実施形態において提供される測位支援データ送信方法において、段階６０５は、段階６０５ａおよび段階８０５を含み得る。例えば、図６における段階６０５は、段階６０５ａおよび段階８０５を含み得る。
【０２８８】
Ｓ６０５ａ．第１のサービングセルに対応する基地局が、測位支援データを分類して、異なるタイプの測位支援データを取得する。
【０２８９】
具体的には、基地局は、ブロードキャスト用の異なるタイプのデータを受信する。例えば、システム情報ブロック（ｓｙｓｔｅｍ  ｉｎｆｏｒｍａｔｉｏｎ  ｂｌｏｃｋ、ＳＩＢ）では、衛星軌道歴タイプの測位支援データのみがブロードキャストされ、別のＳＩＢでは、電離圏誤差タイプの測位支援データがブロードキャストされる等である。当然ながら、１つのＳＩＢの異なる送信パケットが、代替的に分類され得る。
【０２９０】
当然ながら、基地局により取得される測位支援データは、異なる周波数における測位支援データ、異なるデータレートにおける測位支援データ、または異なる回数の繰り返しを経た測位支援データを含み得る。
【０２９１】
例えば、段階６０５ａは、図３に示される基地局のプロセッサ３１により実行され得る。
【０２９２】
具体的には、基地局は、第１のサービングセル内の測位される必要があるＵＥの測位性能および／または測位精度および／または測位サービスタイプに基づいて、測位支援データを分類し得るか、または、受信した異なるデータを別々に送信し得る。
【０２９３】
Ｓ８０５．第１のサービングセルに対応する基地局が、異なるタイプの測位支援データを第１のサービングセル内の測位される必要があるＵＥへブロードキャストする。
【０２９４】
例えば、基地局は、例えば、第１のサービングセルによりサービスを受けるＵＥの少なくとも１つの測位支援データのうち、ＶＲＳ法を用いた測位支援データと、ＭＡＣ法を用いた測位支援データと、ＦＫＰ法を用いた測位支援データとを取得するために、第１のサービングセルによりサービスを受けるＵＥの異なる測位性能に基づいて、少なくとも１つの測位支援データを分類し得る。
【０２９５】
基地局は、異なるタイプに基づいて、測位支援データを異なるタイプに分類し、測位支援データをブロードキャストし得ることに留意すべきである。従って、測位される必要があるＵＥは、基地局によりブロードキャストされる測位支援データの対応するタイプを取得し得る。これにより、ＵＥの測位プロセスにおける測位精度が改善する。
【０２９６】
段階６０３、段階７０２または段階８０３の後に、本願の方法の実施形態４において提供される測位支援データ送信方法は、段階９０１をさらに含み得る。例えば、図７における段階７０２の後に、図９に示される方法は、段階９０１をさらに含み得る。
【０２９７】
Ｓ９０１．測位サーバが、停止指示メッセージを第１のサービングセルに対応する基地局へ送信する。
【０２９８】
例えば、段階９０１は、図２に示される測位サーバの通信インタフェース２３により実行され得る。
【０２９９】
停止指示メッセージは、測位サーバが少なくとも１つの測位支援データの基地局への送信を停止していることを示すために用いられる。このように、測位サーバが測位支援データをブロードキャストする必要がない場合、測位サーバが、測位支援データをユニキャストモードで送信し得ることにより、測位支援データは、ブロードキャストモードの代わりにユニキャストモードで送信され、リソースが適切に用いられる。測位サーバにより基地局へ送信される少なくとも１つの測位支援データは、具体的には、測位サーバにより基地局へ送信される少なくとも１つのデータパケットであり得る。各データパケットは、１つの測位支援データを保持する。例えば、停止指示メッセージは、最後のデータパケットにおいて保持され得る。
【０３００】
具体的には、停止指示メッセージは、代替的に、ブロードキャストを停止するよう命令するために用いられ、測位支援データを保持する最後のデータパケットに加えられるフィールドであり得る。最後のデータパケットは、測位サーバにより第１のサービングセルに対応する基地局へ送信される。代替的に、停止指示メッセージは、ブロードキャストを停止するよう命令するフィールドのみを保持するデータパケットに含まれ得る。このことは、本発明の本実施形態において限定されない。
【０３０１】
第２の条件が満たされている、と判断した場合、測位サーバは、第１のサービングセルの識別子に基づいて、停止指示メッセージを第１のサービングセルに対応する基地局へ送信し得る。停止指示メッセージは、基地局への少なくとも１つの測位支援データの送信が停止されていることを示すために用いられる。
【０３０２】
第２の条件は、以下の条件６から１０のいずれか１つであり、条件６から１０の間には、「および／または」の関係が存在する。
【０３０３】
６．測位サーバが、第１のサービングセル内の測位される必要があるＵＥの数が第５の閾値より小さいかまたはそれと等しい、と判断する。第５の閾値は、第１の閾値より小さいかまたはそれと等しい。
【０３０４】
７．測位サーバが、第１のサービングセル内の測位される必要があるＵＥのうち任意のＵＥ測位性能を満たすＵＥの数が第６の閾値より小さいかまたはそれと等しい、と判断する。第６の閾値は、第２の閾値より小さいかまたはそれと等しい。
【０３０５】
８．測位サーバが、第１のサービングセル内の測位される必要があるＵＥのうち任意のサポートされる測位方法を満たすＵＥの数が第７の閾値より小さいかまたはそれと等しい、と判断する。第７の閾値は、第３の閾値より小さいかまたはそれと等しい。
【０３０６】
９．測位サーバが、第１のサービングセル内の測位される必要があるＵＥのうち任意の測位サービスタイプを満たすＵＥの数が第８の閾値より小さいかまたはそれと等しい、と判断する。第８の閾値は、第４の閾値より小さいかまたはそれと等しい。
【０３０７】
１０．測位サーバが、コアネットワークデバイスにより送信される第２の命令情報を受信する。第２の命令情報は、測位支援データを第１のサービングセル内の測位される必要があるＵＥへブロードキャストモードで送信することを停止するよう命令するために用いられる。
【０３０８】
本発明の本実施形態における第２の条件の具体的な説明については、上述の実施形態における第１の条件の説明を参照されたい。本発明の本実施形態においては、詳細を改めて説明しない。
【０３０９】
第５の閾値、第６の閾値、第７の閾値および第８の閾値の具体的な値は、本発明の本実施形態において限定されず、当該値は、本願の目的の実現に影響しないことに留意すべきである。
【０３１０】
例えば、ＶＲＳ法を用いた測位支援データを測位サーバが生成する処理において、例えば、カウンタ１が３に達した場合、測位サーバは、ＶＲＳ法を用いた測位支援データをブロードキャストすることを決定した後に、カウンタ１を再開し得る。その後、カウンタ１が３に達し得ない場合、測位サーバは、ＶＲＳ法を用いた測位支援データをユニキャストモードで送信することを決定し得る。
【０３１１】
任意選択的に、ＶＲＳ法を用いた測位支援データを測位サーバが生成する処理において、例えば、カウンタ１が３に達した場合、測位サーバは、ＶＲＳ法を用いた測位支援データをブロードキャストすることを決定した後に、別のカウンタ（例えば、カウンタ２）を開始し得る。その後、カウンタ２が３に達し得ない場合、測位サーバは、ＶＲＳ法を用いた測位支援データをユニキャストモードで送信することを決定し得る。このことは、本発明の本実施形態において限定されない。
【０３１２】
本願の方法の実施形態４において提供される測位支援データ送信方法において、測位サーバは、測位される必要があるＵＥの測位性能指示情報、測位精度指示情報またはサービスタイプ指示情報のうちの少なくとも１つを取得し、コアネットワークデバイスにより送信される第２の命令情報を受信するので、まず、測位支援データをブロードキャストモードで送信し、次に、ユニキャストモードで送信し得る。このように、測位支援データがブロードキャストされる必要がない場合、例えば、比較的小数の測位される必要があるＵＥが存在する場合、測位支援データは、ユニキャストモードのみで送信され得る。これにより、リソース利用率が改善する。
【０３１３】
測位支援データをブロードキャストモードで送信することを停止するよう命令するための停止指示メッセージを測位サーバが送信した後で、段階９０１の後に、方法は、段階９０２をさらに含み得る。段階９０１の後に、図９に示される測位支援データ送信方法は、段階９０２をさらに含み得る。
【０３１４】
Ｓ９０２．第１のサービングセルに対応する基地局が、測位サーバにより送信される停止指示メッセージを受信する。
【０３１５】
例えば、段階９０２は、図３に示される基地局の通信インタフェース３３により実行され得る。
【０３１６】
第１のサービングセルに対応する基地局は、停止指示メッセージを受信した後に、測位支援データブロードキャストを停止し得る。
【０３１７】
本願の方法の実施形態５において提供される測位支援データ送信方法において、少なくとも測位支援データがブロードキャストモードまたはユニキャストモードのいずれで送信されるかは、代替的に、コアネットワークデバイスにより決定され得る。具体的には、段階７０１の後に、本発明の本実施形態において提供される方法は、段階１００１をさらに含み得る。例えば、段階７０１の後に、図１０Ａおよび図１０Ｂに示される測位支援データ送信方法は、段階１００１をさらに含み得る。
【０３１８】
Ｓ１００１．第１の条件が満たされている場合、コアネットワークデバイスは、第１の命令情報を測位サーバへ送信する。第１の命令情報は、測位支援データを第１のサービングセル内のブロードキャストされる必要があるＵＥへブロードキャストモードで送信するよう命令するために用いられる。
【０３１９】
例えば、段階１００１は、図４に示されるコアネットワークデバイスの通信インタフェース４３により実行され得る。
【０３２０】
コアネットワークデバイスは、第１の命令メッセージを測位サーバへ送信する前に、測位サーバによりコアネットワークデバイスへ送信されるＵＥ性能指示（例えば、ＵＥの測位性能指示情報）を受信し得ることに留意すべきである。加えて、満たされている第１の条件は、以下の条件１１から１４のいずれか１つであり、条件１１から１４の間には「および／または」の関係が存在する。
【０３２１】
１１．コアネットワークデバイスが、第１のサービングセル内の測位される必要があるＵＥの数が第１の閾値より大きい、と判断する。
【０３２２】
１２．コアネットワークデバイスが、第１のサービングセル内の測位される必要があるＵＥのうち任意の測位性能を満たすＵＥの数が第２の閾値より大きい、と判断する。
【０３２３】
１３．コアネットワークデバイスが、第１のサービングセル内の測位される必要があるＵＥのうち任意のサポートされる測位精度を満たすＵＥの数が第３の閾値より大きい、と判断する。
【０３２４】
１４．コアネットワークデバイスが、第１のサービングセル内の測位される必要があるＵＥのうち任意の測位サービスタイプを満たすＵＥの数が第４の閾値より大きい、と判断する。
【０３２５】
本発明の本実施形態における条件１１から１４の説明については、上述の実施形態における条件１から４の具体的な説明を参照されたい。本発明の本実施形態においては、詳細を改めて説明しない。
【０３２６】
具体的には、コアネットワークデバイスが、条件１２から１４に基づいて、測位支援データをブロードキャストすることを決定した場合、段階１００１の前に、本発明の本実施形態において提供される測位支援データ送信方法は、段階１００１ａおよび段階１００１ｂをさらに含み得る。例えば、段階１００１の前に、図１０Ａおよび図１０Ｂに示される方法は、段階１００１ａおよび段階１００１ｂをさらに含み得る。
【０３２７】
Ｓ１００１ａ．測位サーバがＵＥの第１のメッセージをコアネットワークデバイスへ送信する。
【０３２８】
例えば、段階１００１ａは、図２に示される測位サーバの通信インタフェース２３により実行され得る。
【０３２９】
ＵＥは、第１のサービングセル内の測位される必要があるＵＥであり得る。加えて、測位サーバは、第１のサービングセル内の測位される必要がある１または複数のＵＥの第１のメッセージをコアネットワークデバイスへ送信し得る。
【０３３０】
Ｓ１００１ｂ．コアネットワークデバイスが、測位サーバにより送信されるＵＥの第１のメッセージを受信する。
【０３３１】
例えば、段階１００１ｂは、図４に示されるコアネットワークデバイスの通信インタフェース４３により実行され得る。
【０３３２】
任意選択的に、コアネットワークデバイスは、代替的に、測位サーバが第１のサービングセル内の測位される必要があるＵＥとインタラクトして、第１のサービングセル内の測位される必要があるＵＥの第１の情報を取得する、方法の段階７０１ａから段階７０１ｃおよび段階７０１を参照することにより、第１のサービングセル内の測位される必要があるＵＥの第１の情報を取得し得る。本発明の本実施形態においては、詳細を改めて説明しない。
【０３３３】
コアネットワークデバイスが第１の命令情報を測位サーバへ送信した後に、測位サーバが、第１の命令情報を受信し、次に、第１の条件のうち条件１４が満たされていると判断し得ることが想到され得る。言い換えると、段階１００１ｂの後に、本実施形態において提供される測位支援データ送信方法は、段階８０１ｅを含み得る。例えば、段階１００１ｂの後に、図１０Ａおよび図１０Ｂに示される方法は、段階８０１ｅをさらに含み得る。
【０３３４】
同様に、図９における段階９０１の前に、図１０Ａおよび図１０Ｂに示される方法は、段階１００２および段階１００３をさらに含み得る。
【０３３５】
Ｓ１００２．コアネットワークデバイスが第２の命令情報を測位サーバへ送信する。
【０３３６】
例えば、段階１００２は、図４に示されるコアネットワークデバイスの通信インタフェース４３により実行され得る。
【０３３７】
Ｓ１００３．測位サーバが、コアネットワークデバイスにより送信される第２の命令情報を受信する。第２の命令情報は、測位支援データを第１のサービングセル内の測位される必要があるＵＥへブロードキャストモードで送信することを停止するよう命令するために用いられる。
【０３３８】
例えば、段階１００３は、図２に示される測位サーバの通信インタフェース２３により実行され得る。
【０３３９】
具体的には、第２の条件が満たされている、と判断された場合、コアネットワークデバイスは、第２の命令情報を測位サーバへ送信する。
【０３４０】
本発明の本実施形態において、コアネットワークデバイスが満たす第２の条件は、以下の条件１５から１８のいずれか１つであり、条件１５から１８の間には「および／または」の関係が存在する。
【０３４１】
１５．コアネットワークデバイスが、第１のサービングセル内の測位される必要があるＵＥの数が第５の閾値より小さいかまたはそれと等しい、と判断する。第５の閾値は、第１の閾値より小さいかまたはそれと等しい。
【０３４２】
１６．コアネットワークデバイスが、第１のサービングセル内の測位される必要があるＵＥのうち任意のＵＥ測位性能を満たすＵＥの数が第６の閾値より小さいかまたはそれと等しい、と判断する。第６の閾値は、第２の閾値より小さいかまたはそれと等しい。
【０３４３】
１７．コアネットワークデバイスが、第１のサービングセル内の測位される必要があるＵＥのうち任意のサポートされる測位方法を満たすＵＥの数が第７の閾値より小さいかまたはそれと等しい、と判断する。第７の閾値は、第３の閾値より小さいかまたはそれと等しい。
【０３４４】
１８．コアネットワークデバイスが、第１のサービングセル内の測位される必要があるＵＥのうち任意の測位サービスタイプを満たすＵＥの数が第８の閾値より小さいかまたはそれと等しい、と判断する。第８の閾値は、第４の閾値より小さいかまたはそれと等しい。
【０３４５】
上述の実施形態における測位サーバ側の条件１の詳細な説明を参照して、第１の閾値は６であると仮定する。コアネットワークデバイス側の第１の条件が条件１５である場合、以下のとおりである。
【０３４６】
第１のサービングセルが図１に示されるセル１であり、かつ、第１のサービングセル内の測位される必要があるＵＥの数が６より大きい９である場合、第１の条件が満たされる。従って、コアネットワークデバイスは、測位支援データ、例えば、第１のサービングセルによりサービスを受けるＵＥの少なくとも１つの測位支援データをブロードキャストモードで送信することを決定し得る。この場合、コアネットワークデバイスが、第１のサービングセル内のＵＥの少なくとも１つの測位支援データを基地局へ送信するよう測位サーバに命令し得ることにより、第１のサービングセルに対応する基地局は、少なくとも１つの測位支援データをブロードキャストできる。
【０３４７】
第１のサービングセルが図１に示されるセル２であり、かつ、第１のサービングセル内の測位される必要があるＵＥの数が６以下である３である場合、第１の条件は、満たされ得ない。従って、コアネットワークデバイスは、第１のサービングセル内の測位される必要があるＵＥの少なくとも１つの測位支援データをブロードキャストモードで送信しないことを決定するが、少なくとも１つの測位支援データをユニキャストモードで送信することを決定し得る。言い換えると、コアネットワークデバイスは、第１のサービングセル内の測位される必要があるＵＥの少なくとも１つの測位支援データを基地局へ送信するよう測位サーバに命令しない。この場合、第１のサービングセルに対応する基地局は、少なくとも１つの測位支援データをブロードキャストし得ない。この場合、測位サーバが、ＵＥ１５１から１５３と別々にインタラクトし得ることにより、すなわち、測位支援データをユニキャストモードで送信し得ることにより、ＵＥ１５１から１５３は、ＵＥ１５１から１５３の測位支援データを別々に取得する。
【０３４８】
同様に、本発明の本実施形態におけるコアネットワークデバイス側の第１の条件のうち条件１６から１８の詳細な説明については、上述の実施形態における測位サーバ側の第１の条件のうち条件２から４の詳細な説明を参照されたい。本明細書において、詳細を改めて説明しない。
【０３４９】
本発明の本実施形態において提供される測位支援データ送信方法において、測位サーバおよびコアネットワークデバイスの両方が、測位支援データをブロードキャストモードまたはユニキャストモードのいずれで送信するかを決定し得る。従って、測位サーバまたはコアネットワークデバイスのいずれかがブロードキャストモードまたはユニキャストモードへの切り替えを決定し得ない場合でも、他方が決定を実行し得る。これにより、測位支援データのために用いられるブロードキャストモードとユニキャストモードとの間の切り替えがより信頼できるものになる。
【０３５０】
本発明の本実施形態において提供される測位支援データ送信方法において、測位サーバまたはコアネットワークデバイスなどのネットワーク要素が測位支援データをブロードキャストすることを決定した場合、第１のサービングセル内のＵＥの測位支援データを生成または取得する処理において、測位サーバは、第１のサービングセル内のＵＥとインタラクトすることでは、第１のサービングセルに対応する基地局の位置指示情報を取得し得ないが、基地局とインタラクトして当該位置指示情報を取得し得ることに留意すべきである。
【０３５１】
具体的には、第１のサービングセル内の測位される必要があるＵＥの測位要求は、第１のサービングセルに対応する基地局の位置指示情報を保持する。この場合、測位サーバは、第１のサービングセル内の測位される必要があるＵＥとインタラクトすることで基地局の位置指示情報を取得する必要はない。
【０３５２】
任意選択的に、測位サーバは、代替的に、デプロイに基づいて、基地局の位置指示情報（すなわち、基地局の位置）を取得し得る。この場合、測位サーバは、基地局とインタラクトする必要はなく、例えば、第１のサービングセルに対応する基地局とインタラクトする必要はない。このことは、本発明の本実施形態において限定されない。
【０３５３】
例えば、本発明の以下の実施形態において、以下では、測位サーバが、第１のサービングセルに対応する基地局とインタラクトして、第１のサービングセルに対応する基地局の位置メッセージを取得する例を単に用いて、本発明の実施形態において提供される測位支援データ送信方法を説明する。具体的には、段階６０３、段階７０２または段階８０３の前に、本願の方法の実施形態６において提供される測位支援データ送信方法は、段階１１０１から段階１１０４をさらに含み得る。例えば、図７における段階７０２の前に、図１１Ａおよび図１１Ｂに示される方法は、段階１１０１から段階１１０４をさらに含み得る。
【０３５４】
Ｓ１１０１．測位サーバが、基地局位置要求を第１のサービングセルに対応する基地局へ送信する。
【０３５５】
例えば、段階１１０１は、図２に示される測位サーバの通信インタフェース２３により実行され得る。
【０３５６】
位置要求は、第１のサービングセルに対応する基地局の位置指示情報を要求するために用いられ、基地局の位置指示情報は、基地局の位置および／または第１のサービングセルのセルアンテナの位置を示し得る。
【０３５７】
Ｓ１１０２．第１のサービングセルに対応する基地局が、測位サーバにより送信される基地局位置要求を受信する。
【０３５８】
例えば、段階１１０２は、図３に示される少なくとも１つの基地局の通信インタフェース３３により実行され得る。
【０３５９】
Ｓ１１０３．第１のサービングセルに対応する基地局が基地局位置メッセージを測位サーバへ送信する。
【０３６０】
例えば、段階１１０３は、図３に示される基地局の通信インタフェース３３により実行され得る。
【０３６１】
具体的には、基地局位置メッセージは、第１のサービングセルに対応する基地局の位置指示情報を含み得る。
【０３６２】
Ｓ１１０４．測位サーバが、第１のサービングセルに対応する基地局により送信される基地局位置メッセージを受信する。
【０３６３】
例えば、段階１１０４は、図２に示される測位サーバの通信インタフェース２３により実行され得る。
【０３６４】
段階６０３、段階７０２または段階８０３の前に、本願の方法の実施形態６において提供される測位支援データ送信方法は、段階１１０５をさらに含み得る。例えば、図７における段階７０２の前に、図１１Ａおよび図１１Ｂに示される方法は、段階１１０５をさらに含み得る。
【０３６５】
Ｓ１１０５．測位サーバが、基地局位置メッセージと、第１のサービングセル内の測位される必要があるＵＥの第１のメッセージと、基準データとに基づいて、測位支援データを生成または取得する。
【０３６６】
例えば、段階１１０５は、図２に示される測位サーバの通信インタフェース２３により実行され得る。
【０３６７】
測位支援データは、第１のサービングセル内の測位される必要があるＵＥの１または複数の測位支援データであり得る。
【０３６８】
測位サーバと基準局との間のインタラクションの特定の段階が、本発明の本実施形態において提供される測位支援データ送信方法において示されないが、段階１１０５の前に、測位サーバは、基準局とインタラクトして、基準局により提供される基準データを取得し得ることに留意すべきである。当業者であれば、この段階を容易に実装し得る。本発明の本実施形態においては、詳細を説明しない。
【０３６９】
本発明の本実施形態において提供される測位支援データ送信方法において、測位支援データは、測位性能指示情報および／または測位精度指示情報および／またはＵＥのサービスタイプ指示情報、基地局位置メッセージ（すなわち、基地局の位置および／またはセルの位置）および基準データに基づいて生成され得る。言い換えると、測位支援データは、測位サーバにより、ＲＴＫ技術を用いて取得され得る。すなわち、測位支援データの測位精度は、比較的高い。
【０３７０】
測位サーバまたはコアネットワークデバイスなどのネットワーク要素が、第１のサービングセル内のＵＥの測位支援データを生成または取得する処理において測位支援データをユニキャストモードで送信することを決定した場合、測位サーバは、第１のサービングセル内のＵＥとインタラクトして、第１のサービングセル内のＵＥの大まかな位置を取得し得ることに留意すべきである。具体的には、段階６０３、段階７０２または段階８０３の前に、本願の方法の実施形態６において提供される測位支援データ送信方法は、段階１１０１ａから段階１１０４ａをさらに含み得る。例えば、段階７０２の前に、図１１ａ−１および図１１ａ−２に示される測位支援データ送信方法は、段階１１０１ａから段階１１０４ａをさらに含み得る。
【０３７１】
Ｓ１１０１ａ．測位サーバが大まかな位置要求をＵＥへ送信する。
【０３７２】
例えば、段階１１０１ａは、図２に示される測位サーバの通信インタフェース２３により実行され得る。
【０３７３】
段階７０２において、測位サーバは、対応するＵＥの大まかな位置を要求するために、大まかな位置要求を第１のサービングセル内の測位される必要がある１または複数のＵＥへ別々に送信し得る。
【０３７４】
Ｓ１１０２ａ．ＵＥが、測位サーバにより送信される大まかな位置要求を受信する。
【０３７５】
例えば、段階１１０２ａは、図５に示される少なくとも１つのＵＥの通信インタフェース５３により実行され得る。
【０３７６】
第１のサービングセル内の測位される必要がある１または複数のＵＥは、測位サーバにより送信される対応する大まかな位置要求を別々に受信し得る。
【０３７７】
Ｓ１１０３ａ．ＵＥが大まかな位置を測位サーバへ送信する。
【０３７８】
例えば、段階１１０３ａは、図５に示されるＵＥの通信インタフェース５３により実行され得る。
【０３７９】
任意選択的に、第１のサービングセル内の測位される必要がある１または複数のＵＥは、同じ時点で、または異なる時点で別々に、自らの大まかな位置を測位サーバへ送信し得る。このことは、本発明の本実施形態において限定されない。
【０３８０】
例えば、段階１１０２ａが実行されなかった場合でも、段階１１０４ａは、本発明の本実施形態において提供される測位支援データを送信するために実行され得る。この場合、ＵＥの大まかな位置は、ＵＥにより測位サーバへ事前に報告され得る。
【０３８１】
Ｓ１１０４ａ．測位サーバが、ＵＥにより送信される大まかな位置を受信する。
【０３８２】
例えば、段階１１０４ａは、図２において示される測位サーバの通信インタフェース２３により実行され得る。
【０３８３】
ＵＥの大まかな位置は、ＵＥの正確な位置を取得するために、またはＵＥに対して測位測定を実行するために用いられる。
【０３８４】
具体的には、段階６０３、段階７０２または段階８０３の前に、本願の方法の実施形態６において提供される測位支援データ送信方法は、段階１１０５ａをさらに含み得る。例えば、段階１１０４ａの後、かつ、図１１ａ−１および図１１ａ−２に示される段階７０２の前に、段階１１０５ａがさらに含まれ得る。
【０３８５】
Ｓ１１０５ａ．測位サーバが、第１のサービングセル内の測位される必要があるＵＥの第１のメッセージと、大まかな位置とに基づいて、測位支援データを生成または取得する。
【０３８６】
例えば、段階１１０５ａは、図２に示される測位サーバの通信インタフェース２３により実行され得る。
【０３８７】
具体的には、測位サーバは、第１のサービングセル内の測位される必要があるＵＥの第１のメッセージと、大まかな位置と、基準データとに基づいて、測位支援データを生成または取得し得る。基準データは、基準局により送信される。測位支援データは、第１のサービングセル内の測位される必要がある１または複数のＵＥの１または複数の測位支援データである。
【０３８８】
本発明の本実施形態において提供される測位支援データ送信方法において、測位支援データは、測位性能指示情報、測位精度指示情報および／または測位される必要があるＵＥのサービスタイプ指示情報、ＵＥの大まかな位置および基準データのうちの少なくとも１つに基づいて生成される。言い換えると、本発明の本実施形態において提供される測位支援データは、測位サーバにより、ＲＴＫ技術を用いて取得され得る。すなわち、測位支援データの測位精度は、比較的高い。
【０３８９】
本願の実施形態７において提供される測位支援データ送信方法において、段階６０４の前に、段階１２０１から段階１２０３がさらに含まれ得る。例えば、図７における段階６０４の前に、図１２に示される方法は、段階１２０１から段階１２０３をさらに含み得る。
【０３９０】
Ｓ１２０１．コアネットワークデバイスが、測位通知メッセージを第１のサービングセルに対応する基地局へ送信する。
【０３９１】
例えば、段階１２０１は、図４に示されるコアネットワークデバイスの通信インタフェース４３により実行され得る。
【０３９２】
測位通知メッセージは、ネットワーク側によりＵＥのために測位要求が開始された場合に実行される必要がある測位測定および／または測位関連の計算を示すために用いられる。ネットワーク側は、コアネットワークデバイスおよび測位サーバなどのデバイスを含む。
【０３９３】
測位通知メッセージは、ページングメッセージであり得る。測位通知を実行する具体的な実装は、ページングメッセージが、測位要求または高精度測位要求などの測位関連オペレーションを端末が実行する必要があることを示すために用いられるフィールドを保持することであるか、または、ＲＴＫ測位要求またはＯＴＤＯＡ測位要求などの特定の測位方法の要求を含み得る。
【０３９４】
Ｓ１２０２．第１のサービングセルに対応する基地局が、コアネットワークデバイスにより送信される測位通知メッセージを受信する。
【０３９５】
測位通知メッセージは、測位要求を保持する。例えば、測位通知メッセージは、測位要求を保持するページングメッセージであり得る。
【０３９６】
測位通知メッセージは測位要求を含むので、測位要求にえおける各測位要求メッセージは、ＵＥの識別子およびＵＥのサービングセルの識別子を含み、ことに留意すべきである。基地局がその後少なくとも１つの測位支援データを受信した場合、基地局は、ＵＥの識別子およびＵＥのサービングセルの識別子に基づいて、ＵＥおよび第１のサービングセルを識別し得る。
【０３９７】
Ｓ１２０３．第１のサービングセルに対応する基地局が、測位通知メッセージを測位される必要があるＵＥへ送信する。
【０３９８】
例えば、段階１２０２および段階１２０３の両方が、図３に示される基地局の通信インタフェース３３により実行され得る。
【０３９９】
具体的には、基地局によりＵＥへ送信される測位通知メッセージは、代替的に、ページングメッセージであり得る。基地局は、ページングメッセージを受信した後に、ページングメッセージをＵＥへ送信する。ページングメッセージは、特定のＵＥ（例えば、第１のサービングセル内の測位される必要があるＵＥ）の測位要求指示情報を保持する。さらに、ページングメッセージは、ＲＴＫ法、ＯＴＤＯＡ法またはＰＰＰ−ＲＴＫ法など、測位を要求するＵＥにより用いられる測位方法を示し得る。測位要求は、ページングメッセージのページング記録において保持され得る。測位要求が各ＵＥについて実行される。具体的には、ページングメッセージとして表される測位要求は、ＲＴＫ測位要求またはＯＴＤＯＡ要求などの測位方法を示す。
【０４００】
ＵＥは、ページングメッセージを受信した後に、測位要求、例えば、ＲＴＫ法を用いた測位要求またはＯＴＤＯＡ法を用いた測位要求が存在することを見つける。この場合において、測位方法を含む測位支援データがブロードキャストされたときは、ＵＥは、測位支援データを取得し、測位計算または測位測定を実行し得る。ＲＴＫ法またはＵＥベースＯＴＤＯＡ法（ＵＥベースＯＴＤＯＡ）が用いられる場合、ＵＥは、測位計算を実行する。ＵＥ支援ＯＴＤＯＡ法が用いられる場合、ＵＥは、対応する測位測定または測位計算を実行する。ＵＥは、測位計算または測位測定を実行した後に、アイドル状態から接続状態に入り、計算結果または測定結果を測位サーバへ送信する。
【０４０１】
段階６０５の後に、本願の方法の実施形態８において提供される測位支援データ送信方法は、段階１３０１および段階１３０２をさらに含み得る。例えば、図１３に示されるように、図６における段階６０５の後に、方法は、段階１３０１および段階１３０２をさらに含み得る。
【０４０２】
Ｓ１３０１．ＵＥが、基地局によりブロードキャストされる測位支援データを取得する。
【０４０３】
例えば、段階１３０１は、図５に示されるＵＥの通信インタフェース５３により実行され得る。
【０４０４】
第１のサービングセル内の測位される必要がある１または複数のＵＥが、異なる時点で、または同じ時点で別々に、対応する測位支援データを取得し得る。
【０４０５】
具体的には、ＵＥが測位をトリガする場合、ＵＥは、どのタイプの測位支援データがブロードキャストされるかを明確に認識している必要がある。複数のタイプの支援データが１つのＳＩＢにおいてブロードキャストされ得ると仮定する。ＵＥが支援データについて通知されない場合、ＵＥは、冗長な情報を受信する必要があり得る。可能な通知情報は、ＬＰＰメッセージ、ページングメッセージ、ＲＲＣメッセージ等であり得る。
【０４０６】
具体的には、ＵＥは、測位支援データを保持するシステムメッセージを読む前に、指示情報を受信し得る。指示情報は、どのタイプの測位支援データがブロードキャストされるかを示すために用いられる。基地局は、現在ブロードキャストされている支援データをＵＥに通知する場合、ＲＲＣメッセージまたはページングメッセージを用いて、ＵＥに通知し得る。代替的に、測位サーバが、ＬＰＰメッセージを用いて、ＵＥに通知し得る。具体的なタイプは、異なる測位方法を用いたデータ、異なる全球測位衛星システム（Ｇｌｏｂａｌ  Ｎａｖｉｇａｔｉｏｎ  Ｓａｔｅｌｌｉｔｅ  Ｓｙｓｔｅｍ、ＧＮＳＳ）におけるデータ、異なるレートにおける測位支援データ、または異なる送信周波数における支援データを含む。
【０４０７】
Ｓ１３０２．測位支援データに基づいて、ＵＥが、計算を通じてＵＥの正確な位置を取得するか、または測位測定を実行する。
【０４０８】
例えば、段階１３０１は、図５に示されるＵＥのプロセッサ５１により実行され得る。
【０４０９】
具体的には、測位支援データがブロードキャストモードで送信される場合、対応する測位支援データに基づいて、第１のサービングセル内のＵＥが、計算を通じて第１のサービングセル内のＵＥの正確な位置を取得するか、または測位測定を実行し得る。
【０４１０】
測位支援データがユニキャスト方式で送信される場合、対応する測位支援データと、第１のサービングセル内のＵＥにより測定を通じて取得される情報とに基づいて、ＵＥは、ＵＥの正確な位置を取得するか、または測位測定を実行し得る。
【０４１１】
測位位置を計算するために測位支援データを受信するのに加え、ＵＥはさらに、ＵＥにより観測される衛星により送信されるデータを用いて、正確な計算を実行し得ることに留意すべきである。
【０４１２】
本発明の本実施形態において提供される測位支援データ送信方法において、ＵＥは、基地局によりブロードキャストされる測位支援データを取得し得て、測位支援データは、ＲＴＫ技術を用いて取得されることに留意すべきである。例えば、測位支援データは、ＵＥの大まかな位置、基地局位置メッセージ、またはＵＥの測位性能指示情報に基づいて、測位サーバにより取得される。従って、少なくとも１つの測位支援データに基づいて、測位される必要があるＵＥにより計算される測位精度は、比較的高い。加えて、少なくとも１つの測位支援データがブロードキャストモードで送信され得るので、リソース利用率は、比較的高い。
【０４１３】
本発明の以下の実施形態において、本発明の実施形態において提供される測位支援データ送信方法はさらに、測位サーバ、基地局およびコアネットワークデバイスが１つのＵＥ（第１のＵＥ）とインタラクトする例を単に用いて説明される。本願の方法の実施形態９において提供される測位支援データ送信方法において、図１３に示される段階１３０１および段階１３０２は、段階１４０１および段階１４０２に置き換えられ得る。例えば、図１４に示される測位支援データ送信方法において、図１３に示される段階１３０１および段階１３０２は、段階１４０１および段階１４０２に置き換えられ得る。
【０４１４】
Ｓ１４０１．第１のＵＥが、第１のサービングセルに対応する基地局によりブロードキャストされる第１の測位支援データを取得する。
【０４１５】
例えば、段階１４０１は、図５に示されるＵＥの通信インタフェース５３により実行され得る。
【０４１６】
第１の測位支援データは、第１のＵＥにより正確な位置を取得するために用いられるか、または、第１のＵＥにより測位測定を実行するために用いられる。第１のＵＥは、第１のサービングセルによりサービスを受けるＵＥであり、第１の測位支援データに対応する。
【０４１７】
Ｓ１４０２．第１の測位支援データに基づいて、第１のＵＥは、計算を通じて第１のＵＥの正確な位置を取得するか、または測位測定を実行する。
【０４１８】
例えば、段階１４０２は、図５に示されるＵＥのプロセッサ５１により実行され得る。
【０４１９】
測位される必要があるＵＥの数が変わり得るので、測位サーバにより受信される測位要求が変わり得る。従って、測位要求に基づいて生成される測位支援データが変わり得る。さらに、基地局によりブロードキャストされる測位支援データは、変わり得る。段階６０５の前に、本願の方法の実施形態１０において提供される測位支援データ送信方法は、段階１５０１をさらに含み得る。例えば、図１４に示される段階６０５の前に、図１５に示される方法は、段階１５０１をさらに含み得る。
【０４２０】
Ｓ１５０１．第１のサービングセルに対応する基地局が第１の変更ページングメッセージを第１のＵＥへ送信する。
【０４２１】
例えば、段階１５０１は、図３に示される基地局の通信インタフェース３３により実行され得る。
【０４２２】
第１の変更ページングメッセージは、変更指示情報を保持するページングメッセージであり、第１の測位支援データに関連するシステムメッセージが変わっていることを示すために用いられ得る。例えば、第１の時点で、基地局によりブロードキャストされるシステムメッセージが第１の測位支援データを保持していない場合、第１のＵＥは、基地局によりブロードキャストされるシステムメッセージから第１の測位支援データを取得し得ない。その後、第２の時点で、基地局によりブロードキャストされるシステムメッセージが第１の測位支援データを保持する。この場合、基地局は、第１の変更ページングメッセージを第１のＵＥへ送信して、ブロードキャストを通じて第１の測位支援データを取得するよう第１のＵＥに命令し得る。反対に、基地局は、第１の時点でＵＥの測位支援データをブロードキャストし、第２の時点でブロードキャストを停止した場合、当該ページングメッセージをＵＥへ送信して、測位支援データのブロードキャストが停止されていることをＵＥに通知してもよい。当該変更指示メッセージは、変更なし、増加、減少または更新などの測位支援データの変更をＵＥに通知するために用いられ得て、具体的には、ＲＴＫ法に関連する測位支援データ（ＭＡＣ、ＶＲＳまたはＦＫＰ）の変更指示、ＯＴＤＯＡ法を用いた測位支援データの変更指示、または別の方法の指示であり得る。具体的には、例えば、ＶＲＳ法における測位支援データが変わっているかどうかが通知される。すなわち、具体的な変更通知は、ＲＴＫ法に関連するシステムメッセージ、ＰＰＰ−ＲＴＫ法に関連するシステムメッセージ、またはＶＲＳ法における補正に関連するシステムメッセージなどの測位方法に関連するシステムメッセージが変わっているかどうかを示し得る。このことは、具体的には限定されない。
【０４２３】
Ｓ１５０２．第１のＵＥが、第１のサービングセルに対応する基地局により送信される第１の変更ページングメッセージを受信する。
【０４２４】
例えば、段階１５０２は、図５に示されるＵＥの通信インタフェース５３により実行され得る。
【０４２５】
例えば、第１のＵＥは、第１の変更ページングメッセージを受信した後に、測位支援データが変わっているか否か、具体的には、測位方法に関連する測位支援データが変わっているか否かを知り得る。次に、第１のＵＥは、具体的な状況に基づいて、支援データを受信するか、または別のオペレーションを実行する。
【０４２６】
本発明の本実施形態において提供される方法において、測位支援データがブロードキャストモードで送信される場合、測位される必要があるＵＥがＵＥの測位支援データを取得する前には、ＵＥは、別のネットワーク要素からメッセージを受信し得ないことに留意すべきである。基地局により送信され、システムメッセージの変更を示すページングメッセージが受信された後に、基地局によりブロードキャストされた対応する測位支援データの受信が開始され得る。このように、測位される必要があるＵＥの測位プロセスにおけるスペクトル効率およびリソース利用率が改善され得る。
【０４２７】
システムメッセージが変わっているか否かを前述の方法を用いて示すことに加え、測位支援データに関連するシステムメッセージが変わっているか否かを示す指示メッセージが、代替的に、システムメッセージにおいてブロードキャストされ得る。例えば、指示メッセージは、フィールドまたは値フラグ（値タグ）を保持し得る。具体的には、フィールドまたは値フラグは、ＳＩＢ  １または別のシステムメッセージ内に存在し得る。ＵＥは、システムメッセージに関連する値を格納しい得る。ＵＥに格納された値がシステムメッセージ内の値フラグとは異なる場合、ＵＥは、システムメッセージが変わっていることを知り、システムメッセージを取得し得る。具体的には、値フラグの変更は、１または複数のＳＩＢのみに関連する。代替的に、各方法に関連するシステムメッセージが値フラグを含み得る。例えば、ＳＩＢ  ２５がＶＲＳ法での補正（例えば、基準データ）を含み、ＳＩＢ  ２６がＰＰＰ−ＲＴＫでのＳＳＲ関連補正を含む。従って、システムメッセージが変わっているかどうかを示すために、２つの値フラグまたは１つのビットマップが用いられ得る。値フラグは、１ビット、２ビットまたは別の数のビットで表され得る。例えば、２ビットは、４つの値を示し得て、１つの値は、システムメッセージが変わるたびに１だけ増える。具体的な動作原則は、値フラグをＳＩＢ  １において設定する既存方式と同様である。値フラグは、ＳＩＢ  １、ＳＩＢ  ２または別のシステムメッセージ内に存在し得る。ビットマップは、２進数の群を含むストリングであり得る。各ビットが、これに対応して、システムメッセージが変わっているかどうかを示し得る。例えば、システムメッセージにおけるビットマップのビットが０から１に変わっている場合、これは、システムメッセージが変わっていることを示し、そうでない場合、これは、システムメッセージが変わらないままであることを示す。端末に格納された値が、システムメッセージにおける値フラグの値、またはビットマップに対応するビットとは異なる場合、システムメッセージが変わっており、システムメッセージが取得されていることが分かり得る。
【０４２８】
測位支援データに関連する方法においてシステムメッセージの変更を示すための前述の方法は、組み合わせで用いられ得る。例えば、値フラグが、ＳＩＢ  １における測位支援データに関連するシステムメッセージが変わっていることを示している場合、または、別のシステムメッセージがＳＩＢ  １において変わっているかどうかを示すために用いられる値フラグが変わっている場合、ＵＥは、特定のシステムメッセージの値フラグまたはビットマップ、例えば、ＶＲＳ法を含むシステムメッセージの値フラグが変わっているかどうかをクエリし続け得る。システムメッセージの値フラグまたはビットマップが変わっており、ＵＥが測位方法をサポートしている場合、ＵＥは、システムメッセージを再取得する必要がある。
【０４２９】
具体的には、ページングメッセージが、測位支援データに関連するシステムメッセージが変わっていることを示したか、またはシステムメッセージが変わっていることを示した後に、ＵＥは、特定のシステムメッセージの値フラグまたはビットマップ、例えば、ＶＲＳ法を含むシステムメッセージの値フラグが変わっているかどうかをクエリし続け得る。システムメッセージの値フラグまたはビットマップが変わっており、ＵＥが測位方法をサポートしている場合、ＵＥは、システムメッセージを再取得する必要がある。
【０４３０】
第１のＵＥがアイドル状態にある場合、コアネットワークデバイスまたは基地局のいずれかが、第１のＵＥに接続するよう要求し得る。具体的には、コアネットワークデバイスは、第１のＵＥに接続するよう要求する場合、ページングメッセージを基地局へ送信し得る。この場合、基地局は、ページングを第１のＵＥへ送信して、コアネットワークデバイスが第１のＵＥに接続すべきことを示し得る。
【０４３１】
具体的には、段階１３０２または段階１４０２の後に、本願の方法の実施形態１１において提供される測位支援データ送信方法は、段階１６０１および段階１６０２をさらに含み得る。例えば、図１４における段階１４０２の後に、図１６に示される測位支援データ送信方法は、段階１６０１および段階１６０２をさらに含み得る。
【０４３２】
Ｓ１６０１．第１のサービングセルに対応する基地局が第１の測位ページングメッセージを第１のＵＥへ送信する。
【０４３３】
例えば、段階１６０１は、図３に示される基地局の通信インタフェース３３により実行され得る。
【０４３４】
第１の測位ページングメッセージは、測位要求指示情報を保持するページングメッセージであり、第１のＵＥに接続するよう要求するために用いられる。
【０４３５】
Ｓ１６０２．第１のＵＥが、第１のサービングセルに対応する基地局により送信される第１の測位ページングメッセージを受信する。
【０４３６】
例えば、段階１６０２は、図５に示されるＵＥの通信インタフェース５３により実行され得る。
【０４３７】
このように、第１のＵＥは、コアネットワークデバイスまたは基地局への接続を確立し、コアネットワークデバイスまたは基地局とインタラクトし得る。
【０４３８】
コアネットワークデバイスまたは基地局への接続を確立する前に、第１のＵＥは、基地局によりブロードキャストされる第１の測位支援データに基づいて、を取得し得ることに留意すべきである。従って、コアネットワークデバイスまたは基地局に接続する前に、第１のＵＥは、第１の測位支援データに基づいて正確に測位され得る。これにより、スペクトル効率およびリソース利用率が改善する。
【０４３９】
第１のＵＥが第１の測位支援データを取得し、第１のＵＥの正確な位置を取得した後は、正確な位置の測位精度は、要件を満たし得ない。この場合、段階１４０２の後に、本願の方法の実施形態１２において提供される測位支援データ送信方法は、段階１７０１をさらに含み得る。例えば、図１４における段階１４０２の後に、図１７に示される測位支援データ送信方法は、段階１７０１をさらに含み得る。
【０４４０】
Ｓ１７０１．第１のＵＥが第１の支援データ要求メッセージを測位サーバへ送信する。
【０４４１】
例えば、段階１７０１は、図５に示されるＵＥの通信インタフェース５３により実行され得る。
【０４４２】
第１の支援データ要求メッセージは、追加の第１の測位支援情報を要求するために用いられる追加の要求指示情報を保持する。
【０４４３】
具体的には、ＵＥがブロードキャストを通じて測位支援データを受信した後に、測位支援データの精度が精度要件を満たしていない場合、ＵＥは、測位支援データを要求するためのメッセージを測位サーバへ送信する。当該メッセージは、ブロードキャスト測位支援情報以外の測位支援情報を要求するために用いられる。具体的には、第１の支援データ要求は、情報要素（ｉｎｆｏｒｍａｔｉｏｎ  ｅｌｅｍｅｎｔ、ＩＥ）またはフィールドを加えることにより、または新しいメッセージを加えることにより示されるメッセージであり得る。測位支援データは、ＯＴＤＯＡ法を用いた測位支援データまたは別の方法を用いた測位支援データであり得る。
【０４４４】
測位サーバが、第１のＵＥにより送信される第１の支援データ要求メッセージを受信し、第１のＵＥとインタラクトし得ることにより、第１のＵＥは、追加の第１の測位支援情報を取得することに留意すべきである。従って、第１のＵＥは、追加の第１の測位支援情報に基づいて、第１のＵＥの測位精度を満たす正確な位置を取得し得る。
【０４４５】
任意選択的に、第１のＵＥが測位サーバから追加の第１の測位支援データを取得し、第１のＵＥの正確な位置を改めて取得した後に、正確な位置の測位精度が依然として要件を満たし得ない場合、第１のＵＥは、第１の支援データ要求メッセージを測位サーバへ改めて送信して、追加の第１の測位支援データを改めて取得し得る。
【０４４６】
本発明の本実施形態において提供される測位支援データ送信方法において、測位される必要があるＵＥは、ＵＥが必要とする測位精度に基づいて、ＵＥの測位支援データと、測位サーバ側で生成される１または複数の追加の測位支援データとを取得し得る。このように、測位される必要があるＵＥの測位プロセスにおける測位精度が、ＵＥが必要とする測位精度を満たすように改善され得る。
【０４４７】
上記は主に、ネットワーク要素間のインタラクションの観点から、本発明の実施形態において提供される解決手段を説明している。前述の機能を実装するために、測位サーバ、基地局、コアネットワークデバイスおよび１または複数のＵＥなどの様々なネットワーク要素が、当該機能を実行するための対応するハードウェア構造および／またはソフトウェアモジュールを含むことが理解され得る。当業者であれば、本明細書において開示される実施形態において説明される例との組み合わせで、ユニット、アルゴリズムおよび段階が、ハードウェア、またはハードウェアとコンピュータソフトウェアとの組み合わせにより実装され得ることを容易に認識するはずである。ある機能がハードウェアにより実行されるか、またはコンピュータソフトウェアにより駆動されるハードウェアにより実行されるかは、技術的解決手段の具体的な用途および設計上の制約によって決まる。当業者であれば、異なる方法を用いて、説明された機能を特定の用途ごとに実装し得るが、当該実装が本願の範囲を超えるとみなされるべきではない。
【０４４８】
本発明の実施形態において、測位サーバ、基地局等は、前述の方法の例に基づいて、モジュールに分割され得る。例えば、モジュールは、対応する機能に基づく分割を通じて取得され、または、２またはそれより多くの機能が１つの処理モジュールに統合され得る。統合されたモジュールは、ハードウェアの形態で実装され得るか、またはソフトウェアモジュールの形態で実装され得る。本発明の実施形態において、モジュールへの分割は、例であり、論理的機能の分割に過ぎないことに留意すべきである。実際の実装においては、別の分割方式が用いられ得る。
【０４４９】
各機能モジュールが、対応する機能の各々に基づく分割を通じて取得される場合、図１８が、上述の実施形態において提供される測位サーバの可能な概略構成図である。図１８に示されるように、測位サーバ１８は、受信モジュール１８１および送信モジュール１８２を含み得る。
【０４５０】
受信モジュール１８１は、上述の実施形態における段階６０２、段階７０１、段階８０１ｅ、段階１００３、段階１１０４および段階１１０４ａの実行において測位サーバ１８をサポートするように構成され、および／または、本明細書において説明される技術における別の処理を実行するように構成される。送信モジュール１８２は、上述の実施形態における段階６０３、段階７０１ａ、段階７０２、段階８０３、段階９０１、段階１００１ａ、段階１１０１および段階１１０１ａの実行において測位サーバ１８をサポートするように構成され、および／または、本明細書において説明される技術における別の処理を実行するように構成される。
【０４５１】
さらに、図１９は、上述の実施形態において提供される測位サーバの別の可能な概略構成図である。図１９において、送信モジュール１８１は、送信サブモジュール１８２１および判断サブモジュール１８２２を含み得る。
【０４５２】
送信サブモジュール１８２１は、上述の実施形態における段階６０３、段階７０１ａ、段階７０１ｃ、段階７０２、段階８０３、段階９０１、段階１００１ａ、段階１１０１および段階１１０１ａの実行において測位サーバ１８をサポートするように構成され、および／または、本明細書において説明される技術における別の処理を実行するように構成される。判断サブモジュール１８２２は、上述の実施形態における段階８０１、段階８０１ａ、段階８０１ｂ、段階８０１ｃおよび段階８０１ｄの実行において測位サーバ１８をサポートするように構成され、および／または、本明細書において説明される技術における別の処理を実行するように構成される。
【０４５３】
さらに、図２０は、上述の実施形態において提供される測位サーバの別の可能な概略構成図である。図２０において、送信モジュール１８１は、分類サブモジュール１８２３を含み得る。
【０４５４】
分類サブモジュール１８２３は、上述の実施形態における段階８０２の実行において測位サーバ１８をサポートするように構成され、および／または、本明細書において説明される技術における別の処理を実行するように構成される。
【０４５５】
さらに、図２１は、上述の実施形態において提供される測位サーバの別の可能な概略構成図である。図２１において、測位サーバは、生成モジュール１８３をさらに含み得る。
【０４５６】
生成モジュール１８３は、上述の実施形態における段階１１０５および段階１１０５ａの実行において測位サーバ１８をサポートするように構成され、および／または、本明細書において説明される技術における別の処理を実行するように構成される。
【０４５７】
統合されたユニットが用いられる場合、判断サブモジュール１８２２、分類サブモジュール１８２３、生成モジュール１８３等は、実装のために１つの処理モジュールに統合され得る。処理モジュールは、プロセッサまたはコントローラ、例えば、ＣＰＵ、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、別のプログラマブルロジックデバイス、トランジスタロジックデバイスもしくはハードウェアコンポーネントまたはそれらの任意の組み合わせなどであり得る。コントローラ／プロセッサは、本発明において開示される内容を参照して説明される様々な例示的な論理ブロック、モジュールおよび回路を実装または実行し得る。処理ユニットは、演算機能を実装した組み合わせ、例えば、１または複数のマイクロプロセッサの組み合わせまたはＤＳＰとマイクロプロセッサとの組み合わせであり得る。送信サブモジュール１８２１および受信モジュール１８２は、１つの通信インタフェースに統合され得る。記憶モジュールがメモリであり得る。
【０４５８】
上述の実施形態における図２に示される測位サーバを参照すると、処理モジュールは、図２に示されるプロセッサ２１およびプロセッサ２５などの１または複数のプロセッサであり得る。記憶モジュールは、図２に示されるメモリ２２であり得る。送信サブモジュール１８２１は、通信インタフェース２３を用いて実装され得る。
【０４５９】
通信バス２４は、具体的には、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ、ＰＣＩ）バス、拡張型業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス等であり得る。通信バス２４は、アドレスバス、データバス、コントロールバス等に分類され得る。このことは、本発明の本実施形態において限定されない。
【０４６０】
本発明の本実施形態において提供される測位サーバ１８のモジュールと、上述の実施形態における関連する方法の段階をモジュールが実行した後にもたらされる技術的効果とについての詳細な説明に関しては、本発明の実施形態での方法における関連する説明を参照すべきことに留意すべきである。本明細書において、詳細を説明しない。
【０４６１】
各機能モジュールが、対応する機能の各々に基づく分割を通じて取得される場合、図２２が、上述の実施形態において提供される基地局の可能な概略構成図である。図２２に示されるように、基地局２２は、受信ユニット２２１および送信ユニット２２２を含み得る。
【０４６２】
受信モジュール２２１は、上述の実施形態における段階６０４、段階８０４、段階９０２、段階１１０２、段階１２０２および段階１４０１の実行において基地局２２をサポートするように構成され、および／または、本明細書において説明される技術における別の処理を実行するように構成される。送信モジュール２２２は、上述の実施形態における段階６０５、段階８０５、段階１１０３、段階１２０３、段階１３０１、段階１５０１および段階１６０１の実行において基地局２２をサポートするように構成され、および／または、本明細書において説明される技術における別の処理を実行するように構成される。
【０４６３】
さらに、図２３は、上述の実施形態において提供される基地局の別の可能な概略構成図である。図２３において、送信モジュール２２２は、分類サブモジュール２２２１および送信サブモジュール２２２２を含み得る。
【０４６４】
分類サブモジュール２２２１は、上述の実施形態における段階６０５ａの実行において基地局２２をサポートするように構成され、および／または、本明細書において説明される技術における別の処理を実行するように構成される。送信サブモジュール２２２２は、上述の実施形態における段階６０５、段階８０５、段階１１０３、段階１３０１、段階１５０１および段階１６０１の実行において基地局２２をサポートするように構成され、および／または、本明細書において説明される技術における別の処理を実行するように構成される。
【０４６５】
統合されたユニットが用いられる場合、分類サブモジュール２２２１は、処理モジュールにより実装され得る。処理モジュールは、プロセッサまたはコントローラ、例えば、ＣＰＵ、汎用プロセッサ、ＤＳＰ、ＡＳＩＣ、ＦＰＧＡ、別のプログラマブルロジックデバイス、トランジスタロジックデバイスもしくはハードウェアコンポーネントまたはそれらの任意の組み合わせであり得る。コントローラ／プロセッサは、本発明において開示される内容を参照して説明される様々な例示的な論理ブロック、モジュールおよび回路を実装または実行し得る。処理ユニットは、演算機能を実装した組み合わせ、例えば、１または複数のマイクロプロセッサの組み合わせまたはＤＳＰとマイクロプロセッサとの組み合わせであり得る。送信サブモジュール２２２２および受信モジュール２２１は、１つの通信インタフェースに統合され得る。記憶モジュールがメモリであり得る。
【０４６６】
上述の実施形態における図３に示される基地局を参照すると、処理モジュールは、図３に示されるプロセッサ３１およびプロセッサ３５などの１または複数のプロセッサであり得る。記憶モジュールは、図３に示されるメモリ３２であり得る。送信サブモジュール２２２２は、通信インタフェース３３を用いて実装され得る。
【０４６７】
通信バス３４は、具体的には、ＰＣＩバス、ＥＩＳＡバス等であり得る。通信バス３４は、アドレスバス、データバス、コントロールバス等に分類され得る。このことは、本発明の本実施形態において限定されない。
【０４６８】
本発明の本実施形態において提供される基地局２２のモジュールと、上述の実施形態における関連する方法の段階をモジュールが実行した後にもたらされる技術的効果とについての詳細な説明に関しては、本発明の実施形態での方法における関連する説明を参照すべきことに留意すべきである。本明細書において、詳細を説明しない。
【０４６９】
各機能モジュールが、対応する機能の各々に基づく分割を通じて取得される場合、図２４が、上述の実施形態において提供されるコアネットワークデバイスの可能な概略構造図である。図２４に示されるように、コアネットワークデバイス２４は、送信モジュール２４１および判断モジュール２４２を含み得る。
【０４７０】
送信モジュール２４１は、上述の実施形態における段階６０１、段階１００１、段階１００２および段階１２０１の実行においてコアネットワークデバイス２４をサポートするように構成され、および／または、本明細書において説明される技術における別の処理を実行するように構成される。判断モジュール２４２は、上述の実施形態における「第１の条件が満たされているという判断」および「第２の条件が満たされているという判断」の実行においてコアネットワークデバイス２４をサポートするように構成され、および／または、本明細書において説明される技術における別の処理を実行するように構成される。
【０４７１】
さらに、図２５は、上述の実施形態において提供されるコアネットワークデバイスの別の可能な概略構成図である。図２５において、コアネットワークデバイス２４は、受信モジュール２４３をさらに含み得る。
【０４７２】
受信モジュール２４３は、上述の実施形態における段階１００１ｂの実行においてコアネットワークデバイス２４をサポートするように構成され、および／または、本明細書において説明される技術における別の処理を実行するように構成される。
【０４７３】
統合されたユニットが用いられる場合、判断モジュール２４２は、処理モジュールにより実装され得る。処理モジュールは、プロセッサまたはコントローラ、例えば、ＣＰＵ、汎用プロセッサ、ＤＳＰ、ＡＳＩＣ、ＦＰＧＡ、別のプログラマブルロジックデバイス、トランジスタロジックデバイスもしくはハードウェアコンポーネントまたはそれらの任意の組み合わせであり得る。コントローラ／プロセッサは、本発明において開示される内容を参照して説明される様々な例示的な論理ブロック、モジュールおよび回路を実装または実行し得る。処理ユニットは、演算機能を実装した組み合わせ、例えば、１または複数のマイクロプロセッサの組み合わせまたはＤＳＰとマイクロプロセッサとの組み合わせであり得る。送信モジュール２４１および受信モジュール２４３は、１つの通信インタフェースに統合され得る。記憶モジュールがメモリであり得る。
【０４７４】
上述の実施形態における図４に示されるコアネットワークデバイスを参照すると、処理モジュールは、図４に示されるプロセッサ４１およびプロセッサ４５などの１または複数のプロセッサであり得る。記憶モジュールは、図４に示されるメモリ４２であり得る。送信モジュール２４１および受信モジュール２４３は、実装のために通信インタフェース４３に統合され得る。
【０４７５】
通信バス４４は、具体的には、ＰＣＩバス、ＥＩＳＡバス等であり得る。通信バス４４は、アドレスバス、データバス、コントロールバス等に分類され得る。このことは、本発明の本実施形態において限定されない。
【０４７６】
本発明の本実施形態において提供されるコアネットワークデバイス２４と、上述の実施形態における関連する方法の段階をモジュールが実行した後にもたらされる技術的効果とについての詳細な説明に関しては、本発明の実施形態での方法における関連する説明を参照すべきことに留意すべきである。本明細書において、詳細を説明しない。
【０４７７】
本発明の実施形態において提供される測位支援データ送信システムは、同じであり得る１または複数のＵＥを含むので、本発明の実施形態において、単に、機能モジュールへのこれら１または複数のＵＥのいずれか１つの分割が具体的に説明される。
【０４７８】
各機能モジュールが、対応する機能の各々に基づく分割を通じて取得される場合、図２６が、上述の実施形態において提供されるＵＥの可能な概略構成図である。図２６に示されるように、ＵＥ２６は、受信モジュール２６１および送信モジュール２６２を含み得る。
【０４７９】
受信モジュール２６１は、上述の実施形態における段階７０１ｂ、段階１１０２ａ、段階１３０１、段階１４０１、段階１５０２および段階１６０２の実行においてＵＥ２６をサポートするように構成され、および／または、本明細書において説明される技術における別の処理を実行するように構成される。送信モジュール２６２は、上述の実施形態における段階７０１ｃ、段階１１０３ａおよび段階１７０１の実行においてコアネットワークデバイス２４をサポートするように構成される。
【０４８０】
さらに、図２７は、上述の実施形態において提供されるＵＥの別の可能な概略構成図である。図２７において、ＵＥ２６は、計算モジュール２６３をさらに含み得る。
【０４８１】
計算モジュール２６３は、上述の実施形態における段階１３０２および段階１４０２の実行においてＵＥ２６をサポートするように構成され、および／または、本明細書において説明される技術における別の処理を実行するように構成される。
【０４８２】
統合されたユニットが用いられる場合、計算モジュール２６３は、処理モジュールにより実装され得る。処理モジュールは、プロセッサまたはコントローラ、例えば、ＣＰＵ、汎用プロセッサ、ＤＳＰ、ＡＳＩＣ、ＦＰＧＡ、別のプログラマブルロジックデバイス、トランジスタロジックデバイスもしくはハードウェアコンポーネントまたはそれらの任意の組み合わせであり得る。コントローラ／プロセッサは、本発明において開示される内容を参照して説明される様々な例示的な論理ブロック、モジュールおよび回路を実装または実行し得る。処理ユニットは、演算機能を実装した組み合わせ、例えば、１または複数のマイクロプロセッサの組み合わせまたはＤＳＰとマイクロプロセッサとの組み合わせであり得る。送信モジュール２６２および受信モジュール２６１は、１つの通信インタフェースに統合され得る。記憶モジュールがメモリであり得る。
【０４８３】
上述の実施形態における図５に示されるＵＥを参照すると、処理モジュールは、図５に示されるプロセッサ５１およびプロセッサ５５などの１または複数のプロセッサであり得る。記憶モジュールは、図５に示されるメモリ５２であり得る。送信モジュール２６２および受信モジュール２６１は、実装のために通信インタフェース５３に統合され得る。
【０４８４】
通信バス５４は、具体的には、ＰＣＩバス、ＥＩＳＡバス等であり得る。通信バス５４は、アドレスバス、データバス、コントロールバス等に分類され得る。このことは、本発明の本実施形態において限定されない。
【０４８５】
本発明の本実施形態において提供されるコアネットワークデバイス２４と、上述の実施形態における関連する方法の段階をモジュールが実行した後にもたらされる技術的効果とについての詳細な説明に関しては、本発明の実施形態での方法における関連する説明を参照すべきことに留意すべきである。本明細書において、詳細を説明しない。
【０４８６】
実装についての前述の説明により、当業者は、簡便かつ簡潔な説明を目的として、前述の機能モジュールへの分割は例示のための例として用いられているのを理解することが可能になる。実際の用途において、前述の機能は、異なるモジュールに割り当てられ、要件に基づいて実装され得る。すなわち、装置の内部構造は、上述の機能の全てまたはいくつかを実装するために、異なる機能モジュールに分割される。前述のシステム、装置およびユニットの詳細な動作プロセスについては、前述の方法の実施形態における対応するプロセスを参照されたい。本明細書においては、詳細を改めて説明しない。
【０４８７】
本願において提供されるいくつかの実施形態において、開示されたシステム、装置および方法は、他の方式で実装され得ることが理解されるべきである。例えば、説明された装置の実施形態は、例に過ぎない。例えば、モジュールまたはユニットの分割は、論理的機能の分割に過ぎず、実際の実装においては、他の分割であってよい。例えば、複数のユニットまたはコンポーネントが組み合わされても別のシステムに統合されてもよく、いくつかの機能が無視されても実行されなくてもよい。加えて、表示または議論された相互結合もしくは直接結合または通信接続は、いくつかのインタフェースを用いて実装されてよい。装置間またはユニット間の間接結合または通信接続は、電子的形態、機械的形態または他の形態で実装されてよい。
【０４８８】
別個の部分として説明されたユニットは、物理的に別個であってもなくてもよく、ユニットとして表示された部分は、物理ユニットであってもなくてもよく、１箇所に位置してもよく、複数のネットワークユニットに分散されてもよい。実施形態の解決手段の目的を達成するために、当該ユニットのいくつかまたは全てが、実際の要件に基づいて選択されてよい。
【０４８９】
加えて、本願の実施形態における機能ユニットは、１つの処理ユニットに統合されてよく、または、当該ユニットの各々が、物理的に単独で存在してよく、または、２またはそれより多くのユニットが１つのユニットに統合される。統合されたユニットは、ハードウェアの形態で実装されてもソフトウェア機能ユニットの形態で実装されてもよい。
【０４９０】
統合されたユニットがソフトウェア機能ユニットの形態で実装され、独立した製品として販売または使用される場合、統合されたユニットは、コンピュータ可読記憶媒体に格納されてよい。そのような理解に基づいて、基本的には本願の技術的解決手段、もしくは従来技術に寄与する部分、または当該技術的解決手段の全てもしくはいくつかが、ソフトウェア製品の形態で実装されてよい。コンピュータソフトウェア製品は、記憶媒体に格納されており、本願の実施形態において説明された方法の段階の全てまたはいくつかを実行するようコンピュータデバイス（パーソナルコンピュータ、サーバ、ネットワークデバイス等であってよい）に命令するためのいくつかの命令を含む。前述の記憶媒体は、フラッシュメモリ、リムーバブルハードディスク、リードオンリメモリ、ランダムアクセスメモリ、磁気ディスクまたは光ディスクなど、プログラムコードを格納できるあらゆる媒体を含む。
【０４９１】
前述の説明は、本願の具体的な実装に過ぎず、本願の保護範囲を限定することは意図していない。本願において開示された技術範囲内のあらゆる変形または置き換えは、本願の保護範囲に含まれるものとする。従って、本願の保護範囲は、特許請求の範囲の保護範囲の対象になるものとする。
［項目１］
測位支援データ送信方法であって、
測位サーバが、コアネットワークデバイスにより送信される少なくとも１つの測位要求を受信する段階であって、上記測位要求は、ユーザ機器ＵＥの識別子および上記ＵＥのサービングセルの識別子を含む、段階と、
上記測位サーバが、上記少なくとも１つの測位要求に基づいて、少なくとも１つの測位支援データを基地局へ送信する段階と
を備える方法。
［項目２］
上記測位サーバが、上記少なくとも１つの測位要求に基づいて、少なくとも１つの測位支援データを基地局へ送信する上記段階の前に、
上記測位サーバが、上記ＵＥにより送信される第１のメッセージを受信する段階であって、上記第１のメッセージは、上記ＵＥの測位性能指示情報、測位精度指示情報および／またはサービスタイプ指示情報のうちの少なくとも１つを含み、上記測位性能指示情報は、上記ＵＥの測位性能を示すために用いられ、上記測位精度指示情報は、上記ＵＥによりサポートされる測位精度を示すために用いられ、上記サービスタイプ指示情報は、上記ＵＥによりサポートされるサービスタイプを示すために用いられる、段階
をさらに備える、項目１に記載の方法。
［項目３］
上記ＵＥによりサポートされる上記測位性能は、ダウンリンク観測到達時間差ＯＴＤＯＡ法、リアルタイムキャリア位相ＲＴＫ法、リアルタイムキネマティック疑似距離差ＲＴＤ法、状態空間表現ＳＳＲ法、仮想基準局ＶＲＳ法、マスタ補助コンセプトＭＡＣ法、面補正パラメータＦＫＰ法および精密単独測位ＰＰＰ法のうちの少なくとも１つを含む、
項目２に記載の方法。
［項目４］
第１のサービングセルについて、上記測位サーバが、上記少なくとも１つの測位要求に基づいて、少なくとも１つの測位支援データを基地局へ送信する上記段階は、
上記第１のサービングセルに対応する基地局について第１の条件が満たされている場合、上記測位サーバが、上記第１のサービングセルの識別子に基づいて、上記少なくとも１つの測位支援データを上記第１のサービングセルに対応する上記基地局へ送信する段階であって、上記第１の条件は、
上記測位サーバが、上記第１のサービングセル内の測位される必要があるＵＥの数が第１の閾値より大きい、と判断すること、および／または、
上記測位サーバが、上記第１のサービングセル内の測位される必要がある上記ＵＥのうち任意の測位性能を満たすＵＥの数が第２の閾値より大きい、と判断すること、および／または、
上記測位サーバが、上記第１のサービングセル内の測位される必要がある上記ＵＥのうち任意のサポートされる測位精度を満たすＵＥの数が第３の閾値より大きい、と判断すること、および／または、
上記測位サーバが、上記第１のサービングセル内の測位される必要がある上記ＵＥのうち任意の測位サービスタイプを満たすＵＥの数が第４の閾値より大きい、と判断すること、および／または、
上記測位サーバが、上記コアネットワークデバイスにより送信される第１の命令情報であって、上記測位支援データを上記第１のサービングセル内の測位される必要がある上記ＵＥへブロードキャストモードで送信するよう命令するために用いられる、第１の命令情報を受信すること
という条件のいずれか１つである、段階
を有する、
項目２または３に記載の方法。
［項目５］
上記測位サーバが、上記第１のサービングセルの識別子に基づいて、上記少なくとも１つの測位支援データを上記第１のサービングセルに対応する上記基地局へ送信する上記段階は、
上記測位サーバが、上記第１のサービングセル内の測位される必要がある上記ＵＥの測位性能および／または測位精度および／または測位サービスタイプに基づいて上記少なくとも１つの測位支援データを分類して、異なるタイプの上記少なくとも１つの測位支援データを取得する段階と、
上記測位サーバが、上記第１のサービングセルの上記識別子に基づいて、上記異なるタイプの上記少なくとも１つの測位支援データを上記第１のサービングセルに対応する上記基地局へ送信する段階と
を含む、
項目４に記載の方法。
［項目６］
上記測位サーバが、上記第１のサービングセルの識別子に基づいて、上記少なくとも１つの測位支援データを上記第１のサービングセルに対応する上記基地局へ送信する上記段階の後に、
上記測位サーバが、停止指示メッセージを上記第１のサービングセルに対応する上記基地局へ送信する段階であって、上記停止指示メッセージは、上記第１のサービングセルに対応する上記基地局への上記少なくとも１つの測位支援データの送信が停止されていることを示すために用いられる、段階
をさらに備える、項目５に記載の方法。
［項目７］
測位支援データ送信方法であって、
基地局が、測位サーバにより送信される少なくとも１つの測位支援データを受信する段階と、
上記基地局が上記少なくとも１つの測位支援データをブロードキャストする段階と
を備える方法。
［項目８］
上記基地局が上記少なくとも１つの測位支援データをブロードキャストする上記段階は、
第１のサービングセルに対応する基地局について、上記第１のサービングセルに対応する上記基地局が、異なるタイプの少なくとも１つの測位支援データをブロードキャストする段階
を有する、
項目７に記載の方法。
［項目９］
基地局が、測位サーバにより送信される少なくとも１つの測位支援データを受信する上記段階の前に、
上記基地局が、コアネットワークデバイスにより送信される測位通知メッセージを受信する段階であって、上記測位通知メッセージは、測位要求を含む、段階と、
上記基地局が、上記測位通知メッセージを、測位される必要があるＵＥへ送信する段階と
をさらに備える、項目８に記載の方法。
［項目１０］
基地局が、測位サーバにより送信される少なくとも１つの測位支援データを受信する上記段階の後に、
上記基地局が第１の変更ページングメッセージを第１のＵＥへ送信する段階であって、上記第１の変更ページングメッセージは、第１の測位支援データに関連するシステムメッセージが変わっていることを示すために用いられる変更指示情報を保持し、上記第１のＵＥは、上記第１のサービングセル内の測位される必要があるＵＥである、段階
をさらに備える、項目７から９のいずれか一項に記載の方法。
［項目１１］
測位支援データ送信方法であって、
コアネットワークデバイスが少なくとも１つの測位要求を測位サーバへ送信する段階であって、上記少なくとも１つの測位要求の各々が、ユーザ機器ＵＥの識別子および上記ＵＥのサービングセルの識別子を含む、段階と、
第１の条件が満たされている場合、上記コアネットワークデバイスが第１の命令情報を上記測位サーバへ送信する段階であって、上記第１の命令情報は、測位支援データを上記第１のサービングセル内の測位される必要があるＵＥへブロードキャストモードで送信するよう命令するために用いられ、上記第１の条件は、
上記コアネットワークデバイスが、上記第１のサービングセル内の測位される必要があるＵＥの数が第１の閾値より大きい、と判断すること、および／または、
上記コアネットワークデバイスが、上記第１のサービングセル内の測位される必要がある上記ＵＥのうち任意のＵＥ測位性能を満たすＵＥの数が第２の閾値より大きい、と判断すること、および／または、
上記コアネットワークデバイスが、上記第１のサービングセル内の測位される必要がある上記ＵＥのうち任意のサポートされる測位精度を満たすＵＥの数が第３の閾値より大きい、と判断すること、および／または、
上記コアネットワークデバイスが、上記第１のサービングセル内の測位される必要がある上記ＵＥのうち任意の測位サービスタイプを満たすＵＥの数が第４の閾値より大きい、と判断すること
という条件のいずれか１つである、段階と
を備える方法。
［項目１２］
上記コアネットワークデバイスが、第１の命令情報を上記測位サーバへ送信する上記段階の後に、
上記コアネットワークデバイスが第２の命令情報を上記測位サーバへ送信する段階であって、上記第２の命令情報は、上記測位支援データを上記第１のサービングセル内の測位される必要がある上記ＵＥへブロードキャストモードで送信することを停止するよう命令するために用いられる、段階
をさらに備える、項目１１に記載の方法。
［項目１３］
コアネットワークデバイスが少なくとも１つの測位要求を測位サーバへ送信する上記段階の前に、
上記コアネットワークデバイスが測位通知メッセージを上記基地局へ送信する段階であって、上記測位通知メッセージは、上記測位要求を保持する、段階
をさらに備える、項目１１または１２に記載の方法。
［項目１４］
測位支援データ送信方法であって、
第１のユーザ機器ＵＥが、第１のサービングセルに対応する基地局によりブロードキャストされる第１の測位支援データを取得する段階であって、上記第１の測位支援データは、上記第１のＵＥにより計算を通じて正確な位置を取得するために用いられるか、または、上記第１の測位支援データは、上記第１のＵＥにより測位測定を実行するために用いられ、上記第１のＵＥは、上記第１のサービングセル内の測位される必要があるＵＥである、段階
を備える方法。
［項目１５］
第１のＵＥが、第１のサービングセルに対応する基地局によりブロードキャストされる第１の測位支援データを取得する上記段階の前に、
上記第１のＵＥが上記第１のＵＥの第１のメッセージを測位サーバへ送信する段階であって、上記第１のＵＥの上記第１のメッセージは、上記第１のＵＥの測位性能指示情報、上記第１のＵＥの測位方法指示情報、または上記第１のＵＥのサービスタイプ指示情報のうちの少なくとも１つを含み、上記第１のＵＥの上記測位性能指示情報は、上記第１のＵＥの測位性能を示すために用いられ、上記第１のＵＥの上記測位精度指示情報は、上記第１のＵＥによりサポートされる測位精度を示すために用いられ、上記第１のＵＥの上記サービスタイプ指示情報は、上記第１のＵＥによりサポートされるサービスタイプを示すために用いられる、段階
をさらに備える、項目１４に記載の方法。
［項目１６］
第１のＵＥが、第１のサービングセルに対応する基地局によりブロードキャストされる第１の測位支援データを取得する上記段階の前に、
上記第１のＵＥが、上記第１のサービングセルに対応する上記基地局により送信される第１の変更ページングメッセージを受信する段階であって、上記第１の変更ページングメッセージは、上記第１の測位支援データに関連するシステムメッセージが変わっていることを示すために用いられる変更指示情報を保持する、段階
をさらに備える、項目１５に記載の方法。
［項目１７］
第１のＵＥが、第１のサービングセルに対応する基地局によりブロードキャストされる第１の測位支援データを取得する上記段階の後に、
上記第１のＵＥが、上記第１のサービングセルに対応する上記基地局により送信される第１の測位ページングメッセージを受信する段階であって、上記第１の測位ページングメッセージは、測位要求指示情報を保持する、段階
をさらに備える、項目１６に記載の方法。
［項目１８］
１または複数のプロセッサと、メモリと、通信インタフェースと、バスとを備える測位サーバであって、
上記メモリは、少なくとも１つの命令を格納するように構成され、上記１または複数のプロセッサ、上記メモリおよび上記通信インタフェースは、上記バスを用いて接続され、上記測位サーバが動作した場合、上記１または複数のプロセッサが、上記メモリに格納された上記少なくとも１つの命令を実行することにより、上記測位サーバは、項目１から６のいずれか一項に記載の測位支援データ送信方法を実行する、
測位サーバ。
［項目１９］
少なくとも１つの命令を含むコンピュータ記憶媒体であって、
上記少なくとも１つの命令がコンピュータ上で実行された場合、上記コンピュータは、項目１から６のいずれか一項に記載の測位支援データ送信方法を実行するよう有効化される、
コンピュータ記憶媒体。
［項目２０］
少なくとも１つの命令を含むコンピュータプログラム製品であって、
上記少なくとも１つの命令がコンピュータ上で実行された場合、上記コンピュータは、項目１から６のいずれか一項に記載の測位支援データ送信方法を実行するよう有効化される、
コンピュータプログラム製品。
［項目２１］
１または複数のプロセッサと、メモリと、通信インタフェースと、バスとを備える基地局であって、
上記メモリは、少なくとも１つの命令を格納するように構成され、上記１または複数のプロセッサ、上記メモリおよび上記通信インタフェースは、上記バスを用いて接続され、上記基地局が動作した場合、上記１または複数のプロセッサが、上記メモリに格納された上記少なくとも１つの命令を実行することにより、上記基地局は、項目７から１０のいずれか一項に記載の測位支援データ送信方法を実行する、
基地局。
［項目２２］
少なくとも１つの命令を含むコンピュータ記憶媒体であって、
上記少なくとも１つの命令がコンピュータ上で実行された場合、上記コンピュータは、項目７から１０のいずれか一項に記載の測位支援データ送信方法を実行するよう有効化される、
コンピュータ記憶媒体。
［項目２３］
少なくとも１つの命令を含むコンピュータプログラム製品であって、
上記少なくとも１つの命令がコンピュータ上で実行された場合、上記コンピュータは、項目７から１０のいずれか一項に記載の測位支援データ送信方法を実行するよう有効化される、
コンピュータプログラム製品。
［項目２４］
１または複数のプロセッサと、メモリと、通信インタフェースと、バスとを備えるコアネットワークデバイスであって、
上記メモリは、少なくとも１つの命令を格納するように構成され、上記１または複数のプロセッサ、上記メモリおよび上記通信インタフェースは、上記バスを用いて接続され、上記コアネットワークデバイスが動作した場合、上記１または複数のプロセッサが、上記メモリに格納された上記少なくとも１つの命令を実行することにより、上記コアネットワークデバイスは、項目１１から１３のいずれか一項に記載の測位支援データ送信方法を実行する、
コアネットワークデバイス。
［項目２５］
少なくとも１つの命令を含むコンピュータ記憶媒体であって、
上記少なくとも１つの命令がコンピュータ上で実行された場合、上記コンピュータは、項目１１から１３のいずれか一項に記載の測位支援データ送信方法を実行するよう有効化される、
コンピュータ記憶媒体。
［項目２６］
少なくとも１つの命令を含むコンピュータプログラム製品であって、
上記少なくとも１つの命令がコンピュータ上で実行された場合、上記コンピュータは、項目１１から１３のいずれか一項に記載の測位支援データ送信方法を実行するよう有効化される、
コンピュータプログラム製品。
［項目２７］
１または複数のプロセッサと、メモリと、通信インタフェースと、バスとを備えるＵＥであって、
上記メモリは、少なくとも１つの命令を格納するように構成され、上記１または複数のプロセッサ、上記メモリおよび上記通信インタフェースは、上記バスを用いて接続され、上記ＵＥが動作した場合、上記１または複数のプロセッサが、上記メモリに格納された上記少なくとも１つの命令を実行することにより、上記ＵＥは、項目１１から１３のいずれか一項に記載の測位支援データ送信方法を実行する、
ＵＥ。
［項目２８］
少なくとも１つの命令を含むコンピュータ記憶媒体であって、
上記少なくとも１つの命令がコンピュータ上で実行された場合、上記コンピュータは、項目１１から１３のいずれか一項に記載の測位支援データ送信方法を実行するよう有効化される、
コンピュータ記憶媒体。
［項目２９］
少なくとも１つの命令を含むコンピュータプログラム製品であって、
上記少なくとも１つの命令がコンピュータ上で実行された場合、上記コンピュータは、項目１１から１３のいずれか一項に記載の測位支援データ送信方法を実行するよう有効化される、
コンピュータプログラム製品。
［項目３０］
項目１８に記載の測位サーバと、
項目２１に記載の基地局と、
項目２４に記載のコアネットワークデバイスと、
項目２７に記載の少なくとも１つのＵＥと
を備える測位支援データ送信システム。
【国際調査報告】
2020529006.tif 000035
2020529006.tif 000036
2020529006.tif 000037
2020529006.tif 000038
2020529006.tif 000039
2020529006.tif 000040